(57)【要約】【課題】一時間待って五分間医療、糖尿病や脊椎損傷などで医療費は膨らみ、原子力発電所は事故を起こし、オスプレイは墜落し、政治経済は混迷をきたし、世界には宗教戦争が絶えない、日本人夫婦の六人に一人は不妊治療を行っている、公共土木構造物は老朽化し、笹子トンネルは崩落した。複雑な組織体の制御を少数の人間の脳が行うことの限界が今世紀の今日的課題である。【解決手段】２型糖尿病で血糖値改善は、定時・定量・定運動量・定薬物療法、午後６時までに野菜とタンパク質を食べ、炭水化物と食事量を制限。夜中の食事禁止。暴食お菓子と炭水化物、間食禁止。断酒。夜は早め熟睡。昼間は自律訓練法で食欲抑制。マルチビタミン・特にEとC摂取、煮干し、木の実、煮魚、高野豆腐、海藻類、発酵食品で空腹抑制。口と足を清潔に糖尿病と骨資欠材・歯・口内細菌・水虫・腸内細菌・脳に着目。記録療法、食事と血糖値を記録する。血糖値をヘレン針深度法で制御。【選択図】図１
2014121188.tif 000002
【特許請求の範囲】
【請求項１】
ヘレン針深度法（H.N.D.P. : Hellen Needle Depth Method）は、アーキテクチャーの構築による新しいメインフレーム群を作成し、既存の動作原理の異なる、プログラム言語の異なる既存のコンピュータ群を有機的に連結し、内部シミュレーション可能な自律的人工知能自己改変プログラム群をコンピューター群の各ブラウザー型制御装置の中に組み込み、各ブラウザー同士が有機的通信を行い、組織体のデーターを初めから終わりまで分散型で各コンピュータ群に保持維持管理して、組織体の解析を分散型と融合型処理をして制御する方法です。分散型処理とは、処理がコンピューターから別の複数のコンピューターへ自律的に移動することです。融合型処理とは、異なる複数のコンピューターに分散した処理を統合します。分散処理は複数のコンピューターの牧場をあたかも複数の羊が自由に草を探して分散処理します。融合処理はあたかも羊飼いが分散した複数の羊を集合させながら処理します。ヘレン針深度は、ヘレン針深度法によって構築されたフレームワーク群を用いて、組織体に刺激を与えてから計測される、組織体の反応パターン分析の結果の違いです。ヘレン深度は、組織体外から組織体内に入る刺激の計測可能な投入量と、組織体が組織体外からの投入量を感受して、計測可能な反応量をしめしたとき、投入量に対する組織体の測定可能な反応量の時系列による反応パターン分析の結果の違いだと定義します。ヘレン深度法プログラムは組織体からの反応パターン解析と内部シミュレーションを同時に行います。ヘレン針深度法は、組織体の反応のパターン分析結果の違いである複数のヘレン針深度と時系列による内部シミュレーションの結果を比較検討して、コントロール可能な量、例えば生体であれば運動量や食事の内容や食事のカロリーや体調の予測や自己暗示を用いた心理的効果を数値的に考慮します。ヘレン深度法は、制御目標関数である多変数多変量関数を、サイバネティクス理論、語源はギリシャ語の舵を取る者、ノバート・ウイナーによって提唱された情報理論と自動制御の理論によって、フィードバック（現在の出力の結果をみて現在の入力を調整します）とフィードフォアード（出力を予想して現在の入力を調整します）とフィードパスト（現在の状況と、データーベース、インターネット上の情報を検索・比較・判断を行い、過去の累積した膨大なデータベースの内容を現在の状況に応じて瞬時に検索した結果を参考にして、現在の入力を調整します）フィードバーチャル（内外の環境情報をもとにしてプログラムの内部に内部シミュレーターを有する数学モデルの仮想空間を時系列で内部シミュレーションを実行した結果とヘレン深度の組織体からの分析パターン結果を比較・検討・判断を行いプログラムに修正を加えながら内部シミュレーションをさらに精度を上げるように実行します。制御に有効な入出力データーを捜索し、数学モデルを修正し、内部シミュレーションの出力とヘレン深度の応答群に基づいて比較・検討・決定します）を行い、人工知能がある程度まで自律的制御し、最終的には人間と協力しながら、入出力変数を統計処理、場合分け関数処理、数値解析、多変数解析、多変量解析、フーリエ変換、応答解析、周波数分解、パターン解析、因子分析、相関解析、差分法、微分��程式、積分方程式、変分原理による重みつき残差法、状態遷移行列、複雑系の数学理論、学習型の人工知能、プログラム群自身が異なる言語プログラム群をモジュール化して組み合わせて複数のハードウエアー群を統御し、自律的部分的プログラムの修正、専門家との協議による大規模な修正や修復改善を自律的に行える可変型の動的コンピュータープログラム群を有するハードウエアー群で数学的処理を経たのちに、ヘレン深度の組織体反応パターンと内部シミュレーションの結果を比較・検討・修正して組織体を効果的にアシストし数値制御する方法。
【請求項２】
一時間待って、５分診療、月に一回か二回の医師による診察とアドバイスだけでは血糖値をコントロールすることは困難を極めます。複雑な変動パターンを示す血糖値を人間が解析することは困難です。ヘレン針深度法（H.N.D.M. : Hellen Needle Depth Method）による血糖値変動のパターン分析結果であるヘレン深度を食事時間、食事の内容、運動量を携帯端末、タブレット端末、パソコン、などを使い、ヘレン針深度法によるプログラム計算によって、インスリンを打つタイミングを支援します。学習型で可変ダイナミックプログラミングなので対処療法の精度を上げていきます。簡単な例として、Microsoft社のExcel（ExcelはMicrosoft社の登録商標です）のマクロ機能を使いヘレン針深度法による数学的処理をもちいて数値計算を行い、サイバネティクス理論に基づく、フィードフォアードとフィードバックとフィードパストとフィードバーチャルによって、計測可能な組織体への物理的投入量と組織体の物理的反応量との反応パターンの違いであるヘレン深度を利用した、インスリンの注射の時間、インスリンの質と量、運動量、食事の内容と食事に合わせたインスリン注射のタイミングを制御する方法。
【請求項３】
個人を特定した生涯にわたるオーダーメイド医療を提供するため、ヘレン針深度法（H.N.D.M. : Hellen Needle Depth Method）による医師と患者をアシストする医療エキスパートプログラム、ヘレン針深度法による、プログラムとアーキテクチャーの構築によるメインフレーム群の作成と制御の方法。患者の症状の情報と連動して内部で患者の組織体のシミュレーションを行い、膨大な医療データーベースを瞬時に検索し、対症療法を医師や患者に指示します。その結果をすぐに入力、さらなる対症療法をしめす。その結果を学習して対症療法を少しずつ変えていきます。可変ダイナミックプログラミングにより、対処療法の精度を上げていきます。人工知能を有する自律型の医学研究ロボットで、医療データーベース、インターネットで最新の医学論文を検索調査し、病気の改善を指向します。研究結果をまとめ、医師と相談協議して自らのプログラムを変えていきます。医療機関における専門医でない一般の医師、患者、電子カルテ、ヘレン針深度法による医療アシストプログラムの連帯関係を保持・維持・管理します。家庭では、患者が、電話回線、インターネット等で、ヘレン針深度法による医療アシストプログラムと連帯関係を保持します。医師が変わる場合、病気が変わる場合、医療機関が変わる場合に応じて、個人の医療データーを生涯に渡って管理・維持・保持して、患者が生まれたときから死ぬ時まで、患者に付き添い医療を守護するヘレン針深度法による患者の健康の制御方法。最終型は、患者の体内に埋め込まれた電極を有するトランスポンダーによって、一日２４時間生涯に渡る管理を行う制御の方法。
【請求項４】
チタン・バナジウム・マグネシウムによる水素吸蔵合金（すいそきゅうぞうごうきん）に重水素を合金内部に貯蔵させ電圧と磁束によるヘレン針深度法（H.N.D.M. : Hellen Needle Depth Method）による制御で拘束をかけ水素の原子核を融合させヘリウムを生成させ電力を得る方法。
【請求項５】
脊椎損傷などで足の不自由な人のために車椅子プラス人形寝袋型歩行（くるまいすプラスひとがたねぶくろがたほこう）アシストロボットと人間の顎や手や首や眼球の動きと脳波をもちいてヘレン針深度法（H.N.D.M. : Hellen Needle Depth Method）によって組織体であるロボットを制御する方法。素材はPC鋼材や炭素繊維、表面が化学繊維、ロボットの骨格は、CFRP(炭素繊維補強プラスチック)の鋼製構造型枠に樹脂を充填したものやCFRP(炭素繊維補強プラスチック)のハニカム構造にハニカム構造を埋め込んで樹脂と高圧ガス封入ビーズ様小粒を充填したものであるため軽量で強靭でじん性があり耐久性がある。車椅子部分とロボット前面部を分割・合体させる。車椅子の車を折り畳んで収納できる。ロボット内に大小便の吸入器とタンクを備えている。ナビゲーターをロボットが装備している。初期型は顎や手や首や眼球の動きでロボットを制御するが、最終型はヘレン針深度法による人間の脳内の特定の部位に埋め込まれた電極を有するトランスポンダーを用いたマン・ブレイン・インターフェースによって、人の脳と機械を融合させ自由自在に組織体であるロボットを制御する方法。
【請求項６】
航空機が機体各所に多数設置されたマイクロ波、レーザ光、音響ソナー、デジタルカメラ立体視、風速計、風向計の各種センサーから投入された情報と航空機内部のジャイロの姿勢情報、GPS情報、デジタル地図をもとにしてコンピュータプログラム内部にデジタル環境空間とデジタル航空機体を構成し数値シミュレーションを行います。風向風速と機体の姿勢を時系列で予測しながらヘレン針深度法（H.N.D.M. : Hellen Needle Depth Method）による制御方法を用いて、航空機の動力や姿勢制御装置と連動させて、障害物の自動回避、航空機の複雑な風向風速中で、リアルタイムデーターで外部データーとプログラム内部の機体数値シミュレーション結果を比較・検討・決定しながら、姿勢自動制御を行い、フェイルセーフの考えに基づくパイロットを効果的に支援する方法。
【請求項７】
視覚障害者の身体や衣服・帽子・靴の各所に多数設置されたマイクロ波、レーザー光、音響ソナー、デジタルカメラ立体視、風速計、風向計、接触センサー、各種センサーから投入された情報と、視覚障害者の体位計測の複数ジャイロの姿勢情報、GPS情報やデジタル地図情報をもとにしてコンピュータ内にデジタル環境空間とデジタル視覚障害者を構成し、両耳への立体音響による、ヘミシンク技術、頭がい骨への骨伝導技術を組み合わせて脳に刺激をあたえ、ヘレン針深度法（H.N.D.M. : Hellen Needle Depth Method）による制御技術を用いて、幻肢痛の場合の様に聴覚神経が未使用の視覚神経領域を浸潤または連絡する原理と視覚障害者が行うエコロケーションの原理を応用して、特殊な音響と骨伝導振動によって視覚障害者の聴覚神経を刺激することによって視覚神経刺激を発生させることで疑似幻視覚映像を生み出して外部環境と歩行者をリアルタイムデーターで外部データーと内部数値シミュレーション結果を比較・検討・決定しながら似幻視覚映像に反映させることで効果的に視覚障障害者の歩行をアシストする方法。最終的には脳内の特定の部位に埋め込まれた電極を有するトランスポンダーを用いて機械と人間がヘレン針深度法により一体の制御を行う方法。
【請求項８】
正常な生殖細胞の核と生殖細胞に異常がある男性の細胞分裂途中の正常な体細胞の核、あるいは生殖細胞に異常がある女性の細胞分裂途中の正常な体細胞の核、あるいは男女とも生殖細胞に異常がある場合は、男女の細胞分裂途中の正常な体細胞の核をヘレン針深度法（H.N.D.M. : Hellen Needle Depth Method）によるマイクロロボットの制御を利用して細胞核融合させ、融合細胞の分裂する核の一つを遺伝子の量を調整したのち、核を抜き取った受精卵の組織体に融合核を移植して効果的に不妊治療を行う方法。
【請求項９】
マンブレインインターフェイス（Man Brain Interface）の先駆けとして、脳と機械を融合します。脳波と眼球や首や指や手首や腕の動きとコンピュータ画面上のカーソルを相互作用的になめらかに連動させてカーソルの動きをヘレン針深度法（H.N.D.M. : Hellen Needle Depth Method）が学習する。脳波を測定することで先行的にコンピュータ操作の大部分を行いますが、画面上の選択範囲や画面上のボタン類を特定し、顎の動きのセンサーや眼球の動きを測定するカメラや首の周りのセンサーや腕まで伸びた手袋内に設置されたセンサーで首や指や手首や腕の動きを測定することによって、キーボードのボタンを押したり、マウスを動かしたりする代用とします。つまり、瞬時に脳波で選択範囲やボタンを先行的に選んだ後、時間差をもって眼球や首や指や手首の動きで選択範囲やボタン類の後追い確認と最後の決定を効果的に行います。これは、脳波と顎の動きと首と指と手首と腕の動きを連動させないと、脳波測定による決定だけでは、コンピューターに誤動作が生じるためです。コンピュータ画面を見ながら脳波による操作と顎・眼球・指・手首・腕を軽く動かすことでコンピューター操作を効果的に制御する方法。最終的には、人間の脳内の特定の部位に電極を有するトランスポンダーを埋め込んで、脳波、顎・眼球・指・手首・腕の動きと機械を電波により一体として制御する方法。
【請求項１０】
少数の政治家や官僚の脳が各国別の広域な政治マクロ経済を操作する限界の時代が今日的課題です。世界中の地球規模・政治経済・電脳化による融合が解決手段です。世界中に存在するコンピュータ群をインターネットの様に有機的に結合します。各国別の政治経済モデルを連結させた地球規模のマクロ経済政治数学モデルによってヘレン針深度法による各電脳地方自治体、各国電脳政府プログラム上に各国電脳政府群を統合融合した地球連邦政府を構築します。ヘレン針深度法によるフレームワーク群の制御ブラウザーが各電脳地方自治体と各国電脳政府と電脳地球連邦政府の直接窓口になります。最終的には地球規模の政治経済は一つのものとなります。自律型の政治経済に関する学習型の人工知能を有するロボットプログラム群であるヘレン針深度法（H.N.D.M. : Hellen Needle Depth Method）は、つねに膨大なデーターベース・インターネット上の情報・各国別の地方自治体や政府機関の情報にアクセスして、地球連邦政府を調整運営します。さらに地球連邦政府のプログラム群を自らが部分的に改善します。大規模なプログラムの改変は地球市民と共に行います。地域紛争解決に各国と協力して対処し、世界大戦、世界恐慌を回避します。第一段階は、国際連合の分散処理と融合処理による電脳化です。ヘレン針深度法（H.N.D.M. : Hellen Needle Depth Method）による、フィードバック・フィードフォアード・フィードパスト・フィードバーチャルの手法を用いて、現在の地球規模の政治経済状況に適合するように情報の入出力を行い、地球連邦政府の数学モデルを時系列でリアルタイムデーターを用いて内部シミュレーションを行い、現在のヘレン深度のバターンと比較・検討・修正を加えることで各国の電脳政府と相互共鳴を行います。第二段階は、ヘレン深度法による、「緑の地球の実現」です。地球に優しい、環境を汚染しない、あまりエネルギーを消費しない、移動を必要としない、人間の自由意思を尊重して、人の痛みが分かる、民主的に地球市民が直接自分たちの政治経済に参加できる、人口・食料・水・エネルギー・下水・ゴミ・農耕・生産・病院・警察・刑務所・社会基盤がヘレン深度法によって整合性を持って調整された都市群による地球規模の人類を平和で幸福な未来へとアシストする政治経済の効果的な制御する方法。
【発明の詳細な説明】
【技術分野】
【０００１】
本発明は、組織体の制御技術に関するものである
【背景技術】
【０００２】
たとえ話で説明しますと、ヘレン針深度法とは、針の作り方であり、針の刺し方です。ヘレン針深度とは、組織体を複数回、ヘレン針深度法による針で刺したときに、その針の各刺し方による、各痛みの感じ方の反応の違いです。インスリン注射で針を刺す回数の様に、読み返せば読み返すほど、おのずと自然にヘレン針深度法が、いったいどんな発明であるのかが、必ず分かってくると思います。２０１２年１２月１５日午前６時３０分、ついに分かりました。ヘレン針深度法の針（はり）とは「発明の刺激となる針の刺激です」糖尿病で毎日打つインスリンの針の刺激が発明の刺激となったものです。ヘレン針深度法（H.N.D.M. : Hellen Needle Depth Method）２０１２年１２月１０日午前３時、ヘレン針深度法が、人間と友人の様に相互作用をする、人工知能を有する、自律型で可変型の、人間の脳をアシストできるコンピューター群とプログラム群であると気づいた瞬間、ヘレン針深度法が単なる技術ではなく発明として「新たな生命」を得た瞬間でした。ヘレン針深度法によるアーキテクチャーの構築によるメインフレーム群の作成です。フォンノイマン型の直列型、平行型の従来のコンピューターとは、まったく異なるハードウエアー群とソフトウエアー群を組み合わせて使用する、明確な「本物の」発明であることを痛烈というか、強烈に自覚納得しました。たとえますと、コンピューターのハードハードウエアーが肉体であるならば、そのプログラムは魂であり生命であります。両者が融合して一体となって使えてはじめて機械と人間の関係の進化が深化され、人間にとって、機械が単なる臣下ではなく、機械との友情が真価を発揮するのです、同時に、アテネにあるパルテノン神殿の惨劇を忘れないように宇宙進化が神化されるのです。パルテノン神殿は経年変化で崩壊したのではありません。火薬庫として使用されたために1687年9月26日爆発炎上の結果あれだけ損傷したのです。簡単に説明しますと、ヘレン針深度法は、心の痛みを感じる様なコンピューター群とプログラム群の制御方法です。ヘレン（Hellen）とは、ヘレネス、ギリシャ神話でゼウスが引き起こした大洪水で生き残った人類の祖先の名前です。私は、死ぬまで発明を続けると神様に心の底から誓いました。自由な立場でこの明細書が書けるのも、私が「須知学習塾」を自営しているためです。この明細書を読んでいただける方に、心より感謝を申し上げます。
【０００３】
この発明の直接のきっかけは糖尿病の血糖値の改善です。血糖値の制御からヘレン針深度法（H.N.D.M. : Hellen Needle Depth Method）による制御を着想しました。発明の概要をまとめます。１.組織体の針と痛みの関係の様な反応パターン解析と非ノイマン型でのフレームワーク群の制御。２.携帯端末、タブレット端末、パソコンを利用した自宅での血糖値の管理と制御方法。３．医療ロボットプログラムによる、医師、医療機関をアシストし、患者の電子カルテを管理保持し、患者の健康を生涯に渡って守護制御する方法。４.常温核融合電池を安全に制御する方法。５.車椅子と合体した人形寝袋の様な歩行アシストロボットを制御する方法。６．航空機のフェイルセーフな制御の方法。７.聴覚刺激が視覚神経を刺激して幻肢痛の様に疑似幻視覚映像で視覚障害者の歩行を誘導支援するシステムの制御方法。８.体細胞融合をマイクロロボットで遺伝子を制御した不妊治療の方法。９.脳波と身体の動きを連動するマンブレインインターフェイスの制御方法。10.地球市民直接参加型のサイバー地球連邦政府を機械と人間が協議して平和に制御する方法。大切なことは、発明された明確なイメージを具体的にありありと示し、「周知の当然のもの」とすることです。私はあらゆる人に使用を許諾しようと思っています。これらは必ず人類の役に立つ必要な、現行の技術を新しく組み合わせた、完成された技術です。政治経済の電脳化は、今後ますます加速化されるでしょう。この動きは、効率が良く、効果的な地球規模の政治経済の為には必要な過程であると考えます。
【０００４】
私は糖尿病に感謝しています。糖尿病になったおかげで、この新規性があり、進歩性がある、技術として完成された、発展性のある明細書を書く事ができました。インスリンの針を何度も刺すうちに、針の深さと痛さの関係に自然に着目するようになりました。明細書内の「ヘレン針深度法」「ヘレン針度法」「ヘレン深度法」（これらは同一の概念であると定義します）を技術として思想として完成させることができました。ここに、あらゆる存在に感謝いたします。そして、５７歳になって、ようやっと、大好きな人を発見することができました。この明細書を書く原動力となった結末は、後述いたします。
【０００５】
大きな発明は、数多くの小さな発見の集積であることを知りました。「小集積大の法則」と名付けました。まさに、「塵も積もれば山となる」たとえのとおりです。本明細書では、「ヘレン深度」と「ヘレン針度」は組織体の反応パターンを表す、同じ概念を表す言葉であると定義して言葉を用います。この明細書を読んでいると色々な発明を着想できるように書いてあります。発明の為の発明、ある意味で発明を生む為のマザーマシーンの様な発明の手引書です。より、新しい発見をする為には、７回以上読まれることをお勧めいたします。
【０００６】
発明とは思考を自らの嗜好に従って、できるだけ柔軟に自由闊達な発想で、「好きなことだけに集中する」ということです。発明は、思考の専門店であり、もちろん基礎教育である、学校教育の思考のスーバーマーケット店のような基礎教育の上にあるものです。発明とは、知識があって経験があって、強い願望があり、何かをきっかけとして、自由な精神状態が触発されて生まれるものだからです。心を朝日の様な新鮮で活力ある、着想の泡が沸騰するような時間帯の発見。発明は、日の出の時間に行われます、その修正は午前中が良いです。
【０００７】
夜は早めに就寝して、たっぷりと眠ること。マルチビタミン・アスコルビン酸（ビタミンC）・ビタミンEを毎日飲むと脳や身体に良いです。なにものにもとらわれない幼児のような無邪気な自由な精神状態におくことが、発明の着想の鍵であり温床だからです。この明細書の着想法が、他者による、今後の数々の革新的で画期的な発明群の種となれれば幸いです。諸兄の努力によって私の諸発明が発展的に具現化されることを望みます。多くの発明群を生むでしょう。この明細書は、夢の内容を着想源としています。ぎりぎり実現可能である領域の側に立っています。人間の生物としての脳の限界の第一段階がこの時代の課題です。あえて困難な橋を渡ろうとして失敗したとしても、安全な橋は幾つもあること知りました。この発明の方法は安全で確実な橋を渡る方法です。
【０００８】
この明細書は発明の明細書であると共に発明の着想方法を指南した明細書であります。夢で浮かんだ不思議な言葉を着想の種にして、その種を成長・自己発展させて「発明群」を生むというわたくしのオリジナルな手法です。同一の概念や原理の発展・展開によって周辺技術群を育てていきます。概念における自己相似つまり「同一構造の同相展開」です。音楽でいえば主旋律がありそのバリエーションが数多く生まれるようなものです。逆にリズムをもとにしてメロディを生み出すことも可能です。扇子があります。角度でいうと１５度ぐらい少し広げます。最初の絵が見えてきます。次の１５度は、最初の絵をもとにして描かれた絵です。だんだん扇子を広げると見事なしだれ桜の絵が完成する様なものです。「この出願については、拒絶の理由を発見しないから、特許査定をします。」という一文は発明を志す者にとっては無上の喜びです。この喜びの為に心血を注ぎます。
【０００９】
ヘレン針深度法は、この明細書の中では、呼びやすくする為にヘレン深度法とかきますが、ヘレン深度法とは、人間の脳とコンピューターの電脳が融合制御する方法と定義します。この明細書の中ではコンピューターのことを中国語の電脳と呼ぶことがあります。私は、人間の脳と電脳の融合を目指しています。現在はまだ機械と脳は分離していますが、脳と機械を連動させるインターフェイスの開発で人間の脳と機械である電脳は融合するでしょう。現在では機械と人間との関係は、機械である電脳が人間にアドバイスする程度でしょう。やがてその関係は協議から友人へと変化するでしょう。
【００１０】
ヘレン深度法とは観自由自在法（かんじゆうじざいほう）、つまり物事を一切の固定観念から離れて、自由自在にものごとを観る方法であると定義します。分かりやすく、言い換えると、謙虚に自然からの声を聴く方法です。仏教の言葉を借りれば、声聞（しょうもん）と縁覚（えんかく）となるでしょう。さらに進んで悟りを得る方法です。分かりやすく、言い換えると、悟り（さとり）とは、知らなかったことを知ることです。単純にして明快です。自分の着想で、気がつくことです。集中して考え、真如（しんにょ）のイメージを視覚的に感じることです。高次元のイメージに覚醒することでもあります。宗教上の悟りは、迷妄を去った、自分の納得のいく真理や真如の取得を言います。
【００１１】
ヘレン針深度法は、観自由自在法の悟りである、革新的で画期的な発明に至る方法です。この悟りに至るためには、「毎日の努力の積み重ね」がかならず必要ですが、簡便で実現可能な具体的なわかりやすい発明の悟りに至る道を示してあります。この道標にしたがえば、誰でもが、何時でも、何処ででも出来る、無料の具体的な発明方法です。日本のこれからの未来の発展に絶対に必要な方法です。発明の方法を発明したようなものです。何か素晴らしい物をこの世界に残してこの世界を去りたいものです。
【００１２】
ヘレン深度法は全知の融合方法です。新しい言葉を発明します。素血・春血・産血・続血・濃血（スチ・ハルチ・ウムチ・ツヅチ・コイチ）です。スチは、素直で、「素直な血」、素直な智です。ハルチは、春の様に爽やかな、「春の血」、春の地です。ウムチは、「産む血」です、母性であり生産性があります、まさに発明を生む池です、泉の様に発明のアイデアの水が涌くイメージをします。ツヅチは「続く血」です、子子孫孫と血筋が継続していくイメージです、永続性と継続性があり、ツヅチのチは価値の値です、価値あるものがゾクゾクと創造されます。コイチは「濃い血」です、濃厚な発明への情熱を表す言葉です、コイチのチは統治の治です、ヘレン針深度による統治・制御を表す言葉です。
【００１３】
この言葉を十一回だけとなえれば、きっとあなたも発明ができるようになるでしょう。大切なことは意味を考え、そうなると考えながら実際に声に出します。すると意味と言葉が結びつき、あなたの新しい脳神経回路が創出されます。新しい、素晴らしい、自分を手に入れることができるようになるでしょう。「新しい考えが、新しい血と肉になるのです」。身の回りにあるものをうまく組み合わせて利用することです。新しい価値を生み出すこと。積極的な明るい考えを常に持ち続けること。嫌なこと辛いことも含めて、あらゆる存在に感謝すること。良く笑うこと。自分を許し、自分から幸せになること。自分を愉快にして、人を笑顔にすること。つらいときでも泣きながら笑うこと。不幸は幸福の種であると知ること。
【００１４】
血は霊であり体中を駆け巡るものです。それは、生命エネルギーをさします。大切なことは、言葉に自分で意味を与えて唱えることです。脳は常に意味を考えます。意味は与えられるのではなく、自分で意味を与えなければなりません。たぶん、お坊さんに虚空蔵と聞けば、それは虚空蔵菩薩のイメージをもつでしょう。それ以上は説明不可能でしょう。それは教えられたイメージなのです。
【００１５】
私の発明したイメージはこうです。虚空蔵とはアカシックメモリーのことです。アカシックメモリーとは、宇宙全体知的生命体の有するホログラミック宇宙脳の記憶の場所です。宇宙空間そのものがアカシックメモリーです。ホログラミック脳というのは宇宙全体知的生命体の脳です。ホログラミックというのは、部分が全体に、全体が部分に記憶される自己相似的概念を有する記憶方法です。我々がインターネットを便利に使うように、宇宙空間そのものから一切の「記憶」と「能量」を引き出す場所であると説明します。
【００１６】
能量というのは中国語でエネルギーのことです。宇宙空間そのものから情報とエネルギーが引き出せると考えます。これは全知を融合して、人類が発明したイメージなのです。インターネットに繋がる様に、あなたも宇宙全体知的生命体の脳と繋がりましょう。宇宙全体知的生命体は、遍在して全知全能にして不滅です。今此処最高、あなたがいる場所であり、あなた自身なのです。南中の太陽、最高のあなた自身です。発想や閃きや思いつきや虫の知らせを「宇宙からのメッセージ」だと思いましょう。思いついた時がベストなタイミングです。二番煎じはいけません。いまこそ、あなたが変わるときです。知ってしまえば、もう知らない状態には戻せません。宇宙全体知的生命体のミームは、もうあなたの脳に感染しました。情報理論、拡散された情報はもう元に戻せません。この明細書は、あなたの素晴らしい自由意思が活性化するように書かれています。
【００１７】
発明は物や方法に使う言葉です。イメージを文章として具現化し、さらには方法として、あるいは物質化するが発明です。言葉は明確に正確に使わなければなりません。同時に、誰にでもよく分かるように説明する義務があります。絵空事を書いて、「どうだいわるまい」という態度は私の態度ではありません。自分が見たイメージを明確に正確に文章に翻訳しています。物事には期限があります。人生にも期限があります。その期限を機嫌の良い期限にするか、機嫌の悪い期限にするかはあなた次第です。この明細書の中では、人間の死についても新しい概念の発明が行われています。
【００１８】
宇宙にも起源があります。発想にも起源があります。宇宙論ほどアイデアに富む場所は無いのです。宇宙はアイデアの宝庫です。アイデアは虚空から物とエネルギーを引き出すようなものです。大地である畑を耕して、大根やイモやネギやニンジンを掘り出すようなものです。大地とは宇宙そのものです。発明は虚空にあるイメージの種から生まれてくるのです。私はミームという種を宇宙空間に蒔きました。明確なイメージは、時を経て具現化します。ジャンボジェット機をつくるのも、犬小屋をつくるのも、一番初めは、誰かの個人の脳からスタートするのです。「こうあってほしいというつよいおもいです」「ひとりよがりはいけません」最初に、「誰かが明確なイメージを見せる必要があります」。
【００１９】
可能な技術を使って、可能な技術を組み合わせて、どこまで技術的に実現可能かをヘレン針深度法は探査します。サウンディングです。針を刺して、反応をみます。非破壊検査をしなければなりません。もし、相手が風船なら、相手が割れてしまうでしょう。もし、相手が固い石なら、今度は逆に、針の方が折れるでしょう。相手が、もしコンピュータープログラムによる組織体の制御であれば、針の深度が強すぎると、組織体は過剰変動します。それは、つまり修正のし過ぎです。逆に、弱すぎると、過少変動します。それは、つまり組織体は「ぴくり」とも動かないことです。
【００２０】
ちょっとだけ変動を加えて、現在の状態をみてから、変動に修正を加えて、さらに修正していくのがフィードバックです。フィードバック (feedback) とは、ある系、ヘレン針深度法による制御では、組織体をさします。その組織体の出力（結果）を入力（原因）側に戻す操作のことをフィードバックといいます。中国語では「帰還」（順巡りで元に戻すイメージです）と言います。古くはワットの蒸気機関の、調速機（ガバナ）のメカニズムに見られます。積極的な利用は1927年のHarold Stephen Blackによる「負帰還増幅回路」の発明に始まります。
【００２１】
そして、ノバート・ウイナーの「サイバネティックス」によって全世界に広められました。システム、この明細書では組織体のことです。システムの振る舞いを説明する為の基本原理として、初期のころは、エレクトロニクスの分野では、増幅器の特性の改善、発振・演算回路、及び、自動制御回路などで広く利用されました。さらに発展して、機械系や生物系、経済などにも広く適用されました。制御しようするイメージとシステムの動きのイメージは「自己相似」となるでしょう。マウスを小さく動かすと、パソコンの画面上で大きく動くようなものです。
【００２２】
「自己相似」というのは、とても面白い言葉です。この明細書の全てが「ヘレン針深度法」の自己相似で書かれています。交通事故で事故を掃除するように、周到に、雌鶏が産卵した散乱する卵を、手に稲をとるように丁寧に拾い集めるように、広い概念のイメージを彷徨して、方向を定め、バスケット選手がフリースローでシュートするように、集中して、自己のイメージに忠実にならんとしました。自己相似から事故の掃除を、さらにはフラクタル図形を想起しました。
【００２３】
発明というか、思考は言葉です、言葉は脳内で神経によって連結しています。さらに言葉は具体的な物と連結しています。子供の頃に駄菓子屋で糸の束があって、その糸の一つを引くと飴が近づいてくるようなものです。飴は大小あります。形も色も違っています。言葉から発明が生まれるというのは事実です。言葉によって新しい概念が構築されるのです。これも発明の産まれる所です。生まれる場所は大事に優しくせねばなりません。私は、すべての産まれる場所を尊敬して、とても愛しています。崇拝すらしています。
【００２４】
これはソクラテスが「問答法」を「産婆術」と呼んだ様に、発明とは、産む者と、生まれる者の共同作業です。発明における産婆術とは、ソクラテス流で言えば、当然発明が生まれてくるべき知的な関心というか情熱があり、発明がしかるべく生まれてくるべく、その発明の誕生の手助けをするということで、たまたまソクラテスの母親が産婆つまり助産士の仕事をしていたことから、それを魂の産婆術、助産術とも呼ぶように、この明細書自身が発明の産婆術、発明の助産術になっているのです。
【００２５】
この明細書の中では、自己相似のことを同一構造の同相展開と表現しています。自己相似よりも同一構造の同相展開の方が拡張性のある概念です。もともとは建築物や構造物で使った言葉です。自己相似というと数学的色彩が強いように思います。自己相似 (じこそうじ)とは、英語ではself-similarと言います。自己相似は、何らかの意味で全体と部分とが相似であることを指します。私が、好んで使用する概念です。部分に全体が、全体に部分が記憶されているというような言葉の使用をします。部分と全体をわけて考えるのは人間の脳の有する性癖だとヘレン針深度法は申しております。
【００２６】
すべてのスケールにおいて、「自己相似」となる図形は、スケール不変性をもっています。スケール不変性は英語ではscale invarianceといいます。フラクタル図形は、拡大しても縮小しても、部分も、全体も同じ形をしています。アーサー・ケストラーが書いた「機械の中の幽霊」にもホロン構造を説明した図として登場します。円の中に三つの円を内接させます。それぞれの円の中に三つの円を内接させます。これを延々くりかえせば、部分と全体が同じ形をもった図形ができあがります。
【００２７】
スケール不変性は選挙の得票数の予測でも用いられます。出口調査で得票傾向をみて、全体の得票傾向を予測しようとするものです。分かりやすく言えば、スープの味をみるのに全部を飲まなくても、スプーン一杯で味が分かるようなものです。自己相似の問題にもどります。一人の人間の脳内に起こった現象は、その新しい概念がミームとなって、全人類に感染し、全人類の新しい智慧となるようなものです。機織りで経糸が長ければ長い布が織れる様に、新しい発明は、広がり全人類に画期的な幸運をもたらします。高速で飛ぶ飛行機に高射砲をあてる技術は、世界恐慌や世界大戦の抑止への制御に転用可能です。政治家や議員が無駄・無為に議論を交わすよりも経済を安定的発展に導く効果的経済対策を創出実行せねばなりません。その為にも発明が必要です。
【００２８】
ある図形があるとします。その図形の断片を取ってきます。自己相似とは、小さな断片の形状と図形全体の形状とが相似である場合を指します。まさに、フラクタル図形そのものです。フラクタル図形は有名なのと同様に、幾何的な形状に関する自己相似は大変有名ですが、自己相似はもっと広い概念です。「自己相似」は、幾何的形状だけに限定されません。自然界には、雪の結晶、入道雲、野菜のカリフラワー、リアス式海岸、雷の稲妻、樹木の枝、河川の分岐構造、葉脈や血管の分枝も入るかもしれません。そういえば、乾燥した泥の割れ目も自己相似な形ではないでしょうか。
【００２９】
人工物には、わざとこれを利用した建築物とかがあると思います。海岸線の長さについては、複雑な海岸線は地図を拡大しても、全く同じではありませんが、似たような複雑な海岸線が現れます。インターネット網の網目や接続回数の統計結果のように統計的に自己相似なものの方が多く存在すると思います。選挙における出口調査のように、統計的な自己相似については、同一対象物について、時間や空間的に異なる尺度の拡大率で計測された統計が同じ分布族に従います。つまり、出口調査の議員ごとの得票の割合が、全体の選挙結果の割合と似ている。統計的には、分布やモーメント等の統計的性質が計測スケールを変えても似ていることがあげられます。一言でいうと図形的な相似と統計的な相似があります。
【００３０】
フィードバックについて説明いたしますと、操作可能な変数の動きと、全体組織体の動きが相似になるわけです。制御に失敗すると、動かなくなったり、動きすぎたりして、ぐるぐる回転を始めるということが起こります。最悪の場合は暴走します。制御変数と目標変数が完全に相似な対応をするとは限らないからです。フィードバックの対義語はフィードフォワードです。
【００３１】
フィードフォワードは、フィードフォワード制御のことです。フィードフォワードは、英語で、feed forwardと書きます。自動制御の方式の一です。出力に変動を起こさせるような外乱を「予測し」、前もって打ち消してしまう制御方式です。ふつう、フィードバック制御に付加してフィードバック制御を補う形で用いられます。たとえば、これはバニック制御に用いられます。制御値がある限界値に近づいてきたら制御変数に抑制をかけ、限界値を超えるとシステムを停止させるというような使用方法です。
【００３２】
フィード・バックとフィード・フォワードは、次の二つの手法のための背景的知識です。フィード・パスト、フィード・バーチャルという新しい二つの概念を発明しました。フィード・パストというのは、フィード・バックの概念から生まれた言葉です。一言でいうと「過去に学ぶ」です。「温故知新」かも知れません。フィード・パストというのはコンピュータープログラムが、歴史的な膨大なデーターベースやインターネット上の情報に高速で検索して情報を集める自動ロボット型プログラムです。そこまでは、従来技術です。このプログラムをヘレン針深度法で制御された人工知能を有する自律的可変性のあるプログラム内に組み込むことで、新規性と進歩性と発展性と有益性が生まれます。プログラム自身が自律的にオープンソースプログラムを検索して自己のプログラム内に必要なプログラムをプログラム内に取り込むという行為は、生命現象の学習と増殖にあたります。この着想は、今から三十五年前に、毎日、自転車で大学に通いながら、自転車の上で構想を練ったものです。政治経済では膨大な情報に検索をかけて、有効かつ安全な方法を模索しなければなりません。
【００３３】
フィード・バーチャルというのは、フィードフォ・ワードから生まれた言葉です。ヘレン針深度法によるコンピュータープログラムの制御では、プログラム内に、外部組織体の数学モデルである内部組織体を持っています。フィード・パストされた手段やプログラムなどを、いったん内部組織体の数学モデルに取り込んで、シミュレーションの実行を行い、最初の手段に修正を加えて、シミュレーションがうまくいくことを確認してから、ヘレン針深度法のプログラムは外部の組織体の制御を行います。バーチャルの名前が示す通り、組織体内部シミユレーション数学モデルに入力する情報は、フィード・パストされたものではなく、まったく新しい仮想的なものであってもいいわけです。
【００３４】
この明細書の中で書いた内容についてですが、「宣託」は従うか拒絶するかの二者択一です。「選択」は複数の選択肢の中から自らの自由意思による選択です。考えさせられている人間か、自ら能量つまりエネルギーをつかって考える人間かの違いです。今日も、素血・春血・産血・続血・濃血（スチ・ハルチ・ウムチ・ツヅチ・コイチ）と十一回だけ唱えました。十一は十プラス一。つまり、プラスアルファーの努力を意味します。私は、毎朝毎晩唱えました。新鮮なアイデアがゾクゾクと湧きました。この明細書の内容がその証明です。
【００３５】
観るには目で見る意味と、脳でみる見方があります。現実的世界と思考世界の融合です。「融合」という言葉こそは、この明細書を理解するための一番肝心なキーワードです。「細胞融合」「常温核融合」の話がでてきます。この有益な「ヘレン深度法」が皆様に、自由に、活用、応用、発展されることを希望します。自由に引用してご利用下さいませ。いたずらに権利は主張しません。しかし、著作権は国内では放棄していません。国外では著作権を完全に放棄いたします。これは諦観なのです。「すべてを諦めたときに、すべてが手に入るのです。」本不生（ほんぶしょう）、宇宙の根源は不生不滅、「真理は否定的表現をする」ということを知らねばなりません。特許明細書は、法律上の著作物（著作権法２条１項１号）に該当すると知りました。
【００３６】
「死とはどういうことか」「死ぬとどうなるのか」「死を目前にして、この素晴らしい世界に、まったく何も残さずに死んでいくのは、あまりにも悲しいです」「公的に記録される為に」、「一人でも多くの患者様に有益に読まれる為に」、「自分がこの世界に生きた証を残す為に」「誰もが（低価格で）自由に特許を使用できる為に」特許を取得したいと思っています。「則天去私」、「世の為、人の為」「楽しく生きる、人助けをする」「親切と奉仕」という声が微かに聞こえています。この明細書の書き方では、特許は取得できないかも知れません。
【００３７】
何度も著作権を放棄しようとしましたが、微かな声がしつっこくアドバイスしてきました。「自らの責任において書きなさい」「公人以外の個人名は匿名とするように」とのことです。この明細書が誰かの迷惑になることは避けたいです。この明細書によって誰かが不幸になることは私の本意ではありません。ここに、明細書の全てが事実に基づいて書かれたことを確約いたします。やはり、ヘレン深度法について、いくばくかの特許は取得したいです。日本国外では自由に多言語に翻訳して御利用して下さい。この世界には、明確な宇宙の方程式があります。「幸せになりたい人は、人を幸せにしてあげなさい」「お金持ちになりたい人は、人をお金持ちにしてあげなさい」というものです。特許というと欲の世界というイメージがありますが、そうでもないのです。京都大学の山中伸弥教授がいいことを言っていました。「特許を取得するのは技術を独占させないため」であるというものです。「自然は師である」とも言っています。まさに、その通りです。
【００３８】
特許については、まったくの素人です。これが３回目の審査請求です。いいのです。いたずらに強く願い過ぎることは、執着になります。世の中には「天邪鬼の法則」が宇宙の法則として、厳然としてあります。これはハッキリと断言できます。「ひとりよがりにならないこと」今も、その悲惨な痛恨の極みのつらい思いに耐えながら書いています。あまりにも強い執着は、まったく逆の結果となる場合が多いのです。
【００３９】
負のエネルギーをも正のエネルギーに変換する「知恵と力と勇気」をもちましょう。「思考は実現化することもあるし、思考は逆現実化することもあるのです」すべてを神の御心におまかせます。すべてがうまくいきますように。私は、この世界そのものが神で、我々は、神の一部であり、神の子供であると考える人間です。生きている時は、個人の意識がありますが、死ねば個人の意識は、宇宙意識に「融合する」と考えています。この発明のテーマは「融合」です。「世界中のあらゆる宗教を融合する試み」がこの明細書のなかでなされています。「融合」こそが、この時代を生きるためのキーワードなのです。キリスト教とイスラム教の対立のように人類の歴史は宗教戦争の歴史でもありました。人類が平和で共に幸福で物心ともに豊かに生きることができ、一人でも多くの人が、健康な人も含めて、「糖尿病の真実の姿を知り、ヘレン深度法による症状改善への自己自律制御」に目覚めて欲しいのです。
【００４０】
これらは同一の言葉ですが「ヘレン針深度法」「ヘレン深度法」「ヘレン針度法」が、具体的にどういう制御技術で、どんな思想であるのかを心の底から、本当によく分かってもらいたいのです。「ヘレン針深度法」「ヘレン深度法」「ヘレン針度法」とは、狭義には、自律的に、部分的な修正と修復を、時系列にそって、動的に行う、学習機能を有する、人工知能である、可変型の、数学モデルを有する、コンピュータープログラムによる、組織体の制御方法です。短く書けば、「ヘレン針深度法」は組織体の制御方法です。可変型という意味はプログラムの変え方が、場合に応じてプログラムされているという意味です。状況に応じて、幾つかにセグメント化されているプログラム群の中から選択・決定して、メインプログラムそのものを自律的にサブルーチンプログラムの様に変えます。地球市民と専門家と電脳の協議によって大きく変える場合もあるでしょう。例えて説明しますと、戦術を組み合わせたり、選択したりすることで戦略の流れが可変であるという意味です。人間の脳が複雑系に対して能力の限界の時代を迎えたのが今世紀の特徴です。
【００４１】
日本の政治状況は、混迷をきたしています。政治上の不満を内閣総理大臣の首を挿げ替えることで、国民をごまかしているようなものです。ヘレン深度法による政治経済モデルでは膨大なデーターベースやインターネット上の情報を瞬時に検索して、選択、判断、対処を行います。歴史的な内容をデーターベースで過去の似たような事例の結果を参考にして、世界大戦や世界恐慌を確実に回避して、現在の政治経済状況を望ましい方向に修正するというものです。個人の脳では情報の蓄積や検索速度に限界がありますが、コンピュータには情報の量が多いこと、検索が速いという利点があります。
【００４２】
政治家や官僚機構が行うことをアシスト実行します。人間の仕事は、そのヘレン深度法の実行の監査であるべきです。広義にはヘレン深度法はものごとを自由自在に観て組織体を制御する方法です。ヘレン深度法における機械と人間の関係は、アドバイス、協議、友人へと変化するでしょう。地球上のスーパーコンピューターをグリッドコンピューターに連結して、地球連邦政府のヘレン深度法による政治経済モデルを構築するべきです。ヘレン深度法による地球電脳政府を構築して地球市民と直接対話ができるようにしなければなりません。インターネットとパーソナルコンピューターと携帯端末とタブレット端末の普及によって、地球市民の政治への直接参加が可能となるでしょう。
【００４３】
ヘレン針深度法を生む直接のきっかけは、糖尿病治療でインスリンを打つときの「針の痛み」です。その痛みの感じ方は組織体によってパターンが異なります。糖尿病の真実を知り、糖尿病と闘うのではなく、糖尿病と仲良く付き合う為の生活上のさまざまな食事や運動にわたる工夫と、より質の高い生活を営む考え方も書きました。これは、糖尿病を寛解の状態へもっていく諦観と寛解の為の明細書です。「言葉が変われば、考え方が変わります。」「考え方が変われば行動が変わります。」この明細書は糖尿病の専門医であるT病院のT先生への手紙の形式をとって書き始めました。T先生と、糖尿病の改善のための共同研究がしたかったのです。T先生を初めて見たとき、NHKの連続韓国ドラマの「イ・サン」の先代の王の后であるテビ様のようだと思いました。優しいふくよかな顔と穏やかな喋り方。T先生、心から尊敬しています。ドラマでは主人公の「サン」は、幾多の困難にも負けず、最愛のソン・ソンヨンを癌で失っても、民の為に素晴らしい改革を行いました。
【００４４】
この明細書が書けるのも、まったくT先生のおかげです。こころから感謝しています。T先生は、糖尿病の血糖を数値制御する、パソコン、タブレット端末、携帯端末などをつかって常時血糖値を自律的に自己コントロールするというアイデアのヒントをくれました。大切なのは、その血糖値の判断と対処法です。夜中で、医師と相談できないときでも医療アシストプログラムがあれば便利です。自らの症状と医学的な常識的判断。低血糖への対処法、いつでもアドバイスがもらえると便利で有益です。これは、あらゆる病状に対症療法が可能です。
【００４５】
医師以外は医療行為をすることができませんが、簡単な応急処理ならば可能です。緊急を要する場合は初期治療が大きく回復に影響します。自動体外式除細動器（じどうたいがいしきじょさいどうき）英語ではAutomated External Defibrillator：AEDの様に、生理食塩水の点滴程度は素人でも自己責任で安全に行える医療キットを発明するべきです。交通事故などの出血の緊急時の応急処置に威力を発揮できるでしょう。
【００４６】
現在でもインターネットで検索して医療アドバイスを自分で探していますが、ヘレン深度法による方法は膨大な医療データーベースやインターネット情報の中から検索をします。さらに正確に詳細に生涯にわたって継続的に電子カルテを管理・保持して、医師と患者をアシストすることができます。時代に合わせた医師法の変更が必要になるでしょう。入力するものは、年齢、性別、身長、体重、食事時間、食事の内容と量、カロリー計算は機械が行わないと素人には無理です、血糖値、体重、身長、打ったインスリンの種類と量などです。
【００４７】
この明細書の中では、夢について、願望という意味ではない「眠りの中でみる夢」の内容が書かれています。無意識が活動したり記憶を整理したりする夢は、発明の着想にとってはとても重要です。潜在意識が、洗濯機の中の洗剤の泡のように、洗剤特有の匂いをもって、色々な洗剤の泡の薄膜干渉の虹の綺麗な色彩となって、新しい発想ができたり消えたりする様を垣間見るようなものです。あわよくば、発明の泡が沢山、生まれて欲しいものです。鼻腔に残る懐かしく本能を強烈に刺激する香り。
【００４８】
脳神経への刺激。あらゆる方法で着想を生む為の方法も書いています。濃いコーヒー、濃い紅茶、濃い緑茶を飲んで眠り、朝方に覚醒した状態でまどろみの夢を見るという方法です。この明細書の内容のほとんどは、夢の中で実際にみたものばかりです。発明を生むのにはエピソード記憶が役に立ちます。人に歴史ありで、その歴史のエピソード記憶群の中から発明が醸成されてキノコのように生まれてくるのです。目覚めるとすぐにメモをして、メモの内容に応じて文章で再構成をします。それを具体的な技術にあわせて検証します。この行為を継続して何度も繰り返して発明を完成していきます。
【００４９】
２０１２年１１月３０日早朝、不思議な夢をみました。大阪の叔母さんが糖尿病の眼底出血で手術をしたので姉がお世話しに行く、と聞いて、お見舞いを送らねばならない状況で眠りにつきました。叔母さんのことがあって、M眼科で眼底撮影をしていただくと、眼底出血の第２ステージだそうです。HbA1cの１１パーセントをどうにかして、せめて７パーセントぐらいに下げること、半年ぐらいかけてゆっくりと血糖値を百の前半にもっていく様に指導されました。  
【００５０】
夢の場面は母の出里の田舎です。私が、古い田舎家の少し暗い部屋の中の縁側に座っていると、夏の朝なのでしょう、その家の主人と友人が浴衣をきて、離れのトイレに二人で並んで坂を上って行きます。自然石を並べただけの階段です。主人が先に屋外に離れた厠（かわや）に入ります。昔の農家は住居とトイレが離れていたのです。主人は友人に対して「音を聞かれると恥ずかしい」などと女みたいなことを言っています。「音」がこの明細書での発明の重要な鍵となります。
【００５１】
時代は第二次世界大戦末期です。そのころは、田舎にまで機銃掃射がありました。（今、９３歳の父親が今日は何日だと聞いてきました）次の場面では、私は、航空兵でペンシルロケットを開発したことで有名な糸川英夫さんが設計した中島飛行機のハヤブサ、正確には中島 キ43 一式戦闘機 「隼」に乗っていました。自分の身体は空中に浮かんでいます。首を左下に向けています。機体が透明で、座席だけに座って飛行している状況でした。透明のパラグライダーに乗ったように全方位が見えます。ちょっと空を眺めてから、下は緑が黒々と広がる森林です。左下に白い煙が細長く立っています。森の低くなったところからです。これは敵の爆撃を誘導するためのおとりの煙（デコイDecoy）だなと思った瞬間に、夢の内容がかわりました。
【００５２】
次の夢の中では、道を歩いていたら、超小型二人乗りのヘリコプターが静かに浮かびながら降りてきました。音も風もありませんでした。機体は地面にゆっくりと着地しました。一人が降りてきて、「君も乗ってみるか」と聞かれたので乗りました。機体上部は、光があったところは灰色で、近くから見ると黒光りする楕円形の機体です。二人乗りです。超狭いコックピットでした。体を小さくしないと入れないぐらい窮屈でした。
【００５３】
全面だけ蜂の眼のような楕円形のガラスになっています。ガラスに反射する太陽の光が少しまぶしいです。不思議なことにローターが見えません。風も舞い上がりません。ヘリコプターは、快適に自由自在にハチドリの様に飛行しました。飛行中、私はパイロットに聞きました。「こんなヘリコプターって高いのでしょうね」パイロットは、「蜂の飛行を真似た超小型一人乗りなら君でも買える値段だよ」といってくれました。パイロットが、「用事がある」と言い出しました。タバコでも買いにいくのでしょう。ヘリコプターが空中に少し浮かんだ状態です。最初に、私が降りました。次には、なんとヘリコプターを空中に浮かべたままで、ヘリコプターの足をするするとつたって、パイロットも降りてきたのです。ヘリコプター全体は空中に蛸が足をだらりと下げたような形をしています。黒光りのする楕円形の二人乗りヘリコプターは空中で少し揺れながらホバリング(空中静止)をしています。
【００５４】
パイロットは、「触らないでね、バランスを崩すといけないから」といって用事にいってしまいました。超小型二人乗りヘリコプターからは、長い脚が四本垂れています。やはりその足も空中に浮かんでいます。黒い蛸のような上部で、蛸の足が、バッタかカマキリのような緑色と黄緑色の昆虫のようなギザギザがついた足をしていました。ふわふわと空中に浮かんでいる状態です。空中でふわふわした状態なので、指で押してみました。機体全体が回転をゆっくりはじめました。だんだん味噌擂り運動になって、おおきくうねりだしました。子供の頃に遊んだ「地球独楽」のようです。どうしようと思った瞬間に、パイロットが、帰ってきました。パイロットは、指先でヘリコプターの足を操作して、足と機体全体の動きを苦労しながら、色々とコントロールしています。
【００５５】
指だけで機体をコントロールするというイメージは、パソコン画面上で思念をもちいて特定範囲を同定してから筋電位で後追い確認するというバーチャル操作技術の発明を生みました。一言でいうと、考えただけで大概の操作ができますが、目で見たり、首や指や手首や腕を動かしたりすることで確認決定できる技術です。新規性と進歩性のあるところは、人間の身体の動きと、その人間の脳波を連動させるところです。その為にはヘレン深度法による技術が必要です。
【００５６】
人間の脳と機械のインターフェイスを発明することは日本人の使命です。非接触型で人間の脳が機械である電脳とつながる。日本の花形産業であるアニメとゲームの先にある技術です。オスプレイがまだ実験段階にあったときからアニメの世界ではオスプレイが飛びまくっていました。鉄腕アトムやエイトマンから機動戦士ガンダムや攻殻機動隊まで、人間と電脳の融合を常識とする若者や大人が多い国民性なのです。富士山が高いのはすそ野が広いからです。これこそは日本発の技術となって欲しいと希望します。この明細書がそのさきがけになれれば幸いです。
【００５７】
今、映像が見えています。仮想的な指が、コンピュータ画面上のカーソルをなめらかにドラッグさせながら思念である脳はと指の動きをヘレン深度法のプログラムに学習させています。指を動かすだけで機械を操縦する方法です。指の各筋肉の筋電位あるいは手袋の指の動きを機械とのインターフェイスに使う方法です。タッチパネルを超える方法です。さわらないで操作できるタッチパネルのようです。パネルというよりもの視覚内のバーチャル空間のようです。大切なことは、脳波と指と機械を滑らかに連動させることです。目の前では、思念と指が滑らかに連動しています。思うところが選択領域になって仮想の指で後追い確認するようです。思念だけだと誤動作をするので軽い指の筋肉運動や手袋の指の動きだけで後追い確認するようなものです。
【００５８】
思念だけだと誤動作を生じますが、指の動きで後追い確認をするので、ヘレン深度法が学習して、思念によるカーソルの動きの精度がだんだん高まっています。自分のホームページで携帯型翻訳機のイメージを文章でしたためたことがありましたが、テレビのCMで、まったく同じシーンを見ました。指と思念が機械とのインターフェイスになるというのも現実化すると思います。あとは、なくしやすいものにICタグを埋め込んで、携帯電話で位置が分かるというが早く現実化してほしいです。携帯や鍵や必要なカードが行方不明になった経験はないですか。わたしは、しょっちゅう困っています。
【００５９】
夢のなかでは、ローターもない。風も起こらない、ジャイロスコープが空中に浮かんだような昆虫の飛行を真似したヘリコプターでした。現実の世界では、ヘリコプターのローターが送電線と接触する事故があります。ヘリコプターの中心から１０メートル以内に物体が入るとセンサーが働いて、「自動で障害物を回避する」ようにしないと、パイロットの目視による操縦だけでは、機体を安全にたもつことはできないというメッセージを受け取りました。大切なことは、風と機体の位置を感じて、これからの機体の動作を予測し、現実の位置との時系列の比較を行い、ヘレン深度法によるプログラムが判断して、航空機の位置を修正するという方法です。人間の操縦技術には限界があります。
【００６０】
ヘリコプターは、機体の安定自体を自動制御して、パイロットは機体の安定にかかわることなく、目的地への運転だけにするべきです。オートクルージングが時代を読む鍵でしょう。ここで、いきなりメッセージです。２０１５年には景気が回復する声が聞こえます。とにかく、それを信じましょう。本当かウソかは知りませんが、そう信じる国民が増えると景気は確実に向上するでしょう。景気は気のものだからです。国民がガッツな元気な精神をもたねばなりません。日本国民は、巨大地震や大洪水や津波による火災や原発事故による放射能汚染や巨大台風を乗り越えていかねばなりません。それは躓（つまず）きの棒なのです。それは必ず乗り越えられます。その躓きの棒のかなたには希望の太陽が日本には輝いています。
【００６１】
基本的にはGPSでデジタル立体地図内の位置を確認してオートクルーズにするべきでしょう。ヘレン深度法は機体の安定制御の方法とも関係しています。未亡人製造マシンのオスプレイの問題にしてもそうです。人間に複雑な状況下での機体操作は不可能なのです。機体と風向を機体各所で様々なセンサーが計測してコンピューターがGPS情報と自己のジャイロ情報をもとにしてヘレン深度法による自動姿勢制御せねばなりません。パイロットがどんなひどい間違った操作をしても落ちないフェイルセーフの自動制御にせねばなりません。パイロットの仕事は目的地を設定するだけでいいのです。複雑な風向の変化の中での機体姿勢制御は人間の脳では不可能です。まず人間の脳はできることをしなければなりません。人間の脳の能力の限界が今の時代を読む鍵でしょう。
【００６２】
この夢のきっかけになった元の夢は、音のしない銀色に光る航空機をみたことがあります。二十歳代前半の夢です。その夢のきっかけになった元の夢は、タイヤの無い車の夢をみたことがあります。そのもとになった具体的なきっかけは、幼少期にみたイギリスのミニチュア人形劇のテレビ番組でした。たしかスーパーカーでしたか。発明には幼児の様な素直さと無邪気さが絶対に必要です。それに大人の経験や知識や技術を加味するとよいのでしょう。「夢と現実の融合」が発明を明確に生むと信じます。正直に書きます。発明をした段階で、発明の事実そのものはまだ頭の中にあります。それを明細書という文章にします。大切なのはその発明の実現可能性です。特許を取得するためには新規性と進歩性が必要です。特許を出願してから大学や研究機関で後追い検証や後追い研究をするということはあると思います。実現可能であるとは、その時代の使用可能な技術の組み合わせを指します。
【００６３】
例えで説明すると、石器時代の人間がレーザー光を着想しても、それを実現化する周辺技術群が未発達なのです。たとえば発明で有名なレオナルドダビンチがヘリコプターの様な物を発明しましたが人力では難しいものがあります。それと同じことです。発明とは、その時代の使用可能な技術の新しい組み合わせなのです。鋼製構造型枠は現在すでにある技術を新しく組み合わせました。現在、共用中の公共土木構造物がどんどん老朽化していくなかで経済的に安価に維持補修するための技術として絶対に必要となる技術です。
【００６４】
いまから思うと、夢の内容は、鋼製構造型枠の実施例にある「鋼製構造型枠昆虫飛行体タイプ」を見せられて、試乗させられたのだな、という考えがふつふつと沸き起こってきました。透明の新幹線に乗せられて地下へ行き「鋼製構造型枠フラスコ型地下都市タイプ」の掘削現場を見せられた夢を想起しました。時間や脈絡を超えて夢の中で発明がどんどん勝手に成長・増殖・進行していくみたいです。発明は止められない止まらない状態です。発明の瞬間は歓喜が走ります。背筋がゾクゾクします。体全体がインドラの雷（いかずち）に打たれたような感じがします。
【００６５】
鋼製構造型枠シェルタイプ巨大ドームの映像はありありと夢の中で見ました。見るというよりも夢の中で体感しました。ドームの柱に体をもたれかけました。聴衆の歓声を聞きました。笹子トンネルでコンクリートの天井が崩落して９人亡くなる事故がありました。安定して巨大恒久構造物を建造する方法は植物の生命原理を応用した「鋼製構造型枠」による方法以外には無いと確信しています。下に向いたケミカルアンカーで、しかも複数の直径１６ミリメートルの鋼棒で１トン以上のコンクリート板を釣り天井にするのは、「いつか落ちて下さい」というのと同じです。コンクリートは劣化するし鋼材は腐食します。固定方法に問題があったのではないかと思います。鋼製構造型枠トンネルタイプであれば表面が金属なので恒久的に落ちない天井を固定可能です。
【００６６】
今日、自然エネルギーが求められています。鋼製構造型枠型枠波力発電タイプの発明をはやく完成しなさいという微かな声が強く主張しています。ヘレン深度法の次は、学生時代の一番初めの発明の着想、波力発電を完成させます。「プラットフォームってなに」という水理学の教授の言葉を想起しました。石油洋上掘削プラントの呼び名です。さらに、鋼製構造型枠橋脚タイプを完成させなさいという声が、今日の朝、聞こえました。粘り強く、時間をかけてコツコツと技術というものは開発されるのです。試行錯誤の連続なのです。日々の努力があって飛躍が生まれるのです。小さないくつもの新しい技術を積み重ねて、組み合さない限り、新規性と進歩性は生まれないでしょう。
【００６７】
２０１２年１２月５日午前１０時頃、母校、徳島大学工学部のN教授から鋼製構造型枠について「何故、その様な技術が広まっていないのか考えてみなさい」とご指導を受けました。この質問自体、パソコンは箱であるという固定観念から脱出することの困難さをあらわしています。タブレット型のパソコンであるiPad（iPadはApple社の登録商標です）をみたことの無い者がiPadを想像できるでしょうか。iPadを見て、触ってみて、初めて、iPadがなんであるかが分かり、欲しいと思うのです。
【００６８】
鋼製構造型枠は鋼製構造型枠をみて共用してはじめてその便利さと実用性に気づくものなのです。それを実現させるのは小さな技術の集積なのです。鋼製構造型枠を実施工するためにはたくさんの小さな複合技術が必要なのです。支保工を組み、型枠を組み上げ、鉄筋を配筋する人件費と時間と、工場で加工された鋼の箱を現場で組み立てその箱の各部分にコンクリートを充填して封じ込める費用との比較の問題なのです。ヘレン深度法においてもまったく同様なことが言えます。ヘレン深度法を実際にやってみるまでは、ヘレン深度法がいったいなにであるのかは実感できないと思います。
【００６９】
２０１２年１１月２８日、朝８時に、透析をしなければならなくなる夢をみました。糖尿病患者にとっては、恐怖の夢でした。保育園にある様な子供用の二つの洋式便座の前で、透析を受けながら、車椅子の初老の女性と話をしました。「あなたはまだ自由に動けるでしょう。」「私の様にならないうちに、精出してがんばりなさい。」と優しく言われました。
【００７０】
次の夢は、殺虫剤で虫を殺したと思ったら、小人でした。小さな裸の細部まで見えます。急いで水道水で殺虫剤を洗ってあげると、小人の体が透明になりました。小人の額にへばりついていた別の小さな妖精は、水道水を通って水道管の中に逃げていきました。残された小人は、透明な、女の赤ん坊です。それは天使というより、キューピットです。赤ん坊は、だんだん太くなりました。大きく重くなりながら、赤ん坊を抱いている自分を大きな声で、笑いながら怒りました。「いきなりは、だめですよ」「手順を踏んで、だんだんやりなさい」無邪気なNさんのわらう顔がみえます。
【００７１】
次の夢は、若い女性、中学生から２５歳までが、百人ぐらい一列に並んでいます。前から順番にゆっくりと歩いていく女性に対して、ひとりひとりに対して自分がコメントをしてあげています。「君は、現代的な、目鼻立ちをしているから、今様（いまよう）だね。」「きみの眼は眠っているから、目をもっとパッチリとあけなさい」つぎの女性は、こうです。色白の顔の左の額には黒い点々が見えます。皮膚の奥にはメラニン色素の黒い細胞が沖縄の地図のように列状の島になって、はっきりと分かります。この黒い粒の列は、この子の宿命をあらわしているという言葉が聞こえます。きっと子供のころに肌を焼きすぎたのだろうとおもいました。皮膚の光老化の問題があるので、あまり肌を紫外線にさらさないように、アスコルビン酸（ビタミンC）を摂取するようにとアドバイスしようとして目が覚めました。
【００７２】
人間は死を目の前にして完全に無力かと言えば、決してそうではありません。「苦集滅道」「八正道」「中道」という釈迦（釋迦、しゃか） 梵語では、シャーキャ、特許の明細書では特殊記号は使えないという問題で外国語の使用は控えるべきだとおもい省略いたします。紀元前463年頃から紀元前383年までで、詳しくはほとんど不明です。たしかに仏教の開祖です。本名というか俗名は、パーリ語形で、 ゴータマ・シッダッタ（Gotama Siddhattha）と呼ばれています。教科書などではこの名前が一番多く使用されるみたいです。あるいは、サンスクリット語形 ガウタマ・シッダールタ、サンスクリット語は省略いたします。（Gautama Siddhartha）、漢訳は瞿曇 悉達多（クドン・シッダッタ）と伝えられています。今、目を閉じると、頭の中は真っ白い光でいっぱいです。今日は土曜日なので、朝の八時から書き続けて、いまは午後の三時半です。トイレに立っただけです。ネスカフェのネスレが最高に美味しいです。
【００７３】
ガウタマ・シッダールタが人類に示された、歴史が証明する、一番安全で、普遍的で明確で具体的な確実な方法があります。釈迦の呼称はとても面白いです。「釈迦」は釈迦牟尼（しゃかむに、シャーキャ・ムニサンスクリット語は省略いたします。(Sakyamuni)）の省略です。釈迦は、彼のいた時代の部族名あるいは、国名です。牟尼は聖者や修行者の意味です。翻訳すると、釈迦牟尼は、「釈迦族の聖者」という意味の尊称です。
【００７４】
称号を加えると、釈迦牟尼世尊、釈迦牟尼仏陀、釈迦牟尼仏、釈迦牟尼如来ともよばれます。しかし、これらはあくまで仏教の視点からみたものです。現在、世界宗教とみなされている宗教は、キリスト教、イスラム教、仏教、などが考えられます。過去にはマニ教、ゾロアスター教も世界宗教の性質を有していた時代もありましたが現在では衰退しています。印度はほとんどヒンズー教でしょう。
【００７５】
地球上の宗教や神々を融合させるのが今世紀の課題です。現在、世界に存在する、あらゆる宗教や神々をつきぬけると無償の愛の白い光の海があります。金色の洪水だと感じるときもありますが、真っ白い光につつまれて、何万もの優しい声が同じことを喋っている感じがします。「あなたの背骨からは見えない糸が出ている。その見えない糸は、あらゆる人間とつながっている。その見えない糸は、生物ばかりかあらゆる存在と繋がっている。あらゆるものは、ひとつにつながっている。あなたは、いつも、どこでも、決して孤独ではない。わたしは、あなたを、光をつかって無始から導いてきた。いまこそ、あなたが、あなた自身の言葉で喋るときがきました」とても穏やかな優しい声でした。
【００７６】
深い瞑想状態で体験しました。自分の身体が光の海に浮かんでいる感じがします。愛の白い光に包まれた感じがします。体全体が歓喜と法悦に包まれます。神秘体験、超越体験、この現象を全人類が体験することが、世界の宗教を融合する第一のステップです。宇宙、銀河、星、地球、光、水、空気、火、命、自然を神だと呼んでみて下さい。神には名前などないのです。われわれは神の神殿の中にいて、悲しく殺しあう生き物なのです。我々自身が神の神殿であることに誰が気づいているでしょうか。発明の根源となる創造性は神の性質です。我々は神の性質を継ぐ者なのです。
【００７７】
魚を切る出刃包丁から人を切る日本刀までひとは作り出してきたのです。唾を、一度「ごっくん」と飲み込んで、考えてみて下さい。未来は、あなたの思考から生まれるのです。光の玉を想像してみて下さい。明るい未来を指向する思考こそ至高の神の賜物なのです。最初は小さな光の玉を想像して、だんだん宇宙全体に広げてみてください。あなたはたまたま生まれたものではありません。壮大な宇宙の進化の「位置携帯」、もとい、「一形態」なのです。人生に偶然はありません。
【００７８】
すべてが必然なのです。素晴らしいグッドなタイミングで現象がいまここにシンクロニシティしているのです。あなた自身をあなたの位置に置かれた携帯端末だと考えるとヘレン針深度法をよく理解できます。神様からの電話を待ちましょう。あなたにもコーリングがいつか訪れるでしょう。すべては神の仕事なのです。カルヴァンはスイスで活躍しました。カルヴァンは、職業は神から与えられたものであるとしました。すべての仕事が本来、天職なのです。「宇宙の流れに逆らわないことです。」すべてがうまくいきます。
【００７９】
とにかく、僧侶などが釈迦を指す時は、略して釈尊（しゃくそん）または釈迦尊、釈迦仏、釈迦如来と呼ばれることが多いです。称号だけを残して、世尊、仏陀、ブッダ、如来とも略されます。日本語では、普通は、お釈迦様（おしゃかさま）と呼ばれることが多いです。仏典では、仏様は、この他にも多くの異名があります。そのうち代表的な名前の10個です。このうち、どの10個かは一定しません。これらを総称して、仏「十号」と呼ばれます。
【００８０】
これらの呼称を編集すると、釈迦牟尼世尊、釈迦尊、釈尊（しゃくそん）、釈迦牟尼仏陀、釈迦牟尼仏、釈迦仏、釈迦牟尼如来、釈迦如来（しきゃじらい）、多陀阿伽度（たたあかど）、阿羅訶（応供）（あらか）、三藐三仏陀（正遍智）（さんみゃくさんぶっだ）となります。ちなみに、ブッダとは、仏陀（ぶつだ）、サンスクリット語は省略します。英語では、buddhaと綴ります。多陀阿伽度（たたあかど）はシャキームニ・タダガータ（釈迦のこと）でしょう。
【００８１】
タダガータとはサンスクリット語は省略tathagata  は、「真如(tatha  タタ−)から来るもの、真如へと去っていくもの」という意味です。これが漢訳されて「如去如来」や「如来如去」となり、さらに縮まって「如来」となりました。音写である「多陀阿伽陀（ただあがだ）」も同じ意味となります。真如（しんにょ）とは「あるがままであること」という意味があります。真理のことを指します。金剛般若経のサンスクリット本にあり「真如性」と訳されています。「真」とは真実のこと。「如」とは「如常」の意味です。諸法の体性虚妄を離れて真実であるから、真といいます。常住であり不変不改であるから如と言います。常に真実である者ということでしょうか。生命が常住不滅であると気づくことが悟りでしょう。ブッダもイエスキリストもムハンマドも空海も日蓮も道元も宇宙全体知的生命体のイメージを体験したのでしょう。
【００８２】
ゴータマ・ブッダは、短く、仏ともいいます。悟りの最高の位「仏の悟り」を開いた人を指します。buddha は、サンスクリット語で「目覚めた人」「体解した人」「悟った者」などの意味です。この明細書を７回だけ、隅から隅まで精読されると「貴方は、宇宙が生命体に満ちていることに目覚めます」そして「あなたは死を克服できるでしょう」そうなるように書いてあります。私は精神において死を克服しました。死を克服するとは、すごいことではありませんか。死を克服することは、人間に太陽の火を渡した神の子プロメーテウスが神ゼウスの怒りに触れてカウカソス山で鉄の鎖で縛られて、禿鷹（ハゲタカ）に毎日、何回も肝臓を啄（ついば）まれる苦痛を克服するようなものです。
【００８３】
また、アトラースはゼウスの怒りに触れて、世界の西の果てで天空を背負うという苦痛を伴う役目を背負わされることを回避するようなものです。ヨブ記のヨブは、無実にもかかわらず体中を何回も何回も皮膚病で壮絶な苦痛を負わされました。最後の最後まで絶対に神を「うらんだり」「にくんだり」「のろったり」しませんでした。ヨブの「われわれは神から幸いをも受けるのだから、災いをも受けるべきではないか」という言葉は、壮絶な苦痛を受けたのもかかわらず、「安らかな死」を迎えた者の言葉です。あらゆる存在に感謝できるようになると完成です。あらゆる苦悩を神の試練。つまり、神様からの恩寵（おんちょう）。易しく言えば、「神の愛」「神様からのプレゼント」として受け取りましょう。嫌なことが起こったときに自動的に「神様、感謝しています」と言えるひとは悟った人だと私は認めています。
【００８４】
小眼球症の左目の奥が、軽い痛みを感じ空間が広がっている感じがします。脳の状態によって、この世界は違って見えるという声がします。この世界が灰色に見えるか、バラ色に見えるかは脳の状態の違いであると声がします。真っ黒だった左目の奥の脳内に光を感じています。目をあけても立体視ができる感じがします。昔は平面的にしか見えなかったのに視力がない左目なのに左目の前に手をかざせば見えます。不思議です。右目の網膜が、左右の脳から視神経がきているというのは知っています。この現象でしょうか。不思議な光が左目の奥でみえます。天之御中主（あめのみなかぬし）お助け下さい。
【００８５】
天之御中主神（アメノミナカヌシノカミ）は、日本神話の神様です。天地開闢に関わった、五柱の別天津神（ことあまつかみ）の一柱です。ちなみに、日本神道では、神様を柱と数えます。日蓮大聖人も「我、日本の柱とならん」といっておられます。柱を神に暗喩したかったのでしょう。（いま９３歳の父が風邪をひいて鼻水が止まらないといって、薬の飲み方を聞いてきたので、箱から出してあげて一日三回食後に二錠飲むと説明しました）『古事記』では、天地開闢の際に高天原に最初に出現した神であるとされています。その後、高御産巣日神、神産巣日神が現れ、すぐに姿を隠したとされています。この三柱の神を、造化三神といいます。印度三神の内の宇宙創造神のブラフマンみたいですね。性別のない「独神」（ひとりがみ）といいます。ちなみに古事記の安寧天皇（あんねいてんのう）には三人のお子様が居て、その一人に伊賀の須知之稲置（すちのいなき）がおられます。
【００８６】
死とは、分からないからこそ、面白いのです。死について、分かったつもりでいることは、たいへんな間違いです。死んでみなければ、分からないこともあるのです。さも死を見てきたように書くのは間違いです。ブッダは死後の内容については語りませんでした。死を直視て生きる生き方は、死をごまかしながら生きる生き方よりも価値が高いでしょう。今も救急車のサイレンの音が聞こえます。今も、誰かが生まれ、誰かが死ぬのです。死は自然現象です。厭うも好むも本人の受け取り方の違いです。誰もがいつか自分の死を迎えるのです。死後の生命について、スウエーデンボルグの霊界通信はハッキリ言って面白いです。スウエーデンボルグの御著書を真面目に翻訳されたアルカナ出版が徳島県の板野郡にあるというのも驚きでした。ラテン語の翻訳者の方は亡くなられていて奥様と電話で会話させていただきました。
【００８７】
死についての真摯な研究を続けました。チベット死者の書、エジプト死者の書、エリザベス キューブ ラー・ロスさんの本、飯田史彦先生の「生きがいの創造」などを愛読しました。この明細書には「幸せに死ぬ方法」が書いてあります。あらゆる人が、自らの宿命を背負って生きています。その宿命を改善できる生き方とそうでない生き方をしているのです。因襲、固定観念、偏見、先入観に繋縛された思考法と決別できる、観自由自在の思考方法があります。神様、「いまここがしあわせです」「すべてがうまくいきます」「すべてをおまかせいたします」。
【００８８】
自分を縛り付けるのも、自由自在になるのも本人の自由意思なのです。出刃包丁で魚を切るのか、日本刀で人を切るのかの違いです。運命だの宿命だの業だのカルマだの、そのみずからの宿命を設定したのが過去生の生き方を反省した自分自身の魂であることを知っているひとは、まだまだ少ないようです。人生の躓きの棒は自分と神様が協議して置いたものです。自分の描いた筋書になるような親や環境を選んで生まれてくるのです。自分の運命を変革できるのは自分の自由意思だけです。運命はすでに定まっている固定的なものでは無いことを知らねばなりません。ヘレン深度法は本人の自由意思をとても尊びます。
【００８９】
「肉体老人精神若者」、「肉体若者精神老人：という言葉を造語しました。「肉体老人精神老人」、「肉体若者精神若者」ならふつうでしょう。高齢化社会を迎えた日本は、「肉体老人精神若者」の生き方をする方が一人でも増えると日本の未来は明るいでしょう。アンチエイジングは肉体というよりも脳の問題であるととらえると問題解決が容易になります。
【００９０】
脳は老化します。しかし、素晴らしい老化の方向とそうでない方向があるのです。人間は老化してもの忘れします。嫌なことは物忘れして、楽しいことを想起しましょう。苦しいとき、不幸なとき、辛いときに、感謝するのです。「神様、感謝しています。今此処が幸せです」と実際につぶやくのです。あなたのつぶやきが、人生の幸不幸を決定します。「気持ちがいい」と言って、楽しかった時のことをイメージしてみて下さい。脳は、常に、「今此処（いまここ）」で生きています。
【００９１】
脳には、時間や場所の感覚がなくなるときがあります。脳にとっては、「永遠の今此処」を生きているようなものです。脳は、言葉とイメージに騙（だま）されます。苦しい時でも、痛い時でも、「気持ちが良い」と実際に口にだして、楽しい思い出を具体的に、ありありとイメージして想起すると、快楽ホルモンであるベーター・エンドルフィンを分泌するでしょう。脳は、勝手に記憶を編集して、自分にとって都合の良い現実や過去や未来をつくりだします。脳は人間をだますことがあります。錯視がその良い例です。人間の悲しいところは、「脳の操作マニュアル」を受け取らずに、あるいは親から教えられずに、また学校でまったく教育を受けずに、大人になってしまうことです。
【００９２】
例えば、学校は、勉強は教えてくれますが、どうすれば頭が良くなるかは教えてくれないことが多いでしょう。この内容については、「子供の基礎学力を改善する方法」という名称で出願する予定です。脳について面白いたとえ話を想起しました。算盤が苦手な子供が電卓を神様にねだったら、気前の良い神様からもらえたのは超スーパー・コンピューターでした。子供は使い方がわからないので、神様に感謝せず、超スーパー・コンピュータの壁で筆算をはじめました。我々もこの子供と同様に脳の超間違った使いかをしているのかもしれません。「脳に感謝しだすと脳が働き出す」のかも知れません。
【００９３】
ヘレン深度法はまさに脳の操作方法なのです。これは、まさに「効果的な脳の作動原理」を知らずして、アルコールを摂取しすぎて、刃傷事件を起こしたり、無理やり深夜まで受験勉強をしたりする可愛そうな受験生のようなものです。おそらく、学校の教科に「脳の使用方法」、「感情のコントロール」についての教科が公的に義務付けられると、殺人や犯罪や戦争は激減するでしょう。脳は、逆に「うらんだり」「にくんだり」「のろったり」する言葉。あるいは、悪口や大嫌いや愚痴や許せないなどという「悪魔の使う言葉」を口にだすと、脳からは攻撃体制にはいるノルアドレナリンを分泌して、体は緊張しまくるでしょう。
【００９４】
三つの言葉の頭文字をとって「海栗（うに）の言葉は、ノルアドレナリンで最悪だ」と暗記しましょう。「うにの」の正反対の言葉、つまり、「うらむ」「にくむ」「のろう」の逆の言葉、それは、大好きです。愛しています。ありがとうございます。感謝いたします。宇宙一幸せです。などという「天使が使う言葉」を日常生活でつかいましょう。きっと神様も喜ばれることでしょう。
【００９５】
事象は中立です。本来、絶対善、絶対悪はありません。善悪は、あなた自身の脳が決定することなのです。自殺がなぜ悪いのかを具体的に明確に説明できる大人は少ないでしょう。何故、多くの宗教で、自殺が殺人よりも重い罪なのか。この明細書を細部にわたり、７回読めば、確実に理解できます。深い理解には、情報の蓄積と、自分の脳神経の長時間に渡る改変が必要だからです。私も、最初はそうでした。なかなか分からなかったのです。牛は平気で殺して食べるのに。なんで人殺しは悪いのか。兵器で平気に戦争では、人は殺しあう。平和な時の一人の殺人が罪になり、敵兵を１００人殺せば勲章がもらえるのか。今日的な問題。いじめの問題でもそうです。いたずらにいじめっ子に反発すると、いじめっ子は面白がって、さらにいじめます。いじめっ子に感謝の言葉を述べてから、その場を逃げましょう。「三十六計、逃げるが勝ち」です。これは価値のある「勝ち言葉」です。
【００９６】
暴走するダンプカーを素手で止めようとすると確実に即死するでしょう。ダンプカーを３メートルでも避ければ、あなたにかかるのは砂埃だけです。いじめからは逃げることです。いじめはかわすことです。相手も自分も本気になって立ち向かっては損です。そんなことは絶対に損です。良ければ避けて下さいませ。この言葉を中学３年生、体育会系男子に教えてあげると、「自分をいじめる相手に対して感謝するなんで、アホみたい」と言います。「俺なら闘って、相手をボコボコにする」といいます。こうやって、まさに悪の連鎖反応が開始します。
【００９７】
世界史の教科書を振り返って下さい。本来、国境などない地球の上に線を引き、領土獲得競争をします。国同士の悪の連鎖もそうです。まるで、イスラエルとガザ地区の紛争の様です。言葉とイメージによって身体が戦闘態勢に入って、ノルアドレナリンが分泌されて暴言や暴行を生みます。そして、結果的には、歯を折ったり、鎖骨を折ったり、身も心もボロボロになるかも知れません。女性や子供の頭の上に爆弾を落としてはいけません。多くの人が反対しているはずであるのに依然として戦争や殺人や窃盗が絶えない。ここにヘレン深度法の根本的な問題があるのです。
【００９８】
糖尿病の治療と同様に、人類にとっても「悪の連鎖を断ち切る」のはなかなか難しいことです。今は、地域紛争、多極化、民族紛争の時代です。大きくは南北問題があります。大切なことは、あらゆる事実は中性です。現象に意味はありません。ただ、事実というだけです。事実に意味を与えるのは人間自身です。感情的過剰反応。人間の脳の感じ方だけです。それは、好悪（こうお）の問題かも知れません。好悪に呼応（こうお）して感情の問題が入ります。理性だけで解決できないのが人間の複雑なところです。言葉の問題。多言語であること。言葉の選択の問題。
【００９９】
ここで、損得勘定の感情が沸き起こると、怒りは鎮静化されます。効果覿面（てきめん）です。怒りをコントロールするのに、「怒りをお金に換算して考える」癖をつけましょう。怒りは高価につくのです。怒りを爆発させて、携帯電話を壊したりすると、かなり高くつきます。怒りをお金に換算する癖をつけると、怒ることの馬鹿らしさをさとるでしょう。同じ事実に対して「ああ、気持ちが良いわ」と言って、楽しい思い出をイメージすれば、快楽ホルモンであるベーター・エンドルフィンが出て、「天国の世界」を味わいます。逆に、同じ事実に対して「絶対に許せない」「死ね」などといって怒りを、物や人間にぶっつける言葉を出して、ネガティブなイメージをすれば、脳からはノルアドレナリンが分泌されて身も心も「地獄の世界」を味わいます。ある意味で、心の持ち方しだいで、地獄極楽は、娑婆（しゃば）の世界(この世の現実)そのものであるとおもいます。
【０１００】
心の内容は、言葉とイメージと考えです。言葉と、イメージが、「コロコロ」と転がるように変わります。心は、ころころと転がるようにコロコロと変わるものなのです。心変わりは秋の風です。こころは、同時に、飽きてくるものなのです。食欲と共に、糖尿病の管理のためには、同じような食事をとることも多いと思います。味付けを工夫して、食事にバランスとヴァリエーションをもって、こころの飽きの問題とうまく付き合うことも大切です。どのようにして、常に人生に新しい意味を見出して、フレッシュな感覚で情熱と生きがいをもって生き続けるか。これは、日常的な人生の過大とは言えない課題です。言葉とイメージと考え方の持ち方を変えましょう。
【０１０１】
「あらゆるものは、等しくつながり、本当の我々は、宇宙の中心につらなり、この世界そのものであり、永遠の今此処を生き続けている。」２００６年８月１日（須知晃一）。自分がいるからこの世界を認識できるのです。貴方の為に、空気、水、石油、石炭、地球、宇宙の全てが用意されているのです。こころの持ち方次第で、日常生活が地獄にも極楽にもなります。愚痴を言いたくなったら、「愚痴さん」に感謝の言葉を述べるのが一番です。ついでに、「病気さん」にも感謝の言葉を述べましょう。「普通が一番」といいましょう。事故に遭わず、天災にも遭わず「当たり前であることに感謝」です。
【０１０２】
普通で事故など何もないことが、「宇宙一幸せ」であることに気づきましょう。宇宙一幸せな人は、自分のことを宇宙一幸せと思える人です。こうやって、マイクロソフトのワードに向かって明細書をかけることはとても幸せです。それにもまして、この明細書を読んでいただけること自体、感謝にたえません。糖尿病性の網膜症の患者さんのことを考えるだけで心が辛（つら）くなります。
【０１０３】
すい臓癌の末期の患者さんが、癌ワクチンの治験を受けるNHKの番組を見たその日に、韓国ドラマ「イ・サン」のソン・ソンヨンが番組の中で肝臓癌になりました。死を直視したソン・ソンヨンは、サンの子供を無事に産むまではどんな薬も飲まないといって、激痛に耐えます。母の愛は海よりも深いのです。すい臓癌や肝臓癌と比べると、糖尿病は、比較的進行がゆっくりしているので、「生活態度」を改善できる可能性が高いのです。世の中には呼吸を、一呼吸するだけで、胸に針を千本ぐらいさされる激痛を感じる患者さんもいるのです。「空気を吸えるだけでも幸せです」それらの患者さんと比べると、「自分が宇宙一幸せ」を痛感いたします。事故に遭わず、天災にも遭わず、「自己天才(事故天災)よりも、普通が一番」と暗記しましょう。
【０１０４】
自己を天才だと考える人は、ものを知りすぎて、考えすぎて、頭が良すぎて、かえって不幸になることがあります。記憶を統御せねばなりません。幸福な記憶を再生する回数が多い人は、多幸な人です。不幸な否定的な記憶を再生しがちな人は不幸な人です。言葉と同時に記憶に気を付けなければなりません。こうなって欲しいという明るい希望を抱く習慣をつけましょう。生活美人とは日常生活の中から明るい希望の記憶を発見して保持し、嫌な記憶は手放して笑いましょう。
【０１０５】
自分を天才だと思って、世に入れられないことを恨んでいる人間は多いことでしょう。「世に知られずといえども、けっして憤（いきどお）らず」「いいひとでいること」普通に謙虚にいきることが一番です。普通に謙虚に生きていたら警察に、傷害事件などで検挙されることはありません。人生において、恐喝したからといって、今日勝ったわけではありません。「謙虚が一番」これは生涯重要な教訓です。
【０１０６】
中学３年生の返答。つまり、「自分をいじめる相手に感謝して、逃げる話」への返答として「そんなの、アホみたい」は、人間賢すぎて、アホになりきれないところが笑えないところです。アホになりきれる人は、かえって、幸せかも知れません。「笑う門には福来る」です。「常に大笑いをしましょう」かならず免疫力が高まるでしょう。大きな声で無理してでも「わっはっはっは」と実際に声に出して笑うのです。
【０１０７】
口からたくさんの息が出ます。その口から出る風が他人に幸せを運んでいくと想像するのです。すると、自分も気分がよくなって脳内快楽物質がたくさんでます。幸せな人とは、自分も幸せになり、人も幸せにする人のことです。本当のお金持ちとは、自分もお金を持ち、人もお金持ちにする人の様な者です。今、９３歳の父が、キムチのパックを開けてくれと言いながらもってきました。人は、いつかは老いるのです。この明細書は日記のように日々の努力を積み重ねました。
【０１０８】
人の多くは、病を得て死ぬのです。「生老病死は誰にでも起こることなのです」母は、８７歳で肝臓癌が理由で亡くなりました。母は、身をもって、死とは何かを教えてくれました。母とは、死ぬ前に固く約束しました。「死後の世界について教えてもらう」という約束でした。母も、私も、死後の世界については、とても興味がありました。母は亡くなり、約束をはたしてくれました。夢枕に立ったのです。いまでも困難があると、時々、アドバイスをくれます。亡くなってから、一年ぐらいは、頻繁に話したのですが、母も精霊界から霊界に入り、気に入った村で安穏に楽しく暮らしているとのことです。
【０１０９】
このことの詳しい話は、「鋼製構造型枠」の明細書の中で書きました。鋼製構造型枠というのは、埋設型枠、捨て型枠、永久型枠、打ち込み型枠、プレキャスト型枠など異名をもつ技術のことです。「ソレドレワルイノドラナイト」という言葉と共に、爆発的な新しいイメージの洪水が起こりました。今も、鋼製構造型枠を何度も復習しています。新規性、進歩性、技術としての完成度を考えると、現行の方法では、時間と手間と費用がかかると確信しています。材料費よりも、人件費の方が多くかかる時代です。施工の安全性と確実性や維持補修や共用期間の長さを考慮せねばならない時代となりました。コンクリートの表面の劣化をおさえることができる。塗装などがメンテフリーで恒久構造物とできることが特徴です。
【０１１０】
これからの時代、ますます土木構造物の老朽化の問題が起こるでしょう。プレキャスト型枠というのがあります。ステンレース製の網を用いた繊維コンクリートを用いた型枠です。これだと、本体のコンクリートと分離を起こして、プレキャスト型枠だけが剥落してしまう事故を生みます。コンクリートの最大の弱点は表面の劣化なのです。鋼製構造型枠の出願では橋脚の上部工は見えてきませんでした。T型橋脚でいえば、見えてきたのは橋脚自身のI型部分です。自分にとっては当たり前すぎることで明細書には書きませんでした。完全な技術とするためには上部をくっつけて完全なT型にすべきです。
【０１１１】
鋼製構造型枠の汎用性と多用途と工期の短縮、構造物の恒久性を考えると、世に広まって欲しい技術であると確信します。公共土木構造物の補修を行うのに鋼製構造型枠は最適の方法です。支保工が不要で既設の構造物を鋼製構造型枠が取り囲む形で補修が可能です。既設の構造物と鋼製構造型枠を融合させる形で現在よりも堅牢で恒久的な構造物の補修が可能です。
【０１１２】
２０１２年１１月２３日早朝、鋼製構造型枠の夢を見ました。古い家の周りを、鋼製構造型枠で囲って、家を新しくする工法です。耐候性鋼を使用した鋼製構造型枠なので、薄い茶色のきれいな色でした。鋼製構造型枠型枠を利用して、内部を解体する新しい方法は、素晴らしい方法です。古い建造物を解体すると同時に、広大な内部空間が確保できます。鋼製構造型枠の夢の余韻は続きます。私は、古ゴムタイヤやプラスチックのゴミや高炉スラグのゴミ問題を解決するために廃棄物再生利用渾然一体複合多目的骨材という長い名前の複合骨材の特許を出願しました。それに関連してか、次の夢を見ました。場面はアメリカです。水色の服を着た、両眼を真ん中に引き付けて人に笑いをさそうスーパーマリオの様な太った気の良い４４歳ぐらいの研究者です。仮にエキスパートと呼びます。全米のごみの内容を研究している人です。
【０１１３】
ゴミの処分場は巨大な施設です。ゴミの内容を詳しくしらべ、分析して統計調査しています。私は、夢の中では、２３歳ぐらいの大学院生になったばかりのゴミ研究の新参者です。ゴミに汚染されないための分厚い防護服の着方から教えてもらっています。ゴム長靴を二重に履きます。古い部屋の押し入れの奥の光の中からマリオ先生がビニールの袋をもってきます。「くわい、さといも、にんじん」を煮たものです。経年変化で色が脱色しています。「あっ、それは、わたしがつくったものです」夢の中の場面は自分が中学三年生の時にいた部屋です。高校受験生のときに「納豆、豆腐、胡麻、海苔」などを混ぜ合わした「受験生健脳食」を開発しました。ビニールの内容物をつまんで食べてみると、まったく痛んでいませんでした。
【０１１４】
内容物をつまんだ瞬間に、連邦政府監査官なる高齢の人物が現れました「ゴミをたべちゃいかんな」それは権力の濫用であるみたいなことを言われました。そのときに、さとりました。これはすべて記憶の世界のことである。この夢は脳の記憶の管理システムのことだなと分かりました。記憶は変質しないでパック詰めにされて完全に保護・保存される。つまり、記憶は腐ったりしないけれども、変容することはある。記憶がまったく別の物に変化している。記憶は腐敗するものではなくて、醸成されるものであるということ。記憶は改変されること。過去の記憶に対して、否定的な考えを持つと悪い方向に記憶は、腐敗するかもしれない。
【０１１５】
しかし、記憶そのものは決してなくなることはない。食骨細胞と造骨細胞のせめぎあいで骨が存在するように、記憶も、古い記憶を研究する者、記憶に対して新しい解釈をする者、記憶を管理する者この三者のせめぎあいで存在していることを知った。記憶を掘り起こそうとする研究者、古い記憶を新しく解釈する新参者、ひたすら記憶を保持して隠ぺいしようしようとする頑固な監査官。脳内の記憶の管理システムをみたような気がした。ワーキングメモリーシステムのメカニズムである。
【０１１６】
幼少のころから運命に興味をもっていました。普通の人とは違う人生を送りました。自分は、左目が小眼球症で、今は、片眼しか見えません。右手親指は赤ちゃんの指のように小さくて直角に曲がっていました。子供の頃は、自分が人と違うことが嫌でした。どうして自分は普通の人とは違うのだろうかと運命について考え続けました。医学にも興味をもちました。幼稚園に上がる前に、長期間、左目と右手親指の検査の為に徳島大学医学部の病院に入院して精密検査をうけました。
【０１１７】
病院で育った子供の様に病院が懐かしいのです。胎児のときに右手親指が左目に入っていて、成長を阻害したのではないか、みたいなことを眼科の教授の先生は言いました。手術すれば、曲がった指は真っ直ぐになるかだろうけれども、動かすことはできなくなるだろうと言われました。手術する段取りが進んでいくなかで、私は母と相談して手術直前に病院を逃走しました。入院するときに初めて食べた干しブドウ。入院中に親しくなったお兄ちゃん。入院して買ってもらった絵本。様々な記憶と共に病院を脱走しました。
【０１１８】
これは、大人になっての話です。近所に、建材屋のおばあちゃんがいて、私に教えてくれました。そのおばあちゃんは、確か中指か薬指が曲がっていました。医者に簡単に真っ直ぐにできるみたいなことを言われて、手術したそうです。指は真っ直ぐになったけれども、伸びたままで、曲がらなくなった。こんなことなら手術をするのではなかった。たとえ曲がっていても、自由に動く方がよかった。医者の口車にのせられた、医者にだまされたとくやしがっていました。ヨガの先生の言葉を想起しました。ある病院は有名で注射だけで足の痛みを取ってくれる。ひざの痛みで、その医者に通い詰めた患者が歩けなくなった。痛みがなくなるということは注射で神経を殺していたに違いないと思ったそうです。こんなことならたとえ痛くても自由に歩ける方がよかった。
【０１１９】
自分の生涯にわたる障害で、こんなイメージをありありと見ました。自分は母の胎内で胎児です。非常に明るい、光につつまれたイメージでした。へその緒が首に巻きついて胎児が窒息しているのです。自分の運命に胎児が対峙した瞬間でした。へその緒と首の間に自分の右手が入って、窒息死するのを免れた。「自分の人生で、一番嫌だと思っていたことが、自分をこの世に存在させた理由でした。」「貴方が苦しむ、一番厭うものが、あなたが存在している理由なのです。」覚醒しました。人生の苦悩に目覚めたのです。受験数学に「一般項を喜べ」という格言があります、まさにそうです「人生の苦悩を喜べ」「苦悩に感謝せよ」と格言は変化します。
【０１２０】
苦悩が修業から喜びへ、さらに、喜びから感謝へと変わる瞬間です。自分が糖尿病になって苦しんだのも、この明細書を書くためであったのだと悟った瞬間でした。人生の苦難には、あらゆることがこの原理に当てはまるのです。目の前にどこまでも伸びる真っ直ぐな人生の道には、誰でもがかならず「躓（つまづ）きの棒」が横にクロスされています。その、「躓きの棒」を乗り越えると、目の前の長い一本道のはるかかなたには愛と希望の太陽があるのです。その「躓きの棒」は神と相談して、自分で置いたものです。人生に乗り越えられない苦難は存在しない理由です。
【０１２１】
この明細書を書くことはいわば私が自分で設定した宿命でした。いまとなっては普通とは違う人生を送れたことに感謝しています。生涯に渡って、障害は個性であり、障害に感謝したいという気持ちになりました。生涯は試練を構成する。神様が与えてくれた特別な自分だけの人生です。「無いものを数えるのではなくて、あるものを感謝する」障害をもつものが、生涯の課題として、「過大な希望」を持つことは、現状に対して不満や不平を言うのと同じことです。神様にこうして下さいと願うのは、神様に対して不平や不満を言うのとまったく同じです。
【０１２２】
この明細書には、ほぼ半世紀に渡る私の運命学の研究結果をあますところなく、様々な個所にちりばめて書きました。「ちりばめる」という意味は、遺伝子に見られるスプライシングです。それは、重要な情報を保存するためには情報をバラバラにして、分散させるのです。熱意のある、本当にその情報を必要とする人だけが、その情報の再構成を試みます。読者の利益となるような運命の開運法が要所に書いてあります。
【０１２３】
運命とは、命を運ぶと書きます。幸運は、人が運んでくるものです。自分の人生に逆らわないことです。人生は山登りであるとう発想から、人生は川下りであるという発想に思考のチャンネルを変えなければなりません。自分の状況に逆らわないことです。「智に働けば角をさす。情に竿差せば流される」人生は微妙です。人生をスイスイといくためには、人から頼まれごとをしたら、ハイハイとひたすら受け続けるのです。受けた順番で、有償、無料にかかわらず、一つ一つ確実にこなしていきましょう。お返事は元気にハイです。自分の仕事が終わったら、人の仕事を手伝うぐらい心の広い人になりましょう。どこまでいってもあるのは、「親切と奉仕」です。これが、人間が、生まれてきた理由です。「楽しく生きる。人助けをする」発明も先人のピラミッドの頂点に一個の小さな石を置くような行為です。
【０１２４】
天職はコーリング（Calling）といって、仕事に呼ばれることです。仕事をするのに早朝は最高の時間です。最高に再考できます。同じことを考えていると新しい考えが湧いてくるのです。無理に絞り出した考えは駄目ですね。自然に湧いてくるアイデアがいいです。この明細書は朝の活気ある時間にほとんど書かれました。幸運は風が運んでくるものです。活気ある文章を読むと、読まれる方の脳細胞が活性化されます。
【０１２５】
７回だけ本当に行間の意味を熱心に読まれると、よく分かったと実感されます。霊界の秘密は漏らしてはならないという宇宙の基本ルールがあります。人としての分を超えると神様に早く呼び戻されます。あまり本当のことは書いてはいけないことになっていますので、ゆえに、たくさんの「たとえ話」をたくさん用いました。夢の話にして現実世界で理解困難な内容を伝えました。例題をつかって霊の問題をあつかっています。死についておまえはまだよく分かっていない。死について分かったように書くのは間違っている。死は死んでみなければ分からないようにできている、と夢の中で神様から釘をさされました。
【０１２６】
死後は、個人の精神世界であるので個人の数だけ違う世界があるのだと解釈しました。釘をさすと同時にヒントをくれたのでした。仏陀が死を語らなかった理由です。死後の世界は自らの精神が観根に繋縛されて創造するものなのです。なにも決まったことがないと言えます。あなたは、怖い死後を送りたいですか。それとも、あなたは、楽しい死後を送りたいですか。  
【０１２７】
最初は、私も「ヘレン深度」が、いったい、何であるのか、まったく理解できませんでした。集中して考え続けました。何日も「ヘレン深度」と名前を呼びながら、書き続けていると、ヘレン深度の方が知性をもって、優しく語りかけてきてくれました。きっと私に、素晴らしい指導霊さんが憑依してくれたのかも知れません。今朝も「ヘレン深度様お助け下さい」を１１回だけ唱えました。１１回というのは１０回プラス１回。プラスアルファーの努力をしなさいという意味です。衰退していくいきかたと、繁栄していくいきかたの違いはそこにあります。すべてを捨てると、すべてが手に入る。死ねば、この世界そのものになると考えてみて下さい。そう考えられる人は、幸せ者です。東北地方の生きながらミイラになった多くの即身成仏の方は、きっとそう考えたのではないでしょうか。
【先行技術文献】
【特許文献】
【０１２８】
【特許文献１】特許公開２００７−２７４９８６
【特許文献２】特開公開２００４−１５４３４１
【特許文献３】特開公開２００４−３４４５７１
【特許文献４】特開公開２００２−１７５３７２
【特許文献５】特開公開平１１−１１６４８７
【特許文献６】特開公表２０１２−５１９０１８
【特許文献７】特開公表２０１２−５１３２２１
【特許文献８】特開公表２０１０−５０７１３８
【特許文献９】特開公表２００８−５１５５０５
【非特許文献】
【０１２９】
【非特許文献１】ノーバート・ウィーナー著、池原 止戈夫、彌永 昌吉、 室賀 三郎訳  「ウィーナー サイバネティックス――動物と機械における制御と通信」 (岩波文庫) (2011/6/17)
【非特許文献２】ノーバート・ウィーナー著、鎮目恭夫、池原 止戈夫訳、「人間機械論  第２版」 (みすず書房) (１９９９/７/１０)
【発明の概要】
【発明が解決しようとする課題】
【０１３０】
一時間待って五分間医療、糖尿病や脊椎損傷などで医療費は膨らみ、原子力発電所は事故を起こし、オスプレイは墜落し、政治経済は混迷をきたし、世界には宗教戦争が絶えない、日本人夫婦の六人に一人は不妊治療を行っている、公共土木構造物は老朽化し、笹子トンネルは崩落した。複雑な組織体の制御を少数の人間の脳が行うことの限界が今世紀の課題である。
【課題を解決するための手段】
【０１３１】
ヘレン針深度法によるアーキテクチャーの構築によるメインフレームの作成。コンピューターのハードハードウエアーが肉体であるならば、そのプログラムは魂であり生命である。簡単に説明しますと、針と痛みの関係の様な、心の痛みを感じる様なコンピューターとそのプログラムの制御方法です。この発明の直接のきっかけは糖尿病の血糖値の改善です。血糖値の制御からヘレン針深度法（H.N.D.M. : Hellen Needle Depth Method）を着想しました。発明の概要をまとめます。１.組織体の針と痛みの関係の様な反応パターン解析と非ノイマン型でのフレームワーク群の制御。２.携帯端末、タブレット端末、パソコンを利用した自宅での血糖値の管理と制御方法。３．医療ロボットプログラムによる、医師、医療機関をアシストし、患者の電子カルテを管理保持し、患者の健康を生涯に渡って守護制御する方法。４.常温核融合電池を安全に制御する方法。５.車椅子と合体した人形寝袋の様な歩行アシストロボットを制御する方法。６．航空機のフェイルセーフな制御の方法。７.聴覚刺激が視覚神経を刺激して幻肢痛の様に疑似幻視覚映像で視覚障害者の歩行を誘導支援するシステムの制御方法。８.体細胞融合をマイクロロボットで遺伝子を制御した不妊治療の方法。９.脳波と身体の動きを連動するマンブレインインターフェイスの制御方法。10.地球市民直接参加型のサイバー地球連邦政府を機械と人間が協議して平和に制御する方法。これらの方法により解決するものです。
【０１３２】
「いつかは、ほんものとであえる」本物とは「本物の発明」です。この明細書は、三度目の正直です。１.廃棄物を利用した多目的複合骨材の発明、２.鋼製構造型枠の発明、三度目は、３.ヘレン針深度法の発明です。正直に書きます。ヘレン針深度法の母体はマサチューセッツ工科大学にあるアテネプロジェクトです。発明は、何かを真似します。そして、その母体に新しい何かを組み合わせて付加する形で発明が行われます。言語や機構が異なる複数のコンピューターを相互にインターネットの様に繋いで、共通のブラウザーで見るという現実を基にしています。
【０１３３】
アテネプロジェクトと異なる点は、その各々のブラウザーの中にヘレン針深度法によるプログラムが組み込まれています。人間はヘレン針深度法によるプログラムと友人との関係の様に相互干渉できます。コンピュータ群上のヘレン針深度法によるプログラムの中や外を、複数の処理（ヘレン針深度の意識）が、課題をもってコンピュータ群やプログラム群の中を飛び回ります。
【０１３４】
このアイデアは宇宙ホログラミック脳をもとにして着想しました。自己相似的なプログラム群が自律的に動き、人工知能を有し、自らのプログラムを改変します。これは生命現象をモデルにしています。処理方法もフォンノイマン型の直列処理や並列処理とはまったく異なります。分散型処理を行うこと。融合型処理を行うこと。（３）課題オリエンティドであること。（４）自己相似型プログラムであること。（５）ハードウエアーが分割されていて多言語であること。（６）好みの問題を考慮すること。（７）各ハードウエアーとソフトウエアーは植物の幹と葉のような関係にあること。（８）学習と増殖を繰り返す植物の生命原理に基づくこと。（９）新しい概念を発明すること。（１０）さらなる発明への刺激となること。
【０１３５】
特に、２型糖尿病で血糖値を下げるのは、定時・定量・定運動量・定薬物療法で午後６時までに野菜とタンパク質中心のノンカルボニック食をすませる。夜中は絶対に食べない。お菓子などの炭水化物の間食はしない。酒は飲まない。睡眠は早めに十分とり、昼間は食欲を自律訓練法で抑える。マルチビタミン・特にEとCを摂取し、煮干し、木の実、煮魚、高野豆腐、海藻類、発酵食品で空腹を抑え、口と足を清潔にする。糖尿病と骨資欠材・歯・口内細菌・水虫・腸内細菌・脳の関係に着目する。
【０１３６】
２０１２年１１月１６日午前８時頃、「糖尿病の真の原因は骨資欠材（こつしけつざい）である」という言葉が聞こえて、「骨資欠材」という漢字が見えてきました。これは、嘘か本当かは知りません。それから、「煮魚（にざかな）」というイメージが漢字と絵で見えてきました。それまで私は、木喰行（もくじきぎょう）といって、木の実と野菜中心の食事をしていたのですが、イリコ、業務用だしの素の鰹節の削ったのと昆布のみじん切りをミックスナッツの大き目の空き缶に入れて、混ぜ合わせて、すりごま、と「クロムラクトフェリン食べるだしの素」（後述します）と自分が呼んでいる自家製のだしの素を混ぜ合わしました。
【０１３７】
色々なものを少量食べるというのが糖尿病に対する基本原理でしょう。なんでもいいから食べて、その代わりにカロリーの総量を制限するというのは基本的な考え方でしょう。タンパク質も体重増加と血糖に関係するので、色々なものをちょっと食べるというが一番いいと思います。一定の物を食べていると確かに血糖値は安定します。定時定量一日に３０品目を少し食べるというのがやはりベストでしょう。一日一回午後五時に野菜とタンパク質だけ食べるという方法は挫折しました。本発明は糖尿病の改善法から出発しました。ヘレン針深度法に関して様々な発明を生みました。
【０１３８】
口臭と歯茎の痛みがすごいので、モンダミンナイトクリヤー・イソジンうがい薬・アセスメディクリーン・消毒用エタノールを混合したものを少量、就寝前に口をすすいでから寝るのですが、２０１２年１２月１１日の夜は口を漱いでからなぜか「ごっくん」と飲み込んでしまいました。朝になって血糖値を量るとひどい時は、何時も３５０mg/dlぐらいあるのに、１８９mg/dlにさがっていました。夜中に絶対に食物を食べないこと、腸内細菌と関係があるのではないかと気づきました。朝には植物性乳酸菌であるリブレを飲みました。
【０１３９】
「糖尿病は霊的には口の病気である」と言います。私は生まれた時から皮膚が弱く、新生児の時に頭が「もの」だらけになりました。「できもの」だらけという意味です。いまは、スキンヘッドにしています。頭皮には、いまもそのときの跡がみえます。一歳の時に、お父さんとお母さんが吉野川の河口の塩水で母が私を膝に抱え、父が頭を洗ってくれました。あたまがかさぶただらけでした。５０歳を過ぎるまで水虫で足の指の間が切れていました。子供の頃から、歯茎から血がでました。リンゴをかじるとリンゴの果肉の色がピンク色や真っ赤になりました。生来、気性は激しい方で、口では苦労をしました。幼児のときから知ったかぶりをしました。ませた子供だったのです。
【０１４０】
（１）分からないことを面白いと思いなさい。（２）分からないのに分かった気持ちになるのは間違っています。（３）やってみるまでは分からないこともあります。この３つは、今日の朝、神様からきいたことです。神様から聞いたというのは、「ひらめき」や「おもいつき」をそう呼んでいるだけですよ。一応、啓示文学による日記風・明細書も目指していますので。ありきたりのことを書くのではなく、新規性があって進歩性があって衆人に有益なことを書かねばなりません。
【０１４１】
「苦しいこと嫌なことにあったら感謝しなさい。」この世界は、苦しい修業の場だと多くのひとがおもっています。本当は、歓喜にみちた喜びの場であり、最後は感謝の場に変わります。世界に人間はあなた一人しかいなくて、すべての環境はあなたの為に用意されている。貴方の心の中をすべてのものが知っていると考えてみて下さい。きっと、倫理的に高邁な生き方ができるでしょう。事象は中立です。あなたの心が事象に好悪の色をつけているのですよ。面白いたとえ話を思い出しました。画家が自ら描いた幽霊の絵と恋をする話です。画家が昼間に幽霊の絵を描きました。夜中にその幽霊の絵を見て、本物の幽霊と思い込む話です。画家が見たのは自らが描いた幽霊の絵なのか、本物の幽霊なのかは誰もわかりません。画家は、翌朝になって絵が動いて、笑ったり、楽しい話をしたりするわけはないだろうと主張していました。美人の幽霊の絵はいつまでも画家に微笑みかけていました。
【０１４２】
受験数学には完全にどっぷりと、はまってしまいました。池谷哲（いけやさとし）大先生。大好きです。毎日お写真を拝んでおります。先生の素晴らしい発想からは多くを学びました。「世界一わかりやすい京大の理系数学」という本を愛用しています。京都大学の数学の問題は大好きです。解けないから面白いのです。ごそごそやっていたら糸口がみつかります。発明には、小さな発見がたくさん必要です。「小さな発見や発明を少しずつ、数多く、毎日、積み重ねなさい」と神様は申しています。
【０１４３】
神様の言葉で、ケツァルコアトルを想起しました。英語で、スペイン語かもしれませんが、ケツァルコアトル（Quetzalcoatl）は、アステカ神話の農耕神です。また、風の神とも考えられています。風の神で、シルフィード (sylphide, sylpheed)を想起しました。風の精シルフの女性形です。ケツァルコアトルは、ケツアルカトル、ケツァールコアトルとも呼ばれます。マヤ文明では、ククルカンという名で崇拝されていました。何が言いたいのかというと、人間は複数の神の名前をもつということです。特別な霊的能力をもったものが最初に神の名前をとなえ、多くの人にとって、それは固定観念となって従い、壮大な公共事業を起こしました。ピラミッドや宗教施設です。古代人の遺跡をみて、鼻で笑う現代人も似たようなことをやっているのです。現代的な神話が蔓延しています。
【０１４４】
ツインタワーから出る二本の煙突の煙を見たとき、日本も他人ごとではないなと思いました。すべてをアッラーのままにという生活態度をもつ経済的にすこし豊かではないイスラム世界と、神の創造力が自らに宿ると考えて色々な物を発明する経済的にすこし豊かなキリスト教国の文明の衝突はいたるところで起こっています。世界史的に言えば、地域紛争と多極化が現代の様相です。パレスチナのガザ地区とイスラエル、イスラム教とユダヤ教の衝突。人間の心の根底にある、なにものかが憎悪を引き起こしているのです。貴方の神と私の神は、まったく違うと言い合っています。武器商人はAという国に武器を売り、Bという国にも武器を売り、両国の戦争の火種を画策します。貧困で今日も食べられない子供の空の上を、きっと、何億円もするだろう戦闘機が飛び、子供の横を、戦車が砂埃を上げて通っていきます。そして、高額なロケット弾を打ちまくっています。不合理と不条理とするならそれでもいいでしょう。人間の経済活動は価値の滅尽であると主張する学者もいます。私は、そうは考えません。
【０１４５】
私は、５７歳独身です。できれば結婚をして、子孫を残したいと考えています。目と指に障害があり、しかも糖尿病ではなかなか難しいものがあります。何度か結婚のチャンスはありましたが、うまくいきませんでした。学習塾を自営しているので、生徒さんを見るたびに、「もし自分の子供だったら」を判断基準に指導しています。怨憎会苦（おんぞうえく）愛離別苦（あいりべっく）という言葉があります。ひどい夫婦喧嘩が絶えず、憎しみ合う夫婦は互いに長生きして、あまりに愛し合う夫婦は、どちらかが先に逝くというものです。縁あって、結婚のチャンスにめぐまれても、日本人の六人に一人が不妊治療をしているのが現状です。日本人の晩婚化にともなう影響でしょうか。３６歳を過ぎると妊娠しにくくなるという教育が諸外国に比べて日本では遅れているようです。日本の明るい将来を招来するためにはやはり人口は必要限度というものがあるでしょう。人口爆発の抑制とともに、地球規模で考えなければならない時代が到来しました。
【０１４６】
老人と女性と子供と障害者。いつの時代も弱い者にしわよせがいきます。日本は老人大国になってしまいました。老人には知恵と経験があります。５７歳になって、ようやっと分かりました。天才でもない限り、若者が発明するのはなかなか難しいのです。木が倒れ、木が腐り、そこから発明のキノコがでてくるように、発明をするためには、知識の蓄積と、時間の経過と、情熱の継続が必要です。私には、左目が小眼球症で右目しか見えず、いつか目が見えなくなるのではないかという潜在的な恐怖がありました。その時の為に笛を練習しました。目が見えなくなっても音楽で食べていけるのではないかという、一種の保険の考えをしていました。耳は敏感になりました。その耳が、突発性難聴で、ステロイド剤を飲まなければならないということで糖尿病の専門医にかかり血糖値の制御がきっかけでこの発明群が生まれました。
【０１４７】
視覚障害者の辛さが身に染みて分かります。片目だけが見える幸福を感じます。片眼なので立体感というものがどういうことか子供のころから興味がありました。飛び出る恐竜の絵本は、家族全員が飛び出るのに、僕だけ飛び出ないのです。片眼では立体視は不可能と思い込んでいました。神様は不思議なことをします。高校の生物で習いました。片眼の網膜に、左右の脳から視神経が来ているのです。最近になって、不思議なことに立体視とはどういうことか実感できるようになりました。まっくろだった左目の奥に光を感じます。光を感じるとともに左奥に空間を感じます。空間というのは脳がつくりだしたものです。
【０１４８】
ラマチャンドラン博士の「脳の中の幽霊」を和書でも英文でも愛読しました。その前には、アーサーケストラー「機械の中の幽霊」を和書と英文で学生の頃から愛読していました。機械と人間の脳の交流に興味がありました。少年が自転車に乗るように、老人が杖を使うように、虫歯に金属を詰めるように、交通事故で骨にチタンのボルトを埋め込むように、人間は機械と融合すべきです。心臓が止まれば、自由に臓器を移植するべきです。自動車のエンジンを交換するように臓器は移植されるべきです。
【０１４９】
神は申します、人間は魂の存在であり、肉体舟を自由に修理するのは構わない。ただし、心臓が止まってから、脳死の場合は止めても構わないから、心臓が動いている状態で臓器の取り出しを行ってはならないと申しております。人間の個人の遺伝子を組み込んだ人間豚を育て個人専用の臓器を個人に移植します。人間の知能が進めば、人間が人間の遺伝子を操作してつくりかえることは進化のプログラムに織り込み済みです。大切なのは魂の進化と成長です。物質進化、生命進化、精神の進化、魂の進化という順番で宇宙の進化は進みます。生命倫理とは、人間がいつ宇宙全体知的生命体の存在に目覚めるかの問題です。宇宙は生命に満ちています。
【０１５０】
人間は、人間だけの孤独な存在では決してありません。物質である、石に低い意識があるように、人間である医師は高邁な意識をもたねばならない。個人の意識は宇宙意識の上にあることを知らねばなりません。個人の意識は個別の意識だと思うところから不幸が生まれるのです。心の底を読まれることがあります。ある意味、すべての心は繋がっていると考えて、行動するほうが、より倫理的に高邁な人生が送れるでしょう。人は生まれ死ぬ存在です。死に転生する存在です。一度ぐらいの生が、うまくゆかなくても、そうくよくよすることはありません。何度も何回もチャンスはあります。
【０１５１】
脳と機械のインターフェイス(Brain Machine Interface)この技術が完成すれば、脊椎損傷を電気的に修復して自分の足であるけることができます。テッシュテクノロジーで脊椎損傷を修復する技術は目の前にあります。日本の未来のためにロボット技術、ヒューマノイド開発に政府は経済支援するべきです。「自然を師とする。」まさにその通りです。その精神が重要なのです。人間は生命の原理そのものを模倣せねばなりません。生物とは、学習と増殖です。自律的思考です。人間の思考は多くのドクサにがんじがらめです。
【０１５２】
ドクサとは、ギリシャ語の（doxa）です。ドクサは、プラトンが、イデアによる知識であるエピステーメーに対し、一段下の感覚による知識（根拠のない主観的信念）をさして呼んだ語です。無責任な推量である、臆見(おっけん)と訳されるときがあります。思い込みだとか気のせいをさす言葉、「思い做(な)し」だとかと訳される場合もあります。一秒のちに人間が何を思うか、何を思いつくか、何を想起するかは、人間は、みずからの思考からは自由ではないわけです。人は思考の性癖からは自由では無いわけです。例えば、綺麗な女性をながめても、顔を見るか、胸を見るか、尻を見るか、手を見るか、足を見るか。人間は、自らの思考の癖からは自由ではないのです。不幸な人は、不幸なことばかり考え、幸せな人は、幸せなことばかり考えています。うまくいかない人は、うまくいかないことばかり考え、うまくいかないような行動をします。うまくいく人は、うまくいくことばかりを考え、うまくいくような行動をします。思考をいったん解放して自由な思考で考えてみて下さいませ。
【０１５３】
機械と人間が真の友人関係を構築するかは人間側の意識の問題にかかわっています。目の間にパソコンで使うマウスがあります。マウスを奴隷のように酷使したらマウスはすぐに壊れて誤動作をするでしょう。マウスを自分の身体の一部のようにいつくしみ愛して大事につかえば、マウスはあなたの意志をうまく代弁してくれるでしょう。キーボードしかりです。私は、現在、自動書記状態です。思うだけでかってに文章がうまれてきます。腕は机の上、手は軽くキーボードにそえているだけです。自分の意志が文章となります。機械と人間はうまく融合するべきです。
【０１５４】
かつて、特許出願が、手書きから活字へとかわる時代がありました。その移行措置として活字の様な手書き文字は出願がみとめられました。私は、活字のような文字を練習しました。練習用の○に十字の印刷物を数千個となぞりました。今は、電子出願の時代です。おかげさまでパソコンのおかげでヘレン針深度法による組織体の制御で出願することができました。
【０１５５】
ヘレン針深度法が、制御しようとする対象物はアーキテクチャーによって構築されたフレームワーク、コンピュータープログラムそのもの、血糖値、食欲、食事内容と量、運動の質と量、電子カルテ、医師の医学的判断、医療機関のお客様への対応、一般の機械、自動車、船、航空機、宇宙船、スペースコロニー、脳、人間の身体、遺伝子、政治、経済、哲学、思想、宗教、教育、人間の生活、人間の文化的活動、人類進化の方向、宇宙の進化、宇宙の創造、宇宙全体知的生命体自身。針を刺します、その針の痛みをどう感じるか。それこそがヘレン針深度法です。ヘレン針深度法自体がヘレン針深度法を制御しようとします。ヘレン針深度法は生命体のように日々変化します。向上への意志こそがヘレン針深度法の特徴なのです。
【０１５６】
あなた自身がヘレン針深度法の針を刺され、あなた自身が、変わります。ただし、それは、あなた自身の自由意思によって変化するのです。神の宣託は、従うか拒否するかの二者選択です。自由意思には、ほぼ無限の選択肢があるのです。あなたの自由意思による選択こそがあなたの運命そのものです。心の汚れを洗濯しましょう。潜在意識の汚れが洗剤の無数の泡の様に浮かび上がってきます。薄膜の干渉膜は虹色に輝きます。全ての虹の色をまぜると「太陽の白色」になるのです。白い光の輝きが太陽の無償の愛の証です。貴方の頭の中をいったん真っ白にしてリセットしましょう。
【０１５７】
新しい人間が一人生まれることは、その人間の認識する新しい宇宙が一つ生まれるようなものです。かつては、生殖は神の行為とみなされていました。いまは、その生殖も制御できる時代となりました。この進歩は止めることは不可能です。エントロピーは増大する方向に動くのです。失われた情報は二度と再現できません。そのような個所がこの明細書には幾つかあります。事故で消失した情報を修復するようなものです。焼失した自己のマイホームを炭がついた柱は隅につかって、真ん中の柱は新建材をつかうようなものです。火事で焼けた新築のマイホームを頭に描いて、泣きながら焼けたマイホームの建材を再生利用する新婚前の施主のようなものです。たぶん、この明細書は美しくは書かれていないでしょう。つぎはきにつぎはぎを重ね。絞りつくした練り歯磨きのチューブを切り開いて指で内容物を利用する思いで知恵を絞りだし嘗め尽くしました。考えることの大切さ、新しいものを生み出そうとする情熱がいたるところにほとばしっています。
【０１５８】
鋼製構造型枠の出願では宇宙空間で、「地球の女神」との遭遇が書かれています。女神は「わたしの頭の上に爆弾を落とさないで、わたしのお腹のなかに地雷を埋めないで」と怒っていました。そのときの権幕に「なんとかします」とつい言ってしまったのです。その約束は果たさねばなりません。誰かがやらねばなりません。書き味の良いボールペンを誰かがつくってくれるだろうと思わないことです。無い物は自分でつくるしかありません。
【０１５９】
今、ボールペンの使用済みインクの管の中に、新しく開発したボールペンインク注入の為のインジェクターが宅配便で届きました。試行錯誤。思考錯誤。試行錯語。思考錯語。「ヘレン針深度法」という言葉とこの明細書の内容との関係は、「しこう」という言葉と「以下の文章」の内容との関係と、同一構造の同相展開の関係にあります。以下の文章とは、花札の四光を浴びながら私行で私航する伺候の料理人の施行者が歯腔内で指甲を使って歯垢をとる様に油膏の嗜好に従って料理を志向するのとは、まったく逆に、糸毫の分子と雖も詩稿を推敲試行する様に視紅を変化させて私交・私考・恣行とならないように四劫に従って四更を避け人類への至孝の為に至高の思考を指向して至幸です。以下の文章の中にある、文字の読みや字面に騙されてはいけません。文字の持つ深い意味を考えてみて下さいませ。さて、クイズです。以下の文章とはこの文章の上にあるでしょうか、下にあるでしょうか。考えてみて下さい。この明細書を読むことは、あなた自身が、あなた自身の頭で、本気になって心の底から考え抜くことが要求されているのです。
【０１６０】
糖尿病は深い意味で口の病気です。口から入る病気です。いまのところ治す方法は、生活習慣を変える。運動をする。食事を改善する。薬剤療法しか方法がありません。根治療法は、今は、残念ながらありません。進行を抑制する。血管と神経に糖がくっつくことで、ボロボロになるのを防ぐぐらいしか手がありません。
【０１６１】
糖尿病は、食欲との闘いです。闘いというよりも、食欲とうまく仲良く付き合うことが大切です。食欲をコントロールするというのはなかなか難しいことです。お腹がすくとミックスナッツをつまんでいたのですが、気が付くと、ひとつ１０５円程度の値段の袋を、３袋ぐらい食べていることがあります。アルコールがはいるとミックスナッツの大きな缶、一缶７００円程度の半分もたべてしまっていることがありました。
【０１６２】
イリコ、鰹節、昆布、すりごま、「クロムラクトフェリン食べるだしの素」を混ぜたものだとそんなにたくさん食べることはできず、炭水化物もほとんどはいっておらず、食欲の気がまぎれます。煮魚のイメージがあらわれてからは、鮭のアラ（カマや骨やひれなど）をスーパーで買ってきて、圧力釜で塩味の水煮にして何日間も食べ続けます。サーモンのあらのコショウと塩の水煮は不飽和脂肪酸でいいですね。シメジやマイタケでベーターグルカンもいれています。高野豆腐を小さく切って入れてもおいしくながく食べられ続けます。
【０１６３】
野菜とタンパク質のバランスをとった食事が糖尿病の改善によいとおもいます。夢で浮かんだ言葉「ソレドレワルイノドラナイト」を唱えていると突然にかすかな声が聞こえてきます。これは、たんなる思いつきやアイデアや閃きをかすかな声といっているだけかもしれません。今の医学や脳科学では個人が脳内で何を考えているかまではわかりません。私は、心理学や読心術を勉強しました。同じ文章を７回以上読むと、書かれていないことまで分かるようになります。どうしてそんなことが起こるのでしょうか。理由は、簡単です。脳が繰り返される情報をもとにして、新たな意味や概念を「新構築」するからです。普通の状態では、筆者と読者の概念の「再構築」ですが、集中的に考えると、新たな意味や概念を新構築するようになります。
【０１６４】
発明には、それとその発明の内容が理解できるためには時間の醸成がかならず必要です。初読だと「ありえへん」「なんのこっちゃわからん」でしょう。時間がたてば、「うん、今の時代には絶対に必要な技術だ」となります。肝心要（かんじんかなめ）なことは、現在ある技術をうまく組み合わせて、実現可能かどうかという判断です。これは、高度な判断です。これは、すべて専門家におまかせいたします。
【０１６５】
特許を審査される方や、特許文章を読まれる方は、文章主義に生きています。書かれたことと、事実が、一対一に対応するという思想です。文章を読んで、分からないことがあると、「それは明確に書かれていない。」「書き方が悪い」と発言します。これが常套手段です。御丁寧にも「法律にもとづいて」という言葉を添えるときもあります。この明細書については、読んだ方の「吸収情報量」と「理解の醸成」が少ない為に理解に至らない場合がかなりあるとおもいます。受験勉強の様に、理解するためには繰り返しが必要なのです。ヘレン針深度的表現をすれば、ヘレン針深度法が理解できない場合は、「宇宙全体知的生命体とは、繋がっていない脳だな」となります。
【０１６６】
まったく、新しい概念を、既知の概念で説明しようとすると、多くの場合には、この様になります。これを表現するのに「ヘレン針深度法」という言葉を造語せねばなりませんでした。造語というより、夢の中で言葉の音が浮かびました。次に、イメージのグラフ  図１  が見えてきたのです。私に責任はありません。聞こえてきて、見えたものは仕方かありません。女神サラスヴァティがシタールを床にゆっくりと置いて、ベールを広げたようなものです。「見せられて」から「見たわね」と女神から怒られる様なものです。いまとなっては、女神サラスヴァティは、シタールを笑いながら楽しく愉快に弾き続けて絶対に離そうとしません。すべては「へれんしんど」から始まりました。
【０１６７】
思考にも思考の個人的な癖があります。どんな癖かと言うと、思考にも個人的な考え方の癖や習慣があるようです。文章を読むのも惚れて読むのと、嫌って読むのとではまったく理解の深さが異なります。私は、二十二歳の時、着想して、五十七歳まで考えつづけました。今が書くときであると判断しました。二十二歳の時は、まだ時代が追い付いていませんでした。いま時代の必要性が自分を追い越そうとしています。「今こそが、大切な時なのです」
【０１６８】
個人的な思考の枠から超越するのは、なみたいていの努力ではなかなか難しいものがあります。違う思考習慣に出会うと、嫌悪感、違和感を、感じることがあります。医学や技術畑に生きている人間は「霊」という言葉を聞くだけで、露骨に「拒否感」をあらわします。私に個人指導で中国語を教えてくれたT老師は、霊と聞くだけで怖がってしまって会話の授業には、なりませんでした。霊という記号に反応して思考停止するのでしょう。「これは、科学的でないので排除しよう」と勝手に脳が反応するばあいがあります。言語は経験の記憶を代表するものです。私の場合は、霊のことが本当に分かるのに５７年間を要しました。
【０１６９】
中国人は、日本人よりも「霊」という漢字のイメージに対して敏感なのかも知れません。霊の漢字の解字（漢字の成り立ち）を調べてみてくださいませ。巫女の脳に雨粒のように天からのイメージが湧くというふうに考えると簡単に理解できます。「霊も思考であり記憶」なのです。肉体の中に霊があり、霊の中に魂があると考えている人がいますが、了見が狭いですね。「霊とは宇宙空間の記憶場である」と考えると多くのことが説明可能になります。霊空間の宇宙的広がりの中に我々の肉体が存在するのです。魂とは個人を特定するための霊的な記憶のことです。広い霊の中に狭い魂が存在します。魂は霊の部分集合です。
【０１７０】
物理的な相互作用が確認できない時点では思考の産物でしかありません。霊とは思考であるというのがわかりやすいでしょう。「遍照発揮（へんじょうはっき）」するものです。宇宙的な因果応報の作用反作用の倫理的力学を考えると面白いでしょう。葬儀屋の人と葬儀の見積もりの話の中で出てくるのは、霊の話ではなくて、例の話です。費用と過去の事例や習慣の話です。この宗派では通常ではこういうことをする。世間の常識ではこうです。通例は、習慣は、普通は、通常は、常識では、という言葉が並びます。葬儀ビジネスは習慣の上に成立するビジネスですね。とても忙しい（busy）ビジイネス（business）の「美辞根栖」です。
【０１７１】
私が、遺体の焼き場までの送迎と棺桶と骨壺だけあればいいというと、「それは無理です。火葬場の予約さえ葬儀屋を通じて行って下さいと通常は、言われます。」ということでした。葬儀屋は人助けであると同時に純粋なビジネスだなと痛感しました。人は自らの思考習慣から抜け出すことは魚が水の中にいて、水の中から飛び出すようなことだなと思いました。深い瞑想体験のないひとに実相世界の実態を説明するのは群盲人像をなでる状態でしょう。しかし、私は言葉の力を信じます。できるだけよく分かるように説明いたします。真如とか如来の意味を復習してみてくださいませ。人は如来と思った瞬間に如来になるのです。
【０１７２】
ヘレン深度法（狭い意味では知性を有するプログラムによる制御）にとって、行間の意味はとても重要です。このことについて、日蓮大聖人は文底秘沈（もんていひちん）という言葉を用いています。この問題は、かなり難しい内容です。マクドナルドハンバーガーチェーン店にいって、ビッグマックが本当に心（口）から手が出るくらいに食べたいのに対して、「ポテトM下さい」と実際に言葉に出して言えば、目の間にでるのは、心から本当に食べたいビッグマックではなくて、言葉を発して注文した、「ポテトM」です。言葉は思考よりも社会的な事実です。これは声の言葉だけでなく、文字で書かれた文章でも同様です。
【０１７３】
本当は、これが書きたいのだけれど、ずばり書くと神様からお叱りを受けるので、オブラートに包んで書かねばならないことも多くあります。霊界の秘儀は漏らしてはならないことになっています。文章を読解するひとは、文字を記号論理学の様に受け取ります。赤と書けば赤い色をイメージして、青や黄色をイメージするわけではありません。カメと書けば、普通は、亀を想像するでしょう。「黄緑色のカメってなんだ」と問えば、亀の範疇で思考が動きます。「ハエを長い舌でキャッチする」というヒントを出せば、それは「カメ」レオンと分かります。なんでもとるカメってなんだ、と問うて、何でも撮るからカメラと答えるひとは、なぞなぞの経験の多いひとでしょう。それと全く同じです。経験があって理解できる場合が多いのです。経験の無い物はなかなか得心できません。
【０１７４】
文章主義の世界に生きている人間は、想像力が枯渇した砂漠に生きているようなものです。文字は記号であり記号の意味する範疇以外は思考してはならないという「特別な拷問の様な訓練」を受けているのです。知っているのか、知らないのか、無意識的かつ自動的にそのルールにのっとった思考をさせられる性癖のような習慣が形成されているのです。これは「受動的読書」です。これを超越するためには七回の繰り返しと、特別な時間経過による記憶の自己発展的醸成が完全に必要です。「自分の頭を使って、深く考え抜く」というのは集中力と忍耐と努力が必要な積極的行為です。「能動的読書」です。毎日の不断の努力を必要とする行為です。観は脳でイメージをみることです。脳内ではっきりとイメージをみた人だけが、はっきりと確信できるのです。読解についての神様からのメッセージです。
【０１７５】
文字を解読するということ。書かれていることだけでは無いのです。文字ズラではないということ。表そうとする内容そのもの。書かれていることが意味する「内容自体」が重要なのです。文字は不完全です。無限に近い事象を有限の言語で表象しようとします。文字を読む人間が脳内で、完全に理解するためには、自分の努力で、「発明された新しい概念」を「新しく作り出さねばならない概念」があります。文章を読むという行為は、アクティブな行為です。創造的な行為です。鼻腔に残る微かな残り香をもとにして、時系列と空間構成を再構成する世界です。匂いは発明にとって根源的な刺激です。エピソード記憶と同様に環境記憶が古い記憶を呼び起こすのです。記憶が堆積して、堆積したなかから発明のキノコが顔をだすのです。キノコはもとの母材ではありません。母材とキノコは別物だからです。
【０１７６】
「木を見てキノコを見ず」になってはなりません。文章を理解するには、「文章の気」を見なければなりません。孫子に勢いという言葉があります。気勢の在るところに規制があるのです。特許審査官は規制の独鈷（とっこ）をもって、自らの心を戒めなければなりません。気を文藻の文章の内に込めねばなりません。真如なのです。独鈷とは刃が内向きに向いた武具で自らの心を自戒するものです。独鈷という特殊な金属体が自らの心を磁界の磁束の中に電界と協力して封じこめて、物と物とを融合して「何か出んかい」と絞り出すようなものです。自らの思考を発明された物と融合せねばなりません。格物致知（かくぶつちち）して物と心を格融合させなければなりません。
【０１７７】
私も法華経を読み下し文で愛読しました。日蓮大聖人は、法華経を虚空蔵菩薩に祈願がして、きっと死ぬぐらいに法華経を繰り返して読んだのでしょう。日蓮大聖人は法華経が最高の教えであるというイメージをハッキリと観（み）てしまったのでしょう。自らの教えを最高のものと主張して、最後には、日蓮大聖人は、そのイメージそのものになってしまいました。そのイメージは、石を投げられ、杖で叩かれても、あらゆる障害にも負けず生涯イメージを保持し続けたのでしょう。極寒の佐渡流罪を、行く時よりも、元気で帰ってきたのは、開目抄を完成させたからでしょう。御書という壮大な独白を残しました。
【０１７８】
私も日蓮大聖人の真似をして、法華経の宇宙的世界観に目覚めました。この明細書で述べる「宇宙全体知的生命体」を発想しました。狭い意味では、遺伝子をもつものが生命です。広い意味では、学習と増殖という生命システム、生命的原理を有するものです。生命システムとは、生命的構造を有して、学習、記憶、自己発展、成長、進化、繁栄するものです。宇宙も誕生・成長・生生流転・進歩・創造するのです。いつも他人を気にする教育が親に責任があるように、親が子供のお手本となれるかどうかが重要です。天之御親（あめのみおや）は、宇宙の命の根源です。名前はどうでもいいのです。宇宙の意志の塊の様なものです。宇宙の命の塊のようなものです。宇宙の根源は貴い志なのです。この宇宙をあらしめるものです。
【０１７９】
ヘレン深度法について集中の三日間。後は、三日に１日ぐらいは脳を開放して休ませる。こういうことを連続して続けていると、情報量がある限界を超えたときにだけ、新しい今までとは違う、「別次元の理解の世界」が開けて来ます。「明確なイメージ」をもって理解するためには、かなり時間がかかります。「時間をおいて読み直す」という個人の脳内の情報の醸成が重要です。何度も読み返す行為は脳の畑を耕すようなものです。この明細書をよまれる特許審査官殿も、何度もこの明細書を読んでいると、素晴らしい発明が出来るようになるでしょう。特許審査官殿は、特許を出願できるのでしょうか。かなり知りたいところです。単語一つで特許となるかならないかの世界でしょう。
【０１８０】
脳の概念の畑に何回も種が蒔かれ、時間と共に概念自身が新しく脳の神経細胞の間で植物の様に成長する時間がかならず必要です。きっと、一回ぐらい読まれだけでは、「ヘレン針深度法」とか「宇宙全体知的生命体」はなんのことだかさっぱり分からないでしょう。第一の質問は、開口一番、「宇宙全体知的生命体とは何か」でしょう。禅の世界では、「質問そのものが解答である」のです。問うこと自体が答えになっているのです。私は、様々な手段を使って説明しています。深く理解し、心の底から分かるのは、この文章を読んでいただける方の「努力のたまもの」でしかないのです。この文章、ヘレン針深度法の針が刺激を与えているのは、貴方自身の大脳中枢神経です。大学紛争花々史記おり、京都大学を受験したとき、立て看板がありました。「受験生諸君、前葉頭を使いたまえ」（全共闘の先輩より）とありました。前葉頭、全共闘、とは、うまく洒落たものです。流石、京都大学ですね。全共闘は投石かも知れませんが。
【０１８１】
ナイル川が氾濫するように思考が自由に氾濫するとき、肥沃な大地の情報醸成のゆりかごとなります。まるで、日記の様に、この明細書に「ヘレン針深度法」について精力的に書き続けました。その間、糖尿病について、食べ方や運動方法やインスリンの打ち方を実際に何回も何回も試行錯誤しました。その間に、ヘレン深度法について様々な発明の着想を得ました。同じ概念の同一構造、同相展開なのです。天界からは神様が眺めていると想像します。まさに、実践しながら書いていって、技術として完成させていくという、泥縄式思考方法と実践方法の毎日だったのです。生活習慣の改善こそが糖尿病の予防であり、進行の抑止です。なかなか血糖値は下がりませんでした。急激に血糖値を下げると、視力が低下したり、臓器が損傷したりします。まさにヘレン深度法による組織体の制御の問題なのです。
【０１８２】
ときおり聞こえてくる「かすかな声」を記録し続けました。このことは、「鋼製構造型枠」の出願でも書きました、この明細書は発明や発想の手引書となるように「発明の生まれるところ」をできるだけ素直に書いています。心の中で起こることを正確に正直に書くことは勇気のいることです。発明には、夢をみるような無邪気で幼稚な発想が必要だからです。大人の固定観念からは新しい着想はうまれません。大人の思考はむしろ発明を殺すようなものです。
【０１８３】
日本が世界に向かって根本的に新規で進歩性のある有益で価値がある完成された革新的技術の発明を生み出すためには、今後、日本には、暗記教育ばかりではなく、創造性を育む、早期教育ともに、幼少期からの知育教育、「発想を重視する発明（しらべる・おもいつく）教育」が絶対に必要です。そのためには発明を生むための方法的枠組みのようなものが必要です。私と同じことをすれば、同じことが脳内で現象として起こるでしょう。一度誰かが通り、道標（みちしるべ）を残せば、後は、誰でもが簡単に到達できるのです。イエスキリストが私は天国への橋であると主張するようなものです。
【０１８４】
私が感じるところによるとイエスキリストは二つのことしか主張していません。「自分の心に素直になりなりなさい」「自分のして欲しいことをしてあげなさい」この悟りに到達できたかどうかの目安は、頭の中が真っ白い光で包まれることです。色を感じているレベルは途中です。お酒を飲んだりあまり性的なことに耽溺したりすると光は弱まります。欲を捨て、心を純粋にすることでしょうか。欲の塊であるうちは、発明はできないようです。利害が絡むと思考が停止するかです。「親切と奉仕」（世の為、人の為）の精神があると発明はうまくいくでしょう。
【０１８５】
日本国民の一人一人が、元気で意欲をもち、発想豊かなアイデアマンになったら日本は、世界の中で、「ユダヤ人、華僑の人、印度人」に伍して悠久にわたって繁栄できるでしょう。日本の様な資源を持たない島国が世界をリードして五大陸を指導して生きていくためには、過去も現在も未来も発明で「根本的に新しい価値を生み出す」。革新的な付加価値を高める、知財で生きていくしか日本の本当の活路はありません。自動車のバッテリーの大きさで電気を長時間に渡って生み続ける、完全に安全な常温核融合による密閉型小型原子炉の開発の様な、画期的で、革新的技術の発明です。そのイメージを見続けることです。ガリレオガリレイがヘリコプターの絵を描いたように、いつか思考は実現します。
【０１８６】
福島の原子力発電所の不幸はフェイルセーフの考えが生かされなかったということです。電力の喪失が想定されていなかったこと。ディーゼル発電が防水してなかったこと。地震が起こった早い時点で急速冷却されていたらあの不幸はありませんでした。書きなさいという声がします。本当かウソかはわかりません。チタン・バナジウム・マグネシュウムの合金を作りなさいと命じられています。いわゆる水素吸蔵合金（すいそきゅうぞうごうきん）つまり水素貯蔵合金のことです。
【０１８７】
常温核融合は金属の格子である鋼製構造型枠のなかに充填物である重水素を電気的に誘導して磁気で拘束バンドルをかけます。重水素が常温で核融合することでヘリウムを生成します。エネルギーは、熱ではなく電気として取り出したいと考えます。乾電池を発明したのが日本人の時計屋さんだったように。電気時計を発明するまえに乾電池を発明する必要があったのです。鋼製構造型枠の出願ではハニカム構造にハニカム構造を埋め込むためのガスを圧縮封入したビーズ様の金型から考えました。
【０１８８】
磁束で拘束のバンドルをかけるのは植物の生命原理による鋼製構造型枠の考え方そのものです。それにヘリウムは世界的に不足しています。ヘリウムがヘリオス、つまり太陽が語源とは、なんと奇遇でしょうか。ヘレン深度法がヘリオス、つまり「太陽の深い愛」を意味する様なものです。深い愛とは「霊界の太陽」の深い愛です。霊界の太陽とは実相世界の太陽です。現実の太陽と思考上の太陽の愛の融合です。これは思考の試行です。
【０１８９】
核融合の言葉のイメージから不妊治療法を発想しました。女性は３６歳を超えると出産率が低下します。日本人の晩婚化にともない、日本人の６人に一人が不妊治療を受けているのが現状です。いくら顕微授精しても生殖細胞に異常がある場合は、何回も妊娠途上で流産してしまい、生まれるという期待の高まりと、流産という絶望の結果の繰り返しは、あまりにも、つらいものがあります。経済的にも精神的にも、かなりの痛手をこうむります。分裂中の正常な体細胞の核を利用する方法を着想しました。男女の正常な体細胞の細胞核を細胞融合させて、遺伝子の量を調整した融合核を、核を抜き取った受精卵の組織体内に移植するという方法です。
【０１９０】
２０１２年12月７日の午前４時から６時にかけて特許請求項の６と７と８を発想して書きました。ソーダー水の泡のごとくイメージがわいてきました。頭の中から泡が溢れそうになりました。「ソレドレワルイノドラナイト」を１１回唱えてから眠りにつきました。「原子核融合」、「細胞核融合」言葉の音のイメージが着想を融合しました。例えば、天之御中主命（あめのみなかぬしのみこと）様、四国銀行、渭北支店、店番号３１０、口座番号１０４９５６の「スチ  コウイチ」を何卒お助け下さい。お手数をお掛け致しますが、何卒宜しくお願い申し上げます。神様にお願いをするときは、自己を明確に示す必要があります。例えの様に、特に数字で明確に具体的に特定するのが良いようです。
【０１９１】
盲人の歩行アシストのヘルメットとリュックサックを着想したきっかけは、ある女の子の泣き声です。しゃくりあげる声の音が、光となってイメージがみえてきました。フルフェイスのヘルメットみたいに深くかぶる帽子の様なものです。その帽子のつばのひろがった左右の端にデジタルカメラがあります。デジタルカメラの立体映像情報は、盲人の背中のリュックサックに送られます。リュックサックの中のコンピューターでデジタル映像は音に変換されます。盲人のかぶる帽子の内側の半球の内部には耳の部分にはヘッドホンが、頭部全体には、多数の骨伝導の極をもった音響装置になっています。ヘッドホンと、この骨伝導の極群は、脳内で立体音響を生み出します。「脳内では、音が光にかわります。」「まるで潜水艦のソナーのような映像が脳内で立体視としてみえます」
【０１９２】
段差や、往来を通行する車の映像が移動する光にかわってみえます。この現象に気づいたきっかけは、「幻肢痛」です。なくなった腕の脳内の神経領域を他の神経が浸食していくと、切断して今はもうない腕がかゆかったり、痛かったりするのです。頬（ほほ）を掻くと痒みがやわらいだりします。頬の皮膚の神経が腕の神経野を浸潤したためです。普段は使用しない視覚神経野を聴覚神経が浸潤または連絡をとって音の刺激が、光の刺激に変わるのです。私の経験から述べると、深い瞑想中は、音が青や白い光の流れ星になって見えます。
【０１９３】
次の、着想のきっかけはエコロケーションです。アメリカの全盲の子供が舌打ちをします。その音が反響するのを聞いて、物体の位置がわかるというのです。テーブルの上に置いた１０本ぐらいのビール瓶の位置が舌打ちの反響音で特定できるというものです。子供の証言によるとビール瓶が白い光になって見えるそうです。少年は、エコロケーションを使って、狭い障害物のある路地を信じられない速さではしっていました。あるいみ脳は練習によって神経構築の可塑性があるのかも知れません。大切な言葉は学習によって脳神経の配線が変わることです。何回も練習しているとだんだんとイメージが見えるようになるのです。幼児が視覚神経を育てるように脳も成長するのです。用事があるかどうか、必要性があるかどうかです。必要は神経が絡む母なのです。
【０１９４】
次の着想のきっかけとなったのは、立体音響です。DELLのパソコンを買った時に、立体音響を出せるスピーカーも一緒に購入しました。立体音響では、目を閉じても開けていても、音だけ聞いていて、蜂の音だけで、蜂の飛ぶ位置が特定できるのです。まるで皮膚感覚が立体にひろがったような気がします。さまざまな音のサンプルがついていて、ヘリコプターの音もありました。３D、つまり三次元でヘリコプターが飛ぶのが分かるのです。
【０１９５】
次の着想のきっかけは、ヘミシンクでした。ヘミシンクというは、米国の、モンロー研究所によって特許が取得されている、オーディオ・ガイダンス技術です。医療機関や大学との共同研究によって、科学的にも、臨床的にも証明されています。５０年以上にわたる実証的な教育・研究活動を通して洗練されています。私は、ヘミシンクのCDを聞きながら、眠る癖がありました。ヘミシンクの音を聞いていると、森やジャングルや海岸の波やカモメの映像までがリアルに見えました。脳内の視覚神経がヘミシンクの脳が共鳴する刺激で誘発されたのでしょう。ヘミシンクは脳神経が混乱するという説もあります。だだ、ヘミシンクを聞いたときの体中が振動するような幽体離脱して他の世界を観る感覚は、音が脳内のさまざまな神経を刺激して色々な記憶が誘発されるのでしょう。「音が光に変わる」というのを容易に理解できました。
【０１９６】
江戸時代に上方と江戸を一時半（いっときはん）で移動すると言えば、江戸時代の人間は、そんなの不可能だと大笑いをするでしょう。大切なことは「人類が未来のイメージを持ち続けること」です。愚公山を移す如くに何代もかけて実現されます。最初に、新規性があり進歩的で完成された技術のイメージを明確に多くの人に対して示すことです。調べたり、思いついたりすることは、発明自体や発想方法は真似るべき、形のある訓練可能な、新しい教育課題です。言葉とイメージ、発想力を鍛えなければ日本の明るい未来はありません。「一人でも多くの方が発明に興味を示されること」を希望いたします。情報を収集し、新しい組み合わせを考え続け、脳を開放していったん忘れる。ある日突然に回答を得る。それが発明です。
【０１９７】
巷（ちまた）では、安易に経済政策で景気が回復するようなことを政治家が言っていますが。これは、大きな根本的な間違いです。経済は小手先で操作可能なものではありません。根本的に日本が経済的に繁栄するためには、新しい価値を生み出していかねばなりません。発明、つまり、新しい発想で、「新たなる価値を創造」せねばなりません。資源やエネルギーの少ない日本が世界で生き残り、さらに発展していくためには、世界中の人々から尊敬を受けるような根本的な革新的技術で、環境問題、食料問題、エネルギー問題、人口問題を解決していかなければなりません。
【０１９８】
そのためには発明教育が早期教育として必要です。既成概念をもたない幼児のほうが、発想が、豊かであるからです。才能のある幼児をあつめて特別な教育を行う必要があります。アルバイトをして学ばない大学生、これが今の日本の現状です。確か京都大学の学長が「大学はレジャーランドではありません」と入学式で訓示を垂れていました。
【０１９９】
ヘレン深度、あるいは、ヘレン針度とは、私の夢に現れた「言葉」と「イメージ」です。「ヘレン」は「宇宙」や「太陽」を表す言葉であると定義します。「深度」または「針度」とは、生体や組織を統御、管理運営するための「政治経済を含むマネージメントシステム」です。言い換えると「心理的な体調や食欲を数値化した数値制御方法」と定義します。ヘレン深度法は、生命原理を基にしています。ヘレン深度法自身が生命をもって、私に語りかけていただいております。ときおり、こう書きなさいと具体的な指示を受けるときもあります。
【０２００】
ヘレン針深度法とは、自らの必要に応じて、自分自身のプログラムを自分で書き換える、知性を有する、進化型、成長型のダイナミックプログラムシステムであると定義します。投薬方法から人類の政治経済の統治機構の改変まで幅をもった具体的に完成された技術です。「深度」あるいは「針度」は生体制御のための「方針」であり、人類を導くための「道標（みちしるべ）」であると定義します。ヘレン深度の最初の意味は、針を刺す、その針の深さによる痛みの違いです。ヘレン深度法はヘレン深度を用いた組織体の制御の方法です。ノバートウイナーの考えた「サイバネティクス」を発展させた考えと方法です。
【０２０１】
針を刺します。針の深さ、つまり針の深度によって、痛みは違います。針の刺し方によってその痛みの痛さは異なります。体調や食べる内容や生活態度によって、あるいは患者さんの心理状態によって、同じ量のインスリンを打っても、効く場合と効かない場合が確実にあります。生体の反応や応答に波があるように。政治や経済で人の集団においても応答は異なります。たとえば、社会的な衝撃として、地震が起こったとしても、国が違えば、あるいは社会体制が違えば、暴動を起こしてスーパーマーケットを襲撃する被災者たちの場合や、コンビニエンスストアーで列をつくって静かに待つ被災者たちの場合など、その社会の反応や応答には違いがあります。「細胞群」と「人間群」の反応や応答の比較が、常に私の頭の中にあります。
【０２０２】
言葉やイメージによる、暗示効果は、組織体の制御にはとても重要です。なぜならば、人間は単純な精密機械ではないからです。人間には感情というものがあります。人間は心理的な、精神と肉体と霊体をもつ生き物だからです。私は、自律訓練法（じりつくんれんほう）、英語ではautogenic trainingといいますが、自律訓練法を長年研究してきました。徳島大学の保健体育のK先生から自律訓練法をならってから、スポーツ医学やスポーツ心理学にとても興味を持ちました。わが身とわが心を用いて、自律訓練法について、長年にわたって自己の人体で生体実験しながら研究してまいりました。
【０２０３】
自律訓練法は、1932年に、ドイツの精神科医シュルツ（Schultz,J.H.）によって創始されました。自己暗示をもちいる自己催眠の方法です。この方法は、安全で費用もほとんどかからず、有益な広く一般に認められた方法です。「糖尿病のコントロール」に「自律訓練法」を用いるというアイデアは新規性があり進歩性のなる有益な方法です。私は小周転（しょうしゅうてん）大周転（だいしゅうてん）を発明して、発明というよりも神仙学を発展させました。毎日いたるところで行っています。小周転（しょうしゅうてん）大周転（だいしゅうてん）については後述いたします。正しくは、小周天・大周天と書きますが、天より転の方が、意味が分かりやすいのでそうしました。
【０２０４】
歩くなどして適度な運動をすること。自転車屋さんで古いゴムチューブをもらってきてストレッチで筋肉量を増やすこと。食欲を抑えない限り糖尿病は改善しないし、食生活において、我慢に辛抱の毎日では生活の質を高めることはできません。私の主張する自律訓練法は、誰でもがいつでもどこでも出来て費用がかからない「自分の身体に語りかける方法」です。第一の方法は、右手先端、右足先端、左足先端、左手先端、頭頂部へと人体の外周に沿いながら自分の意識をまわしていきます。息をゆっくりと吐きながら、意識を右手先端にもっていきます。
【０２０５】
先端で息を少し止めて、息をゆっくりと吸い込みながら意識を右手先端から胸に向かって引き戻します。この間、「気持ちが良い」「気持ちが良い」と実際に言葉に出して言います。最初は言葉に出します。だんだん心の中で思うだけにします。「体が重たい」「体が温かい」「体が広がる」「額が涼しい」がシュルツによる方法です。これを組み合わせても効果が高いと思います。大切なことは自分にあった言葉を実際に口からだしながら、だんだん意識に移行させることでしょう。時々、口笛を吹くように唇を丸くして「スー」と高い音を出すといいでしょう。
【０２０６】
このやり方を、右手、右足、左足、左手、頭頂、右手というふうに、体の外周に沿って意識を回していきます。第二の方法は、下唇、顎先、喉仏、胸骨、鳩尾、臍、性器、会陰、肛門、尾てい骨先端、仙骨後方、腰椎後方、脊椎後方、頚椎後方、後頭部、頭頂部、額中心、眉毛の間、鼻先端、人中（じんちゅう、鼻の下の溝）、上唇と意識を下におろし、尾てい骨先端から頭頂部にむかってひきあげます。超現実的仮想思考法を用います。
【０２０７】
想像してみて下さい。尾てい骨の大地の中にクンダリーニという蛇が住んでおり、それを何度も引き上げるという超現実的仮想思考法を行います。息をゆっくり吐きながら意識をお腹の方におろしていきます。意識を少し尾てい骨下端で意識を止めて、呼吸を吸いながら、意識をゆっくりと尾てい骨下端から背骨を通って頭頂部へ引き上げて、いったん意識を少し止めます。また吐きながら口に意識を止めます。ここで一回ゆっくりと息を吸います。あとはこれを好きなだけ繰り返します。ヘレン深度法は語ります。体中に意識を回す。体に対して感謝の言葉を述べるのは糖尿病の改善に有効な方法です。
【０２０８】
呼吸と意識を連動させ、ときおり停止する（クンバッカといいます）練習をします。これは、ベッドの上でも、椅子の上でも、立ってでも、いつでもどこでもできます。気をゆっくりとすること。宇宙の生命エネルギーを体中に貯めると考えるとなおよいです。なれてきたら頭頂部と地球の中心と意識をやり取りさせます。素粒子どうしがお互いに光をやりとりして結合力が生まれるようなものだと想像します。頭頂部には、「千枚の花弁を持つ蓮の花」を、その百会（びゃくえ）にある蓮の花からは上部に叡智の光が宇宙に向かって放射していて、その光を受ける虚空が放射状に上に向かって宇宙全体に広がっているとイメージしましょう。
【０２０９】
額の中央には、色が変化する目、つまり、過去を見る青色の目、現在を見る緑色の目、未来を見通すピンク色の目である、「第三の目」をイメージしましょう。喉仏には「幸せを呼ぶ風を吹き出す鞴（ふいご）」を、イメージしましょう。言葉によって、自分と他人を幸せにするのです。心臓には、「あらゆる怒りと苦痛と嫌なことを焼き尽す火の神アグニの炎」を、イメージしましょう。
【０２１０】
鳩尾(みぞおち)にはあらゆる愛の塊である「霊界の太陽であるエホバの太陽」をイメージしましょう。臍（へそ）と尾てい骨下端の中心には霊界の太陽であるエホバの太陽の愛の光が降り注ぐ「愛の海」を、イメージしましょう。尾てい骨下端の大地の奥深くには、ケリュケイオンあるいはカドゥケウスの図に描かれている「生命と叡智の蛇クンダリーニ」が眠っていると想像します。蛇が脊椎を這い上がり、脳神経である想像の飛翔である羽根に辿り着くイメージを想像しましょう。
【０２１１】
慣れてくると、額の第三の目から頭頂の千弁蓮華の間で意識を回します。慣れてくると、喉の幸せを吹く鞴（ふいご）から心臓の炎に意識の風を送ります。慣れてくると、胃の部分にある太陽から、丹田の海に熱を送ります。慣れてくると、水が蒸発して腹の中を駆け巡ることを想像します。慣れてくると、尾てい骨の下端の大地の中に眠る蛇を脊髄の中を通って上下させるイメージをします。慣れてくると、足が大地で、右腰、右足先端、左足先端、左腰、右腰へと長方形を意識でかいて回します。慣れてくると、お腹が、水で、右腹、下腹、左腹、上腹と円を描いて、ぐるぐると回します。慣れてくると、胸に火を想像します。右肋骨の下、左肋骨の下、喉と三角形を想像して、意識を三角形に沿って、ぐるぐると回します。慣れてくると、喉には風を想像します。上が水平になった半円を喉の位置に想像します。喉の意識を上向き半円にそって回します。
【０２１２】
慣れてくると、頭の上部に大きな穴があいて、脳みそが宇宙全体に広がった様子を想像して、意識を、口、右目、宇宙全体、左目、口と、大きな、熱気球の様な形を想像して、意識を回します。体の感覚が無感覚になって、頭の中が真っ白い光に包まれて、宇宙と一体になった感覚が得られれば完成です。超越体験。神秘体験を経験すると、映像が見えたり、声が聞こえたりしますが、多くは、脳の勝手な活動である場合が多いので、あまりとらわれないようにします。禅天魔という言葉は、深い瞑想中に思考が勝手に暴走する様をよく表しています。いわゆる幻視です。食事を植物だけにして量を減らしていくと脳は幻視や幻聴を生み出します。要注意です。
【０２１３】
印度ベーダンタ哲学ではクンダリーニはクンダリニー・シャクティといいます。シャクティは女性の生命エネルギー原理をさします。美人が微笑んで、男性を魅惑したとき女性は性エネルギーのシャクティをつかったというようなことを言います。クンダリーニは、英語でKundaliniと書きます。人体内の尾てい骨下端に存在する宇宙の根源的生命エネルギーをさす言葉です。宇宙に遍満する根源的生命エネルギーであるプラーナは英語では、pranaと書きますが、本来は、サンスクリットで呼吸、息吹などをさす言葉です。日本では、気息と訳されることが多いです。
【０２１４】
クンダリーニは、この宇宙の生命エネルギーであるプラーナが、人体内にあるときの生命エネルギーの名称です。創造をあらわす女性のエネルギー原理であるシャクティとも呼ばれます。悪魔でも、もとい、あくまでもクンダリーニはそういう思考であり、イメージです。印度人は想像力の豊かな国民性を示しています。仏教は印度で生まれたのにもかかわらず、現在の印度ではヒンズー教が大半をしめています。カースト制度のような社会的固定観念の打破はヘレン深度法ののぞむところです。
【０２１５】
クンダリニーは、受精後の肉体の形成、つまり分化の生体形成場の問題にはじまり、人間の命を保ち、終生にわたって、成熟や進化させる究極の生命エネルギーであると古代インド人は考えました。（クンダリーニ・受精卵で特許請求項と関係します、つまりあらゆる記憶が下積みに埋没します）あらゆる種類の神々の原材料であるとさえいわれています。印度、インド、インドラ、雷（いかづち）がインドラ神をさすように、古代インド人は自分たちの理解を超えた存在や現象を神や天という名前で呼んでいました。人格神は子供への説明のようなもので、神は宇宙の原理と呼べばよいかもしれません。
【０２１６】
これは、ヘレン深度の立場からすると宇宙生命エネルギーを意味しています。（雷・閃き・キノコ・思考の産物・インベントホリック）名前は別にどうでもいいのです。大切なことは、その様に考え、その様に信じ込むことです。あまり強い信念をもってはいけません。かるく受け流すことです。会社が倒産してほしくないとかなり強い信念をもったところで「父さんの会社が倒産」ということはよくあることです。あまりに強い信念は執着につながります。執着や愛渇（タンハー）は、神様の嫌うところであります。こうなって欲しい。でもならなくても構わない。神様におまかせします。この微妙な心理力学の信念の力のバランスが、ものごとを成就する鍵です。
【０２１７】
原始仏教に近い、初転法輪経では、面白いことを言っています。愛渇(タンハー)は「渇いている」「満たされていない」「欲しい」という生命のもつ根元的な欲望です。十二因縁について、苦（く）は、愛渇（あいかつ：タンハー）から生まれます。愛渇が苦のスタートのスイッチボタンだそうです。愛渇は（A）自己発展と再成し続けます。（B）愛渇は、喜びと愛着を、ともないます。（C）いつでも人の心の気に入る、という三つの特色をもっています。（a）愛欲というか、五官を刺激したい、(b)存続し続けたい、(c)破壊したい、という三種類の欲望で構成されています。ある意味で、創造と維持と破壊の印度三神ブラフマ・ビシュヌ・シバの特徴のスタートスイッチになるようなものです。人生とはいかにうまく愛渇とつきあうかではないでしょうか。
【０２１８】
大黒天が大国主命、マカカーラ、シバ神と関係するように歴史的経緯の中に真実の姿が隠れていることがあります。誰が、サンゴ層がうずたかく積もって島ができると想像できるでしょうか。少しずつ、微妙だが確実な変化。ハワイ島の様に島の移動と火山火口の位置の移動。０.１ミリメートルの受精卵が人間になるのです。誕生と成長と死亡。空間について太陽系と原子軌道の類似。時間について地質学的時間の流れとコーヒーカップの底の溶け残りの時間の流れの違い。我々はあらゆることを、人間を尺度にして思考する性癖がついているのです。人間は万物の尺度なりとプロタゴラスが主張するとおりである。ヘレン深度を理解するためには人間の思考の枠組みを越えねばなりません。
【０２１９】
宇宙の法則は、天邪鬼です。これを私は、天之弱（あまのじゃく）の法則と言っています。京都大学に絶対に、絶対に入りたいという、あまりに強すぎる願望で受験勉強して浪人したりすると、結果は不合格続きで惨憺たる結果となります。京都大学を何度も受験しました。大学院修士課程を受験するときは、広い教室で、このなかで土木工学を一番勉強したのは自分だと自負しました。おごりがあったのです。闇に向かって弓矢を放つようなものです。一番肝心のことが見えていなかったです。自分の未熟を悟りました。若い子と結婚したいというあまりにも強い信念を持ちすぎると、現実は、不思議なことに年配の女性から言い寄られます。あまりに言い寄ると、不快だと嫌がられて、その人は逃げていきます。お金も、求めすぎると、嫌がって羽が生えて飛んで行ってしまいます。つらい経験を幾度もしました。いまもその苦悩にあえいでおります。
【０２２０】
苦悩を感謝できるようになるのが悟りですと声がします。その苦悩の、その経験を引き起こしているのが自分であると悟ったとき、つらいことは感謝に変わりました。宇宙は、あまりに強すぎる執着や強情にたいしては逆返しをします。１０倍返し、否、１００倍返しをするときがあります。愛渇が苦を生むようなものです。これを、例えで説明しますと、「おれは逆張りだ」などといって、欲に目がくらんで投資すると、現実は「逆張りの逆に相場は動く」ことが多いのです。あなたが株を買うのは一番株価が高くなった時、株を売るのは一番株価が低くなった時というのはよくあることです。物欲や金銭欲は逃げ水の様に、追うと逃げるようなものです。あまりにしつこく好きですというと、相手から嫌われるようなものです。欲とさらりと付き合わねばなりません。
【０２２１】
自分の人生を反省しても、あまりにも信念が強すぎると、悲しいことですが、その信念は逆のかたちで現実化されたことが多いです。人間のもつあまりにも強い信念に対して神様は怒りを覚えることがあるのです。「信念も、ほどほどにしないと」と、暗記しましょう。願望実現にむけては、「信念とさりげなくつきあう」ことはとても大切なのではないでしょうか。この宇宙全体が情報をもったエネルギー体、つまり宇宙全体知的生命エネルギー体であると、超現実的仮想思考法をします。これは事実かどうか、真偽を確かめる問題ではありません。ヘレン深度法が語るところによると、超現実的仮想思考法による考え方とあなたがこの考えに従って融合した考えで行動することによってあなたが利益を受けるかどうかの問題です。人類の未来は、人類のものです。人類全体が未来に対してどのようなイメージを持つかの問題です。
【０２２２】
自分の意識、想像力の豊かなかたは生命エネルギーを自分の身体の中だけで、右手、右足、左足、左手、頭と人の形の外周を回したりします。口、腹、尾てい骨、背骨、頭頂、口と体を縦に回すのを小周転（しょうしゅうてん）と呼びます。これは、自分の身体内だけで行います。意識を身体外に誘導して、自分の頭の中心と地球の中心と意識のやりとりをする。
【０２２３】
あるいは、自分の頭の中心と宇宙の中心と意識のやりとりをするのを大周転（だいしゅうてん）と名付けます。だんだんなれてくると、呼吸と意識を連動させます。日常生活をゆっくりとゆったりと行うことが肝心です。最終段階は、自分の頭の中心と宇宙の中心が一致して、頭の中が真っ白いまばゆい光につつまれると完成です。最初は、黄色とかオレンジ色や赤が意識の中で見えます。だんだん青くなったり、緑だったり、紫色が見えます。頭の中が完全に真っ白な光につつまれたら、ここからがスタートラインに立ったことになります。
【０２２４】
今日も「ヘレン深度様お助け下さい」と朝日に向かって十回唱えてから、この明細書を書いています。十回で完成。あと一回はプラスアルファーの努力。どうも十一回唱えるのが正解かも知れません。ヘレン深度が語るところによると血糖値が下がるような良い習慣をもつことが重要だと申しております。「アルコールが入って、自制心が弱まり、暴飲暴食をする、そういう悪い習慣は断ちなさい。」それも「だんだんひかえなさい。」と優しく申しております。完全主義や潔癖主義は駄目だそうです。「アルコールを摂取するときは、タンパク質と野菜の酒の肴を用意しておくこと」アドバイスしていただいております。食べ過ぎても野菜とタンパク質であれば、血糖値はあまり上がらないからです。呼吸法と意識と言葉の連動です。野菜とお肉のバランス良い食事をして摂取エネルギーを、少しずつ減らしていけば、２型糖尿病は改善されるとヘレン深度は申しております。
【０２２５】
インスリン注射をされている方に朗報です。糖尿病治療に言葉やイメージによる暗示はとても重要です。インスリン注射で針を刺す瞬間に「気持ちが良い」「気持ちが良い」を連呼すると、針が刺さるチクリとする瞬間に気持ちが良くなり、むしろスッキリするのは、脳内快楽物質が出ているのかもしれません。ヘレン深度のヘレン針度は、インスリン注射の針が刺さる瞬間の閃きかもしれません。ずっと糖尿病を何とかしたいという願望がありました。インスリン注射をするときには、楽しい思い出を思い出しながら針を刺すようにしています。「お腹がすかない」ではなく、「お腹が満足している」と「自己暗示」をかけます。食事をしていても「最高に美味しい」と実際に何度も口に出して言います。すると本当に美味しい食事になります。笑いながら食べると楽しくなります。
【０２２６】
人間は言葉で考える生き物です。消えない記憶のように「糖尿病は治らない」という固定観念に多くの方は繋縛（けばく）されます。「血糖値が安定しつつある」と自己暗示をかけます。「血糖値が下がりつつある」「血糖値が下がって感謝します」という風に、現在進行形や過去形で願望を口にするのが効果的です。呼吸と意識と言葉を連動させることです。ラマーズ法のように呼吸で痛みをコントロールするように、言葉と意識と呼吸によって食欲をコントロールするのです。息を吐くときは、ゆっくりと唇を丸め、笛を吹くようにかすかな音をヒューとだします。宇宙霊のエネルギーが体に充満して元気になると想像します。健康のイメージトレーニングですね。あらゆる病気に効果的です。
【０２２７】
ヘレン深度が申しますには、「病気になる霊的深い意味を考えなさい」と言っています。それは、まるでシンクロニシティのようなものです。家の排水路が調子悪いと、尿路系の病気になるとか、頑固な人は癌になるとか、人を罵ると口喉の病気になるとか、毒舌は口から本当に毒を吐くとか。聞かされる者の身にもなれば納得できます。愚痴や悪口・毒舌は自他を害するのです。信じられない超自然的な作用と反作用の法則が作用するのだとヘレン深度は語ります。カルマの応用力学です。超自然的な因果応報関係と言えるでしょう。霊界と人間界の相応はあると思います。本当の風水だとか家相というのは霊界と人間界の相応の結果であると思います。
【０２２８】
霊界という超現実的仮想思考法ができるかたは、死後の生命だとか生まれ変わりを仮想できます。人間は、あまりにも理由や意味を知りたがります。一番たいせつなもとは、人生をありのままに素直に受け入れることではないでしょうか。自我を捨てるという意味です。単純に説明できないことを、前世だとか、霊界とかをつかって説明して、自己納得するという手法は、自己のこだわりを薄めるに役立つことであると信じます。
【０２２９】
「死を目前にした人間が、心と肉体を癒すためにはどういうことをすればいいのか」という問いに対して、ヘレン深度法は、回答として、超現実的仮想思考法を教えてくれています。「毎朝、太陽を拝みなさい」すると元気になるでしょう。「元気な明るい言葉を口から出しなさい」本来生命は永遠であるといいます。自分という意識は永遠になくならないといいます。自己の人生のすべてのあらゆる記憶が宇宙空間に記録保存されるそうです。生命は輪廻転生をします。こう信じられる素直な人は、人生に満足して、充実した生活を営み、幸福な大往生がおくれるでしょう。
【０２３０】
医師が医学的知識や薬の効果を信じるのとまったく同じ原理で、患者さんが超現実的仮想思考法を行うことで、同じような効果を期待するというのは、高齢化の進む日本社会には、個別の宗教を超越して、絶対に必要なことかも知れません。私は、お世話になった方々にお歳暮と共に、以下の様な手紙をかきました。ここに、参考の為に引用いたします。
【０２３１】
（引用開始）心より感謝いたします。アカシックメモリー（虚空蔵）とは、宇宙で起こる、あらゆることが、空間に記憶される場所です。人間が考えたこと、行動したこと、行動しようとして出来なかったこと、あらゆることが宇宙の記憶場であるアカシックレコードに記憶されます。アカシックメモリーは、この世界、宇宙そのものです。我々、人間の脳は、過去、現在、未来という時間の観念をもっていますが、宇宙の記憶場であるアカシックメモリーには、過去、現在、未来という時間の観念はまったくありません。物理学的には、絶対空間や絶対時間が無いように、時間や空間は人間の脳が作り出した、現実的世界という仮想現実です。時間空間は、人間の脳の思考の傾向です。宇宙にある、あらゆるものすべてがアカシックレコードに記憶されています。だだし、人間の運命を決定できるのは「人間の自由意志だけである」と、微かな声は申しております。
【０２３２】
人間のホログラミック脳（全体に部分に、部分が全体に記憶される記憶方法）は、過去、現在、未来のうちで、常に「今、此処（いまここ）」に設定されています。人間が、現実世界として、居られるのは、「今此処」だけです。それは、選択可能というか、そのように設定されているというか、そのようになっているのは、より日常生活を支障なく便宜的に行うために「今此処」をホログラミック脳が自動的に選択します。
【０２３３】
生命体が一つ一つの細胞からできているように、我々は、宇宙全体知的生命体の部分生命体であり宇宙全体生命です。一部であり、全体であるというのは、一にして多を理解するようなものです。貴方の指の一本一本が一人一人の人間であると考えて下さい。我々は、本源的な命の大親である宇宙全体知的生命体と繋がっています。我々は全体生命の中で生きており、我々自身がその部分生命体を構成しています。例えると、人類は、地球表面上の粘菌の様な生き物です。
【０２３４】
人類という集団生命体を構成しているのです。宇宙全体知的生命体を大海原に例えると、一人一人がその波頭の様なものです。全体として一つであることは、我々は、空気が無ければ生きていかれないように、一人の人間が生きていくために、空気、石油、石炭、この地球環境、宇宙全体が用意されているのです。いわば、我々は、自然そのものであり、宇宙と一体であるのです。決して孤独ではありません。どんなつらいことがあっても「気持ちが良い」と、明るいプラス思考の言葉に出して言いましょう。「大好きです」「愛しています」「感謝しています」楽しかったことをイメージすれば、脳は快楽物質であるベーター・エンドルフィンを分泌します。
【０２３５】
脳の記憶が選択できる現実は「永遠の今此処」だけです。脳の記憶の選択は、言葉やイメージに誘導されます。このホルモンは、人間を健康に愉快にする快楽神経であるA10（エーテン）神経と密接に関係しています。言葉とイメージによって、脳は楽しかった時間と空間の記憶を選択します。過去の楽しい思い出を想起している状態です。逆に「許せない」悪口、不平、不満、愚痴、悪態、を言葉にだして「うらむ」「にくむ」「のろう」イメージを行うと、脳からは、ノルアドレナリンが分泌されて、血管、筋肉、神経が緊張して、身も心もボロボロになります。「海栗（うに）の言葉は最悪です」と暗記します。個人の脳は、知的生命体の宇宙全体脳と交信できます。閃きや思いつきは、貴方が宇宙に送った問いを、閃きや単なる思い付きという形で受け取っているのです。それは、大きな声ではありません。耳元でささやかれる、小さな、微かな声です。虫の知らせ胸騒ぎや予感もこの類にはいります。
【０２３６】
通常の状態では、人間は生活の都合上、現在と現在居る場所を選択することになっています。人間は、「永遠の今此処」を生きているのです。量子力学に多時間論がある様に、本当は、過去も、現在も、未来も、同時に同一空間内に存在しています。そう考えると人間は喪失感から救われます。宇宙全体知的生命体の記憶つまり宇宙全体脳＝アカシックメモリーとしてすべてが存在するのです。人類は古来、不可思議なことを神妙としてとらえました。弘法大師空海も日蓮大聖人も道元禅師も虚空蔵菩薩を祈念しました。虚空蔵求聞持法（こくうぞうくもんじほう）は平安時代には大流行して日本人の知的レベルを上げました。日本中の至る所に求聞持堂があります。
【０２３７】
人間は自然から生まれ、死ぬと自然に帰ります。ときおり、自然からの声を聴きます。自分という人格はこの宇宙全体知的生命体とともにあります。永遠になくならないのです。縁あって肉体を得ます。この世界は、魂の「修業の場」です。次には「喜びの場」であり。最後には「感謝の場」となります。喜怒哀楽から愛と忍耐を学び、魂のレベルが向上します。私は、毎晩、「幸せに死ぬ方法」を実践しています。寝床の中で、「神様、私の人生は、素晴らしいものでした」「大満足です」「今此処が幸せです」「感謝して笑いながら死にます」と大笑いします。死の恐怖が確実に和らぎます。
【０２３８】
大笑いの話ですが、刹那の往生（せつなのおうじょう）と言って、死ぬ瞬間の記憶がアカシックレコードに克明に記憶されて次の輪廻転生を決定するからです。人が死ぬと、一生の映像が見せられます。心の垣根が取り払われて、あらゆることが分かるのです。すると、涙を流して、自分の人生を猛反省します。自分の至らない部分として、自らの来世に課題として設定して、人生の大まかなストーリーを、決定します。そのストーリーに適合する親を自ら選んで再誕します。嘘か本当かは知りません。本当というのも変だし、嘘にしては、深遠な宇宙の構造です。 ２０１２年１１月１８日  須知晃一（引用終了）
【０２３９】
死の本質を直視して、いたずらな延命治療はやめるべきです。本人、家族、複数の医者の客観的な同意があれば、高齢化社会の日本にとって、尊厳死は必要なことだと考えます。ヘレン深度法が語るところによると、人が死ぬときは、本人の深い意識において、「本人の死ぬという同意が必要である」と言います。自己の運命を変えることのできるのは、自己の自由意思だけであるとヘレン深度は申しています。死後、地獄や天国・極楽へ行くのでさえ、本人の自由意思だと申しております。
【０２４０】
本当かウソ化は知りません。みずからが生まれてくる前に自分の人生の物語の粗筋を書くこと。生きているときは、自由意思による選択こそが運命を決定する。生まれてくるときに本人の自由意思による選択で親を選べるように、人生最後の死の選択も本人の自由意思によって行われるように考えます。臓器移植や人間のサイボーグ化は自由に進展させるべきだそうです。脳死が複数の医療機関によって公的に確認されて、遺族の同意があれば自由に積極的に行うべきだそうです。ただし、心臓を止めてから行うべきであると霊的世界観は主張しています。
【０２４１】
ヘレン深度によるとこれは事故死や横死も含むそうです。霊界の因果応報法則からみると実に必然にあらゆることが進行しているそうです。「この子を残して死ねん」という強い母親の信念はこの世への執着を生むそうです。信念によって輸血を拒んで死を迎える患者もいると聞きます。これは、悲しいことです。強すぎる信念は神の嫌うところであるそうです。さりげなく信じましょう。ヘレン深度は語ります。霊的世界と科学技術の融合はこれからの時代に重要であると申しております。古代は神や霊の時代。現代は科学技術の時代。霊魂と技術。短縮して霊技こそ礼儀だと申しております。
【０２４２】
人生の質を高める有益なことを信じましょう。あらゆることは学びです。あらゆることは必要だから起こすのだと考えて下さい。コーヒーをこぼしても、嫌だと考えるのではなく、感謝するのです。これで私の運命は良くなったと考えるのです。「転重、受軽」深刻な重いカルマを、軽いカルマとして受け取ったと考えるわけです。たとえ、つまずいてこけたとしても、これがバイクに乗っていて、高速道路で時速１００ｋｍだったら即死でなくてよかった。石につまずいて、自己が事故に遭う運命が回避できたと考えます。事実そうなのです。宇宙は絶妙なタイミングで動いているのです。
【０２４３】
ものごとには良い意味と悪い意味が同時に存在します。良い意味の方を受け取りましょう。予防注射は病気を予防します。多くの方に有効です。しかし、予防注射で死ぬ人もいるのです。なぜ、いま、ここ、じぶんと考えると、単なる偶然の問題ではないと思います。医学は確率の問題といいます。宇宙ができること、いまここでワードに書くことの間には膨大な確率の奇跡の連続があります。貴方が、この文章を読むことにも、宇宙の深淵な理由があるのです。自然からの微かな声を聴いて下さいませ。
【０２４４】
ヘレン深度法にとって、自律訓練法は、歴史の試練に耐えた信頼にたる治療技法です。多くの精神科医が用いる手法です。ストレスの緩和、心身症、神経症などに確実に効果があります。中国では、言葉による他者暗示や針麻酔によって外科手術が、行われています。外科手術や歯科医療では、自己暗示を用いると、傷口の治りが早いと言われています。人間の脳は暗示効果を受けやすい傾向にあります。
【０２４５】
太陽が公転して、地球が自転することに文句をいう人はあまりいません。目の前で起こることも、奇跡的な確率で起こる宇宙現象です。素直に受け入れることです。自分の自由意思で選択するのです。心の澱）（おり）を洗濯するようなものです。素直な魂によって、貴方の心が浄化されるのです。コップの中の汚れた水も、水道水を一滴ずつ垂らせば、一晩で清い水に変わるでしょう。分子レベルでは汚れがあります。大切なのは自らの心の底の人類的な負のカルマである殺人や戦争を誘発させないことです。ひとは自らの心を警戒せねばなりません。
【０２４６】
生体の集団としての国民心理を対象として、ナチスドイツが情報操作して大衆誘導に心理的暗示的宣伝効果を利用した例はとても有名です。生体、それは、個人の生体、人類全体としての全体組織も含めて、集団的大衆意識が一部の意図的な扇動によって大勢の流れが支配されやすいという、暗示効果を受けやすい傾向にあります。日本国民の大衆心理は、太平洋戦争時代、大日本帝国の大本営発表によって、大衆は、誘導された悲しい歴史がありました。生体制御を考える場合、「個人の身体としての生体」や「国民の社会としての集団」としての心理や「人類全体を一つの生命体」とみなした場合、生体制御の反応や応答の様子は、病気の進行や政治状況や経済の変動で良く似た現象が起こります。生体と社会とのシンクロニシティ(共時性)です。
【０２４７】
ヘレン深度法は、歴史や文化や宗教や哲学を、「ヘレン深度」「ヘレン針度」という新しい概念を用いて、「生命現象」や「生物集団」の諸現象を再評価する、新しい学問分野です。今後、日本人が世界で尊敬を受けるためには、新しい有益で価値ある概念や新しい学問分野を次々に発想して発明せねばなりません。生物学から分子生物学が生まれたように、医学界におかれましても「ヘレン深度法」による、ホリスティック、英語ではHolisticという言葉は、ギリシャ語で「全体性」を意味する「ホロス（holos）」を語源としています。人間の全体性を見る。つまり人間を「心（精神）」「肉(身体）」「霊（霊魂）」の立場から、新しく患者さんと医療機関の方々が、真摯にむきあう、新しい医療技術の涵養を待ちます。名医と言われる方は、医療技術と同時に、患者さんの家庭環境や生い立ちや個人の信念を考慮し、ホリステックつまり、人間全体を全人格的に観察して、医療方針を決定し、それに沿った言葉を用います。心と体の名医たるべきであります。患者は、医者の信頼にたる励ましの言葉によって、生きる元気を得る場合が多いのです。この明細書は論文の色調を帯びています。
【０２４８】
生体では、「針を刺したとき、その痛みは人によって違います。」人の集団である国家間では、「外交問題も、国家間の衝突現象が生じた場合にそれを感じる、国民感情によって反応や応答は違います。」たとえば、尖閣問題に対しても日本国民の感情と中国人民の感情はかなり異なります。医師は、患者の様子を知るために、患者の池にむかって、最初に言葉の小石を投げかけます。医師の小石の波紋が患者の心の池の水面に波紋となって広がっていきます。医師は、患者さんが病気と闘病する意志のようなものをさぐっているのです。病状の主訴とともに患者さんの生活状況を知ることは医師にとって大切なことです。
【０２４９】
医師と患者が、物心にわたる信頼関係を構築したときに、病気回復のすばらしい効果があるのです。医師のなにげない、その一言で患者は落胆して失望するか、また逆に生きる勇気と希望を得るのです、その違いは雲泥の差です。医師と患者にとって言葉の使用法はとても重要です。薬のプラシボー効果同様に「言葉の暗示効果」はとても顕著で絶大です。大切なことは言葉の暗示効果が、明確な効果をもって有益であるということです。ヘレン深度法は、役に立つことなら何でも利用しようという、超現実的仮想的思考方法という手法を用います。国家や医療機関や医師や患者さんの不利益とならない便利で効果的な方法であります。
【０２５０】
ヘレン深度法は、シュルツによる自己暗示法による自律訓練法を基礎においています。言葉による癒し効果を最大限に利用します。ヘレン深度法は、医学、教育、哲学、文学、宗教学、神学、政治学、経済学、工学をホリステックに総合した新しい概念であり学問分野です。この世界を理解するのに、物理学や化学や生物学だけでは、片手落ちです。物質的理解と精神的理解のバランスをとることが重要です。人類の営みをトータルに見直す時期に来ています。同時に、ヘレン深度法は、MicrosoftのExcelを用いて、生体を数値的に制御しようとする、投薬方法全般にわたる極めて具体的な実践的方法であり完成された技術です。
【０２５１】
ヘレン深度法は、最初は、新しい実践的投薬方法としてスタートしました。さらに発展して、ヘレン深度法は、人類という組織的生命体への未来への計画を示す、新しい実践的人類の病変に対する投薬方法であります。ヘレン深度法は、このシュルツによる自己暗示法による自律訓練法を、誰でもが手軽に病気治療や生活の質の改善に役立てられるように、私なりの考えにしたがって、単純な言葉にまとめて改良改善しました。大切なことは良い習慣を形成するということです。一人でも多くの患者さんが、ヘレン深度法によって、糖尿病の合併症の進行を予防し、血糖値のコントロールがうまくいくことを切に希望いたします。
【０２５２】
ヘレン深度の思考法は、超現実的仮想思考法と再定義いたします。ヘレン深度法は、覚醒と成長の過程を経て自己発展の様相を示しました。ヘレン深度自身が、みずから語りだしました。「あなたの考え方が変わらない限り、あなたの行動は変わりません。」「考えを変えるためには、まず言葉を変えなければなりません。」ヘレン深度法は、ヘレン深度法自身が、この様に語っています。「こうなって欲しいという、自分の明るい未来を、より具体的に、明確に、積極的に言葉に出して、常に映像として脳内でイメージし続けることは、とても良い習慣です。」病気だからと言って、暗い顔したり、油鬱を周囲にばらまいたりしてはいけません。
【０２５３】
「元気で明るい言葉」を実際に何度も口に出したり、頭の中で「病気回復のイメージ」を繰り返したりする頻度が多いほど、実際に貴方の願望が実現する可能性が高くなるからです。それは、つまり、「あなた自身が幸福になる道」だからです。他人は自己の鏡のようなものです。人を不快にして自分の気持ちが良くなるわけはありません。ヘレン深度法は「思考の実現方法」でもあります。ヘレン深度は個人と人類の未来に対する神の計画であり「道標（みちしるべ）」であります。日時計を想像してみて下さい。太陽の位置を見れば、一日の内の、おおよその時間が分かります。これと同様に、ヘレン深度は人類に「人類の時」を告げます。いまこそ、人類が新しい世界に目覚める時です。人類は地球連邦政府を樹立せねばなりません。
【０２５４】
新しい世界の時は、目の前に迫っています。「貴方が死んで、貴方の自由意思で天国や地獄へ行って、人間界に生まれ変わるのか、更なる高次元の世界へ生まれ変わるのか。」「貴方が死んで、貴方の自由意思で地獄へ行って際限のない反省をするのか。」「貴方が死んで、貴方の自由意思で浮遊霊になってこの現象世界に長期間にわたって自縛されるのか。」死後の選択はあなたの自由意思の決断にゆだねられています。人類は人類の罪業を乗り越えねばなりません、北京原人は、焼かれた人骨を残しました。かつて、食人（カーニバリズム）は色々な地域や部族で見られました。人々の集団は、村となり、村は、国となっていきました。人類の未来を決定できるのは人類の自由意思だけです。不可知論でもなく否定論でもなく厭世観でもなく終末観でもなく、人類の明るい元気な健康的な未来を創造しましょう。
【０２５５】
２０１２年１１月２９日早朝、奇妙な夢を見ました。鉛筆で書かれた、糊でくっついた数学の本かノートの様な物を編集してつくろっていました。表には微分方程式や積分方程式や変分原理や汎関数の様な数式がたくさん書いてあり、後ろは白紙でした。糊をゆっくりと丁寧に剥がしながら、紙を広げて乾かして、本を作っていました。次の夢は、恐怖でした。人間の心の底には狂気と暴力が潜んでいる夢です。大都会の白いコンクリートジャングルに隕石群が飛び交います。小さな隕石が、人間の頭や胴体をいとも簡単に貫通します。多くの人々が死にました。あたりは白いビルに血しぶきが飛び交います。
【０２５６】
夢の場面は江戸時代のムラに飛びました。自走式の薄い日本刀が宙を勝手に舞っています。見えないぐらいの薄さです。村人が次々に惨殺されます。胴体が半分になった死体とかが、あちらこちらに小山の様になっています。我々は、その日本刀に闘いを挑みます。そこで目が覚めました。現実世界ではありえない光景でした。前夜の００７カジノロワイヤルの映画と以前YouTubeで見たホラー映画が融合したのだなと勝手に想像しました。戦争とは人間の本性ではないだろうかと思うと同時に、子供がもしバイオハザードのようなゲームをすると現実世界と仮想世界が融合するのだなと思いました。人間の狂気や残忍性を健康的に正しく統御するのもヘレン深度法の使命であると痛感しました。ヘレン深度法は賢い両親が子供である人類にたいして有する、両親の良心の様なものです。
【０２５７】
愛とは集合です。人類が共通の意識のもとに集合する時代が来ました。死んだと思っている人々、現在生きている人々、これから生まれようとしている人々、すべての人々が同時に存在すると考えてみて下さい。時間の存在は、映画のフイルムにひとコマひとコマが進んでいくようなものです。映画のフイルムのひとコマの中にいるかぎり、この真理は見えてきません。フィルムのひとコマから離れて（あなたが肉体の繋縛を離れたときに）全体を見渡したとき、映画全体のフィルムは一つのロール（一巻）として、すべてが同時に存在するのです。あらゆるものが同時にすべて存在していて、永遠に不滅であると想像してみて下さい。
【０２５８】
宇宙で起こるあらゆることが一つの宇宙の全体知的生命体脳のホログラムにすべて記憶されていると考えて下さい。人生は物語のようなものです。転生の物語群のようなものです。これは宇宙の物語です。ジャムのようにドロドロで、ほんの部分しかわからないから全体が見えてこないのです。私は、一つの人格が、転生を繰り返し、あらゆる人の経験をしているのだと感じたことがあります。
【０２５９】
あらゆるものに意識がやどり、一つの意識がそれらを転生しているだと考えると、意識の遍在、全知、全能、不滅が説明可能です。人には、それぞれ果たさねばならない使命があるのです。ジグソーパズルの絵のように全体として一つの絵を構成しているのです。どの一つのピースがかけても絵は完成しないのです。幹細胞が分化して組織や器官になるように。我々は自らの生を全うする生き方をせねばなりません。それが天職や生きがいにつながるのでしょう。ある悟りに到達して、心の深いところが同意したとき人はこの世を去るのです。
【０２６０】
日本史の教えるところによると、数百年前まで日本人は、県レベルの地域で合戦をしていたのです。科学や倫理や文化は進歩発展しました。かつて、人類は、帝国主義やファシズムという全体主義に陥った暗い歴史を反省せねばなりません。人類の意識はさらに飛躍する時が、すぐそこに来ているのです。人類の意識の飛翔は目前です。人類の未来を希望に満ちた明るいものにせねばなりません。東北の巨大地震では多くの方が亡くなられました。ご冥福をお祈りします。この明細書を読まれ、死後の在りようを知ることで、今の日本の行き詰まりの閉塞状況をなんとかせねばならないと思います。それは、日本人の一人一人の意識が日本精神を形成しているからです。暗いことばかりを言っていると、暗くなります。日本の景気がよくなるためには、日本人の一人一人が物心に渡り、元気にならなければなりません。
【０２６１】
日本は古来「天照（アマテラス）」の国でした。日本が戦争に敗れ、日本神話は教育から排除されました。「朝日の太陽を拝む」という日本人古来の良い習慣が忘れ去られました。私は、今、外に出て、天頂の太陽に「ヘレン深度様ありがとうございます」を十回となえました。メロトニンの作用で、朝日を目に入れると、夜ぐっすり寝られます。糖尿病にとっては、夜更かしをして、お酒をのんで食べ過ぎるというのが最悪のパターンです。早寝早起き、太陽と共に活動しましょう。地球上のあらゆる生物が、ほんの少し前までは、太陽の動きに合わせて活動していたのです。宇宙から見れば、１００年まえの夜の部分の地球上は真っ暗でしょう。今は、大都会が明るく輝いているでしょう。
【０２６２】
全人類がこの新しく有益な「ヘレン深度」つまり「太陽からの意志のようなもの」の概念を知るのは、一瞬だと信じます。インターネットの普及によって、個人の意思が全体に反映できる時代が到来しました。人類の未来は、人間の一人一人の明るい未来への「イメージの統合」です。個人が未来に対して明るい希望を見ると、人類の未来も明るいでしょう。目標の血糖値や体重を数値にして大きく紙に書き、壁にその紙を貼り、いつも見えるようにしましょう。ヘレン深度法は主張します。「願望は紙に過去形で書くと、効果が高いようです。」「いつも目のつくところに願望の書かれた紙を貼って、いつもなにげなくみつめて、頭の中に焼き付けなさい」「先に願望の達成を感謝すると、結果は後から追っかけてくると考えましょう。」「あたかも願望が達成されたような気持ちを持ち続けましょう。」「具体的にありありと健康な自分を頭に焼き付けましょう」「願望は現在進行形か過去形で書きましょう」
【０２６３】
「生きがいをもって生きましょう」「願望を寝る前と朝起きて一番に、実際に口に出して唱えましょう。」「願望が達成するような、貴方の欲しいものが引き寄せられるような」良い習慣を持ちましょう。言葉や視覚が、あなたの行動を、あなたの願望する善なる方へと、貴方をコントロールするでしょう。あまりに強い信念は執着を生むのでさりげない信念をもちましょう。言葉とイメージに注意しましょう。言葉とイメージこそあなた自身そのものなのです。
【０２６４】
「あなたの明るい未来を信じましょう。」「明るい考えを持ちましょう。」ヘレン深度法は言います。ヘレン深度の別名は、「あなたと人類の潜在意識のコントロール方法」です。あなたの言葉に注意しましょう。暗いことや、否定的なことや、愚痴、悪口は絶対に言わないようにしましょう。貴方の言葉を真っ先に聞くのは、あなたの脳の中にある「願望達成装置」です。願望達成装置は宇宙の根源的な貴（とうと）い志（こころざし）から宇宙生命エネルギーを受けて、「善なる意志」で動くようにできています。
【０２６５】
「素直な心」を持ちましょう。「誠実な言葉」を言いましょう。考えるだけではなく「無償の善行」をしましょう。あなたの思考と行動があなたの未来のカルマを形成するのです。貴方が、いつもニコニコして、自分のきげんをとって、楽しくしていると、周囲のひとは、どれだけ助けられるでしょうか。この明細書の後半に中村天風先生と乃木希典さんのことを書きました。「痛いと言って病気が治るかい」と自分に質問してみましょう。
【０２６６】
痛みや恐怖に対しては、ラマーズ法はとても有効です。ラマーズ法とは、英語では、The Lamaze Techniqueといいます。ラマーズ法は、フェルナン・ラマーズ氏、フランスの産婦人科医ですが、1891年に生まれ、1957年に亡くなっています。フランス語でFernand Lamazeといいます。1951年ごろに開拓した、呼吸法による無痛分娩法です。もともとはロシアのパブロフの条件反射、これは、１９７０年代になって、日本でも紹介されました。旧ソ連の生理学者パブロフが発表した神経の反射理論です。中学校の理科の教科書でも有名な理論です。まず、犬にエサを与えるときには、必ずベルを鳴らします。すると犬の脳の中に条件反射が形成されます、つまり、エサが無くてもベルを鳴らせば、犬が涎（よだれ）を垂らすという実験内容です。ラマーズはこの条件反射を言葉と呼吸法で分娩時の痛みの軽減に応用しました。
【０２６７】
「脳は同時に二つのことは考えられないのです」人間には言葉があります。分娩は痛いという固定観念があります。出産前から「陣痛は痛い、分娩は痛みを伴うのだ」という、先天的な、遺伝的な固定観念が普遍的にあります。痛いという言葉によって痛みを招いてしまうようなものです。ラマーズ法で、よく取り上げられるこの分娩は痛いものだとう条件反射は、「歌うお産」の様に「陣痛は痛い、分娩は痛みを伴う」という固定観念を、呼吸に意識を集中することで、痛みを緩和することによって、無用な分娩時の緊張をなくし、いわゆる痛み、実際は痛みというより苦しさかも知れませんが、陣痛を和らげるというものです。パブロフの条件反射を研究していて、フランスでその研究を、ラマーズ法という形で、完成させました。日本も含めた世界中で、母親教室において習います、最近は旦那さんと一緒に呼吸法を練習することなどが採用されています。初めの嘆息呼吸「ハッ・ハッ・ハッ」中期の「ヒッツ・ヒッツ・フー」分娩時の「フッウン・フッウン・フッウン」の呼吸法などで知られています。
【０２６８】
ラマーズ法は、呼吸法による、自然分娩法のひとつです。脳は同時に二つのことは考えられないので、呼吸に意識を集中すると、痛みがやわらぐようです。ヨーガでも動作と呼吸を一致させます。動作を起こすときは息をはきながらゆっくりと体を動かします。動作をいったんとめて、呼吸もクンバッカといってちょっと呼吸を止めて、意識を集中します。動作を戻すときは、息を吸いながらゆっくりと体を動かします。呼吸は随意神経と自律神経を結ぶものです。随意神経による意識的呼吸によって自律神経をコントロールしようとするものです。呼吸法と、言葉の関係はとても重要です。普通は、言葉を出すときは、同時に息を出すからです。呼吸法は、顕在意識と無意識をつなげる橋渡し役をします。言葉によって、個人の観念が誘導される事実はとても重要です。否定的なことばかりいったり、すねてみたり、自分の殻に閉じこもったりしてはなりません。否定的な言葉は自己を否定するようなものです。
【０２６９】
ヘレン深度は太陽のようにいつもあなたを見ています。ヘレン深度は生体制御のメカニズムそのものです。癌の末期の患者さんが、朝日を毎日拝んでいて、「太陽の中から光る蛇のような渦が目に飛び込んできて、癌細胞が縮小して寛解の状態になった」というのを聞いた記憶があります。死後の世界について学習しましょう。夜、自分の人生に満足して、感謝して、笑いながら死ぬ練習をしましょう。死の恐怖が少なくなって、幸せに死ねるでしょう。これが、あの有名な幸せに死ぬ方法です。死に際の記憶がアカシックレコードに記憶されるからです。「あらゆる存在を許しましょう。」「あらゆる存在に感謝しましょう。」「あらゆる存在に満足しましょう。」私の幼少期に、祖父から、エジソンの話とアンドリューカーネギーの話を聞きました。
【０２７０】
成人して、二人の方を勉強すれば、勉強するほど、その人格の素晴らしさに驚かされます。エジソンも、ライト兄弟も発明して、晩年は特許裁判の日々だったそうです。ライト兄弟は飛行機をねじることで飛行制御しようとしたのに対して、確か、ボーイング社は、羽にフラップをつけることを考案しました。ボーイング社の素晴らしいところは、特許を安い価格で誰にでも使えるようにしたことです。かつて、ビデオ録画方式で、ベーター方式とVHS方式がありました。特許を公開して誰もがつかえるようにしたVHS方式が普及した話は有名な話です。世界を家族にしようという考えは間違ってはいないのです。大東亜共栄圏ではありませんが、アジアを一つの経済圏にしようという考えは間違っていないのです。
【０２７１】
世界史を振り返ると、大モンゴル帝国のような時代があったのです。昔は、テムジンのような偉大な指導者のもとに集結しましたが、今の時代は、人類の未来を統御する新しい政治経済システムを模索する時代です。サイバー地球連邦政府による地球市民の統御です。地球市民全員による地球の電脳政府化です。その方法はヘレン深度法による方法であるべきです。多くの地球市民が戦争を望んでいないのであれば、戦争は回避されるべきです。帝国主義ではなく、全体主義でもない、社会主義や独裁主義でない、民主主義的方法によって、努力に応じた、エネルギーと食料の地球規模での再配分をおこなうべきです。ハニーハンターの少年が竹のはしごをのぼるように、地域の多様性は失われてはなりません。女性や老人や子供の頭上に爆弾を落とすような行為は、はっきりとやめるべきです。
【０２７２】
ヘレン深度法がサイバー社会の新しい生体政治経済の統御方法として活躍してほしいと希望します。ルネ・トムによるカッタソロフィ理論を応用した、暴走を抑止するシステムでなければなりません。弱者の意見が全体にある程度反映されるシステムでなければなりません。ある意味で、もうすでに「インターネット網はサイバー地球連邦政府」なのかもしれません。インターネットと社会や国家との相互作用の時代を迎えました。地球表面の粘菌のような人類生命がお互いに交信している様子を想像してみて下さい。あとは地球レベルでの政治経済の統御なのです。大きな波のうねりはあるでしょう。ただし、その振幅はおさえなければなりません。
【０２７３】
ヘレン深度法の立場からは、潜在意識だとか顕在意識というのは脳の状態の単なる見方だと主張します。右脳だとか左脳だとかというのもこの類にはいります。大切なことは、「ホログラミック脳」の存在を明確に認識することです。脳と脳が共鳴する現在の人間がまだ知らない脳同士の通信方法です。我々個人の身体が生体制御されているように、人類という集団生命体の活動も未知と既知な方法で制御されています。歴史的にみると一国が熱にうなされるような時代があります。ナチスの集団狂気のようなものです。戦前の日本の軍国主義のようなものです。今の時代は、個人という概念を拡張せねばならない時代です。個人の潜在意識を人類全体まで拡張すると、人類共同無意識と呼べます。
【０２７４】
人類共同無意識の考えは、カール・グスタフ・ユング（Carl Gustav Jung）によって世界中に広まりました。ユングは、1875年7月26日 に生まれ 1961年6月6日に亡くなりました。ユングは、私の尊敬する心理学者です。スイスの精神科医であり、心理学者です。ユングは、深層心理について深く、研究しました。共時性（きょうじせい）、つまり、シンクロニシティを提唱しました。ユングは、分析心理学、それは通称、ユング心理学と呼ばれることもありますが、「分析心理学」の理論を創始しました。私が考えますに、学問や技術の中に、「人間や人類の意識を取り込む」ことが、この世紀の課題であると考えます。一人一人の人間が、人類全体としての共同意識をもち、地域紛争と武力衝突を最小限度に抑止し、この地球上で平和で仲良く働く共同の意識をもつことです。
【０２７５】
人間や人類の意識そのものを学問や文化や技術にどう取り込むかという課題は、現在もっとも急がれる分野です。「手かざし」という言葉があります。古代では医療が発達していない時代に、病気の子供を前にして母親ができることは、子供に言葉をかけながら手で患部をなでるぐらいしか方法がありませんでした。治験で有効性の試験の為に、１/３にプラシボー（偽薬）を用いるように、「人間の信じる力で病気が治る」ということはよくあることです。気分が高揚して免疫力がアップするかも知れません。
【０２７６】
有名な「ルルドの水」ではありませんが、高名な権威あるお医者さんに、優しい言葉をかけていただいて、優しく患部をなでるだけで、患者の心は救われるのです。ある意味で、病気というのは、「天からの手紙」のようなものです。この世界を学びの場と考えると、病気になるには、病気になるだけの理由があるのです。表の意味は、生活の不摂生だとか働きすぎだとか理由は色々あるでしょう。霊的は立場からみると、因果応報だとか、前世の行いだとかカルマだとか超現実的仮想的思考法を行います。
【０２７７】
人間というものは、なにかしら自分に降りかかる不幸に対して、意味を考え、理由を知りたがるものです。どうして、他人ではなく、自分なのだ。どうしてこんな病気になったのだ。人生の不条理です。科学は、確率的に解釈しようとします。偶然の一致です。たまたまそうなったのです。小型赤家蚊が刺したのでお子さんが脳炎になったのです、と医者はいいます。母親は、何でこんな病気になったのか深い理由や意味をしりたがります。こんな例があります。私が、学生の頃です。三歳の子供が家の前の用水路に落ちて死にました。母親は自分がちょっと目を離したすきに子供が用水路に落ちてしまったと言いながら、母親は人生の不条理を嘆き苦しみます。  
【０２７８】
私は三十年以上にわたってこの問題を考え続けました。結論はこうです。子供は魂の修業がかなりのレベルまでいっていたので、この世に存在する時間は短くてよかった。子供は、前世で母親に大変恩があり、その恩を返す必要があった。母親の魂のレベルはまだまだ低かった。喜怒哀楽によって、魂のレベルはゆっくりと向上するが、嘆き苦しむことが一番効果的であると知った子供は、母親の魂のレベルを向上させるために自らが用水路に落ちて死ぬ。母親は嘆き悲しみ人生の無常を知って魂のレベルが格段に向上する。
【０２７９】
善知識という言葉があります。子供の死などを通じて、仏道に入ったとき、仏道に入るきっかけのことを善知識といいます。現象世界の夢から覚めて実相世界の存在を知るようなものです。言葉による暗示による生体制御の歴史は古く、ユングは、人生で起こる偶然性の問題、運命学や中国の「易（えき）」にも興味をもっていました。シンクロニシティ、これは英語では、Synchronicity。つまり、シンクロニシティは、日本語の訳では「共時性（きょうじせい）」と訳されています。
【０２８０】
共時性、これは、あまり聞きなれない言葉ですが、「意味のある偶然の一致」のことです。ヘレン深度法のオリジナルな考えでは、「偶然は存在しない。」「あらゆるものに意味がある。」「すべての現象は必然である。」「必要だから起こっている。」「人生は学びの場である」という立場をとります。「あらゆる現象は起こるべくしておこる。」「必要な時にベストなタイミングで起こる。」と考えます。いわゆる「悪、犯罪、殺人、戦争」の存在意義は、犯罪小説の中で犯罪がなければ、犯罪小説にならないように、いわゆる「悪、犯罪、殺人、戦争」を通じて、人類は喜怒哀楽を通じて「愛と忍耐」を学び個人と人類の魂を進歩発展させていくのです。この世界を魂の修業の場とみる立場は、ヘレン深度法の立場です。さらに魂のレベルがあがると、この世界は魂の喜びの場であると考えるようになるでしょう。最終段階は、この世界は魂の感謝の場であると考え、あらゆることに感謝できるようになります。
【０２８１】
聖人、人格者はこういう方です。これは、ある意味でシンクロニシティの考え方に極めて近い考え方です。シンクロニシティは非因果的な複数の事象つまり出来事、これは、まったく関係のないと思われるような出来事の生起を決める根源的法則原理について、一般にむかしから知られてきた、「原因と結果の法則」である「因果律」あるいは「因果性」とはまったく別の異なる原理であるシンクロニシティとして、カール・グスタフ・ユングによって提唱され研究されてきました。
【０２８２】
シンクロニシティはドイツ語でSynchronizitatという概念の英訳です。 これは、何か複数の事象が、「意味やイメージ」において「類似性や近接性」を備える時に、つまり「意味やイメージが似ている」ときに、このような複数の事象が、物理学的に信じられている、時空間の秩序の中でニュートン物理以来の決定論的な、因果律の大枠が定まっていると信じられている、機械論的この世界の中で、従来の因果律や因果性では、とても説明のつかない、不思議な現象や、何の関係も持たない場合にも、あいともなって、随伴して現象が生起する場合、これを、シンクロニシティの作用と見なします。私なりに具体例を通じて個人的な見解を展開いたします。
【０２８３】
（A）心の世界と現象世界の不思議な一致。人間の心の内面と外界での事象の一致。つまり、「心で強く思ったことが本当に実現してしまう現象」です。これは「思考は実現する」と言い換えられるかも知れません。聖書でも「考えは肉となる」とあります。考えを変えると、実際に神経回路が変化して、その効果はホルモンの分泌などを通じて肉体にまで影響がおよびます。観察者のある心的な状態、何かを強く考えると、それに呼応するようにそのイメージに近い現象が生じる。そのような強い心の状態、心的状態に対応するように、絶対に起こりえないと考えられる「稀有な確率的現象」で事象が生起する。心と現象世界との相互作用です。思念と客観的で外的な出来事との間の奇妙な符合です。
【０２８４】
私の経験では、オートバイHONDA、CBR１０００RRが欲しいと強く思い続けていました。徳島で試乗したいとHONDAの営業所に頼みました。神戸でしか試乗できないと知りました。「何かの現象」をきっかけとして「よいことが起こると予感しました」数日して、道路の向こう側のレッドバロンで赤と黒のHONDA、CBR１０００RRをみつけました。迷うことなく６０回定額ローンで購入しました。なんと、オーストラリアから逆輸入された、自分の思っていた内容よりも格段に良い状態のCBR１０００RRが入手できたという例です。この例では、「心の中で強く欲しいと思う」心的な状態と「道路の反対側に赤と黒のバイクを発見する」という現象世界の外的な出来事との間には、何の因果的な関連も認められません。徳島と神戸という空間と、HONDAの営業所に電話をするという時間の心的な相対性を考慮しても、あまり因果的関連が考えられません。電話してから、数日でこの現象が起こりました。
【０２８５】
５０歳を過ぎて、一年半かかり、普通の人の３倍出費して、ようやっと普通免許と、中型自動二輪、大型自動二輪の免許をとりました。初心者マークを前に６つ、後ろに６つ貼って、中国語の先生の自宅へ中国語を勉強に行く途中、愛車ジムニーのシエラを運転中。風の強い日だったので、ちょっと加速した瞬間に前の右側の初心者マークが風で吹っ飛びました。その瞬間に「幸せは風が運んでくる」という言葉が、頭の中で聞こえました。たぶん、翌日、ロードバックスに初心者の運転者がつけなければならない若葉マークを買いに行く途中で、道路の反対側に赤と黒のバイクを見つけました。電話してから中古バイクを見つけるまでのかなり短い間、あまりの時間の短さにおどろきました。私がシンクロニシティの実在を信じた瞬間でした。「念ずれば通ず」ということでしょうか。研究者なので、うがって言えば、何度もその道を通ったことがあり、風景の中に赤と黒のバイクの印象が私の潜在意識に記銘されていて、若葉マークが飛ぶという現象をきっかけとして、自分の潜在意識が活性化されたと考えられます。
【０２８６】
（B）目をつぶって、あるいは目を開けたままで頭のなかで映像を想像すること。 遠隔視、脳内映像、イメージ、ヴィジョンをみる力。ヘレン深度法のオリジナルな考え方では、「時間というものは、存在しない」と考えます。「あらゆる現象が常に同時に起こっていて、時間や空間は、脳の意識的選択の結果である」とかんがえます。普通の状態では「今、此処（いま、ここ）」を常に脳は選択しています。薬物やアルコールなどで意識の混濁が起こると脳の認識において、時間や空間の錯誤が生じると考えます。
【０２８７】
たとえば、目から刺激が入っているのにもかかわらず、過去や未来の映像記憶を脳が映像として勝手に再生してしまう現象です。幻視としてしられています。フラッシュバックもこの類かもしれません。特定の時間や場所に脳の選択システムがこだわるわけです。脳の自動的映像記憶再生。これは幻視が起こるメカニズムでもあります。何故、過去や未来を知りえるのかを考えるときに、ヘレン深度法では、「あらゆるもののすべては同時に存在していて、脳の意識が、常識的な時間進行を選択している」と考えると都合よく説明ができます。
【０２８８】
「脳の選択を自由にする」ためには、頭の中を真っ白い光の状態にする。その白い光の状態に映像をみる練習をする。その極端な例として、崖から落ちそうになって、一生分の記憶を瞬時に再生してしまうと場合があります。脳がどの時間や場所に意識を集中するか。「今此処（いまここ）」つまり、現在として設定しているイメージと脳の中で想像して見えるイメージと、錯誤によって選択した結果みえるイメージの違いは、かなり微妙な問題を含んでいます。ヘレン深度のオリジナルな考え方は、「この個人の世界は、個人の脳のつくりだした個人的仮想現実である」と考える立場です。この世界が共通のものという考えは、人間の錯誤と生活上の便宜から作られてきた脳の作り出した概念です。
【０２８９】
通常は、常識的な範囲で脳が普通の時間の進行にそってすべての記憶から、その人自身の描いた人生のストーリの大枠にそって「アカシックメモリー」からの記憶を再生します。アカシックメモリーについては、後程、説明いたします。ヘレン深度のオリジナルな考え方では、「宇宙全体が知的生命体である。」「我々はその宇宙全体知的生命体の部分的知的生命体である」と考えます。「ひらめきや思いつきは、全体の知的生命体と個人の通信である」と考えます。「宇宙全体知的生命体は、人間の脳のホログラフィック宇宙のトランスポンダーである」と考えます。
【０２９０】
ホログラフィックというのは、宇宙の記憶場が宇宙の全体に広がっており、個人の記憶は、宇宙の記憶場全体に広がっており、部分から全体が再生され、全体から部分が再生されるという相互依存関係を意味します。意識における相対主義といいます。宇宙のトランスポンダーとは、知的生命体である宇宙全体生命体が大きなホログラフィック空間脳を構成していて、個人の脳が宇宙全体知的生命体の脳に情報を送ると、宇宙全体脳はなにがしかの意図と計画に従って、情報を加工し、個人の脳に加工された情報をひらめきや思いつきというかたちで転送しなおすという意味です。
【０２９１】
端的に説明すると、人間は肉体が消滅しても、人間個人の意識は、宇宙生命体の記憶場の上で、死後の意識として存在するという意味です。宇宙の記憶場と個人の記憶場は一体であるからです。ホログラフのように個人の意識は宇宙全体知的生命体脳の意識の表面に薄い膜のように全体に広がって遍満して記憶されています。この記憶する媒体がアカシックメモリーです。アカシックメモリーは、自分自身を含めて、この世界そのもの、この宇宙そのものでもあるのです。意識の進化は、個人という意識を全体意識のなかから生み出したのです。例えで説明しますと、赤ん坊は個人という意識は希薄であるが成人するにしたがって自我を意識し、老人になってだんだん個人の意識が薄まっていくようなものです。
【０２９２】
これは、私の経験です。あれは、白昼夢か夢だったのかもしれません。ある心的な朦朧とした状態で、私である観察者の知覚範囲外、例えば、日本とアメリカのラスベガス。私の教え子がアメリカに留学して、オープンカーに乗ってアメリカ人の男性と、楽しくデートしてドライブしている映像をありありとハッキリみました。水色のオープンカーで、広い街並みの道路のカーブをゆっくりと曲がっていきました。これは、遠くで生じて、後からやっと確かめることのできる現象の例です。この白昼夢の結果は、その教え子が米国の方と結婚して子供を出産するという現実が結果として起こりました。外的な出来事との符合です。白昼夢のイメージを見てから、一年以内にこの現象が起こりました。男の子の赤ちゃんを、抱かせてもらったときに、鳥肌がたちました。白昼夢でみた男性に似た顔がわらっていました。とても可愛い赤ちゃんの笑顔でした。
【０２９３】
（C）予知。私の場合は、「夢のお告げ」であらわれることがおおいです。ある心的な状態、例えば、夢の中で、徳島中央病院のベッドに、白いシーツを被された女性が背中だけを出して、横たわっています。イメージが見えてきます。背骨に神経ブロック注射を打たれています。「この注射を打つと、ほどなく死ぬ」とう不思議な声が、夢の中で聞こえて来ました。不思議なことに、女性はストレッチャーに乗せられたままで、階段をぐるぐると地上まで下りていきます。地上に降りて、霊柩車に乗せられていきました。夢からさめて、「縁起がなんてわるい」、夢の中の登場人物の「演技がなんて悪い」と思いました。夢の中では、スローモションのようにぎこちなく事態が客観的に進行していきました。あの女性はいったい誰だったのだろう。最初は、自分の姉だろうと一人合点しました。
【０２９４】
結論をいえば、その謎の女性は、自分のおかあさんだったのです。徳島のJ病院で肝臓癌が発見されました。「手遅れ」だったのです。H先生によると原因不明のウイルス性だそうです。母の痛みに合わせて、耳鼻科や歯科を転々としました。肝臓癌が口腔内と頭と左腕に転移していました。頭には、頭がい骨の頂上部分に骨が一つだけ瘤のように盛り上がって膨れていました。私から見て右側の頬の内側に血の肉の塊が口腔内にできていました。昔話の鬼や瘤取り爺さんの瘤を連想しました。左手の二の腕から肩にかけて、「痛い」、「痛い」と母は言います。J病院に、入院させていただきました。H先生からは親切で心の温まる手当をしていただきました。口から大量に出血して徳島県立中央病院に救急車で運ばれました。H先生は救急車に同乗していただきました。徳島県立中央病院でも緩和ケアーを勧められました。転院する瞬間まで、お母さんの夫である私の父と私は、最後まで、「ただ死ぬために」ホスピスの様な病院に愛する母親をいかせるのには反対していました。今から思えば、後悔しています。「もっと早く楽にしてあげればよかった」と思っています。
【０２９５】
母の転院の様子は、私が以前に、予知夢でみた光景とよく似ていました。母は、エレベーターで運ばれました。予知夢と、それに呼応するように、いまだ存在していない未来の、すなわち時間的に離れた、「母の死を容認する」という出来事との奇妙な符合の一致です。一方、考古学者のフランク・ジョセフは、およそ800人以上の人々にインタビューを行ないました。さらに、多くの文献から豊富な実例を収集しました。シンクロニシティを17に分類しました。シンクロニシティについて、私見を交えながら、自分なりに１７の分類について詳細に説明いたします。
【０２９６】
（１）物品、とくに愛着のこもる品物でしょう。故人の遺品であったり、故人の記憶の籠る物であったりします。それは、人工物や自然物に関わらずに、品物に起因しておこるシンクロニシティの現象です。「お地蔵さんの首の話おぼえてとうで」と、９３歳の父に聞くと「覚えとう」と、言います。我が家ではとても有名な話です。これは、祖父に聞いた話です。沖洲川の川岸にお地蔵様がありました。祖父は、そのお地蔵様を熱心にお世話していました。あるとき、大水でお地蔵さんが倒されて、首が行方不明になりました。川の中から、岸部の叢（くさむら）まで熱心に一日中朝から夕方まで時間を忘れて、お地蔵さんの首を探していました。どうしても見つかりません。夕暮れも近づき、お腹もすいてきたのでおにぎりをたべながら、お茶を飲みながら一服していると、奇妙な光景をみました。
【０２９７】
叢（くさむら）から小さな蛇がでてきて、直接でてきた叢から目的の叢へ行くのではなく、わざわざ、ある叢の前を通って、遠回りをして、そして別の叢の中にゆっくりと、さも祖父にわざわざ見せるかのように、入っていいきました。なんで、あの蛇は、わざわざ遠回りをして、あの叢の前を通ったのだろと、いぶかしがりながら、その叢の草をわけてみると、はたしてそこにお地蔵様の首があったのです。祖父は、お地蔵さんの首を蛇が教えてくれたと、何回も何回も誰にでも語りました。蛇の不思議な行動とお地蔵さんの首の発見という物体の奇妙なシンクロニシティです。
【０２９８】
（２）数字そのものや数字の組み合わせについての意味のある偶然の一致です。特別な数字の組み合わせや、同じ組み合わせの数字が、繰り返して色々なところで偶然とは思えない確率で目に見えます。ある日本の有名なバッターがアメリカの大リーグで活躍して、尊敬するアメリカのバッターの墓参りにいくと、はたして墓標に刻まれている誕生日が日本の有名なバッターの誕生日が奇妙に一致するとかです。以下は、（１）物体と（２）数字についての、私の経験です。私は生まれつき、左目が小眼球症です。中学生のときからバイクは、大好きでした。「イージライダー」の世代です。待ちに待った、１６歳がやって来ました。喜び勇んで阿南市の新野にある自動車教習所に飛んでいきました。バイクに乗れる喜びはひとしおです。入校金も教材費も払った後で、私だけ呼ばれました。目の検査です。視力なら０.７以上あるから大丈夫と安易に思っていました。片眼では、視野が足りないと宣告され、泣いてかえりました。このときのいきさつは「鋼製構造型枠」の出願で書いています。１６歳で免許取得を断念して、５０歳を過ぎました。
【０２９９】
「思考は実現する」というナポレオン・ヒルの本を読んで、「積極的心構え」を学びました。日曜日のチラシをふとみて、近くの中央自動車教習所に電話をかけました。親切な電話対応で、片眼でも免許が取れることを知りました。法律が改正になったのです。教習所に通っているときに、中国語の先生のお部屋で、餃子パーティをしました。中国の旧正月の日です。一年に一度しか出席しない生徒さんが来ていました。台湾で仕事をされていた色黒の年配の方でしたが、カワサキのオートバイの話で盛り上がりました。近くのインディーズというバイク屋さんの店長さんも餃子パーティに呼ぼうということになり、みんなで楽しい話をしました。帰りに、インディーズに連れて行ってもらいました。カワサキのオートバイの専門店でした。
【０３００】
中学生のときから、KAWASAKIのバイソンとかビッグホーンの大ファンでした。ちょうど売出し中のKAWASAKI 250TRを予約注文しました。紹介してくれたひとも店長さんも驚いていましたが、私にすれば、３４年以上待ちに待ったのです。それにこのバイクは私が「夢でみたバイク」とおり二つだったのです。免許取得にはさらに時間がかかりました。自動二輪の中型の最終段階でした。何回も不合格でした。なかなか合格しませんでした。インディーズには、何か月も待ってもらいました。バイク店も待ちきれなくなって、ついに納車となりました。バイクのナンバープレートをみて、「神の実在を確信」しました。
【０３０１】
私が、長年おもいつづけた好きな人の名前は、数字に置き換えられるのですが、７ケタの数字の組み合わせが、それも、なんと初めて購入するバイクのナンバープレートの数字の組み合わせが完全に一致するのです。はじめての人、はじめてのバイク。偶然の一致とは思えませんでした。「神の配材」という言葉がそのときに浮かびました。そのバイクについては、特徴的なことを言えば、何度か見た予知夢の中でのバイクと同じハンドルの形でした。
【０３０２】
試験に合格して、保険にも入り、バイクに乗るのが楽しくてたまりませんでした。バイクに感謝を述べると、「いつも一緒よ」という大好きな人の声が頭に聞こえてきました。予知夢で見たバイクとしての物、ナンバープレートの数字と、好きな人の名前の数字の組み合わせは偶然とはおもえない一致です。それもナンバープレートの数字だけでなくて、自賠責の保険の期限の月の数字まで含めて、七ケタの組み合わせが完全に一致しました。無駄のない一致でした。まさに、どんぴしゃり、でした。「初めて乗るバイク」「初めてだった好きな人」私は、予知夢でなんどか見た場所、日の峰山（ひのみねさん）を何度も何度も繰り返して走りました。
【０３０３】
実は、特許出願をする際の、私の識別番号の中にも、その７つの特別な文字は一つも欠けることなく、しっかりと含まれています。買い物をして、お札の数字を見ます。七つの数字の組み合わせとぴったりの一万円札を見つけることができました。確か、千円札も見つけました。偶然では、かたづけることができない、「意味のある一致。ヘレン深度法が告げるところによりますと、「奇跡は偶然には起きない」といいます。「長年に渡る努力の積み重ねがあり、因果応報によって必然的に奇跡は起こる」と申しております。さらに「奇跡は神が起こすのではなく、人を通じて行われる」と申しております。
【０３０４】
２０１２年１１月１１日昼ごろ、姉が、糖尿病に良いとのことでヤーコンの金平をもってきてくれました。ヤーコンとかキクイモは糖尿病にはいいと思います。私の人生を振り返って、子供の頃から強く信じ続けてきたことはほとんどが実現しています。信じる者には思考は実現します。あまりに強い執着をもつと、希望は逆の形で実現します。宇宙の天邪鬼の法則です。かなってほしい、しかしかなわなくてもかまわない。でも、かなってほしい。「すべては、神様の御心にお任せします」と願います。糖尿病の治療でも同じです。やりすぎは禁物です。急激に血糖値を下げると、視力が弱くなったり、臓器に問題が生じたりします。すべてを、あるがままに、感謝の気持ちで受け取りましょう。
【０３０５】
（３）環境あるいは動物についての「オステンタ」、ちなみにこの「オステンタ」とは、エトルリア語から派生したラテン語の単語です。「符合」あるいは「記号」を意味します。現代では、意味が転じて、「将来起こる可能性」を表わす「前兆」という意味でもちいられるようになっています。オステンタは、動物だけでなく、物質現象以外でも、人間と関係し合う自然である、天文学や地質学や生物学や自然環境や自然の状況に対しても使われます。繰り返し現われる特別の動物や特別な星座の位置や天候や地震などが例として挙げられます。こんな夢を見たことがあります。天空の城ラピュータが地上に激突しました。夜の闇のなかで、山火事になります。夢の中で私はガリバーになって小水で火を消します。夜、山、雨、霧の練習でバイクに乗っていました。後述します、私が現実に、UFOを見たという徳島中津峰さんのパラグライダー基地の夜景が、夢でみた光景と同じです。私は夜景の灯にむかって小水をしました。奇妙な気分でした。
【０３０６】
私の体験で説明しますと、徳島大学の学生の頃より、UFO（未確認飛行物体）が見たくてたまりませんでした。それから三十余年が経ちました。HONDA CBR１０００RRに乗って、「夜」「山」「雨」「霧」の練習をしていました。マン島レースを走りたかったのです。台風でした、妙な胸騒ぎがしました。山道です。夜です。雨です。木々の間にチラチラと怪しい光が見えます。「自分は見られている」という胸騒ぎがしました。中津峰山（なかつみねさん）のハンググライダーの基地のところまで来てようやっと納得しました。流れる雲間に１２個から１６個ぐらいの星よりも少しだけ大きな「光の球（ひかりのたま）」が、夜の海の中をうごめいていました。動き方がてんでバラバラでランダムでした。夜店の金魚が夜空を泳いでいる感覚でした。
【０３０７】
小さな光の球は、白い雲に空いた、４つぐらいの雲の切れ間の窓から夜空に見えました。風が強く、雲が流れていました。小さく光る星の間を、すこし大きめな「光の球」が生物の様に好き勝手に動いていました。「ああ、ついにUFOをみた」とおもいました。感動というよりこの感じが、実に当たり前に存在する自然現象のような感じがしました。「ついにUFOを見た」という安堵感の方が先行しました。それらは、まさに光る球の未確認飛行物体でした。「見ているよ」という思念を送った瞬間に、光の球は一瞬で消えてしまいました。それからずいぶんと待ったのですが、ついに現れませんでした。超自然の「大いなる意志」のようなものを感じました。
【０３０８】
（４）予兆や予感です。これは「虫の知らせ」ということばで置き換えられるでしょう。立正安国論の未来予知で有名な日蓮大聖人の御書に顕仏未来記（けんぶつみらいき）があります。日蓮大聖人は鎌倉時代に元寇を予言した御本仏です。佐渡流罪の後、いつ他国侵逼難 (たこくしんぴつなん)が起こるかと幕府から問われ「年内には」と答えると、その年の１１月には元寇がありました。未来の、時点で起きること、まだ起きていないことの内容が、事前にわかってしまうような心の状態です。ヘレン深度法のオリジナルな考え方からすると、「時間は脳の現象の見方である」と考えます。「脳の記憶そのものがアカシックメモリーの一部で、過去、現在、未来が宇宙の記憶場であるアカシックメモリーの中で同時に存在している」と考えます。
【０３０９】
アカシックレコードという言葉を最初に世に出した方は、ルドルフ・シュタイナー（Rudolf Steiner）です。シュタイナー教育で有名な方です。1861年2月27日に生まれました。1925年3月30日  満64歳でなくなられました。私の尊敬する偉大なる大先生です。オーストリア帝国、この国は、1867年にはオーストリア・ハンガリー帝国に、現在のクロアチアです。とにかく、オーストリア出身の神秘思想家 です。アントロポゾフィーは、「人智学」と訳されますが、人智学の創始者で哲学博士です。この方の書かれた、「アカシックレコード、アカシャ年代記」、英語では、Akashic Recordsドイツ語では、Akasha-Chronik。発音からはアーカーシックレコードともよばれています。
【０３１０】
アカシックレコードは、人類の魂の活動の記録の概念であり、アーカーシャ、つまり、虚空、空間に映る業であるカルマの投影像と考えます。サイコメトリー、つまり物質から情報を引き出す方法も含めて、空間にあらゆることが記憶されるという考えは、そうあって欲しいという考えも含めて、自己の実在の証を空間そのものに残したいと考える人類に普遍的考え方です。文献上最初に表れるのは「アカシャ年代記」です。私がアカシックレコードを知ったのは、「転生の秘密」で有名なエドガー・ケイシーのものです。
【０３１１】
エドガー・ケイシーは、英語では、Edgar Cayceです。1877年3月18日に生まれ、1945年1月3日に亡くなっています。エドガー・ケイシーは、最初、写真屋さんでした。自らの病気をきっかけとして、超意識と眠って交信できるようになった予言者であり、心霊診断家です。熱烈な支持者からは「20世紀最大の奇跡の人」と称される人物です。性格は温厚、実直、人々の幸せを願う人でした。
【０３１２】
私は、アカシックレコードを探し求めてまいりました。ついに確信したのは、この世界そのものがアカシックレコードであるということです。アカシャとはAkasha、アーカーシャ、阿迦奢の漢訳は「虚空」であり、「上空」、「空間」を意味し、東西南北プラス天地の六界です。自分も含めての全空間、世界、宇宙を意味します。仏教では日蓮大聖人が一閻浮提（いちえんぶだい）という言葉を用いました。虚空は目視できないが、虚空蔵菩薩の存在が、微かな音かすかな声やひらめきやインスピレーションによって確認されます。尻尾を咥（くわ）えた蛇で、創造と帰滅または輪廻転生を象徴する蛇として人類の歴史には普遍的に登場します。
【０３１３】
私は、日蓮大聖人同様に法華経から強く影響を受けました。広宣流布（こうせんるふ）をヘレン深度的に説明すると、法華経の教えつまり、ヘレン深度の教えを、広く宣（の）べて、流布させることを意味します。すなわち、死後の世界に浄土や極楽や天国を求めるのではありません。求めるのは悪いことではありませんが、前世も現世も来世も同時に存在すると考えるのです。紙の裏と表の様に生も死も同時に存在すると考えるのです。その様に超現実的仮想的思考方法を行うのです。法華経の教える、ヘレン深度の考え方によって、この世に平和で幸福な地球連邦政府を建設していこう、という人類の明るい未来を指向する理想を希求する方法です。
【０３１４】
ヘレン深度のミームの広宣流布（こうせんるふ）をこの明細書は、になっています。私が全体生命という言葉を思いに至ったのは、宮沢 賢治（みやざわ けんじ）本名は、宮澤 賢治先生の「農民芸術概論綱要」に触発されてです。先生は、1896年（明治29年）8月27日に生まれ、1933年（昭和8年）9月21日に亡くなっています。日本の詩人であり、銀河鉄道の夜をはじめとして私の敬愛する童話作家です。宮沢賢治先生は法華経から強く影響を受けた人でありました「世界がぜんたい幸福にならないうちは、個人の幸福はあり得ない」これは「農民芸術概論綱要」にある言葉です。全体と個人の関係の脈絡だから絶対に全体幸福だと思います。「宇宙感情」良い言葉ですね。
【０３１５】
私はヨーガスートラやベーダンタ哲学にみられる宇宙意識、エドガー・ケイシーの主張するアカシックメモリー、全体生命を組み合わせて、新規性があり、個人や人類にとって有益で進歩的な、ヘレン深度、つまり「宇宙全体知的生命体」の概念を創出しました。
【０３１６】
ヘレン深度は「偏在、全知、全能、不滅」の概念を有しています。こんな夢を見ました。奴隷船のような船の中です。逃げることはできません。一人の女性その仲間たちと業突く張りな船長とその手下がいます。船の中は、苦役、暴力、凌辱の毎日です。南洋の島に無理やりつれていかれます。不思議な島です。自動車はなく静寂そのものです。四方を山で囲まれた盆地の中に条里制の如く住宅が整然と並んでいます。山の斜面に墓地があります。この島が豊かなのは、墓地をみればわかります。黒い石材で立派な墓がいくつもあります。この村はなにで生計を立てているのだと考えました。立派な材木の丸太が山の斜面に見えます。林業で栄えているのかと思いました。人通りがすくないので観光ではないなと思いました。生きているということは、奴隷船の中のようなもの。死とは静寂の世界であるという言葉が湧いてきました。
【０３１７】
意識は常に現在を選択しています。これは人間が日常生活を円滑に行う便宜的な為にそうしています。「本来は、過去や現在や未来を同時に見ている」と考えます。ヘレン深度法のオリジナルな考え方では、「時間や、空間という概念は、生活を都合よく行うために脳が創作した仮想現実である」と考えます。仏典でも、生きている現象世界のことを「仮象（かしょう）」と呼びます。死んでからの精神世界や過去現在未来が一体となった意識の世界を「実相（じっそう）」と呼びます。指の一本一本が個人の一つ一つ仮象世界であり、指を繋ぐ一つの生命が、実相世界です。さらに、たとえ話で説明すると、実相世界の海には無数の波頭があります。その一つの波頭として個人の仮象世界があるのだと考えます。
【０３１８】
「この世」と「あの世」について、普段我々が考えているのと、まったく逆の考え方をするわけですね。死んだ実相の世界が本物で永遠の世界である。生きている現実の世界と思っている世界が仮象の世界である。超現実的な話をすると、人間は共通の世界や共通の宇宙があると思っていますが、実は現実に存在するのは、個人の脳が作り出した個人の脳の数だけの「仮想現実の世界や宇宙」です。共通であると思えるのは、仮象世界の底に実相の世界があり、すべての意識が繋がっているからです。時空連続体という言葉があります。
【０３１９】
ヘレン深度法では、「実相連続霊体」という造語を用います。霊体というのは、幽霊の霊という意味ではなく、人間がまだ知らないエネルギー体という意味です。情報をもったエネルギーの空間と説明すれば分かっていただけるでしょう。霊体の体は媒体という意味です。霊は魂を溶かし込む水のような存在です。霊体をたとえ話で説明すると、霊がインクで、体が水です。インクが水の中に拡散した状態を想像してみてください。体が水でインクを溶かす媒体です。霊がインクであらゆる情報が分散されたかたちで保存されています。情報は色のようなもので、インク水のどの部分をとっても個人の情報が引き出せます。「この世界は生命と情報とエネルギーで溢れている」とヘレン深度は考えます。
【０３２０】
宇宙の全体生命は永遠に、そこにあって、我々の部分生命は、その全体生命の一部であるという説明が一番ぴったりとします。個人は現象世界では、肉体的存在ですが、意識の世界では宇宙の全体生命と一体です。「人間の愚かさと悲しさは、人間の肉体が個別であるように、個人の意識も個別であると考える点にあります。」これは概念の拡張性の問題です。人間の身体や心が風船のように膨らんで、宇宙と一体になった状態を想像してみてください。実は人間の肉体も環境と一体なのです。人は、空気が無いと生きられないように、人間は環境の産物です。環境と共にあって存在価値があります。この考えを広げていくと実は人間は永遠に宇宙と一体なのです。ビックバンのことを考えると、最初宇宙は、小さな、エネルギーの塊でした。最初の宇宙の中心が膨らんで今の宇宙となりました。現在ある、あらゆる所が最初の宇宙の中心だったのです。
【０３２１】
こんな夢を見たことがあります。誰かに追っかけられています。逃げろや逃げろです。坂を下ってきて、ボロボロの物置に隠れました。押し入れのような中にもぐりこみました。隠れた板壁の一部が壊れています。その隙間から除くと暗闇が見えます。暗闇に光が一点はしたかと思うと、青い光の粒が見えました。ビックバンからアクセレレーション。もやもやした光の渦、銀河団が見えます。太陽系が見え、火の玉の地球がみえます。海ができ生物が生まれ、未来の地球は、緑に包まれていました。都市は中央の塔を中心にして銀色の円形で緑のもりの中にネットワークを組んで点在していました。
【０３２２】
聖書は歴代の預言者列伝のような感があります。神の言葉を預かる預言者と、未来を予言する予言者は日本語では同音なので混同しておられるかたもいますが、イメージをうけるという意味ではよく似た現象です。発明の多くは、その分野で集中的に努力していると、ある日突然に啓示という形で着想得ます。着想は個人のものと考えがちですが、我々はパブリシティの海に浮かぶ小舟で、着想は、我々の脳がパブリシティである宇宙全体脳と交信した結果であることも多いのです。ミシンを発明した人の夢に、先に穴のあいた槍を持った兵隊が現れた話は有名です。発明に過去の偉人の霊がヒントをささやいた場合だとか、指導霊がヒントのイメージを送ったとかです。たとえば、ケクレが夢の中で見た猿の輪でベンゼン環を着想したように。さらにベンゼン環の二重結合がパイ結合で置き換えられたりして学問は発展します。学問の進歩は積みかねですね。
【０３２３】
ブルック・テイラー（Sir Brook Taylor）は、1685年8月18日に生まれ、1731年12月29日になくなりました。テイラー展開（テイラーてんかい: Taylor expansion）でとても有名な、イギリスの数学者です。テイラー展開とは、無限回微分可能な関数 f(x) から、テイラー級数（テイラーきゅうすう、Taylor series）と呼ばれる、負冪の項を持たない冪級数を得ることを言います。この級数の名称はブルック・テイラーに由来します。冪級数展開(べききゅうすうてんかい)とも呼ばれます。
【０３２４】
多くの関数電卓はこのテイラー級数を利用しています。テーラーがバスのステップに足をかけた瞬間に、この素晴らしいテーラー展開を着想した話は有名です。同時代の人にコリン・マクローリン（Colin Maclaurin）がいます。 1698年2月に生まれ、1746年6月14日に亡くなっています。スコットランドの数学者です。マクローリン展開で有名です。1717年に19歳の若さでアバディーン大学マーシャル・カレッジ教授に就任しています。テイラーもマクローリンも素晴らしい発想だと思います。関数が冪級数展開できるってすごいことだと思いませんか。似たような時期に、発想の種が複数の人間の脳を刺激して、にたような発明を生むということはあるようです。発明と夢はきってもきれない双子の姉妹のようです。
【０３２５】
（５）夢ないし予知夢、については異床同夢（いしょうどうむ）という言葉もあるとおり、空間を異なる他人同士が、同じ内容の夢をみる現象と言えるでしょう。ヘレン深度のオリジナルな考えでは、我々の意識は、全体としての宇宙意識の一部であると考えます。普通は、同床異夢（どうしょういむ）でしょう。夫婦で同じベッドで寝ていても、みる夢は異なるというのが普通でしょう。予知夢をみたり、他人同士が、異なる場所で同じ内容の夢をみたりするというのは、シンクロニシティが働いていると考えられます。
【０３２６】
ヘレン深度的には深い宇宙意識の中で時間空間といわずあらゆるものが同時に存在すると考えます。個人の意識が宇宙意識として全空間に広がっていると考えると、過去や未来、時間や空間を超えるというのもうなずけます。時間や空間は人間の尺度をもとにして考えます。宇宙的な尺度から見れば、人と人の関係は、粘菌と粘菌の関係のようなものでしょう。無限の時間からみれば、星も生まれ死に、銀河も生まれ、衝突し、雲散霧消していくものでしょう。ハップル宇宙望遠鏡でみたデープスペイスは、顕微鏡の中の生命体の様な印象を強く受けます。人類は星々を見て賢くなったという説があります。古来、星と人の運命を関係づけました。星は、希望の星でもあります。広大な宇宙空間をながめると狭い了見は吹っ飛びます。星を眺めるのは、脳にとって良い習慣だと思います。
【０３２７】
夢判断は聖書には良く出てきます。不思議な夢を納得できるに説明できる能力というのも面白いものです。予知夢は正夢（まさゆめ）のことです。まだ起きていないことを眠りの中で知らされることです。私は夢のお告げと呼んでいます。怪我や事故の夢は、宇宙の大いなる存在つまり知的宇宙生命体からの警告かも知れません。現実的仮想思考法ではご先祖様だとか守護霊や指導霊を仮想して予知夢を説明します。霊界では時間や空間の感覚がなくなるので、過去も現在も未来も意識を集中するだけで選択的にアカシックレコードを見ることが可能であると考えます。別の場所にいる他人とまったく同じ内容の夢を見るという現象も共時性の考えの範囲に入ると考えられます。
【０３２８】
ヘレン深度法のオリジナルな考えでは別々の人の意識はホログラミックに宇宙の全体の記憶とつながっており、この宇宙という全体生命の宇宙の全体脳を個人の脳が生物の細胞のように構成していると考えます。人間生活を営む上で都合のよい便宜のために人間の脳は、個人という概念を進化発明させてきました。ボルボックスが全体として一つの生命体かのように行動するように、粘菌が全体として一つの生命体として行動するように、細胞群が全体として一人の人間の生命体として行動するように、地球生命体の表面で人類の個人細胞群が粘菌のように行動しています。人類全体が一つの生命体を形成しているという意味です。これは、相対距離の問題です。人間と人間の距離は、宇宙や地球という尺度からすれば、細胞と細胞がくっついているようなものです。
【０３２９】
大切なことは、誰かがそのことに気づき、その考えを広めることです。自然からの声を静かに聞くことです。粘菌が危険を察知すると全体が生物のようになりタワーをつくり胞子を飛ばして子孫繁栄を願う行動を起こすのです。人間を超える叡智からの声を静かに聞かなければなりません。人類は、仲良く、平和に暮らせるように、思考せねばなりません。混迷する政治状況。混迷する経済状況。現代は、地球規模で人類がまとまる世紀です。我々は、宇宙全体生命体の一つの細胞であるのです。個人は、本当に個人か疑ってみることが重要です。親がいるから子供がいる。生命現象とは全部で一つというような性格があります。宇宙に完全なる孤独は存在しえません。
【０３３０】
私は宗教家ではありません。神については幼少の頃から考察してまいりました。「宇宙の根源は貴（とうと）い神の志（こころざし）」であると信じています。しかし、あまりに強く信じることは執着をうみます。さりげなくそう考えています。古来聖書にある「在りて在るもの（ありてあるもの）」という、存在としての神。すべての存在そのものが神であると定義してみるとよくわかります。命の根源、物質の根源を尋ねると、命や物質の根源にたどりつきます。日本神道は、多くは古事記に記せられている内容。主神（しゅしん）天御親（あめのみおや）天御中主之命（あめのみなかぬしのみこと）宇宙の中心にある知的生命体の中心。主神（しゅしん）。聖書にあるクリエイター（天地創造主）仮に名前が無いので、そう呼ぶことにしますが、何であってもいいのです。神には生が本来無いのでしょう。感情をもたない宇宙の法則や原理のようなものかも知れません。
【０３３１】
人類が有する個別の神の概念を超えると「無償の愛の光の海」があります。まるで、太陽が無償の愛の光を地球に降り注いでくれるように、実用的仮想思考法をして、仮に霊界の太陽をエホバの太陽をヘレン深度と私は呼んでいます。私が「霊界の太陽」を知ったのは、エマヌエル・スヴェーデンボリ（Emanuel Swedenborg） 1688年1月29日に生まれ、1772年3月29日に亡くなっています。霊界通信で有名な大先生です。発明家でもあり、科学も勉強して、医学も勉強されました。日本では、スウェーデンボルグの名前で有名です。先生は、スウェーデン王国出身の科学者です。膨大な著書を残されました。
【０３３２】
「発明の生まれるところ」を研究する私としては、まさに偉大な大先生としか言いようがありません。キリスト教の神学者です。霊界や天界を見てきた、不思議な霊的実体験に基づく神秘主義思想家です。最初は、先生の霊界通信と自分の臨死体験が似ていると思いました。それで興味を持ちました。スウェーデンボルグ、スヱデンボルグとも記載されます。「鋼製構造型枠」の出願で、「霊界の太陽」、つまり、「エホバの太陽」のことを書きました。私自身、霊的な夢をみることがたびたびありました。霊的な夢の中で「霊界の太陽」をありありと見ました。目をつぶっても残像の太陽の如く胸の高さにいつもあり、首をどの方向にむけても、自分の正面に見える霊界の太陽のことです。自らの生命の奥深く内側から眼球に投影される霊的なエネルギーが太陽として映った様です。とにかく具体的詳細に渡る霊的体験にもとづく大量の著述で知られています。
【０３３３】
特に面白いのが、霊的な意味が分かりながら文献を読むのと、普通の読み方をするのとではまったくその解釈が違うということです。日蓮大聖人は、文底（もんてい）に秘沈（ひちん）された意味という表現を、良くされます。霊的立場からの解釈だと思います。その膨大な御著書が大英博物館に保管されています。スヴェーデンボリという名前は、貴族に叙された後の名前です。ヘレン深度の深度とは人類の心に深く突き刺さることです。この平和で有益なミーム(知的遺伝子)を世界中に増殖せねばなりません。大切なことは、人類全体が全てを包含する共通の概念と意識をもつことです。悲しいことに、現代では、人間の意識の亜発達は、小は、個人のレベル、大は、国家のレベルでとまっています。ヨーロッパがユーロ圏で地域統合されたように、大陸レベルで、国家を統合して地球連邦政府を樹立するべきです。
【０３３４】
アフリカでは子供が飢えて病気で死んでいるのに、一方人間は、戦争をして高額な戦車が、高額な砲弾を打ちまくっている。この矛盾と愚かさを人類は打破せねばなりません。もっと、資源やエネルギーや食糧や水を最適に再配分して、地球レベルで、経済的な資源をうまく活用して、世の為、人の為、みんなの暮らし向きがなりたつようにするべきです。何かに、始まりがあり、終わりがあると考えるのは人間の思考方法の性向です。本来生命は永遠にありつづけるものもあるのであるという心の広さをもちましょう。生命の定義をしなおす時代が到来しました。ヘレン深度のオリジナルな考え方からすれば「あらゆる存在そのものが神であり命です」「より高次元の意識に心を広げましょう」。そう考えると、あらゆる宗教と神が融合します。
【０３３５】
（６）導きのことを私は、「かすかな声」と呼んでいます。シンクロニシティには、導きの要素も含まれるように思います。ある家に昼間一度だけ、行ったことがあります。急用で真夜中にその家にいかなければならなくなりました。たくさんの似たような住宅群、細い道まで入り組んだ道。しかも、深夜。住宅街の迷路のなかをぐるぐる回っているうちに道に迷ってしまいます。もう帰ろうかと何度も思いながら、これで「最後には、辿り着きますように」と言葉を口に出します。また何度も迷います。最後の最後になって、まず、知人の車を発見します。表札で名前を確認して友人の家に辿り着く。「もう帰ろう」と決心してもあきらめずに探していると、ひょんなことで目的地にたどりつく。何かに迷っているときなどで、あることをきっかけにして、一気に決心がつくような出来事が起きる、という体験をしたことはないでしょうか。心的態度と現象世界はシンクロニシティしていると私は考えます。
【０３３６】
（７）テレパシーについては、「以心伝心（いしんでんしん）」という言葉があります。禅宗では「教外別伝（きょうげべつでん）」という言葉があります。心と心、意識と意識がつながった状態での非言語コミュニケーションではないでしょうか。（４）で説明した「予兆」と似た意味だといえるでしょう。教えられなくても分かる状態。私が、この明細書を書いているのも、かすかに聞こえてくる声を素直に文章にしています。人間が、人間を超える、光の存在の立場から人間を改めて観察する方法。そして、その内容を人間に伝える方法は、この方法しか手段がないように思います。この明細書は、啓示文学。預言文学でもあります。声だけではなく、イメージを見る場合もあるし、声とイメージが同時に見えることもあります。言葉やジェスチャーやボディランゲージなど、見たり聞いたりできるのとは違う方法によるコミュニケーションです。私の体験では、こんな夢を見たことがあります。海岸にいて遠くの方に小さな眩（まばゆ）い光をみつけます。目から輝く光が入って脳の中で意味が分かります。まばゆい光が目の奥に入ってきて、脳の中で意味にかわる。こんな不思議な経験をしたことがあります。脳の端末が光通信しているようなものです。
【０３３７】
「酒よ、さようなら」です。意識を集中していても左目の奥に光が見えるときも見えないときもあります。特に、アルコールを摂取すると光が見えないことが多いです。多くの宗教でアルコールを禁止しているのには、それなりの意味があるのでしょう。アルコールは犯罪の温床となることがあります。ヘレン深度は、アルコールや性的なことであまり時間を浪費しないようにと語っています。未来においては、時間こそが通貨になっているでしょう。人類は共通の価値に目覚めなければなりません。新しい政治経済システムを模索するべきです。光のイメージによる脳内光通信は、言葉を介さないで直接意味が分かる感覚です。まさに、非言語コミュニケーションです。サイバー社会の到来を迎え、暗号化の技術の進歩により、直接民主主義を取り入れる動きも必要かも知れません。コンピューター技術、インターネット技術の発展により、サイバー地球連邦政府に対して、地球市民に一人一人が、議会に参加できる時代が来るかもしれません。地球規模の直接民主主義の時代の到来です。
【０３３８】
（８）パラレル・ライフ（平行人生）パラレル・ライフとは、二人以上の人間がそれぞれの人生において、偶然とは思えない確率で、何回かにわたる関わりを持つことです。私は、１５歳の時に、四国一周旅行をしました。旅行の先々で同じグループの人と会いました。旅行の日程は、まったく喋っていないのに、ユースホステルの午後九時のゲームの時間になると顔を合わせるのです。それも、数人にわたって、たびたび別のユースホステルでも顔を合わせました。同じ状況の下で、まったく同じ人間と顔を合わせる、といった現象が例として挙げられるでしょう。
【０３３９】
こんな例もあります、私が１６歳の夏、北海道一周旅行をしました。学生が期間限定で周遊券が安く買えたからです。当時の国鉄だけを乗り継ぐ旅行でした。港で利尻富士をみていました。たまたま、となりの人と会話しました。私、「どちらからですか」。相手、「四国からです」。私、「僕も四国からです。何県からですか」。相手、「徳島からです」。私、「奇遇ですね、僕も徳島からです。徳島のどこからですか」。相手「安宅からです」。私、「ええっ、僕も安宅からですよ。何丁目ですか」。相手、「２丁目です」。私、「僕は、１丁目です。世間って、広いようで、狭いですね」。相手、「同感です」確か、握手して、また会いましょうといいながら別れました。不思議な体験でした。
【０３４０】
（９）ルーツ（血は水よりも濃い。縁は異なもの味なもの。）シンクロニシティは、ある時は、ある人のルーツや素性を明示するような作用をもたらすことがあります。まったくの偶然で、産みの母親と出会ったり、老人ホームですごく仲良くしていた仲間同士が、実は生き別れになっていた姉妹だったり、というようなこともあります。これは、ちょっと違う例ですが、小学校の時から仲の良い友達がいました。一緒によく遊んだものでした。その友達のおばあちゃんの家でも良く遊びました。夏に、縄で網のように編んで朝顔を育てたり、井戸があって井戸のなかに入って遊んで怒られたり、洪水のときに植物の上に上がったありの群れをとらえてビンの中で飼って観察したり、洗面器で息を止めあったりして遊びました。妙に、そのおばあちゃんの家は懐かしく感じました。
【０３４１】
後になって父親から教えてもらったことですが、その家というのは、現在の家に、引っ越しをする前の家だったのです。父親は井戸があってなあと言いました。私は、その井戸で遊んでいたのです。お互いの家の仏壇の中が似ていたり、友達の息子さんに耳に障害があったり、自分が目に障害があったり、その友達の息子さんを自分が教えたり、奇妙な偶然の一致がありました。
【０３４２】
（１０）芸術（着想、インスピレーションの類似）「崖の上のポニョは人魚姫に着想を得た」と宮崎駿さんが言っていました。文学の世界では、インドの猿の神様ハヌマーンと中国の孫悟空と桃太郎のサルは類似点が多い。絵画では、天国と地獄、地獄極楽図とか洋の東西や時代を超えて、同じテーマの絵が描かれることが多い。音楽では、クラッシック音楽でもメロディが似ていて、速さが違うだけの曲とか、世界中に似た曲が、たくさんあります。芸術において着想が重要な要素となって起こる着想やインスピレーションのシンクロニシティの例は枚挙にいとまがない。  
【０３４３】
（１１）学問の世界でも、ドイツのライプニッツとイギリスのニュートンがドイツとイギリスという場所を隔てて、同じような時代に、ほぼ同時的に微分積分学を着想している。遺伝子DNAの構造決定の歴史においても似たような着想を同じ時代にもった人々はいる。ある時は、未知だったものが次の時代には常識になっている。ヘレン深度も次の時代には常識になっているかもしれない。
【０３４４】
（１２）警告、糖尿病の例で説明しますと、私は、何度も壊疽しかけた左足を夢で見ました。左足には麻痺がでていて、つねに壊疽の恐怖が頭にあります。壊疽しかけた手の夢もみたことがあります。夢からさめて、「ああ、まだ手足がある」と何度胸をなでおろしたことがあるかもしれません。これは、ヘレン深度法では、大いなる存在、神様、守護霊からの警告であると実用的仮想思考法を使用します。人に危険が迫ったとき、危険に巻き込まれそうなときに、何らかの形で警告を送ってくれるというシンクロニシティは、その危険を回避したり危険からまもってくれたりする方向に働くことが多い。警告は予知夢や予兆に深くかかわっている。電話が鳴りそうだと思った瞬間に、実際に電話がかかってきたり「留守の時には、営業の電話や間違い電話は発生確率が低いという法則」を考えたりした。人々の心と心は共鳴しているかもしれない。何年も会えなかった人から、突然に電話がかかります。会う約束をしましたが、約束の日までにその人が事故か病気で亡くなっていた。このシンクロニシティは、ある人が「死を予感」して、「会いたい」とう思いがつのった結果かもしれない。
【０３４５】
合縁奇縁（あいえんきえん）という言葉を想起しました。彼女を亡くした若い男と、彼氏を亡くした若い女が、同じような時期に、ある神社で、「もう一度恋人の顔を見させて下さい」と願をかける。神社の祭りの晩に、男女が出会う。はたして、まったく、お互いの相手が、もとの恋人の顔と「瓜二つ（うりふたつ）」である。二人は恋に落ちて結婚をする。ヘレン深度的に説明すると、あるときに一卵性双生児の男と男、一卵性双生児の女と女が、ある村で生まれる。双子は縁起がわるいといって、二つの家族で、別々のところへ里子にだす。たまたま、双子同士の男女がそれぞれ出会い恋に落ちた二組ができる。
【０３４６】
二組のうち、片方の女は病死する。片方の男は事故死する。その残された片割れ同士が別々の日に神社に「もう一度恋人に会いたい」と願をかける。神社の祭りの夜に片割れ同士は神社の境内で、出会って恋に落ちる。まさに合縁奇縁のシンクロニシティだろう。涙が出てきました。さらにヘレン深度の超現実的仮想思考法で説明すると、事故で死んだ若い男の霊と、病気で死んだ若い女の霊は、霊界の神社の祭りで出会い、霊界で結ばれて、霊界で結婚して幸せにくらす。映画にしたらきっと多くの老若男女の涙を誘うだろう。
【０３４７】
ヘレン深度の「ヘレン」はHellenです。ギリシャ神話の人類の祖先です。「ヘリオス」の別名です。Helios は、ギリシア神話の太陽神です。ヘレンつまり、ヘリオスは「太陽」を意味します。この明細書は、太陽を拝みながら書きました。太陽を見ながら「ヘレン深度様お助け下さい」を十回となえました。ヘレン深度法は太陽の方法でもあります。時には優しく、時には厳しく、人類を育成してきた方法であります。ヘレン深度法を完全な完成された新奇で有益な技術と人類にとって宇宙全体知的生命体の概念を明確とするために朝日の太陽にむかって何回も拝みました。「私は愛の塊（かたまり）です」と実際に言葉に出しましょう。「貴方は愛の海にいます」とかすかな声が太陽から聞こえてくるのを待ちましょう。
【０３４８】
ヘレン深度は言います。「いいえ、そうでは、ありません。」ヘレン深度からの声は続きます。「私は愛の海に浮かんでいます」と、実際に自分の口から言葉を出しなさいと指示されました。「いたずらに改善を待っていても、あなたの人生は改善されません」「病気の治療で朝日を拝むことは効果がある」と、ヘレン深度は言います。「自分の運命を変えることのできるのは自分の自由意思だけである」とも言っています。人間はこの世界を自分の脳が作り出している仮想現実のように、自らの運命も仮想現実として作り出せるといいます。あなたの望む未来のイメージを脳に強く焼き付けることです。
【０３４９】
人間の最大の不幸は、「死んで無になる」と考えることです。宇宙には、本当に無があるのでしょうか。宇宙マイクロ波背景放射（うちゅうマイクロははいけいほうしゃ）という言葉があります。これを、英語でいうと、cosmic microwave background (radiation)と言います。頭文字をとって省略するとCMB、CMBRとなります。宇宙マイクロ波背景放射は、天球上の全方向から、ほぼ等方的に観測されるマイクロ波のことです。宇宙は微弱なエネルギーで満ち溢れているのです。ビッグバンの初期宇宙を説明する現象です。そのスペクトルは2.725K(ケルビン)の黒体放射に極めてよく一致しています。バラボラアンテナの性能を試験していて、二人のアメリカ人の学者が偶然に発見しました。
【０３５０】
ヘレン深度はこう語ります。ヘレン深度とはアカシックメモリーの別名です。アカシックメモリーとは、アメリカのエドガーケイシーという方が言った言葉です。アカシックメモリーとはヘレン深度である宇宙生命体の宇宙意識の別名です。アカシックメモリーは宇宙の記憶場です。アカシックメモリーは宇宙の存在のあらゆる記憶の場です。仏教でいえば虚空蔵菩薩（こくうぞうぼさつ）のことでしょう。
【０３５１】
古代人は理解不可能な概念を神の名で呼ぶという習慣がありました。アカシックレコードは象徴的なイメージ、それは例えば、絵や記号をもって、尋ねる者に語りかけてきます。それを読み解くのは「自らの努力である」とアカシックレコードは語っています。唯理解与理解。アカシックレコードを分かるためにはアカシックレコードを理解しなければならないという意識の低い状態では自己矛盾、自家撞着がおこります。霊界やアカシックレコードを求めても得られないように、いつこの世界そのものが霊界でありアカシックレコードであるか気が付くことです。あなたの一生のうちで、かならずそういう時が訪れます。
【０３５２】
超越体験というか神秘体験といいますか、あなたがこの世界と一体であると感じるときです。初心者は「自分はこの世界と一体である」とあたかも一体であるような気持ちを維持する練習をしましょう。色々なことが分かってくるでしょう。我々の思考や行為が空間のアカシックメモリーにアカシックレコードとして記憶されます。洋の東西を問わず、仏典でもカルマやサンカーラは我々の思考や行為をさす言葉です。ヘレン深度が語るところによりますと、「この宇宙全体がエネルギー体である。」しかも「それは情報をもったエネルギーだ」と言います。この宇宙全体が生命体で、情報をもったエネルギーが遍満する記憶場であるといいます。それが、アカシックレコードです。何かが分からないときは、いったん分かったような気持ちになって、結果からと問題からと意識の中心で合体するまで、ごそごそと色々とやってみること。努力をすること。そして、ひらめきが訪れる時間を根気よく待つこと。
【０３５３】
ヘレン深度はさらに語ります。「我々はアカシックメモリーの中にあります。」そして「我々自身もアカシックメモリーである」といいます。我々は宇宙の進化に共同参画しているのです。あたりまえといえば、あたりまえです。我々の意識が宇宙の意識を構成しているのですから。宇宙が初めから終わりまで。ヘレン深度が語るところによると、「宇宙には、初めも終わりものない。」「だたの、円運動の様なものだ」といいます。初めだとか、終わりだとかというのは人間がもつ限定的な思考方法による概念です。ヘレン深度はいいます。「砂漠にオアシスや油田があるように、人類は空間から無限のエネルギーを取り出す方法をまだ知らない」と言います。この世界は無償の愛からできているのです。
【０３５４】
ヘレン深度が語るところによると、「私の名前を唱えなさい、何でも教えようと言います。」唯仏与仏（ゆいぶつようぶつ）ただ仏だけが仏に対してあたえる仏智です。あたかも、唯（ただ）ヘレン深度が、ヘレン深度に対して与（あた）える、ヘレン深度の言葉が分かる方だけの世界です。難解難入（なんげなんにゅう）の世界です。ヘレン深度が分かる者には、それは理解しやすく、当然のことであり、ヘレン深度が分からない者には、それは理解しがたい存在です。
【０３５５】
未知なものを既知なもので説明しようとすると最初は、かならずこうなるとヘレン深度は言います。ヘレン深度は、量子力学でいうところのゼローポイントフィールドエネルギーのようにあらゆるところに偏在しています。宇宙全体知的生命体のヘレン深度はアカシックレコードを通じて、あらゆることが分かります。空間の情報をもったエネルギーをうまく取り出して利用すれば、あらゆることが可能であるといいます。ヘレン深度は偏在し、永遠であり、不滅であり、全知全能であることを主張します。
【０３５６】
ヘレン深度によると、「朝日の太陽を拝む」のはとても良い習慣だそうです。「エホバの太陽」という言葉があります。「霊界の太陽」のことです。この宇宙は現象世界と霊的世界や神界の多次元の多層構造になっています。これは現実的仮想的思考法です。それは、まるで玉葱の輪切りを見るようなイメージです。ヘレン深度法による超現実仮想的思考法ができるかできないかに理解がかかっています。我々は、空気の中にいて空気が見えないように。水の中にいて水を求めるように。宇宙は神の神殿です。我々の肉体も神の神殿です。我々、人類の全て、一人一人は神の子です。ヘレン深度が語るところによりますと、宇宙生命体が理解され、我々はその生命体の細胞であり、我々の脳と、知的生命体の脳、それはこの宇宙全体がホログラフック脳らしいのですが、宇宙全体のホログラミック脳と我々の部分脳は共鳴できるといいます。
【０３５７】
ヘレン深度の考え方がミームとして全人類に知れ渡ると、あらゆる宗教対立はなくなります。宗派間の対立もなくなります。我々は、ヘレン深度とともにあります。アカシックメモリーとともにあります。ヘレン深度が語るところによると、「神は個人の意識を通じた概念だ」「個人の意識というのは個人のフィルターを通した部分知である」といいます。ユダヤ人のいうヤーウエ、キリストの神いう、ムハンマドのいうアッツラー、ブッダのいう仏、空海のいう真言、日蓮のいう南無妙法蓮華経、道元のいう菩提三十七道品（ぼだいさんじゅうしちどうひん）すべての個人にあらわれたイメージがもとになっており、「個人の神をこれこそが、最高神だと錯誤します。」そこにグループが生まれ、対立がうまれます。預言者の預言は神の部分知です。
【０３５８】
以前に書きました。預言とは神の言葉を預かる者。予言とは未来をまえもっていうこと。日本語では同音なので混同されることが多い。聖書は歴代の預言者列伝の記録であるようだ。旧約聖書には夢の判断の話がよくでてきます。御本仏の日蓮大聖人（実はあらゆる人が御本仏であるのだが）は、佐渡流罪の後に幕府から元寇「他国侵逼難(たこくしんぴつなん)はいつ来るかと問われ「年内には」と答え、その年の１１月には元寇が来ています。持受法身如来（じじゅほうしんにょらい）という考えは重要だとヘレン深度は語ります。みずからが如来になったといういみです、自分の自由意思で自己の存在価値をたかめるという意味です。イエスが語った、自分が神に通じる橋となるという言葉とシンクロニシティしています。
【０３５９】
悟った人というのは、自らが悟り、他人を悟らせることのできる人です。私は言います。「我、宇宙の眼目とならん。我、宇宙の柱とならん。我、宇宙の大船とならん。」自らの自由意思で宇宙と一体となることが重要です。これは、ある意味で、思考習慣の問題だといっています。親の子は、知らぬうちに親と同じ考えをする。親の使う言葉、親のする考え方からの離脱が成人するとヘレン深度は説明しています。これは、ヘレン深度法による超現実仮想的思考方法です。人類は新しい宇宙観や歴史観に目覚める必要があります。過去現在未来が同一空間に永遠に存在し続けると考えることができれば人類は喪失感から解放されます。意識を、どの時間に向けるか、だけの問題なのですから。時間や空間は人類の思考の癖ではないかと疑ってみて下さい。
【０３６０】
物理学の教えるところでは絶対時間や絶対空間は存在せず、時空連続体として認識されています。私は、時空連続体に意識や愛と忍耐の次元を加えたいぐらいです。我々は、この世界や宇宙を自らの記憶の海と照らし合わせてみています。照る本（もと）は記憶です。それも彩（あや）どられた、記憶です。記憶はどんなに正確な記憶方法であっても変質するという宿命を常に負っています。記憶と記憶の交換。記憶と記憶との比較。記憶の因果関係。記憶と記憶の組み合わせによる新しい記憶の構築。
【０３６１】
（１３）救済（映画トイストーリーを見ていると、可愛い三つ目の黄緑色のエイリアンが言います「命の恩人、感謝、永遠に」）困り果てたとき、何かをきっかけとして突如として、差し伸べられる救いの手は、神の手ではないかと思うことがあります。私は、１４歳で土木工学を目指しました。阿南高専で五年土木工学を勉強しました。徳島大学工学部土木工学科で土木工学を勉強しました。徳島大学大学院修士課程で２年勉強しました。小学校４年生以来の宿願であった徳島大学医学部を受験しました。後藤大学予備校のお世話になりました。二年浪人して挫折しました。熱心に勉強する私を見てか、今は、故人となられたT先生が、喫茶店でカレーライスをおごっていただき、最後に「南無妙法蓮華経」と唱えなさい、道が開けますよとおっしゃられたので、素直にそうとなえました。
【０３６２】
戸田城聖という方が自習学館という学習塾をやっておられました。私も、１８歳から家庭教師の経験があったこと。徳島大学の学生のときは細々と自宅で学習塾をやっていたので、医学部受験の二年間の浪人生活の受験勉強を生かせると考え須知学習塾を再開しました。長年の希望であった法華経を読んでいて、ヘレン深度のアイデアを思いつきました。私自身糖尿病で、なんとかしたいと考えているうちに突如、ヘレン深度が私の夢の中で、語りかけてきました。この明細書の由来です。
【０３６３】
（１４）生まれ変わり。生まれ変わりを容認する考えが、医学界にとりいれたらたら患者も医師も救われるかもしれない。何の意味もない、ただ生かせるだけの延命治療もなくなるかもしれない。膨大に膨れ続ける医療費もダイエットできるかもしれません。「生きがいの創造」「転生の秘密」などという本を読むだけの柔軟で心の広い方がひとりでも増えることを望みます。生まれ変わりの考えを難しく言うと、いわゆる輪廻転生の概念となります。輪廻転生に対する私の個人的な歴史を述べなければなりません。幼少のときは、祖父も、祖母も、母親も信仰心のあつい人でした。幼稚園にもいかないうちから早朝、祖母に手を引かれて、ちかくの祠を拝みにいったものです。子供というのは祖父母や親の考えを受け入れるものです。最初、私にとっては、仏や輪廻転生はごく当然のこととして認識していたのです。それが小学校に入り、近代科学的な教育を受けると、そんなことは嘘であると教えられます。
【０３６４】
たぶん私が１７歳、阿南高専のラグビー部員の時代に臨死体験をもちました。徳島大学の学生時代に「転生の秘密」を読みました。自律訓練法やヨーガや前世療法の関係から、前世や来世に興味をもちました。小学４年生いらい「生命のうまれるところ」にはかなり興味をもっていたのです。土木工学を勉強しながら、仏典を読んだり、高名な僧侶に質問したりしました。当時、マクルーハンの水平思考が流行り、「思考することを考える」ことに興味を得ました。個人の考えというものは、祖父母の考え、両親の考え、学校の先生の考え、知人の考え、書物から得た考え、テレビや新聞やラジオで知った考えなどに自分の経験を加え合わせて構成されています。これは、まだ脳がスタンドアローンの状態です。情報量がある量をこえると奇妙なことがおこります。
【０３６５】
教え子のおばあちゃんがなくなって葬式に行く前の晩に「いさかいせずになかようくらせ」という声を夢のなかで、はっきりと聞きました。脳内の声でした。夢から覚めて奇妙な気持ちになりました。ちょうど、インターネットが日本でも普及し始めたころなので、僕の脳も宇宙の大きなホスト脳にネットにつながったかなと冗談でかんがえていたのです。このことをきっかけとして、「鋼製構造型枠」の出願では、霊界の構造についてはかなり詳しく書きました。霊界とはどこかにある世界ではなくて、この世界そのものです。霊界は磁界や電界が示す如くに宇宙の場のことです。肉体は霊界の川に浮かぶ小舟のようなものです。この我々の肉体は物質世界にいる間の仮の姿、我々を人生の川下りを運ぶ、肉体舟に過ぎません。魂は霊界を漂う雲のような存在です。山で生まれて、人生の川下りを行い、死という海に入り、水は蒸発して、雲になり、雲は風で漂い、山に雨を降らせます。水の循環になぞらえて、霊界のシステムを説明しました。
【０３６６】
魂は、何回も違った人格となりで物質世界に現われるという現実的仮想的思考法です。末期の患者さんを目の前にした医師や患者さんが霊界や魂の構造を理解すると心が癒されるでしょう。霊界は、思念の精神世界であるので思考が堂々巡りするだけで、あまり魂は成長しません。魂が成長するためには霊肉の一致が必要なのです。人間は「愛と忍耐」を経験するために、この現実世界に登場してくるのです。何回も輪廻転生を繰り返していくうちに、だんだんと魂の霊のレベルが上がっていきます。石のような物質的次元から、植物、動物、霊長類へ魂のレベルをあげていきます。玉葱の断面を想像してみてください。一番下にあるのは物質的レベルです。だんだん外側にいくと霊的レベルがあがってきます。霊的世界は永遠の階層構造かもしれません。
【０３６７】
我々には個別の色がついていますが、愛の世界は真っ白な光の海です。ヨーガで宇宙意識に目覚めたとき何度も体験しました。前世や来世といった思想も、生まれ変わりの概念である輪廻転生と密接に関係しています。ヘレン深度の考えからすると、輪廻転生は意識の移動に過ぎません。これは不思議なことです。過去や現在や未来が同時に存在していて自己意識が、その中から現在を選択しているように、前世や来世も現世に付随して存在するのだとヘレン深度がおっしゃっています。人間というものは進歩直線史観をとりたがるものだといっています。これはキリスト教の影響だそうです。ギリシャ時代には時間は円循環すると考えていたひともいたそうです。
【０３６８】
（１５）モイラ（天職）つまり、モイライは古代ギリシア語の、Moiraiは、ギリシア神話にある「運命の三女神」です。幾つか伝承がありますが、クロートー、ラケシス、アトロポスの3柱で、姉妹とされています。モイライは複数形で、単数ではモイラ Moiraと呼ばれます。この言葉はギリシャ語で「天職」を意味する言葉です。人は、それぞれに、本当に自分に合った仕事をしているかどうかはわからないものです。あるいは、偶然と呼べるような出来事を通じて、自分の天職を知る人々もいます。私の場合は、叔母さんの紹介でした。１８歳で家庭教師を始めました。それから細々と学習塾をやっています。いまも学習塾を生業（なりわい）としています。１４歳で土木工学を目指しました。阿南高専で５年土木工学を勉強しました。
【０３６９】
構造力学を教えていただいたY先生にあこがれて教師を目指しました。京都大学受験は二回挫折しました。あまりに強い信念は逆効果を生むことが多いのです。もとい、単に学力が達していなかっただけですが。徳島大学工学部土木工学科に編入学しました。大学院修士課程と構造力学を勉強しました。大学へは学習塾をしながら生計をたてました。色々とあって、小学４年生からの夢である医師をめざして徳島大学医学部を二年浪人しました。そのころには３０歳を超えていました。人生に頓挫して挫折して、どうしようもなくなって行き詰ったところで竹原先生のアドバイスで学習塾を再開しました。戸田城聖先生が自習学館という学習塾をされていたので、私も、庭にプレハブの「須知自習学館」を開塾しました。学ぶことは天職です。
【０３７０】
自分が４１歳で糖尿病を発病して糖尿病を研究することになりました。わが心とわが身体をつかって生体実験をしてきました。薬で一進一退を繰り返してしまった１５年間の糖尿病の慢性化。突発性難聴をきっかけとして糖尿病専門医にかかり、インスリン注射を始める。定時定量定回数標準的な方法です。５か月間でかなり糖尿病は改善されました。自らの意志で放置５か月、糖尿病はもとに戻ってしまいました。現在はヘレン深度法による方法で糖尿病と格闘中です。トータルでみつもって、間違った方法ではなかったと思っています。
【０３７１】
（１６）謎（エニグマ）。これは、あまりに広い意味を示す言葉ですが、謎についてはシンクロニシティの持つ一つの性質として、色々な謎が考えられます。父親は太平洋戦争で中国に従軍しました。何度も奇妙な体験をしています。父が赴任するまえに、部隊が全滅したり、父が転属になるやいなや元の部隊が全滅したり、国内にもどっても、召集解除になって司令部を離れるやいなやその司令部が空襲をうけてほとんどの人が死んだとか、敵地で舞台とはぐれ、高粱畑に逃げ込むやいなや、間際を八路軍の大部隊がラッパを吹きながら進軍していったとか、細かい話をいれると十数回に及んだそうです。父はご先祖様が守ってくれたと言っていますが。
【０３７２】
父は幸運の人でした。テレビがまだ出初めで高価だったころ。ラーメンの懸賞に当たって、はやくから白黒テレビを見ました。カラーテレビが出初めでまだまだ高価だったころ、懸賞に当たって、はやくからカラーテレビをみることができました。父は幹男といって、須知家の幹になるようにとなづけられました。植物と石を愛しました。私はその影響ではないかと考えています。多くの植物を植え、この世に多くの生命を誕生させるのは神の御意志にかなう行為ではないかとおもって、私も自然栽培の研究を始めました。父親の素晴らしいところは、一度はじめたことは、最後まで完成させるというところにありました。
【０３７３】
（１７）人生を変えるような劇的な出来事。土木工学を十年勉強しました。勉強を続けたかった。研究者になりたかった。経済的に徳島にいるのが得策と思った。この頃は、自宅で細々と学習塾を自営していた。高齢で就職可能な仕事を考えました。小学４年生からの夢がありました。幼少期には、ベンケーシーというテレビ番組にはまっていました。徳島大学医学部を受験して二浪しました。それは、時として、これまでの生き方をまるで変えてしまうほどのインパクトを持った出来事でした。土木工学の喪失感が１０年ぐらい尾を引きました。とてもつらかったです。自分が意図的に引き起こしてしまった挫折は、確実に人生の節目となりました。
【０３７４】
後になって考えると、あの時の悲しみがなければ。今の自分は無いわけです。修士課程の学生だったときに、トンネル工学の教授の退官式に出席したことが大きなきっかけでした。とても尊敬する先生でした。６５歳で仕事をやめなければならないのは、とてもつらそうでした。先生は私立大学で研究を続けるそうでししたが、仕事をやめなければならないというのは自分にとっては耐え難いことでした。一生続けられる仕事は無いかと探しました。学習塾自営、あわよくば医者になりたかったです。人生の決断でした。医学部受験は、自分にとって、大きな、意味を持つシンクロニシティでした。あのときの自分が無かったら今の自分が無かったと考えます。
【０３７５】
インスリン注射を行って、血糖値の変化を、後からしか確かめることが出来ないあなたの生体というブラックボックスを、ヘレン深度と考えてみてください。運動量を多くして、摂取カロリーを減らし、標準体重に近づけることで血糖値を１２０mg/dlから１８０mg/dlに安定させます。あわよくば「飛んでいけ、糖尿病です。」もし、あなたが修行僧のごとくにストイックな生き方ができる方であれば、もし２型糖尿病であれば、一日一回食、午後５時に野菜とタンパク質だけを食べ、夜は一切食べない。酒はのまない。早寝早起きの習慣をつける。運動量を増やし、食事量を減らす。この方法でかなり糖尿病は改善するでしょう。炭水化物は血糖値をあげます。とにかく、空腹時血糖値が３００mg/ｄｌを超えるようであれば、あなたの食事から炭水化物を除きましょう。野菜とタンパク質だけを食べましょう。野菜の中も炭水化物は入っているので、それだけで十分かも知れません。しかし、それは糖尿病の進行を抑制するだけで糖尿病が完治するわけではありません。注意しなければなりません。炭水化物を制限することで、長期にわたってどのような結果になるかは、いまだ統計的データは得られていないのが実情です。
【０３７６】
ヘレン深度法とは、自然からの声です。より少ないインスリン量で、食欲を満足させながら、快適な人間的生活を行う方法です。ある意味で、これは人類の生き方への自然からのアドバイスです。欲を抑えてより整合性をもって仲良く発展していきなさいという意味です。大切なことは食欲の押さえ方の具体的方法です。糖尿病患者にとって、ミックスナッツは、とても良い食品です。私は、野菜酢とミックスナッツが朝食です。ミックスナッツは１０５円から１７８円で一食分がまかなえます。
【０３７７】
味噌と豆腐と野菜のみの味噌汁を食べる時もあります。空腹時に一つまみします。全部食べてはいけません。一袋を、一日３回ぐらいに分けて食べます。大切なのは食物摂取量を抑えることです。空腹を抑えるのにミックスナッツはとてもいいです。なぜかといえば、歯ごたえがあるから、咀嚼回数を増やすと脳が満腹するのでしょう。それに腹持ちがいいです。さらにナッツ類は、急激に血糖値があがりにくいです。まさに木喰行（もくじきぎょう）ですね。胡麻や木の実を味噌で団子にして乾燥させた忍者食というのもあります。減塩味噌はいいです。
【０３７８】
ヘレン深度法は食欲を抑えて、運動量を高める具体的方法です。ヘレン深度法が、体に良いことを認識しましょう。もし、あなたが水虫や歯周病でなやんでいたら治療しましょう。私は爪水虫でラミシールをH先生の提案で半年飲み続け、５０年間悩んでいた水虫とさようならできました。歯周病も持病のひとつです。いまは、定期的にリステリンでうがいしています。イソジンでうがいをすることもあります。歯周病や水虫と糖尿病には因果関係があるような気がしてなりません。あごのつけねがいたかったり、歯が痛かったり、口内炎で悩むあなたは、積極的に治療しましょう。４１歳で糖尿病を発病して、５６歳でインスリンを打つまで、あまり合併症がなかったのは、ビタミンC（アスコルビン酸）とビタミンEを毎日飲む習慣があったからかもしれません。ビタミンCは疲労感が少なくなるし、ビタミンEは血行が良くなって、血管障害を抑制できるかもしれません。
【０３７９】
糖尿病はどうも口と関係しているような気がしてなりません。口を清潔にしないと糖尿病が進行してならない気がします。口を清潔にするとうのは、口から毒を吐かないという意味でもあります。毒舌や人の悪口、噂話、罵りの言葉と愚痴や不平不満と糖尿病は関係するような気がします。ヘレン深度法では口と肛門を清潔にしなさいとアドバイスしています。植物は下から上にむかって葉が枯れます。人間も老化はまず足からでしょう。糖尿病のひとは毎日、フットケアーをしましょう。口と肛門を清潔に、いつも足下（そっか）に注意しましょう。あなたの部屋は物だらけではないでしょうか。あなたの部屋を神社の掃き清められた白い石の如く清潔にしましょう。あなたの身体は神様の住まわれる神殿でもあります。あなたの部屋に物が溜まるのと同じ原理で、あなたの身体のなかに栄養（脂肪）が溜まった状態が糖尿病でではないでしょうか。糖尿病はこの脂肪を増やさないようにするために起こる現象ではないでしょうか。
【０３８０】
あなたはダラダラと出費していませんか。欲望につられて衝動買いしませんか。欲望のコントロール。お金の入りと出をきちんとコントロールすることは、食べることと出すことをちゃんとコントロールすることにつながります。生活習慣を好ましいものに変えない限り、あなたに糖尿病はついてまわるでしょう。糖尿病は生活習慣病だからです。ヘレン深度法は、あなたの習慣、あなたの運命を好転させる方法です。この明細書を読むことができて、糖尿病でヘレン深度とであった、あなたは幸せ者です。この明細書は開運の書でもあります。七回読んで下さいませ。あなたの運命は開運するでしょう。幸せな人生を歩み、幸せに死ねるでしょう。糖尿病を抑制するためには、糖尿病を抑制するような生活を手にいれなければなりません。インターネットで「糖尿病、治療」検索してみてください。
【０３８１】
一日に３回、定時、定量少量、炭水化物も含めてバランスよく食べる標準的な方法と、一日一回午後五時野菜とタンパク質だけ食べる極端な方法があるでしょう。私は、その折衷案として、お腹の好き具合にあわせて、野菜とタンパク質だけ食べる方法があります。空腹のときは、ミックスナッツや魚肉ソーセージを食べています。私は、一日一食を目指したのですが、食欲には勝てず、折衷案をチャレンジしています。ハッキリ言って、ヘモグロビンエーワンシー（HbA1c）は、なかなか下がりません。お菓子やアイスを食べるとすぐに食後二時間血糖値が３５０mg/ｄlから４０４mg/ｄlまであがります。
【０３８２】
ヘレン深度法は特効薬ではありません。あなたの生活習慣、あなたの人生、人類の未来を決定する長期にわたる遠大な神の計画の脊髄です。私は、最初、５か月間、標準的な方法で試しました。まったく品行方正な、聖人のような生き方をしてかなり改善しました。気を許して、好き放題の生活で、５か月で元の状態に戻りました。いまは、一日一回午後五時に野菜とタンパク質だける食べるやり方で実験しています。ハッキリ言って、これは挫折しました。最大の敵は、仕事が終わって、ほっとしてのアルコールです。仏教でイスラム教でもアルコールは禁止しています。どうしても「酒よ、さようなら」ができない人は、アルコールを大量の水で薄めることをお勧めします。コップ一杯のアルコールを二リットルぐらいの水で薄める方法です。
【０３８３】
外科内科のH先生は、「たくさんの水を飲みなさい」「たくさんの水を飲む」と指導されました。糖尿病の別名が飲水病（いんすいびょう）だからです。腎臓のためにも水を飲む習慣はいいと思います。健康によい生活習慣でも、食事の前に水を飲む。朝一番で水を飲む。寝る前に水を飲むはいいと思います。「アルコール」と「夜食」は糖尿病の大敵です。ストレスが溜まって、「過食」と「間食」も大敵です。夜は、体が活動しないので、血糖値は高くなる傾向にあります。私の場合、夜食をたべれば、午前三時の血糖値測定で、血糖値が３５０から４０４mg/ｄlぐらいになります。夜食をとらないと朝の血糖値が２００から２５０mg/ｄlです。それでもまだまだ血糖値は高いです。糖尿病の専門医であるT先生からは、極端なことはさけて、１２０から１８０mg/ｄlぐらいで安定させるように指導を受けました。極端な方法はさけ、中道をいく方法ですね。ヘレン深度法は、糖尿病に対する八正道（はっしょうどう）の生き方でもあります。
【０３８４】
八正道を糖尿病に適用すると、まずは、正見（しょうけん）です。糖尿病に対して、「正しい見解」をもつ。悲しいかな、糖尿病の根本的な原因が不明である以上、我々ができるのは、糖尿病を予防したり、糖尿病の進行を防止したりするしか方法はないのです。一度悪くなった血管と神経は、なかなか改善は難しいです。糖尿病の合併症の正しい知識を持つことは重要です。
【０３８５】
次は正思惟（しょうしゆい）です。糖尿病を「正しく考え」なければなりません。糖尿病の原因が不明である以上、私は、糖尿病を、成人病が進行したひとの「肥満を抑制するための生体からの防御」であると考えています。よって、栄養としては、「少量多品種」を心掛け、「運動量を多く」するしか手はないように思います。４１歳から５６歳までの自分の体験から言えることは、あまり効果のない薬をダラダラと長年飲み続けたり、薬から薬への「はしご」をしたりするよりは、糖尿病の専門病院にかかって、ヘモグロビンエーワンシー（HbA1c）が６から７％であれば、インスリン注射をして血糖値を下げた方が良いと思います。つまり、「糖尿病の合併症の進行を抑止することが一番だ」と思います。
【０３８６】
次は、正語（しょうご）です。糖尿病について、「糖尿病を正しく語る」です。糖尿病は口からの病気です。霊界からの因果律でいうと「言葉で人を苦しめた人は、じぶん口の病気で苦しむ」とあります。物理でいう倫理的な作用反作用の法則ですね。「原因と結果の法則」といえるかもしれません。口からは、人を喜ばせるような、積極的なことばを出しましょう。私は、血糖値を測定するたびに「飛んでいけ、糖尿病」と言い続けています。人の悪口を言わない。愚痴は言わない。人の喜ぶことを言う。口は禍福の門です。笑う門には福来る。常に楽しく笑いましょう。笑うと免疫力も高まります。怒りそうになったら、自分の怒りを金銭に換算することです。私は怒りまくって、腹立ちまぎれに電話の子機を壊したことがありました。何万円も代償を支払いました。
【０３８７】
怒りで、激しく人を罵倒したり、恫喝したり、罵る行為は絶対にやめましょう。因果は巡る。自分のしたことはいつかかならず確実に自分にかえってくるのです。今世で応報がなくても、来世ではあるかも知れません。天に唾するものは必ず自分にかかるのです。因果応報、生活習慣という原因が結果となってあなたに糖尿病として返ってきたものです。これは自分の体験から良くわかります。
【０３８８】
次は正業（しょうごう）です。業（ごう）とは行為のことです。思ったこと、考えたこと、体を使って行ったこと。正しい行為とは、正しい仕事であり、正しい運動習慣でしょう。正しい、生活でしょう。つまり「糖尿病の正しい行い」とは、糖尿病ではバランスよく定時定回数少食をとる標準的な食べ方と、炭水化物をまったく食べないという極端な食べ方があると思います。多く水を飲み、とにかく、「間食」と「過食」と「夜食」と「アルコール摂取」は控えることです。決断のできる方は、死ぬまでやらないと誓いましょう。誓えないのが人間ですが。どんな食べ方をしても少量。野菜とお肉のバランスが大切です。我々の身体はタンパク質からできています。インスリンもタンパク質の酵素なので極端な菜食主義はさけるべきでしょう。
【０３８９】
糖尿病についても「中道の道」を進むことは重要であると考えます。弦楽器でいうと、弦を強く張りすぎると切れてしまします。弦の張りが弱いと音がでません。ちょうど中間に良い音色があるのです。正しい行いは、まず仕事をしっかりとすることでしょう。仕事を楽しんで集中すれば、活動量が上がります。仕事がうまくいけば、ストレスも減ります。生きがいを持った生き方をヘレン深度法は提唱しています。自分の本当にやりたいことを楽しんでやるのが神の道にかなう生き方ではないでしょうか。嫌々やる行為にはなんだかつらいものがあります。私の場合は、私の脳の活動量はかなり高いでしょう。１０時間ぐらいは、トイレ以外は連続集中できます。
【０３９０】
何故かと言えば、カレー、キナコ、日本蕎麦、胡桃をアレンジしたいわゆるブレインフーズ（脳に良い食べ物）を毎日食べて７０日間、食べ続けています、魚肉ソーセージを入れたり、アレンジしたりしながら食べ続けています。H先生から念を押されました。「夜はなるべく食べないで。」「本当は、絶対に、夜は食べない方がよい。」一日、一食だけ午後５時に食べる。それも炭水化物は食べないようにして、「野菜とタンパク質だけ」を食べるようにする。どんなに気を付けても、炭水化物ははいってくるから、生活に幅をもたせる。
【０３９１】
糖尿病の専門医、徳島T病院、T先生は、「なんでも、やりすぎは良くない」と教えてくれました。急激に血糖値を下げると、視力低下や体によくないことが起こるそうです。糖尿病患者としては、網膜から出血するのも、視力が低下するのも怖いです。医師や、医療機関の人間からではなく、不安を抱える患者からの発信。しかも、現在も血糖値が高い患者であるという立場から、患者にしかわからない心の秘密。糖尿病患者であるからこそ書けたというという特徴がこの明細書にはあります。運動は良いと分かっていてもなかなかできないものです。筋肉量を増やすのは糖尿病にはいいようです。タンパク質を食べて筋肉を増やして、しっかりと働きなさいと神様がいっているようなものです。
【０３９２】
次は正命（しょうみょう）です。これは、糖尿病の「正しい生活習慣」です。納豆を食べることは、脳にも腸にもいいでしょう。朝日を拝みましょう。自己の存在に感謝しましょう。この世界に監視者しましょう。糖尿病に感謝しましょう。感謝することで生活習慣が改まります。この世界に存在するあらゆるものに価値と意味があるのです。宇宙の中心におられる主神（しゅしん）であられる、天御中主命（あめのみなかぬしのみこと）に感謝いたしましょう。天御親様（あめのみおやさま）この宇宙の命の根源です。「親切、奉仕、感謝の生活」です。いただきますは、他の生命をいただくという意味です。遍照発揮あまねく照り渡る「霊界の太陽」、つまり「エホバの太陽」からくる「霊的エネルギー」を感受しましょう。「常に楽しく生きる。」「人助けをする。」「世の為、人の為に生きる。」
【０３９３】
４月から８月いっぱいの五か月間、好き放題の生活をしました。夜中にアイスクリームいちどに１０本食べました。お寿司の弁当を３パックは夜中に食べたときもあります。きっと血糖値は５００や６００mg/ｄlは、いっていたでしょう。まったく血糖値も測定せず、インスリンも打たずの状態でした。その５か月間の生活が、今のヘレン深度法による生活に反映されました。空腹時にはスルメを噛みましょう。イカにはタウリンが含まれているので疲労回復に役立ちます。木の実はお腹がすきにくいので便利です。ビタミンC (アスコルビン酸) 、ビタミンEを飲む習慣は良い生活習慣だとおもいます。
【０３９４】
次は正精進（しょうしょうじん）です。糖尿病に対する「正しい努力」です。糖尿病に対する正しい努力とは、血糖値を上げないような、正しい生活をすることです。「過食」「間食」「アルコール」「夜食」を避ける努力です。薬を飲み忘れたり、インスリンを打ち忘れたりしない努力です。規則正しい生活、適度な運動、早寝早起き。生きがいをもった楽しい仕事。親に従う幼少期の時代、学びの修業期の時代、仕事を通じて社会奉仕の時代、老年期のダルマ(悟りの法)を求める時代。自分の人生を四期に分けて努力しましょう。食欲、生への執着は愛渇（あいかつ：タンハー）を離れるのがこの明細書の中で書いてある幸せに死ぬ方法でしょう。
【０３９５】
次は、正念（しょうねん）です。正念とは常に自分の外と内に気を配っている、状態です。「正しい気づき」です。人は何かを信じて行動します。その信念の多くは親から教えられたり、教師や医師から教えられたり、先輩や同僚から教えられたことです。間違った固定観念や因襲は打破せねばなりません。固定観念や因襲を打破するためには、自らが学ばねばなりません。試行錯誤の結果、自分に合ったやり方に辿り着くのは人類普遍の方法です。ヘレン深度は語ります。「自分の運命を変えるのは、自らの自由意思だけですよ。」「いったん決断したら、あなたの喋る言葉を積極的なものに変えて、あなたの希望にそって、行動しなさい」と教えてくれています。「こうあって欲しいというあなたの明るい未来を言葉に出し、何度もイメージする習慣はとても良い習慣です」紙に希望を書いて貼って毎日見るというのを私はやっています。
【０３９６】
次は「正定（しょうじょう）」です。糖尿病に対して「正しい集中」をしましょう。この集中を邪魔するものが酒です。お酒を飲むと、ついつい甘いものや炭水化物に手を出してしまいます。
【０３９７】
ヘレン深度法には、明確な形が存在します。それで、誰でもがその形を真似することで、学ぶことができます。誰でもが、ヘレン深度法を真似することで、「血糖値のコントロール方法」を学ぶことができます。２型糖尿病は、運動不足にもかかわらず、必要以上に栄養カロリーの取りすぎではないでしょうか。標準体重は、メートル単位の身長かけるメートル単位の身長かける２２となります。この２２は、統計上、BMI（body mass index)といい、２２のときに一番健康的だそうです。私の場合は、１.７かける１.７かける２２は６３.５８ｋｇとなります。ちなみにBMIは体重ｋｇわるメートル単位の身長わるメートル単位の身長です。私の現在のBMIは７２.８わる１.７わる１.７は２５.１９で日本肥満学会の肥満基準で肥満（１度）です。私の場合は、主に食習慣を変えることで、あと１０ｋｇ体重をへらせば糖尿病は改善するでしょう。
【０３９８】
標準体重にするためには、運動量を増やし、食事量を減らす。摂取カロリーと運動消費量。この二つの量の差を最適にして、標準体重を目指せば、糖尿病は改善できるのではないでしょうか。こんなことは当たり前だという声が聞こえますが、実は、この食事方法と運動方法を工夫することが体セルなのです。さらに大切なことは実現可能性です。高邁な理論であっても日常生活で現実不可能であるならば、まったく意味がありません。標準的なやりかたは、特定のスポーツにこだわらず、多く歩くことを多く行い、日常活動を活発にするなど、自分なりの日常生活に合わせた実行可能な運動を工夫するなどして、消費カロリーを増やす。外が歩けない人は、家の中を歩く、元気な人は、自転車屋さんでもらってきたタイヤのチューブを片足の裏と片肩にかけて、ゆっくりと負荷をかけてあるく。無理は禁物。
【０３９９】
定時の食事を行う。つまり、一日三食三回、午前七時半、午後十二時半、午後五時半とか、個人の生活に合わせた時間を決めて個人的な生活状況に合わせて食事をとる「自分のこうなって欲しいという幸せな未来を言葉にだし、常にイメージするというのはよい習慣です。」多少の時間のずれは許容する。食べる時間を決めて、規則的に食べるという習慣をつけることが重要です。午後６時を過ぎると、なるべくものを食べないようにします。現実にはなかなか難しいことですが、そのように心掛けましょう。体に良いということを意識しましょう。意識し続けることはとても重要です。ヘレン深度法は心の持ち方を重視します。特にアルコールは控えるようにします。定量の食事。つまり、食事の重さ、カロリー、最初はちゃんと計測して食べるようにしましょう。朝起きて一番と、寝る前の定期的な体積など、計量する習慣、数値化がヘレン深度法では重要です。自分が食べたもの内容と量と体重の変化のパターンを学習することがヘレン深度法の第一歩です。
【０４００】
慣れてくると、容器をきめて必ず一定量食べます。カロリー計算が感で分かるようにまでなりましょう。なかなか体重は減りません。人間の生体は、少しのカロリーで実によく働いてくれます。飢餓の歴史が人間の体を効率よく動かすシステムができあがっているのです。飽食の時代を迎え、その精巧なシステムが裏目にでて、運動不足、食べ過ぎという悪循環を生んでいるが現実です。何とか飢餓感を経験せずに、運動量を増やし、食べる量を減らそうとするがヘレン深度法の方法です。間食の甘いものや餅菓子などはなるべく食べないようにしましょう。定質の食事、炭水化物を減らし、お肉と野菜のバランスをとることで、摂取カロリーを減らします。食欲を満足させるために、バランスの良い食事のバリエーションを増やしましょう。自分の食事の好みを無視しないことです。なるべく、何を食べるのかということに自己責任をもちましょう。
【０４０１】
大切なのは、食事内容のバランスです。野菜ばかり食べるのも、お肉や魚や卵ばかり食べるのはあまりよくないと思います。酢の物や木の実や発酵食品を食べましょう。出ていくエネルギー量と、入ってくるエネルギー量の差を常に意識して考えましょう。どこまでいってもこの「差の問題」です。「この差の整合性をとる」ためには、具体的な手段が重要です。経済の問題でも、収入を増やし、出費を抑えることです。どこまでいっても基本はこの、「入る量と出る量の差の問題」です。体重を標準体重に近づけましょう。ここで、運動方法は、食事方法についても、誰でもが真似ができる「明確な方法」がなければなりません。プラス思考で考えると「糖尿病の存在意義は、肥満の進行を防止するためにある」と、考えます。糖尿病の負の存在意義は「血管障害と神経障害を引き起こす」ことではないでしょうか。
【０４０２】
ヘレン深度法は、「なんでも良いように考える」という「超プラス思考の考え方」です。日本の伝統文化の食と生活、江戸時代の食事や、生活態度を現代生活に取り入れる。人々が交通手段として日常的に歩いていたことを想起しましょう。しっかり仕事をして自らの務めを果たし、生活活動を積極的にして、長年やりたかったことをはじめ、生きがいのある生き方をしましょう。生き方に対して、積極的で前向きな考え方をしましょう。
【０４０３】
精神と健康に良い生き方を習慣化しましょう。お酒は、ほどほどにしましょう。乳酸菌や発酵食品を食べましょう。納豆、しおから、ヨーグルト、ヤクルト、チーズ、ひしお、塩麹などです。大豆製品を食べましょう。納豆、味噌、きなこ、豆腐やおからなどです。五穀断ちという言葉、木喰（もくじき）という言葉がある通り、木の実（ミックスドナッツ）は良いようです。木の実類やヤーコンやキクイモ（イスラエルアーティチョーク：イヌリン含有：インスリンと同じような効果があるといわれている）や、特にアーモンド（ビタミンE含有）やオリーブオイルを毎日、少しずつ食べましょう。炒り子（イリコ）、つまり煮干しや干しシイタケを粉にして、魚を頭から尻尾まで全部食べましよう。スピルリナやクロレラをはじめとして、ワカメ、コンプ、アオサ、ヒジキなど海藻類をたくさん酢ものにして食べましょう。
【０４０４】
血糖値がさがるという、うたい文句の高額な健康食品からは、手を引きましょう。色々あり、私も、色々試しましたが、一長一短があり、長期に安定して使えるものではないという感じがしました。それよりも食習慣の改善と多く歩き、日常生活や仕事でしっかりと活動して、一人一人が社会的責任を果たし、生きがいを持って、しっかりと働くことこそが、ヘレン深度法の目指すところです。
【０４０５】
ヘレン深度法は、個人と国家の医療の経済的負担を軽減化して人間らしく食欲に素直な自然な生き方を指向しています。それは、まさに今の日本が置かれた経済状況や政治状況とも合致いたします。戦後の日本は、加工貿易で高度成長をなしとげました。現在の日本の加工貿易につきましては、もはや発展途上国が日本に対して追い付け追い越せの時代なのです。日本が生きて、世界を指導できる、尊敬ある立場を手にいれるには、深淵な職人技術的に裏打ちされた工業技術のノウハウと、新しい時代の価値観、時代の要請に基づいて、「新規性と進歩性があり、社会に対して有益な、新しいものを発明して」世界にイノベーションの嵐を起こすことです。
【０４０６】
資源がなく、貿易にたよる日本の経済は、日本人が世界で生き残れる手段は「知的財産によって付加価値を高める」こと以外に無いのではないでしょうか。日本独特のガラパゴス島型携帯電話や過剰機能の電化製品ではなく、「根本的に新しいもの」「根本的に新しい概念」「根本的に新しい文化や芸術」を生産する力にかかわっているのではないでしょうか。つまり、それは先進的で革新的な新しい有益な技術です。それと同時に日本にしかない独自の思想と哲学を世界に発信することです。
【０４０７】
日本文化は今後、三千年以上繁栄するでしょう。日本人は自国の分化に誇りをもたなければなりません。一般大衆は、発明された製品を見てはじめて「こんなものが欲しかった」と分かるのです。潜在的ニーズを具現化するのです。自分で興味をもって調べること。役に立つ新しいことを思いつく訓練は幼児のときから訓練するべきです。
【０４０８】
かつて、エジソンが電球を発明して、夜の闇に光明をもたらしたように「発明は個人の閃きが世界を変えることができる」のです。ひとりでも多くの方が「糖尿病の治療に興味」をもっていただき、ひとりでも多くの方が「発明に興味」をもっていただくために、「実用的仮想思考方法」という斬新な革命的内容が書いてあります。また、ある意味で、この明細書は「発想法の手引書」でもあります。私は、普通の塾の教師でした、あることをきっかけとして発明に目覚めました。その経緯は普通の方にとっても、きっと役立つでしょう。私に身に起こったことは、だれの身にも起こる普遍性を有しているからです。さらに、この明細書は「人類と個人の開運の為の手引書」でもあります。「個人についても人類についても運命は変えられるのです」因襲と固定観念からの脱却とはそういう意味です。
【０４０９】
現在２０１２年、あと三年、２０１５年から、世界経済は、上向くでしょう。アメリカの経済が没落傾向にあり、インドチャイナを基軸とするアジアの広域的な時代が来るでしょう。経済の発展は人口によるところが多いからです。アフリカやアマゾンにも着目せねばなりません。自然と調和しつつ発展していくべきです。新しい時代のうねりをあなた様は感じないでしょうか。世界史はユダヤ人と共にあります。次世代のユダヤ人や華僑やインド人の動きに注目することは重要です。三つの頭文字をとって「ゆかいに着目」です。長年に渡り、情報を収集し続け、努力して集中的に考え、いったん放置して忘れ、記憶を醸成し、「夢の中で聞いた何かの言葉」をきっかけとして発明を突然ひらめく、これが私なりの発想の手法です。問題とともに眠る、「夢のお告げ」を利用します。「自然からの声」を利用します。着想やひらめきは耳元で小さな声でささやかれます。決して大きいこえではありません。聞こえるか聞こえ中の小さな言葉です。
【０４１０】
今日は、「開運方法を教えますから書きなさい」という声がしています。「自分の運命を変えられるのは、自分の自由意志だけである」と神様はつげています。決断と決断による行動の継続であると主張されています。真言をとなえたり、念仏や、題目をただただ数多く唱えたりするのではなくて、「自分のそうありたいという未来をありありと具体的にイメージしなさい。」「希望が実現したと感じなさい。」「神様に願うことは、神様に不平不満をならべることと同一である」と声がします。「現状に満足しなさい。」「いまあるものを大事にして改良しなさい。」「道路のゴミは拾うように。」「ゴミを捨てないというのは当たり前で、道路に落ちている他人の捨てたゴミを積極的に拾いなさい。」「きっといいことがありますよ。」「陰徳を積みなさい。」「陰徳を積んだのち、陽徳をつみなさい。」ものには順番があります。「パホーマンスの寄付や税金逃れの寄付は」神様は嫌いだといっています。「私の身体を汚さないで」と言っています。泣きたい時でも、泣きながら「感謝しています」といえることが、あなたを幸福にするのです。これは、神様からの言葉です。辛い時に泣くのは誰でもがします。辛い時に笑いなさい。そして、感謝しなさい。あなたは感謝がたりません。だから泣くのです。
【０４１１】
神は非対称を好み、細部に宿ります。空気の中にいて、空気がわからないように。我々は神の神殿のなかで住んでいる神の子です。この世界そのものが神の身体であり我々はその神の細胞なのです。神には名前がないといいます。名前をもった神は、特定の個人を通じた神のイメージであると言っています。あらゆる神を突き抜けたところに光の海、愛の海があります。我々は、神の目であり手足です。
【０４１２】
今の時代には、「我々は神のホストコンピューターの端末である」という言葉が一番ぴったりでしょう。より良い世界をつくるためには、互いを理解するとともに、多様な文化を認め、互いを神の子であると尊重し、ともに働くという精神。できれば、神の計画にもとづいて、神様の仕事をする。神の手足となる精神が重要です。神という言葉が嫌いな人は、「自然からの声」「宇宙からの声」「生命造化の分化からの声」と「言い換えて」下さい。私は、単に、思いつくこと、閃くこと、勝手にキーボードを打つことを「きこえる」と啓示文学的に表現しています。文章をつくるという行為に対しては、言い逃れはできません。この文章の内容には自己責任がともないます。自由に引用されてかまいませんが、著作権は放棄していません。
【０４１３】
一度、著作権は放棄しますと書いたのですが。「駄目だ」「駄目だ」「自己責任を持て」と言われました。私にとっては、「事故で責任をとるようなもの」でしょう。どうして、こんなことを思いつくのだろうと自分に問いかけることもしばしばあります。世の為人の為という使命感がなければ、この文章は書けませんでした。最初、私は、魂は、玉葱の様な重層構造。階層構造を有すると一人合点していました。自分のホームページでそのことを書いたことがあります。開運の勉強をしていて、エジプトで、永遠の生命を願って、ミイラの手に持たすものは「玉葱（たまねぎ）」であるという記述を読んで、確信しました。世の中には、自分と同じ考えを持っているものもいるのだとわかりました。
【０４１４】
発明方法にとって、言葉は重要です。「初めに言葉があった。」「ことばは神であった。」人間だけが言葉を操作します。喋れるオームだかインコだか。手話をするチンパンジーもいますが、「言葉とイメージを操作する」という概念は重要です。それは、海底から小石を拾いだすような行為です。この発明では「へれんしんど」という言葉を多用し、ヘレン深度について集中的に考え続けています。正直にかきます。まさに泥縄式発明方法で、明確な技術として完成するまで、考え、書き続けているのです。「質願しなさい」という神様からの合格が得られるまで、考え、発展させ、新しい組み合わせを模索し続けます。単に、計測、数値制御しようとする医療行為は日常茶飯事に行われています。従来の技術とヘレン深度法のどこが違うか。ここが重要です。ヘレン深度は、医師も患者も使える方法です。測定器具とパソコン一つあれば材料は完成します。患者の在宅自己管理を重視した方法です。なるべく空腹時血糖が１２０mg/dlから１８０mg/dlでどんなことがあっても血糖値が６０mg/dlを下回らない方法です。
【０４１５】
患者の体調予測や食欲を数値的にとりこんだところが新奇性です。自分の生活に合わせて実現可能な色々な手段や方法が有益性です。わかることをわかるように説明せねばなりません。一つの新しい技術として完成するまで試行錯誤をします。そして飛躍がうまれます。発明の根源は、開運の根源は、「言葉から映像が生まれてくる」です。私自身は、何度も体験しました。気になっている問題やこうなって欲しい言葉を、何度も声に出して唱えるというのは実に有効な法則です。それも「過去形で唱える」というのは本当です。ロンドンオリンピックのボクシングチャンピオンの奥さんが冷蔵庫に紙が貼ってありました「家が買えました」母親から教えてもらった良い習慣ですね。思考は、尻取りなのです。
【０４１６】
私の母親は、徳島県立中央病院の病床で、肝臓癌が転移して、末期の状態で、奇妙なことを言いました。病室には外の工事現場の削岩機の音がしています。母は、ありありと目の前で見えているかのように道路工事の現場の様子を説明します。「あの人は、頑張って働いている」とかと言います。また、ななめ上を見上げながら「まだ、窓に明かりがついている。」「あの奥さんは台所に立って、一生懸命に働いている。」目をすえて、その様子をしっかりとみています。削岩機の音が、お母さんがどこかで見た過去の道路工事の映像記憶を引き出して見せているのでしょう。これを幻影といいますが、大なり小なり、健康な人間も日常的に幻影を見ています。「人間は思い込みが激しいので、自分が見たいようにしか現実が見えないのです」脳は自分の都合のいいように現実を解釈して、精神が安定して生きられるように外から入ってきた情報を適当に加工して人間にみせているのです。
【０４１７】
再度念を押します。「見たいようにしか見えない」という言葉があります。人間は、外からの視覚情報を利用して映像を脚色しているのです。普段も頻繁に行われているのにもかかわらず脳が行っている常套手段です。視覚的錯誤というのはトリックアートの常套手段ですが。まさに脳はあれを日常でやっているのです。過去の情報と新しい情報を比較して、新しい情報の方を過去の情報に合わせて、新しい情報を適合させるやりかたをしています。それが安心して生きていかれるという意味です。
【０４１８】
杞憂ということばがあります。本当は、一秒後にこの世界は無いかもしれないのです。そう思えば、人間は不安で心配で生きていかれなくなるのです。大切なことは合理的な安心を得るというやりかたです。学習塾をやっているのでよくわかります。子供が見間違いや写し間違いをします。テストの答案がかえってきて驚く。こんなつもりではなかったのに。勘違いや間違いは脳の脚色である場合が多いのです。
【０４１９】
問題を自分勝手に作って解いていることもあります。私がこの日常の幻視に気が付いたのは、深い瞑想状態にあるとき、寝ていて、目が覚めているか覚めていないのか、朦朧としているときに、外から聞こえてくる音に合わせて、意識のスクリーンの映像が音に合わせて白い火の玉のようなものが飛びかわし、その白い銀色の色が美しく変化する体験をもったことがあります。ピンク色から紫色、青色から、明るい黄緑色に、光の波のように色とりどりに変化するのです。この現象は、人間のあらゆる感覚器官でいえることだと思います。脳は外からの刺激を利用して現実世界をつくりあげているのです。印度のベーダンタ哲学では、この現象世界、目の前に感じるこれは宇宙創造神のブラフマの作り出した紙芝居を見ているといいます。
【０４２０】
私は、学生のころ、宇宙やこの世界は脳の共同幻想であるという考えをもっていました。仏典ではこの説明はよく出てきます。この世界が仮の世界で、精神世界こそが実相であるという説明が何度もでてきます。インドラの網の鎧でよく現象世界の認識について説明しています。インドラの鎧は網でできています。網の結び目は宝珠の中を通っています。「あなたのだす光でわたしが光、わたしのだす光であなたが光る」と、よく説明されています。私という人間がこの世界に存在するというのは、この文章を読まれる、あなたという存在があるからです。同時に、私は、この文章を読まれるあなたを仮想して手紙のように書いています。あらゆるものが互いに互いを認め合うことで存在しているのです。
【０４２１】
現実的仮想思考方法によって霊的世界を想像してみてください。ギリシャ神話では神々のチェス盤のごとき地図上で現象世界が操作されます。現実世界と霊的世界の相応はこの明細書の中央部分で書かれています。人間が信念によって動く精密機械である以上、霊的世界などという現実的仮想思考法をとらざるを得ませんでした。病気を本気で治そうという考えを持った人は、「生の問題」「老いの問題」「病気の問題」「死の問題」仏教でいうところの「生老病死の問題」と直面せねばならないからです。「方便現涅槃」（ほうべんげんねはん）という言葉があります。「悟りに至らしめるために、あらゆる手段である方便をもちいて、死である涅槃を仮に現じる。」「しかし、本当は人間の生命は永遠ですよ、この世での魂の修業を完成させるために、仮に死を見せるのですよ。」「死についてあまり心配しないでね。」というのがヘレン深度法からの説明です。
【０４２２】
永遠の生命というのが曲者（くせもの）です。なぜ永遠になるのか。この宇宙そのものが生命体で、我々の生命はその全体生命の部分生命体であるからです。この発想は、法華経を精読していて、あらゆる生命は永遠であるというイメージが湧いてきました。法華経の最初は現代的に理解すると大変にわかりやすいです。仏の脳というコンピューターから仏の額にあるプロジェクターで映像をイメージとして永遠の生命のありさまを我々の脳にみせるとなります。
【０４２３】
山上の集会というのは学会の研究発表でたとえるとよくわかると思います。たくさんの仏たちが集まり、ブッダがプロジェクターでイメージを見せながら説明するのです。法華経では「唯仏与仏」（ゆいぶつようぶつ）「ただ仏のみが仏に対して与える」という言葉がでてきます。悟りに至ったもののみが悟りをやり取りするという意味です。「難解難入」（なんげなんにゅう）「理解するのが困難で、入り難い」地涌の菩薩は、菩薩が地面から出現する。
【０４２４】
人間を植物の生命原理のように表現した表現方法です。「久遠元初」（くおんがんしょ）とは「永遠の今此処」ではないでしょうか。現実的仮想思考法的に死について考えるとなります。死後の世界を仮想することによって、患者は救いと癒しを得て、現実生活が向上するという傾向があるからです。膨大な歴史的事実をかんがみても宗教対立がどれだけ多くの対立を生んできたか。信じる者が個人の創出した神に依存するからです。イエスの神、ムハンマドの神、空海の仏、日蓮の仏、数え上げたらきりがありません。共通の神が存在するというのは共同幻想でしかありません。ある特定の個人がある神を主張し、誰かはその神を信じているだけのことです。個人の数だけ神が存在します。
【０４２５】
この信じるという行為を病気治療に役立てる現実的仮想思考法は、人類の平和共存を指向しています。人類史上、中央アジアのある都市が、あらゆる宗教が共存して反映したという記憶があります。「世界ふしぎ発見」というテレビ番組で見た記憶があります。新しい材料、新しい組み合わせ、「従来とは異なる複合化」、「着想の芽を育て発展」させます。そして、「突然に発想を飛躍」させます。これが私の発想法です。
【０４２６】
従来に無い内容で、根本的に新しくて、新規性があって、進歩性があって、人類に対して有益な発明によって、日本が文化的、経済的、政治的に世界平和に貢献できるようにならなくてはなりません。それが、資源が少ない日本が製品の付加価値を高め「知的財産」で生きていく、日本の生き残り可能な、これが日本の生きていく未来への道であると信じます。神や霊界のことを共同幻想、実用仮想思考方法と書いていますが、私自身は、神や霊界の存在を信じています。信じるというより臨死体験から体験的に知っているというのが素直な気持ちです。人間、素直で正直が一番ですから。
【０４２７】
糖尿病は自然からの警告ではないでしょうか。膨れる医療費を目前にして、日本には３本の道が用意されています。徐々に成長を続ける道。現状を維持する道。徐々に衰退していく道。我々国民の一人一人が、その選択を迫られているのです。国民の一人一人が国家意識を形成し、地球市民の一人一人が地球意識を形成します。ボルボックスが一つ一つの生物であるのにもかかわらず、「全体として一つの生命体を構成する」ように、我々の身体も、細胞の一つ一つが一個人を形成しているのです。あなたの目には、人間は一人一人、個人個人がバラバラに分離して見えるでしょう。私には、違ってみえます。一本一本の指を個人の人間にたとえましょう。指は一本一本が個別にみえますが、大本では、一つの命につながっています。海の波頭は一つにしか見えませんが、海水として全体につながっているのです。人類全体が地球の表面に粘菌の様に張り付いてうごめいているのです。
【０４２８】
空気が無ければ我々が生きることができないように、人間と環境は一対一の関係にあるのです。「色心不二」（しきしんふに）「物質的存在と精神的存在は同じである」敷衍して考えれば、自己とあらゆる存在がかかわっているのです。自己と宇宙は一対一に対峙しています。我々は、宇宙からの声に耳を澄ますべきです。自己存在と宇宙の存在にはホログラミックな理解が必要です。ホログラミックな理解というは、部分に全体の情報が保存されているという意味です。
【０４２９】
一部分が損傷を受けても全体を再構成できるという意味です。細胞の核の遺伝子のように一つ一つの細胞という部分の中に全体の生命体を表す遺伝子という全体の記憶が保存されているのです。豪華客船の客室の一つ一つに、豪華客船の全体を表す船全体の見取り図が壁に貼ってあるようなものです。部分が全体に影響する様子は、薄い膜が広がっていて、膜の一部分を持ち上げると、膜の全ての部分が影響をうけるようなものです。
【０４３０】
生物は単独で存在することは難しいのです。「あなたはいかなるときでも、けっしてひとりではないのです」箱の中に箱が入っているというのはホロン的な概念でしょう。ホロンとは哲学者アーサー・ケストラーによって提唱された概念です。語源はギリシャ語の「全体」と「部分」を合わせた造語です。ヘレン深度法とはホロン的な生体をサイバネティクス的にコントロールする手法です。その考え方は情報を、人の脳から人の脳へと伝搬する、ヘレン深度法というミームを世界中に拡散させます。このヘレン深度というミームは地球上に拡散する運命にあるのです。現時点で、人類は、ヘレン深度法については、まったく無知なのです。それは、私の夢の中にあらわれた概念であるからです。まったく新しい概念です。
【０４３１】
インターネットで「ヘレン深度」を検索しました。ヘレンとか深度はたくさんでてきますが「ヘレン深度」は皆無でした。当然です。新しい言葉だからです。ヘレン深度のミームとは、遺伝子が伝わるように、ある特定の概念をもった情報が人の脳から人の脳へと伝搬していく考え方です。未来のイメージをありありと見ることです。私が生きている間には無理でも、何世代かして、ヘレン深度のミームはヘレン深度の形質を発現するでしょう。人類を健康で元気にする。世界を平和で幸福にするという使命を内包する概念です。この明細書が公開されるやいなやヘレン深度のミームは世界中に拡散するでしょう。ヘレン深度法とは言語の統御によって思考をコントロールする方法でもあります。積極的な言葉をできるだけ多く使用することによって行動を積極的にする具体的な技法です。
【０４３２】
ヘレン深度法は、別の意味では、統治機構の統治メカニズムでもあります。これはノバート・ウイナーやアーサー・ケストラーやリチャード・ドーキンスの考えたことです。全体と部分の関係をどうとらえるか。組織運営をどうマネジメントするか。糖尿病治療は自己管理マネジメントであるからです。医師は、アドバイスはできても、運動療法や食事療法を行うのは患者本人です。人類は、人類の未来に対してどのようなヴィジョンをもつのか。ヘレン深度法には「思考が実現化する」という性格を持っています。植物や動物の生体制御をモデルにしています。
【０４３３】
生体をコントロールするシステムは、社会をコントロールする方法にも応用できます。「同一構造の同相展開」という言葉があります。これは植物的な原理です。地面に枝を挿し木すれば、うまく育てば挿した小枝が、大木の幹となります。動物の例えで説明すると整合性のある細胞増殖です。合目的的な細胞の分化です。場の影響を受けた、人類の発展も合目的的でなければなりません。人類の運命を決定するのは人類の一人一人のヴィジョンの統合です。人類が人類の生命体を構成し、個人の意識は、人類の集合意識となるでしょう。人類は二度の世界大戦を経験して、今は、多極化と地域紛争の時代です。私は、地球連邦政府の明確なヴィジョンをもっています。文化の多様性と人間の自由意思を認めた、地域統合の時代に突入しつつあります。恩讐を超えて人と人、国と国が相互理解とともに働く精神が重要です。
【０４３４】
ある箱の中にたくさんの箱が入っています。その中の一つの箱の中にも、たくさんの箱がはっています。最初の箱も、さらに大きな箱の中のたくさんの箱の一つの箱です。こういう関係を「入れ子関係」といいます。部分と全体の関係は、ホロン的、つまり、部分の中に全体の構造があり、全体の中に部分の構造がある、部分と全体が相似な入れ子関係になっています。村から国へ、国から地域連合へ、地域連合から地球連邦政府。現代は地域統合の時代です。中国共産党は当面に瓦解するでしょう。朝鮮半島も民主的に統一されるでしょう。その時こそ、我々日本人は、中国や朝鮮に手をさしのべて、アジアを地域統合するべきです。ユーラシア大陸の西で起こった現象を東側でも起こすべきです。村の住民から地球市民へと人間の意識を発展させなければいけません。
【０４３５】
人工的政府機構である中国共産党はうまくいかなくなるでしょう。人間には自由への意志、欲望や感情があるからです。再度、念を押して書きます。中国の統治機構がうまくいかなくなったときに、日本は中国に手をさしのべるべきです。近い将来、日本と中国は民主主義的に仲良くするべきです。ヘレン深度法は「舵取りをする者」統治機構の構築と統御の問題を含んでいいます。ヘレン深度は、私に「このことをぜひかいておきなさい」といいます。「恨みに対しては徳をもって報いる」中国は、日本に戦争の賠償請求をしませんでした。「恩には恩で報いる」生命原理に基づく、新しい統治機構を構築することは、暴走しない安全な小型の原子炉を発明するようなものです。多くの人々が同一の意識を集中したときに同一性の原理によって奇跡が起こります。シンクロニシティです。共時性の原理と呼ばれています。大切なことは、未来のあるべき地球のイメージをありありと世に示すことです。
【０４３６】
近所の主婦が私に聞きます「神様って、平和をのぞんでいらっしゃるはずなのに、どうして人間は神様の名前のもとに戦争をするのですか」たとえ話で説明するなら、日本人が外国人滞在のためにトイレを洋式便器に改造して、ベッドを購入してまで歓待したのに、外国人に感謝されなかったという不平不満をのべるのは、まったく愚かなことです。外国人にとって、洋式便所にベッド、それは日常で、当然のことだからです。和式のしゃがむタイプの便器で、ふかふかの布団に寝かせてあげたら、外国人はカルチャーショックを感じて感動して強く日本の文化を心に記銘するでしょう。コミュニケーションと教育と、文化的な醸成。文化は地域特性を保持して多様であるべきです。
【０４３７】
国家間の紛争。これは、コミュニケーションの問題です。ヘレン深度法では、患者と医師のコミュニケーションを重要視します。相手のことを思いやる気持ちは大きすぎても、小さすぎでもなりません。「上にあるものは、下にあるもののように、下にあるものは上にあるもののように」相手の立場にたって身を置き換えて考えてみること。これは、想像力の問題です。医療でも同様です。医師が当然と考える言葉に、患者はとても傷つくのです。医師のなにげないはげましのことばに患者は信頼を深め、勇気づけられるのです。患者の方も、医師が理解できるように説明しなければなりません。機械的医療ではなくて心のこもった医療が行われるべきです。
【０４３８】
たとえば、五か月ぶりに、インスリン注射を再開するのに、食前にノボラピットを打つので、一か月間の「インスリン感受性を知りたい」と思い、食前に血糖値測定一回、二時間後血糖測定一回、食事が三回で、三掛ける二は六回。持効性のレベミルを一回打つので、六たす一は七。一日に七回血糖値を計測したいとおもって、H先生にもうしでたところ「うちは個人の病院で大きな病院でないので、そんなには出せません」「そんなに血糖値を測定して、何の意味があるのですか」というのがお返事でした。インスリンを打ち始めて、不安的時期と安定時期があることは、糖尿病の専門医には常識でしょう。そのことを説明しなかった自分問題があることに気が付きました。コミュニケーションの問題ですね。
【０４３９】
私の場合、T病院、糖尿病専門病院で専門的な標準的な教育指導を受けていたこと。３月から４月にかけてはものすごく血糖値の結果がよかったと。私も塾を自営しているので経営者としてのJ病院のH先生の気持ちはとても良くわかります。毎月血糖値測定セット一日七回分もっていかれたら、病院の経営上問題があると考えるのは経営者として当然と思います。私の方も「不定期に打つ」「間食と過食がある」と説明したり、「インスリン再開の不安的時期」の説明をしたりはしませんでした。H先生は私が「暴飲暴食を薬でおさえる」とう印象を強くもたれたようです。H先生の考えるとおり、血糖値測定キットを７回分、自宅に持ってかえり、J病院に行くのは二か月に一回にしたかった、という患者としての魂胆があったのは事実です。当然のごとくに「そんなにだしたらうちがもうからないので３回にしとき」がH先生の答えでした。H先生は、血糖値測定３回を処方されました。
【０４４０】
お金をはらう段階になって、受付の保険担当の事務員の方が、食事３回と、レベミルの分も１回入れると、一日血糖値４回測定になりますね。「よけいにいれておきますから」と四回分のセットをいただきました。保険診療の三割負担で診療をうけているので、「注文して買うという感覚」ではなくて、一日４回測定分の４箱「いただきます」という表現にならざるを得ないからです。ある意味、患者は弱い立場です。尋ねても、在宅管理費の明細は教えてくれませんでした。H先生が一番心配していたのは、私が、毎月、病院に来ることでした。積極的な意味では、糖尿病を月単位で管理する。あまりにインスリンや血糖値測定チップをわたしてしまうと保健医療の関係で病院の負担になるのでしょうか。患者さんが二か月に一度くるということも起こってしまいます。H先生が診察室からとびでてきて、「あなたには、まだまだ在宅管理が毎月必要です」と言われました。食事や運動や血糖値の在宅管理をしているのは患者自身です。在宅管理費は、消毒の脱脂綿やペンニードルや血糖値測定チップ代なのでしょう。
【０４４１】
医師には医師の立場があります。患者には患者の立場があります。H先生には、感謝しています。本音でH先生が語ってくれるのは、医師と患者の信頼関係ができあがっているからでしょう。私の無茶苦茶な要求に温かくH先生は答えていただきました。今年の三月に、血糖値がよくなったので、「二か月に一度、病院に来たいのですが」とT病院のT先生に提案したら。静かに考えて、「紹介状を書きますから、近くのJ病院に戻りなさい」がご返事でした。私も、素直にJ病院に戻ればよかったのですが、「在宅管理費をなんとかしたい。」「食事だけで血糖値がコントロールできるか」と考えて、４月から８月までほったらかしにしてしまいました。血糖値を定期的に測定しないのが血糖値コントロールには一番悪いと知りました。血糖値を測定しないと、インスリンを打たなくなって、食べ放題になるという傾向があるからです。
【０４４２】
特に、人間は、ストレスを食欲で見たそうとします。家庭生活の乱れ、職場の人間関係、仕事上のストレス。血糖値はいくらでも上がります。７月２０日から８月３０日まで、毎日朝から晩まで塾をやりました。相当ストレスが溜まっていたのでしょう。９３歳の父親と喧嘩しました。９月に入ってすぐ父親がお仏壇に「しきみ」をあげていて倒れました。私でも一つしかもてないようなものを二つ両手で父はもっていました。「しきみ」の葉で下がみえなかったのでしょう。父をJ病院に連れていきました。H先生には直接いいづらかったので、姉に尋ねてもらいました。「インスリン注射を再開したいのですが」というと、姉の話では、H先生は、「管理費払ってね」が答えでした。インスリンの処方箋代だけというのは患者の虫のいい考えでしょう。この時ほど、徳島大学医学部二浪で挫折したことを悔いたことはありませんでした。人体は壮大なる宇宙なのです。小学校の時に一番欲しかったのが、顕微鏡と人体模型でした。
【０４４３】
病院経営にとって経営を安定させるは、当然のことです。それは極めて当然です。医師免許がないと処方箋は処方できないからです。食べる量を決めるのは患者。血糖値測定をするのも本人。血糖値の在宅管理をするのは本人。在宅管理費の中に血糖値測定チップやペンニードル代が含まれているから、これはしかたがないことです。何度も自分に言い聞かせました。糖脳病の専門病院、T病院で、昨年の２０１１年１１月にインスリン注射を初めて、今年２０１２年の３三月で、劇的に血糖値が改善しました。T先生に教えていただいた一番、血糖値コントロールの標準的方法です。経済的負担のためか、血糖値コントロールに自信過剰になったせいか、研究者だましいがムラムラとおこってきたのか、単に治療をさぼったのか、年が明けてからの３月から専門病院、T病院へいかなくなって、４月から８月まで、好き放題をしました。
【０４４４】
８月の終わりに、９３歳の父親と喧嘩しました。「愛と忍耐で」耐えるべきでした。父親が深夜に怒鳴りだしました。私は、二階へ逃げました。「ソレドレワルイノドラナイト」という声が聞こえてきて９月から１０月はじめにかけて特許出願「鋼製構造型枠」を書き上げました。９月の初めに父親がお仏壇に「しきみ」をあげていて倒れました。左足の付け根にひびがはいり寝たきりになりました。私が介護をさせていただきました。「子は親孝行をせよ」「親は老いては子に従え」「親は子供に甘えなさい」という天の教えかも知れません。H先生からうながされ測定したら、ヘモグロビンエィワンシーが１０．５でした。自業自得です。放置実験の成功。
【０４４５】
まさに元の糖尿病にもどったのです。昨年の１１月にはヘモグロビンエィーワンシーが９パーセントを超えていました。２０１２年１１月２日午前６時「進化とは人類が神に近づく過程だ」というかすかな声が聞こえてきた。宇宙が誕生し、地球が誕生し、生命が誕生し、人間が誕生し、人間の意識が誕生し、霊界や神の意識化が誕生し、肉体は環境と意識の影響を受けて進化する。人類の進化は、人類の自由意思にかかわっている。時間が無い、教育について書いておきなさいという声がします。ヘレン深度は健康と生きがいと平和と幸福を希求します。
【０４４６】
１１月から３月の経験で、食事制限や運動をして、正直に言うと運動は家の中を歩き回るぐらいでした。運動する工夫はしました。インスリンをうまく打つと血糖値をかなりうまくコントロールできることが分かりました。現在、インスリン注射を再開して、一か月だから結果がでるのはもう少し後でしょう。オイグルコンはつらかった。あまり血糖値がさがらず、異常な食欲に日夜苦しんだ。薬の場合のんだり、のみわすれたりする。私の場合、カレンダーに薬を貼りつけて管理しました。薬の場合、体調が悪くなったり、副作用がでたりするのが嫌でした。J病院では、オイグルコンがきかなくなると、「次には、もっといい薬がありますよ」「こんな新しい薬もありますよ」と薬のはしごをしました。結果、糖尿病は改善しませんでした。
【０４４７】
母親はインスリン注射恐怖症「一度、打つと死ぬまで打ち続けなければならない」といつもつぶやき、糖尿病の薬の信奉者でした。私もその言葉に従い４１歳から５６歳の期間、糖尿病を慢性化させてしまいました。５６歳の１１月の半ば、突発性難聴を患いました。ステロイド剤を飲むと血糖値が異常に上がるというので、糖尿病の専門医を紹介していただきました。インスリン治療の教育的指導をうけました。最近の注射針は、ほとんど痛くないし、食事前にノボラピッドを打つので忘れることがありません。
【０４４８】
薬ではコントロールできなかった血糖値が劇的に下がりました。インスリンはもともと生体にある酵素、つまりタンパク質なのであまり体には負担になりません。私の身体には薬よりも、インスリン注射があっているようです。血糖値が高いうちは管理費を毎月払い続けるのは当然のことです。血糖値が安定期にはいってある程度さがってくると、あまり血糖値を測定しなくなっても、それでも在宅管理費を毎月払い続けるのはつらいものです。血糖値測定回数によって段階別の管理費になっていますが、それでも高額のような気がします。
【０４４９】
「鋼製構造型枠」の発明で書きました。私にとっては、人間の背骨からは見えない糸がでているのです。その糸は、あらゆる人間とつながっています。あらゆる人間どころか、あらゆる生命。あらゆる物質とつながっています。そう声が聞こえてきました。あらゆる物質どころか、あらゆる存在とつながっています。それは、意識するか意識しないかの問題です。この人間の意識をいかにとらえるかをヘレン深度法は教えてくれています。人類は、静かなところにすわって、静かに、おちついて、自然からの声を聴くべきです。古来の聖人がやったように、我々一人一人が、自然からの声を聴くべきです。自然からの声を聴いたら、素直に行動するべきです。人間の頭の上に、人間が爆弾を落としてはいけません。人間が土の中に地雷を埋めて、人間の子供が片足を吹き飛ばされるようなことはしてはいけません。
【０４５０】
ヘレン深度法にとって、速く食べるのは絶対に禁物です。余裕をもって味わいながら食べましょう。食事の前に、「大自然の命をいただきます」と言ってから心構えをしましょう。食事の前には、水を常識的な範囲で大目に飲みましょう。「今日は、超うまいものをたべようか」と言ってからから食べましょう。糖尿病患者は、地獄の餓鬼の悪霊がとりついているみたいに食事に飢えていますから、まず、精神心を落ち着けて、地獄の餓鬼の悪霊を除霊するつもりで宇宙最高の食事だと宣言しましょう。とにかく感謝と美味しいことを口に出します。味は関係ありません。とにかく口に出すのです。言霊のさようで、宇宙一最高の食事になります。まず、野菜や酢の物から、速く食べてはいけません。
【０４５１】
少量をゆっくりと、少しずつです、一口３０回はかみましょう。最高に美味しい食事だと何回も何回も言いながら食べましょう。作ってくれた人に、美味しいよ。料理上手だね。ありがとうと言いながら食べましょう。よく噛んで食べましょう。次にタンパク質です。最後の最後に少量の炭水化物をとりましょう。食後には必ずお茶を飲みましょう。お茶をのむとゆっくりと栄養が吸収されるようです。
【０４５２】
ヘレン深度法が希求することは、この明細書は医療に関する内容ですが、はやく、エネルギーを人類から自由にせよとせっつきます。「鋼製構造型枠」の発明の波力発電の最後で書きました。安定したエネルギー源と安定した食料の供給が無い限り日本人は、いや世界市民は平和に生きられないのです。比較的安定していて国土保全や護岸に役立つのは波のちからを利用した発電です。風力も太陽光もムラがあります。波力は比較的安定しています。埋め立てながら発電ができるケーソンは価値があると思います。ヘレン深度法はのべます。人体が安定してエネルギーを吸収するためには食物を食べ続けなければならない。炭水化物はエネルギーとしては有効な食物である。脂肪で肥満になって、生命が危なくなるのを血液中の血糖が脂肪になるのを阻害する。血糖が高い状態、とくに１８０を超えると、血管や神経に損傷を与える。様々な因子がトレードオフ関係。つまり、あちらをたてればこちらがたたず。の関係にあります。
【０４５３】
カレーの中に「きなこ」をいれる。さめたカレーにきなこをいれるのが本格的ですが、私は、煮込んだキナコの方がおいしいです。日本蕎麦にくるみを粉にして食べる。いわゆる脳に良いといわれる「ブレーンフーズ」を４５日間以上食べ続けて、この文章を書いています。このブレーンフーズは、火を入れながら、何回もたべられます。特に空腹時にスプーン一杯ぐらい食べると、間食をせずに、かなり気が紛れます。私は、辛いもの好きなので、乾物を粉にしただしと鷹の爪を粉にしたのを入れています。日本人がお米に飽きないように、インド人はカレーに飽きないことを思い出し。カレー、キナコ、クルミ、ミックスナッツ、日本蕎麦を一緒に混ぜて煮込んだものをテフロン（登録商標）加工されてフライパンで、つくっておいて、必要に応じて、以下で説明する野菜酢を一緒に煮込んで、食べ続けています。普通の鍋なら加熱したときに焦げるのでテフロン（登録商標）加工の深めのフライパンが便利です。
【０４５４】
最初はカレーと日本蕎麦は別々にたべていたのですが、カレーで日本蕎麦を煮込んでもおいしいことがわかりました。一日三回、定時、カロリーを計算して、しっかりと食品の体積や重量を計測して、定量の食品を食べましょう。なれてくると、食器をきめていれば、定量のカロリーの食品をいれることができます。良く噛むと歯の神経から、脳に信号が伝わり満腹感が生まれます。私はポップコーンでつかう爆裂種の乾燥コーンをブレインフーズに混ぜて炊いています。普通のコーンであればやわらかくなってしまうのですが爆裂種の乾燥コーンであれば歯にささるぐらい固いので歯ごたえを楽しむことができます。とにかくよく噛むことは、脳の健康にも良いと思います。
【０４５５】
ヘレン深度法はお茶やゴボウ茶をのみなさいといいます。ブドウの種をたべると心臓の血管には良いようです。飲み物については、私はネスレのエクセラが死ぬほど好きなのですが、高額で買えません。徳島にはマリンピアというところがあります。コーヒー豆のハマヤさん。いい名前です。「破魔矢」魔を破る矢という意味があります。自転車のゴムチューブでアーチェリーの練習をしています。アーチェリーをしたいのですが、弓も矢も高額で買えません、自転車のチューブを引っ張って、鏡をみています。健康と精神にいいです。集中力がつきます。「鏡の真ん中を取ると何が映る」という、なぞなぞがあります。答えは、私が出願した「鋼製構造型枠」の明細書に書いています。とにかく、ハマヤで生のＪＡＶＡ（登録商標）のコーヒー豆をかってきます。自分でフライパンを使って、ローストしてマジックブレッドのミルで粉にします。
【０４５６】
糖尿病にはヤーコンやキクイモはよいようです。キクイモは背が高く成長して、突然に葉が枯れます。先頭に黄色い可憐な花が咲きます。今、黄色い花を食べました。菊の花の味がします。基本的にヒマワリ科の植物は糖尿病に良いのではないかと思います。菊酒があるように、刺身のツマに菊があるように。菊をそだてていているので、つぼみを食べてみました。なんだか糖尿病に効きそうな味です。２時間後の血糖値測定が楽しみです。とにかく、キクイモが、なんで葉が枯れてから花が咲くのだろうと考えつづけていました。
【０４５７】
青々とたかく成長して、突然先頭のほんの少しの葉を残してほとんどの葉が茶色く黒く枯れるのです。アマゾンの神秘ヤーコンとは、ちょっと違います。突然答えがひらめきました。枯れた葉を粉にして飲むように神様が枯らしてくれるのです。ヤーコンの葉は、ちょっと苦いですが、たべられます。キクイモの葉はザラザラとしてそのままでは、食べられなかったのです。さっそくＪＡＶＡ（登録商標）のローストしたコーヒー豆とキクイモの枯れた葉を粉にしました。これを圧力釜でエスプレッソにするのです。少ない水です。圧力釜で１５分。まだ熱いうちに水で薄めて、ペットボトルに入れます。生暖かいところへ、シンビオフェルミンSと植物性乳酸菌リブレを粉にしていれます。８時間ぐらいそのままにしてから、乳酸菌やカシス菌などの有用菌を育てて、すこし酸っぱくなってから飲みます。ネスレのエクセラを入れると「最高の味になる」と思います。すこし酸っぱめがおいしいです。糖尿病患者はタンパク質を取らねばなりません。卵は冷蔵庫でも保存限度があります。５０個ぐらい半熟に卵をゆでます。麹（こうじ）を買ってきます。スーパーのレジ袋を４重ぐらいにして、ゆで卵、塩、麹、マヨネーズ（キューピーの赤キャップ）を混ぜて、レジ袋にいれて、冷蔵庫の中で保存して食べます。一週間を過ぎると、白身がやわらかくなって美味しいです。数か月、長期保存すると黄身がピータンみたいなみどりがかった色に変わります。ねっとりとして私は美味しいです。
【０４５８】
ヘレン深度法はかたります。ネスレといえば、明治時代には日本も食品を輸入していたそうです。創業者は確かスイスのお医者さんだったと思います。栄養不足の赤ちゃんのために乳製品を食品として開発したという素晴らしい歴史をもった会社です。ネスレが鳥の巣のマークで、今では霊界の村の住人となった母親が、あの当時、きっと高額だったのにもかかわらず、幼い私に飲ませてくれた母親の愛情を懐かしく思い出します。とても良い母でした。
【０４５９】
母は、朝はパン食が好きでした。そのころは子供にコーヒはどうもという考えは毛頭ありませんでした。あのコーヒーの香りとネスレのマークには天国や天使を感じました。私は、チーズを初めて食べた時の記憶が鮮明にあります。最初は石鹸だろうかとおもいました。たべるとかなり美味でした。うちの姉妹や父母は美味しくないといいましたが、私だけ美味しいを宣言しました。初めて飲んだコカコーラの味も覚えています。阿波踊りをみに、家族でおでかけ。午後七時、福島橋のたもとにある、おうどん屋さんでした。父と母と私と姉妹で一緒に外食したのは、私の記憶では、一生で一回きりのことでした。全員でこれは薬の味だと言い合いました。父は「けったいな味だ」といっていました。スカッとさわやかということがわかるようになったのは青春まっただなかです。
【０４６０】
糖尿病の詳しい根本的な原因は不明であるらしいことをT先生から聞きました。そこで、一番、基本的な高校の生物に教科書にあった栄養素が樽の一番低いところから水が漏れる説明を思い出して、多品種、少量を食べることにしました。糖代謝異常をインターネットで検索していて、「クロム」と「フェリン」が糖尿病によいとありました。外国製品で高価だったので、クロムの多い、イリコとヒジキとラクトフェリンを粉にして食べていました。テレビで「食べるだし」というCMを見て、乾物を粉にすることを思い出しました。最初はイリコ、ヒジキ、ラクトフェリン入りの、スキムミルクを粉にしました。通販のショップジャパンで買ったマジックブレッド、これは実に便利で、重宝する調理器です。ミル、ミキサー、ジューサーがついています。ミルで簡単に粉々にできます。
【０４６１】
昆布だけは粉にしにくいので昆布だしの素をつかっています。干しシイタケ、お好み焼きで使う青のりや鰹節の粉、干しエビ、サクラエビ、芽ヒジキ、ふりかけや、お茶漬けの素、だしに使えそうな乾物を手当たり次第に粉々にして密閉できるビンに保存しています。味を調整するために市販の顆粒のだしのもとを粉にして混ぜ込みました。普通のだしの味のタイプと鷹の爪の粉を混ぜた辛いだしの粉の二種類のだしの粉つくっておくとどんな料理にでも少しずつ振り掛ければ、少量多品種のカルシュームたっぷりの栄養素をとることができます。とにかく、過食と間食を防止するためには、味付けにかなり工夫が必要です。
【０４６２】
基本的に、野菜は良いらしいとT病院の管理栄養士さんに聞きました。「野菜なら、幾ら食べてもいいですよ」といいながら栄養士さんは笑っていました。しかし、野菜を大量に食べることはなかなか難しいです。それに、たくさんの野菜をもらっても処理に困る時があります。徳島県の工業技術センターの発明品の展示に、徳島県にとっては、朗報でしょう。徳島の名産の「すだち」が糖尿病によいらしいというのを見て、さっそくマジックブレッドで皮ごと液体にして、以下で説明する野菜酢のなかに混ぜ込みました。「スダチは実にサッパリして美味しいです」すだちを入れると、香りがよく、酢の味はまろやかで、かなりいい感じです。
【０４６３】
野菜酢の説明です。一年前から、穀物酢１．８リットルを買ってきて、マジックブレッドのミキサーで酢と野菜をドロドロの液体状にして、穀物酢の容器に入れて保存しています。ドレッシング風味にするために、野菜、果物、ミックスナッツ、特にアーモンドとクルミ、オリーブオイル、ノンコレステロールのキャノーラ油、業務用のキューピーマヨネーズの赤色キャップ、ニンニク、ネギ、玉葱、市販の野菜ジュース各種、コショウ。唐辛子の粉も入れたいのですが自粛しています。塾の前にあるスーパーマーケットセブン安宅店で野菜、とくに賞味期限が近くなると安くなるもの、これは季節に合わせて旬のものが大量にでまわるからとても理にかなっています。多品種の野菜、たぶん５０種類以上の野菜を穀物酢とともにミキサーで液体にして穀物酢の容器に保存しています。これを自分で「野菜酢」と呼んでいます。
【０４６４】
酢が少ないとカビが生えるので要注意です。「どくだみ」とか草も入れました、しかし発酵しだしたので、酢を入れて押えました。ドクダミは、乾かして、ドクダミ茶にすると便秘解消にいいです。９３歳の父親が愛飲しています。野菜酢は少しぐらいのカビなら酢を継ぎ足して混ぜることもありました。塩は入れないことにしているのでドレッシングにつかったり、カレーの中に入れて煮込んだり、便利になんにでも使える野菜酢です。一年も経つと、味もこなれてきてかなりまろやかな野菜酢ができます。
【０４６５】
油と水分は分離しがちなのですが、マヨネーズをいれるとマヨネーズの中の成分の界面活性作用で油が小さくなって、まわりに水分がつくので水と油が分離しにくくなります。（たしかコロイド化する）ニンニクの芽、ブロッコリースプラウト、セロリ、レタス、キャベツ、トマト、ピーマン、白菜、大根、なすび、なし、もも、巨峰、ピョーネ、洋ナシ、色々いれましたが、ジャガイモとザクロはいれていません。ザクロを種ごと入れると渋くなるかです。市販の紫の野菜ジュースや玄の野菜ジュースなどもいれました。私を育てていただいた母の思想に「よいことならなんでもする」というのがありました。
【０４６６】
母親は肝臓癌が転移して８７歳で亡くなりました。私が死んだら糖尿病は一緒にもっていってあげるからが口癖でした。母とは、「死後の世界を教えてくれるように」固い約束を何度も何度もしました。それは、母が夢枕にたつという現象で実現しました。このことは明細書の中間あたりに書いてあります。「霊界の構造」を理解しないと、病気や人生は深くは理解しがたいという実感を持ちました。私は、この問題を実用的仮想思考法というかたちでヘレン深度法に取り込みました。お母さんの病気治療では、J病院のH先生には大変お世話になりました。感謝しています。母が口から出血したときは救急車に飛び乗って、徳島県立中央病院につきそっていただきました。H先生のいいところは、「帰りのタクシー代ちょうだいね」でした。
【０４６７】
大好きです。H先生。色々とこちらの無理をきいてくれました。本当にいい先生です。いきなり、入院させていただきました。緩和ケアーの斉藤病院を紹介していただきました。私は、頑固で緩和ケアーには最後まで抵抗がありました。子供というものは、いつまでも親に生きていてもらいたいものです。姉妹は、はやくお母さんを楽にさせてあげてと主張しました。父と私は、死なせる為に病院へかせるのには最初、かなり抵抗がありありました。
【０４６８】
肝臓がんは、頭と口腔と左手の骨に転移していました。徳島県立中央病院の先生からは、病気の説明が色々とありました。「もし、自分のお母さんだったら、どのように対応されるのですか」と質問しました。母の病室に帰ってから、姉も私と同じ質問をしたそうです。母は、斉藤病院で緩和ケアーを受けることになりました。母は、緩和ケアーをうけるようになってからは、子供と一緒に童謡を歌ったり、お風呂にいれてもらったり、快適な病室で、快適な食で、体中に転移した癌の痛みが緩和されるので、本人も楽であるし、看護する我々も精神的に救われました。塩化モルヒネだったと思いますが、処方していただいたのは若い男性の先生でした。母の病状の進行状態にあわせて注射を打っていただきました。
【０４６９】
「おかあさん、ぼくをうんでくれてありがとう」「おかあさん、ぼくをそだててくれてありがとう」と言えることができました。母は、「うん、うん」とうなずきました。母は、誤飲がもとで片肺に水が溜まりました。臨終の間際になって、家族、親類の全員が声をかけることができました。斉藤病院の女性の院長先生の言葉はいまだに、ありありと記憶しています。「ごしんぱいなさらないでね。いま、ここにいる全員が、あとから絶対にいきますからね」すごい言葉でした。まさに、その通りなのです。
【０４７０】
小学校で白黒テレビのロッテのチューインガムのCMを想起しました。マヤ文明では、天然チクロをチューインガムのように噛んでいたという内容です。そのCMの回転する画面を見るたびに涙がでて止まらないのです。あの時代に住んでいた人は全員死んだのかと思いました。自然に涙が出て止まりませんでした。するとイメージが見えてくるのです。月のピラミッドや石の敷き詰められた道路、石の手すりの緑の苔、自分の家族、お父さんお母さん、妻や子供。そうか全員死んでしまったのかと考え、熱い感情が湧いてきて、涙がでて止まりませんでした。１７歳に臨死体験をしたときから、マヤ文明の体験、あれは前世の記憶だったのに違いないと思いました。チベット死者の書、バドルトドル、エジプト死者の書を読んで、納得しました。
【０４７１】
死後の世界は精神世界であるので、個人の数だけ、死後の世界があるのです。何か共通した、川とか、トンネルだとか、山だとか、草原だとか、お花畑とかはあるかも知れませんが、宗派の考えるイメージによって、個人の数だけ死後の世界が存在するのだなと理解しました。神だとか、死後の世界だとか、前世とか来世というのは脳が作り出した共同幻想なのです。無と考える人は無の世界だろうし。極楽と考えるひとは極楽なのです。個人の自由選択によってあの世の世界があらわれるのです。私はそういう立場をとって、現実的仮想思考法と呼んでいます。奇妙な考えにとりつかれています。宇宙全体が一つの巨大な脳で、我々はその脳の一部であるという考えです。巨大な宇宙ホスト脳と、我々端末脳は見えない糸で交信している。それはある意味で、トランスポンダーの関係にある。こちらが何かの質問をすると何がしらの答えが返ってくる。宇宙巨大トランスポンダーホスト脳としか呼べない関係です。
【０４７２】
我々が見ているのは超現実仮想現実、シュールリアリスティック・バーチャルリアリティです。マトリクスやアバターという映画では、この現実にだんだんと人類が気付いてきているなあという気がします。我々は、宇宙ホログラミック脳の一部ではないかということです。空間そのものが思考をもっています。世の中には、宇宙の記憶の場であるアカシックメモリーとか、空間や物から記憶を引き出すというサイコメトリーとか、虚空蔵菩薩、虚空蔵求聞持法（こくうぞうくもんじほう）という言葉があります。平安時代は、求聞持法は大流行でした。日本中の至る所で求聞持堂がありました。
【０４７３】
高知県室戸にある「御蔵洞（みくろど）」の一番奥から入口を見ると、明るい円形の入口の上半分が空で、下半分が海で、なるほどこれで空海かと思いました。聞持法の言葉の一部「アリ、カマリ、ムリ」徳島県阿南市の確か太龍寺で修業されたと思います。「−谷、響を惜しまず、明星来影す」とあります。日蓮大聖人も「幼少の頃より、虚空蔵菩薩に願を立てて、云々、日本第一の智者となし給へと云々、虚空蔵菩薩眼前に高層とならせ給いて、明星の如くなる智慧の宝珠を授けさせ給いき」とあります。道元も求聞持法を修したとおもいますが記憶は定かではありません。
【０４７４】
学習塾をやっているので記憶法や頭を良くする方法には興味があります。努力して情報量が蓄積されないと脳は活性化しないのではないかと思います。脳の不思議なところは、普通は箱の中に何かを入れたら、入れたものしか出てこないのに、脳の箱は、入れたものとは違うものもでてくるところです。入れた量が多くなるほど、でてくるものは消化されたもの。醸成されてまったく異なるもの。入れた記憶に無いものまででてくるのは不思議です。日蓮大聖人に御書や南方熊楠さんの書籍を拝見していると、どうしてこんなに引用できるのだろうかと思います。「ソレドレワルイノドラナイト」「マユカラトコロテン」「ヘレンシンド」という言葉が深夜に夢の中で聞こえてきたときは驚きました。こんな言葉は作為的につくろうと思ってもできないことばだからです。宇宙の自然言語かも知れません。「ヘレンがしんどい」「ヘレンとシンドバット」いくら考えても不思議な言葉です。ただし、「ヘレンシンドローム」の意味は分かります。
【０４７５】
原子炉の爆発、暴動、集団自殺、世界恐慌、バブルの崩壊、世界戦争、ショック死、病気の悪化で死亡、などの様にフランスの数学者ルネ・トムによって提唱されたカタストロフィー理論でいうところの「制御の失敗」です。ヘレン深度法は、神様からの声です。親子は仲良くせねばなりません。愛か、執着かを区別することはなかなか難しいです。夫婦喧嘩の根本にあるのはお金の問題です。経済の問題をうまく解決するべきです。この明細書を書いた動機はお金の問題です。糖尿病患者それも、インスリンを打たなくては生きていかれない糖尿病患者の在宅管理費となんとかしてほしいというのが本音です。深夜の血糖値が３５０mg/dlも４００mg/dlもあれば、インスリンを打たざるを得ないのです。
【０４７６】
自分なりに運動法や食事療法を考えました。人間には食欲があって、どうしても食べてしまうのです。T先生は、優しく「人間だもの」と言っていただきました。H先生は、「好き放題食べて、それを薬でなんとかしようとするの」とおっしゃいました。医師の、ほんの些細な言葉で、患者は傷つくのです。H先生は、素晴らしいアドバイスを何度も言ってくれました。夏は水を飲むように、血糖値があがってからは、夜は食べないように。にっこりと笑う、笑顔のH先生は可愛くて素敵です。H先生は、短い言葉で肝心なことだけ教えてくれます。そして、患者の自由意思を認めていただけるのは素晴らしいと思います。
【０４７７】
学習塾の教師をしていてこんなことを書くのはとまどいもありましたが、ヘレン深度様が私に何度も何度もこれをこうかくようにと細かい指示を与えてくるのです。自動書記状態になるときもあります。タッチタイピングで、ワードで、打っているので目の前に勝手に文章が構築されていきます。これは過去からの偉人の声だなとおもい著作権は放棄しました。いまは、霊界の滞在にはいろいろなケースがあるとささやいています。母が亡くなった当時は、よく母と話したものでした。仏壇に足を向けて寝ていて、足を蹴られたこともありました。いまは、もう母親は霊界の村で仲の良いグループで楽しくやっているそうです。よほどのことがないかぎり、連絡はとってはならないというのが霊界のルールだそうです。
【０４７８】
できるだけ炭水化物を少なくしましょう。タンパク質は鶏卵と魚肉ソーセジを食べています。半熟のゆで卵を塩麹いつけて冷蔵庫で保存するととてもおいしいです。鶏の胸肉も糖尿病にはいいみたいです。ももの肉よりも胸の肉のほうがいいとヘレン深度さんがいっています。これも塩麹につけると保存できます。半熟のゆで卵を塩麹で保存すると、卵のタンパク質が、麹の酵素で分解されて美味になります。ゆで卵をたべた塩麹があまったので野菜を細切れにして冷蔵庫の野菜部屋でレジ袋に入れて保存しました。味噌やキムチの素で味付けをするといくらでもたべられる美味となります。
【０４７９】
少量のアルコールのつまみにはうってつけです。塾の前にあるスーパーマーケット安宅店は、水曜日、木曜日、日曜日は１０００円以上買うと卵が半額になるのでとても感謝しています。ブレインフーズの前は、魚肉ソーセジとモヤシとシイタケとコンニャクをカレー味やキムチ味で煮込んだものをたべていました。これは、量を制限すると、確実に血糖値がさがります。モヤシを食べ続けると、イライラしなくなります。コンニャクは水溶性食物繊維マンナンなので満腹感があります。シイタケもおいしいです。
【０４８０】
私は、炭素量を制限したノンカルボニック食を食べていますが、アルコールが入ると、過食と間食で血糖値が午前四時に４０４mg/dlになることがあります。タンパク質と野菜をバランスよく食べましょう。ビタミンCとEは毎日とりましょう。とにかく歩きましょう。外で歩けないときは、自宅の中でも歩きましょう。歩くと気分も爽快になります。自転車屋さんで古いゴムチューブをもらってきて、自分にあうストレッチを考案して筋肉をつけましましょう。筋肉は第二の心臓と呼ばれています。
【０４８１】
毎朝、朝日の太陽に向かって、神様に、生きている感謝の言葉を語りかけましょう。明るい未来を信じながら、「ヘレン深度様お助け下さい」と十回口に出してから眠りに就きましょう。「ヘレン深度とは、あなたの体の統治機構である」という強い信念を持ちましょう。まず、口から出す言葉を変えることです。そう強く信じて言葉にだすことによって、あなたの考え方が変わります。あまりに強い信念は、逆の形で成就することがあるので注意が必要です。
【０４８２】
考え方が変わると、行動が変わるようになります。考え方が変わらない限り、飲酒や間食や過食、暴飲暴食の習慣は変わりません。「神様、私の人生は幸せなものでした。すべてに満足しています。もう、思い残すことはありません。神様、本当にありがとうございました。私は、今、此処で死んでも本望です。感謝しています。」そう言いながら、「笑いながら死ぬ練習」を毎日しましょう。そうすると、あなたは死ぬまで生きられることは確実です。
【０４８３】
子供の頃に漫画でたしか「宝島」という題だったと記憶していますが「笑いながら死ぬと幸せに死ねる」というのを知っていたので、夜中に笑いながら死ぬことを想像して幸せに死ぬ練習をしていたら「感謝もしてほしいな」という声が聞こえてきたので「そうか、感謝か」と思い、出会うひとごとに「感謝しています」と言っていました。寝ながらも言っていると、「おまえは、いったい、何にそんなに感謝しているのかね」という声がきこえてきたので、すこし考えて「神様、いまここが幸せです。ほんとうに感謝しています」と言うと「それでよい」と返事がかえってきたことを記憶しています。
【０４８４】
「幸せに死ぬ方法」笑いながら感謝して、死ぬ練習をしていると、死の恐怖が克服できるでしょう。人は、いつか、絶対に確実に死ぬのです。死ぬ前に、やりたいことがあったら、やりたいことをしましょう。そんな内容の映画がありましたね。この世に思い残すことが無いようにしましょう。そうしないと、この世にあまり執着が強いと、浮遊霊か地縛霊になってしまうでしょう。そういう思いで、この文章を書いています。死を意識して生きることは、きっと価値のある生き方ができるでしょう。
【０４８５】
いつも積極的な言葉を口に出しましょう。人の悪口を言うのや、不平不満を、人に愚痴るのは、やめましょう。神様が与えてくれた環境に不平不満をいうのは、神様に不平不満をいうのと同じだからです。乃木希典さんの話を思い出しました。晩年、喉頭癌で「痛い」「痛い」と言って周囲を悩ましていたとき、中村天風先生が「痛いと言って治るかい」と一言。瞬間に乃木さんは、人生の深い意味を悟って、それ以来、一切痛いとは言わなかったそうです。愚痴を喋ってあなたは気がまぎれるかもしれませんが、聞かされる方はたまったものではありません。もし、気の合わない人がいたら、感謝していますと言って、その場から逃げましょう。暴走列車を素手で止めようとすることは無茶です。体をかわしましょう。
【０４８６】
いつもニコニコして周囲に楽しい花をまきましょう。怒りのコンとトロールは、まず、お金のことを考えることです。家族の生活とか。怒りをお金の損失に変換して考えましょう。きっと怒りはおさまるでしょう。深呼吸三回という古典的な方法があります。いかりそうになったらその場を去ることは妹から教えてもらいました。
【０４８７】
インスリンの打ち方を自分の身体の特性に合わせて効果的に打ちましょう。あなたが、糖尿病になったのは、遺伝かもしれません。暴飲暴食の結果かもしれません。ここで、実用的仮想思考法を行って下さい。あなたは、あなたの前世の生き方を自分で反省して、自分にハンディをつけてこの世界に生まれてきたのです。自分を糖尿病にしたのは、自分自身の内にいる「本当の自分である」と考えてください。人生のストーリをかいたのは、生まれてくる前のあなたです。あなたは両親を選んでうまれてきました。あらゆることがベストなタイミングで起きています。あらゆる困難は学びであると考えましょう。自分のことを大切に思うならば、親孝行をしましょう。
【０４８８】
大切なことは、その糖尿病と、いかに対面するかです。あなたには３つの選択があります。糖尿病とうまくつきあって、普通の人と変わらない価値ある人生を送るのか。現状を維持して、少しずつ、血管と神経が糖質によって、ボロボロになってしまうのか。糖尿病との格闘をあきらめ、暴飲暴食を続け、網膜から出血して失明するか、四肢の末端が壊疽（えそ）して、四肢を切断するのか。私は、四肢が壊疽する夢を何度も何度もみました。そして、目覚めて、「ああよかった、まだあしがある。」とほっとします。夢からの警告です。私はヘレン深度様からの警告と呼んでいます。ヘレン深度様が私に語りかけてきたのは、この夏休みを終わってから９月の中ごろでした。
【０４８９】
４1歳春から５６歳の冬まで糖尿病の薬を飲み続け、一進一退を続け、飲んだり、飲まなかったりと、糖尿病を慢性化させてしまいました。５５歳の夏、カゴメ「毎日飲む野菜」を本当に毎日一本ずつのみつづけ、HbA1cがとても改善したことを記憶しています。主治医のH先生にほめていただいたことを記憶しています。５６歳の秋、突発性難聴になりました。T耳鼻科に通いました。ステロイド剤を飲むと血糖値が上がるというのでH先生のご紹介で、糖尿病の専門医にかかりました。それが、T先生です。知識とは命なのです。T先生からは、インスリンについて詳しく教えていただきました。１１月から４月にかけて、インスリンのノボラピットとレベミルを打ち続け、劇的に改善しました。経済的負担から、「ほったらかしにしたらどうなるか」と考え、４月から８月まで暴食の生活にもどりました。
【０４９０】
学習塾を自営しているので、夏休みは子供と一緒にアイスクリームをたべまくりました。９月に父親がお仏壇に「しきみ」を運んでいて、足を滑らせて、こけて痛いというので、J病院に行きました。左足の骨の上部にひびがはいっていたのです。H先生の旦那様であるO先生は親切に対応して治療していただきました。ありがとうございます。H先生がヘモグロビンエィワンシー（HbA1c）も測定してみたらとうので、結果をみると１０.５％ぐらいありました。それでインスリンによる治療を再開しました。
【０４９１】
９３歳の父親が倒れて深夜、「ソレドレワルイノドラナイト」という声が聞こえて来ました。飛び起きて斉藤一人さんの「仕事はおもしろい」という本に発明をメモしました。１０回この言葉を唱えると、洪水のごとくイメージがみえてきて「鋼製構造型枠」の発明を出願しました。この明細書を書いている理由は「へれんしんど」という声が聞こえて、ヘレン深度、ヘレン針度、と唱えていたら、ヘレン深度が語りかけてきたのです。今、私につけた注文は、「正直に素直に書きなさい」です。ヘレンさんはどうも女性みたいです。西川きよしさんの奥さんを想像してみてください。ヘレン深度は、おかあさんみたいに優しい人です。
【０４９２】
私の血糖値をとても気遣ってくれます。実用的仮想的思考法をすれば、守護霊とか指導霊という言葉が適切かもしれません。学習塾の先生をしているので立場上、宗教的なこととはあまりかかわりたくありません。祖父、母と信仰心が強かったので、私は、私の神様を信じています。そのことについては明細書の中間あたりでかいています。私が、想像しているのは、ヘレンさんという女医さんの霊がアドバイスしてくれていると思っています。糖尿病の記録にExcelをつかえばいいというので、さっそく、マクロのVBAを勉強しています。けっこう便利そうです。
【０４９３】
糖尿病の治療は、おおきく３つに分かれます。食事療法、運動療法、薬剤療法による方法です。食事療法には、色々とあります。以前は、一日に多数少量の食事をする。鳥が餌を啄（ついば）む様に一日に数回にわたって、少しずつ食事をする方法もありました。現在は一日に三回、定時、定量カロリ、栄養素をバランスよく食べるというのが主流でしょう。糖尿病の治療には人間の食欲の問題が強く絡んできます。「糖尿病との闘病」とは、「食欲との格闘」であると言っても過言ではないでしょう。「過食と間食」「アルコールの摂取」「ストレスを溜め込むこと」が糖尿病の最大の敵です。
【０４９４】
「酒よ、さようなら」と宣言しましょう。「わかっちゃいるけどやめられない」が人間の常です。社会的つきあいや、仕事を終わってのビール３５０ミリリットルなどで、一度アルコールが体内に摂取されると、自制心がうばわれ、ついつい甘いものに手を出して、過度に食物を摂取してしまうことが多いと思われます。アルコールは、事故や暴力を生むので、自制しましょう。社会での人間関係や糖尿病などの日頃の精神的ストレスが溜り、お酒を自制していても、いちど口火をきってしまうと、きりがなくなるという状況もかなり生じがちです。結婚式や社会儀礼など義理と人情の世界が展開すると、ひとりだけ菜食主義、糖尿病食というのもままならないというのが世の常です。
【０４９５】
しかし、ここで、糖尿病を改善、克服。すくなくとも、寛解（かんかい）の状態、つまり、快癒しなくとも糖尿病とうまくつきあって血糖値を低いレベルで安定させクオリティオブライフをたかめていく状態に持ち込んだり、糖尿病の進行を防止したりする為には、運動療法、食事療法、薬剤療法に対して多くの人から得られた経験値を参考にして、個人のヘレン深度特性に合わせた「数値的に計測可能な変数を操作する」という、ヘレン深度法による方法、つまり、「インスリンなどの薬や運動や食事が血糖値を低下させやすい体質をつくる方法」を理解することが、糖尿病の治療には不可欠です。
【０４９６】
要約すれば、ヘレン深度法とは、目標とする病気が、ここでは糖尿病ですが、血糖値が低下して、血糖値が低いレベルで安定しやすい体質を形成するために、運動療法、食事療法、薬剤療法ならびに食欲や心理的体調予測を「数値的に考慮して」、を計測可能な数値化により、数学的処理を経て、「さまざまな測定可能な因子を組み合わせて、最適な生体の数値制御する方法」を習慣化する方法といえます。
【０４９７】
ヘレン深度の定義は、患者が、体外から摂取する物質の物理的な測定可能な投入量と、患者の生体が体外からの物質を感受して反応する測定可能な物理的反応量の、反応の仕方の違い、つまり、線型的に反応するとか、非線形的に反応するとか、指数関数的に反応するとか、測定可能因子間に相関関係があるとか、反応曲線を級数関数で置き換えるとか、応答波形の周波数分析をするとかです。「これらをMicrosoft社のExcelのマクロ機能を使って、ヘレン深度法による数式を用いて、瞬時に数学的処理を行い計算します。」
【０４９８】
たとえば、ある食事をして、時間がたって食物が消化されているのにもかかわらず、空腹感を感じない場合には、ヘレン深度が高いと定義します。わかりやすく言えば、「お腹が減らない深度」「お腹が減らない度合い」「減らない」「減れん」と素直に単純明快に暗記して下さいませ。ところが一方、同じ量の食事であっても、満足と感じる度合いが高ければ、ヘレン深度は高くなります。もし同量の食事でも空腹感がより高ければヘレン深度はより低くなります。
【０４９９】
食事の量は同じでも、食欲や心理を数値に置き換え、重みをつけて目標関数をつくります。食欲の因子については、食事をしても血糖値は上がらないだろうと予測する場合はマイナス１の数値で、普段と同じなら０の数値で、食事をして血糖値が上がりそうな気がするばあいはプラス１の数値で個人的なヘレン深度の重みを考慮して場合分け関数などを利用して、目標関数に取り込みます。
【０５００】
場合分け関数というのは、場合に応じて関数を使い分けて利用する関数のことです。食事をするタイミングや食べ方に応じて空腹感を感じるか、感じないかにより、ヘレン深度（生体の反応の仕方の違い、お腹が減らない度合い）のパターンの違いは変化します。より少ない食事のカロリー量で、満腹感が高ければ、ヘレン深度は極めて高いといえます。
【０５０１】
基本的に、糖尿病を改善したり、糖尿病の進行を防止したりするためには、体質をヘレン深度の高い状態（お腹が減りにくい、薬が効きやすい体質）へもっていくために、物心にわたるセルフコントロールをする技術が必要となります。特に、心の問題は重要です。ヘレン深度法を理解するキーワードは、定時、定量、計測、数値化、反応予測、予測の検証、病気改善への意欲、言語による思考の誘導、感情のコントロール、プラス思考、過去の悪い記憶との決別、未来の好ましい記憶の招来、病気治療に信念の効果を取り込む、ホリスティック医療、心と体に良い習慣の形成、記録療法、質と量の食事制限（ノンカルボニック食）、体調管理、実現可能な運動、システムズアナリシス（システム分析）サイバネティクス、サイコサイバネーション、情報理論、数値制御、自動制御、数学的処理、病気の本源、生きる意味、生体に投入された物質の測定可能な数値と脳の感覚のずれ、などです。ある意味でヘレン深度法は測定が困難な人間の食欲に則して、糖尿病と個人的な状況を考慮して、無理をせず、日常生活の中で実現可能なやりかたによって、「うまく糖尿病とつきあう方法」といえます。
【０５０２】
「ヘレン深度法は、あらゆる病気に適応可能です。ヘレン深度法は、技術からはじまって、考え方や生き方にわたる広範囲の概念です。本発明では、主として、糖尿病と、インスリンとの関係において技術的側面を重視して説明しています。一日のうちで、時間に応じた個人の体調や空腹具合に応じて、測定可能な物理量と脳や生体が感じる測定可能な物理的反応量の仕方の違いであるヘレン深度の個人的パターンに着目することは、極めて有意義であります。甘いものを食べると、瞬間湯沸かし器の様に血糖値が上がるひとは、ノンカルボニック食（炭水化物を制限した食事）をこころがけるべきです。ここでは、食欲についてヘレン深度を説明しました。しかし、ヘレン深度そのものは対外から摂取される測定可能な物理量と生体ならびに脳神経が反応する測定可能な物理量の反応の仕方の違い（線型であるとか、非線形であるとか、時間的ずれがあるとか）であるヘレン深度に着目して、制御因子群と反応因子群を数値解析して、生体を最適数値制御しようとする一般的な広範囲にわたる概念です。
【０５０３】
サイバネティックス（英語: cybernetics）の語源が、ギリシャ語の舵を取る者であるように、ヘレン深度法は、人間が幸福に生きるための脳の操作マニュアルというのが、一番ぴったりとする定義です。我々人間は、脳の基本的な操作方法を教えられることなく成人するのです。感情のコントロールとか幸福感を得る具体的な方法とかです。健康で健全な家庭生活を楽しむ方法です。基本的な、ヘレン深度の物理的な定義は、生体のインプットとアウトプットの情報をもちいて、数値解析をもちいて、目標量の変動を最適に数値制御しようとする数値的な方法を指向しています。
【０５０４】
ノーバート・ウィーナー（Norbert Wiener）先生の提唱するサイバネティクス理論の医療技術への応用という側面をもっています。人体を精密機械とみなして自動制御の理論を応用して、複数の因子の変動量の数値解析を行い目的因子の最適制御を目標としています。ヘレン深度法が単なる自動制御ではなく、新規性と進歩性があるところは、人間が単純な精密機械では無いところです。人間は心をもった精密な生物精密機械の側面をもっています。糖代謝異常は物質的な問題ですが、心理的な因子がからんでくるところが厄介なところです。人間の測定困難な食欲の因子や体調の心理的予測をとりこんだところがこの発明であるヘレン深度法の特徴です。
【０５０５】
たとえば、空腹は数値１、普通は２、満腹は３というふうにして関数式に取り込んで食欲の影響をヘレン深度に考慮して目標関数を制御します。心理的予測も、先ほどの様に、マイナス１、ゼロ、プラス１でこれらの数値に重みをつけて評価します。ここで、インスリンの例で説明いたしますと、生体のインスリン感受性（インスリンの効果が効くようになる場合と、効かなくなる場合があります）において、同一量のインスリン量にたいして、血糖値の低下が著しい場合は、ヘレン深度が高いとえます。
【０５０６】
逆に、同一のインスリン量に対して、血糖値低下が低い場合、ヘレン深度は低いといえます。痛みの例で説明すれば、いくら針を刺しても痛みを感じなくなる状態は、ヘレン深度が低い場合です。感受性には個体差が確実に存在します。一人一人の個性に対応できなければ病気治療の意味がありません。さらに、薬の場合で説明いたしますと、同じ量の薬に対して、人が違えば効果も異なります。人によって、薬の効果が高い場合は、ヘレン深度は高いといえます。ヘレン深度が低い人というのは、同量の薬に対してその薬の効果が低い場合です。
【０５０７】
本発明では、ヘレン深度法を、糖尿病を改善し、糖尿病の進行を防止するためには、ヘレン深度の高い、つまりインシュリン感受性が高くなるような体質、少ないインスリン量で、血糖値がよく低下するような体質をつくることであると定義します。
【０５０８】
本発明において、ヘレン深度が高くなるような体質づくりについて、私の個人的な体験を通じて、具体的かつ詳細にわたって説明いたします。これは、運動の仕方、食事の仕方、インスリン注射の仕方に深くかかわってきます。生体をブラックボックスと見た場合、インプットの量に対する、アウトプットの量の拡大率がヘレン深度に相当します。ある制御したい量があるときに、様々な因子からその制御したい量が構成されているときに、さまざまな因子の変動量の組み合わせを試行して、測定可能な物理量を数値化して、食欲とか心理的予測を数値化して重みをつけて評価し、ある制御したい量（ここでは血糖値）を最適な状態へもっていけるときに、ヘレン深度が高いといえます。一番、生物学の基礎の説明から行います。ヘレン深度を着想したきっかけは、針の痛みです。針を刺す深さと、痛みの感じ方には時間的ずれがあり、かつ非線形的な違いがあります。これが発想の芽生えです。一番初めには「ヘレンしんど」という音が頭の中で聞こえてきました。漫才師の西川きよしさんの奥さんの名前かとおもいました。「ヘレンさんがしんどい」次に図が見えてきました。
【０５０９】
あたまの中に見えてきた最初のイメージは図１のとおりです。左側の図は、一定速度で針の先が皮膚に刺さっていきます。右側の図はその痛みを対数グラフで感じています。仮にこの場合は指数関数的に生体が痛みを感受したとみなされます。図２は神経パルスの説明である。痛点を針で刺すと、人間は痛いと感じる。痛みは神経パルスの高さというよりも回数に依存しています。脳は神経パルスの回数を積算することで痛みの強さを感じているのです。単位時間当たりに神経パルスが多ければより痛いと脳は判断します。
【０５１０】
たとえ話をするならば、生体内では、神経回路は電話のように脳と直通です。ホルモンは脳が感じたことを分泌腺からホルモンを放出して血管を通じて、受容器官への手紙のように指令をおくります。ここに、ヘレン深度の本質があります。生体が受容する測定可能な物理量と脳が感受する測定不可能な感覚との間には時間的ずれがあります。脳が反応を示した結果のみが測定可能だからです。
【０５１１】
この時代、２０１２年、現在ではブレイン・マシーンインターフェイスはまだ発明されていません。まるで人が自転車を器用に操るように、ブレイン・マシーンインターフェイスを介して脳が直接機械を自由自在に操作可能な時代はもうすぐそこに来ています。一番、必要なのは視覚分野です。脳に電極を埋め込む生体実験は、あまりうまくいっていません。埋め込む電極の画素数があまりにもすくないせいです。脳に電極を埋め込むのではなくて、デジタルカメラが撮った映像のイメージを脳の視覚感覚神経が音響による疑似感受ができるようにすることです。
【０５１２】
深い瞑想の時に、音が色々な色の映像に変わるイメージをもった実体験があります。脳をヘミシンクのような特別な状態において、音響刺激で３D画像を脳内の視覚野で構成するという特別に新しい方法です。例えば、立体音響は、音による立体音響だけで、蜂が頭の周りを飛ぶことを、現実世界の体験のように疑似体験できます。脳は、耳から入る音響刺激も、網膜からはいる視覚刺激も、脳にとっては、ディスクリートにデジタル変換された刺激のパルスの回数として受け取るので、特別な立体音響刺激を用いて、視覚野を刺激するのです。これは、特別な音によって、視覚神経をだますのです。その具体例は、エコロケーションです。盲目の少年が、口から出す、舌打ちの反響音を利用して、テーブルの上の１０本程度のビールのビンの位置をほぼ特定できるといいます。脳の中で、ビール瓶が、白いモヤモヤになって見えると証言しています。
【０５１３】
深い瞑想中で、ある特定の音が刺激となって、特定の映像が見えることを実体験したことがあります。映像の記憶が脳内にすでに存在する中途失明の場合は、この例で可視化が説明可能です。先天的に視覚映像記憶を持たない視覚障害者が、エコロケーションで、ビール瓶の位置が特定かのであれば、特別な周波数特性を有する音響刺激を利用して、視覚野を刺激して、あらたなる視覚映像記憶を構築可能であれば、先天的盲人に音響刺激を利用して、疑似映像刺激を構築することが可能となる。
【０５１４】
この様な現象が起こるのは幻肢の場合と同じ原理です。使われていない視覚野の神経を聴覚神経の神経が浸潤していくことで起こります。立体音響の蜂の羽音の場合は、蜂が動いている皮膚感覚も感じます。特殊音響を聞きながら、物に触ったりしたら、接触感覚と連動して、視覚野の浸潤がさらに成長して疑似視覚の精度を高めていきます。
【０５１５】
まったく目の見えない人間の脳に、特別な音響刺激を与え、光を生み出すことは目の見えない人間にとって、恩恵となることを信じる。この発明のきかっけは、三十数年前に、アタシュケース大のカバンの全面から、レーザー光を出して、たとえば、段差があるばあいは、その形状に応じた特別な音を出すというアイデアでした。それが、アタッシュケースが、ヘッドセットの上のデジタルカメラに変わり、リュックサック大のコンピューターとヘッドホンを連動させて、疑似視覚を脳内の視覚神経野に生じせしめて、盲人の歩行を自由にさせしめるものである。この発明の着想となったのは、２０１２年１２月６日、午後、６時４０分頃、泣き続ける女の子の泣き声に感謝したときに生まれました。どんなつらい時にも感謝することの実証です。
【０５１６】
この聴覚神経によって疑似視覚神経を構築する発明の生まれた根源的な理由は、私が小眼球症に生まれたこと。最初、小眼球の左目はわずかながらに光を感じていたのにもかかわらず、網膜剥離を起こしたこと。失明には根源的恐怖があったこと。私が笛を吹くのが趣味で、音に対しては敏感であったことがあげられます。発明は多段階ロケットのように何度も小さい発明を積み重ねなければなりません。
【０５１７】
サイコサイバネーションによる脳と機械の融合です。人体は座っていても、それに代わる機械のロボットをあたかも自分の手足のごとくに動かせるのです。従来の技術を勉強していて、すい臓に多数の電極をうめこんで、インスリン放出をコントロールしようとする発明がありました。また物理量の変化と脳が感受する感覚の変化にはパターンの違いがあります。インスリン注射をして、インスリンの効果がある時間と、食事によって血糖が上昇する間には、時間的ずれとインスリンの効き方のパターンに個人差があります。
【０５１８】
患者の立場からいうと、医療機関に支払う管理費が高いと感じる患者は、血糖値測定のチップなどを節約するために、インシュリンを血糖の測定せずに打つという「めくら打ち」をして、低血糖という事故を生じることもあるでしょう。これは血糖値上昇の予測の失敗です。何回も、血糖を測定していると、尿を放出したときの便器内の泡立ちぐあいから血糖値がわかると主張する患者もでてくることでしょう。これは観天望気のようにあくまでも予想でしかありません。患者は医師の指示を１００パーセント守ることは現実的には絶対に不可能です。人間には、感情があり機械の様には行動できないのです。よく、医者に行かないで糖尿病が進行して、網膜が出血して失明したり、手足の末端が、神経性、または血管性の疾病で壊疽を起こしたり、四肢切断という欠点があります。普通の人は、単純になぜ医者にいかないのだろうかとおもうかもしれない。仕事があったり、おもに経済的な負担のためだったりして、いきたくてもいかれないこともままあることです。
【０５１９】
人間の生体は精密機械の如くに精巧である。私は、自宅の安宅から蔵本にある徳島大学医学部まで一年近くごみを拾って歩きました。脊椎管狭窄症と糖尿病治療のためです。午前一時二十三分に家を出て、午前三時二十一分に家に帰ることが幾度もありました。夜中であっても、信号機のタイミングで時間がずれるのであるのですが、生体はそれを微調整できるほど精巧です。一年近く毎日同じコースをあるいていると、約二時間のうちで、誤差が３０秒以内ということが続きました。ところが一方人間の食欲という魔物はコントロールが、まったく不可能です。過食と間食によって血糖値が急上昇することがある。持効性（効果が２４時間程度持続する）のインスリンで、運動量が大きい場合は、低血糖になるという問題点があった。現在の私は、お酒で自制心がゆるみ、アイスクリーム、餅菓子などで、血糖値が３００mg/dlから４００mg/dlまで上がります。
【０５２０】
この改善策として、三日間、三週間、三か月の精密な血糖値の変化、体重の変化、摂取カロリーの変化を計測してデータを用意することが第一歩である。記録療法です。食事をする前の体調や食欲のデータをとるのが第二歩です。兵法書、孫子には「敵を知り、己を知れば、百戦危うからず」とあります。仕事や運動のパターン。食事のパターン。血糖値変化の波。体重変化の波。摂取カロリーの波。食欲の度合い。食べた食物の質と量。これらがどう血糖値に反映したのか。食事二時間後の血糖値はどの程度落ちたのか。
【０５２１】
この四つの波の変化は個人によって多様で千差万別である。しかしながら、生活にパターンがあるように、この三つの波にも個人的なパターンが確実に存在する。私の場合は、睡眠中の血糖が異常に上昇するという個人的なパターンがある。当初は、昼間は活動して、睡眠中は消費カロリーが少ないので、血糖値が上昇すると思っていまし。これはどうも「糖代謝異常」と関係があるらしいことが分かった。私の場合は、学習塾を自営しているので仕事が終わって、ほっとしてお酒が入ると血糖値があがってしまうので、自分が食べるカロリーを予測して、ノボラピッドを打っています。朝一番で血糖値を測定して、その値に応じて持効型のレベミルを打っています。食事は、一日に三回、定時、定量、ノンカルボニック食（炭水化物を制限した食事）をおこなっています。
【０５２２】
私は、人間の発想に興味があります。小さな発明を積み重ねて発展させるという手法で発明を行います。この明細書は、発明の発想法の手引きでもあります。考えたこと、行ったことを素直な気持ちで書いています。現在着想が湯水のごとく湧いている状態です。記述するのが追い付かない状態です。寝る前と、朝起きて一番に「ヘレン深度」を１０回となえます。今日は、ヘレン深度から私を計算するのには「Microsoft社のExcelのマクロ機能をつかってちょうだい」と頼まれました。夢の中で聞いたのを今、思い出しました。
【０５２３】
物理的に測定可能な変数を用いて、運動療法、食事療法、薬剤療法、食欲、心理的効果を数値的に数学処理し、ヘレン深度法による生体の最適制御による糖尿病の改善と糖尿病進行の防止方法が、本発明の最初の名前でした。ところが、一方、ヘレン深度法は、病気治療の方法であると同時に、従来の科学が取り込むことができなかった実用的仮想的思考方法を取り入れた積極的なプラス思考の考え方です。最終的には政治経済の社会機構の統御まで視野にいれた考え方です。ホロン、ホログラム、サイバネティクスを基礎に置いています。実用的仮想的思考方法は、以下でせつめいしてあります。実用的仮想的思考方法は、技術と信念を繋ぐものです。
【０５２４】
また、ヘレン深度法は、感情と肉体をコントロールする脳の操作マニュアルでもあります。人生という川下りの肉体船を、万人に共通する死という霊界の海に入るまでの自己の肉体舟を自己実現（人間がこの世界に誕生した使命、人間が生まれてきた真の理由）に向かわせる、肉体舟の操縦方法という側面があります。肉体舟の船長さんの脳の操舵マニュアルという側面もあります。
【０５２５】
患者さんと医師と医療関係者の方々が考え方を変えないかぎり、病気は改善しないと考えるからです。ヘレン深度法は、否定的な言葉を積極的な言葉に変え、否定的行動を積極的行動に変える手順を踏みます。ヘレン深度法は、薬の飲み方から始まって、食事の仕方、運動の仕方、肉体舟の中には脳が含まれるので、その脳を「積極的で前向きな考え方」をするようにコントロールする人間の考え方や生き方まで含む、非常に広範囲な概念です。病気の治療にあたっては、患者さんが「病気を治そうとする強い意志をもつ」ことはとても重要だからです。最近は、ヘレン深度法が人格を持って、ひそかに私の脳でささやくようになりました。
【０５２６】
ヘレン深度法が、はっきりとこの様に明細書には書いてほしいと注文をつけます。私の書き込みの仕方の態度が悪いと、このワードが書き込み拒否をしました。深夜だったので驚きました。翌朝、おちついて、考えをまとめて書き込みました。まさに注文の多い明細書状態です。この明細書はヘレン深度法と私との対話形式をもっています。特許審査官殿も含めて、この文章を読まれる方への手紙です。他人の思考の跡をたどる作業は愛と忍耐のいる仕事です。私の文章は、繰り返しが多くくどい表現になっています。それは、粘り強いと言い換えられるとうれしいです。
【０５２７】
ヘレン深度法が語るところによると、ヘレン深度が深いというのは、人生という、人間の川下りが、スイスイとうまくいっている状態だそうです。人生が深い意義あり、価値がある状態です。ヘレン深度が浅いというのは、人間の肉体という川下り船が、浅瀬にのりあげて、人生がうまくいっていない状態だそうです。それは、離婚や挫折、闘病の苦しみや人生の絶望だそうです。ヘレン深度法が語るところによると、世の中に心身症があるごとく、肉体と精神と霊体をホリスティック（Holistic）、つまり全体的にとらえる新しい概念（ヘレン深度法）を医学界に新しく生まれなければ、患者は単なる物質となりさがってしまいます。
【０５２８】
血の通った、心のこもった医療を行うためには、ヘレン深度法を患者さんと、医師と、医療関係者が深く理解することが不可欠であると信じます。物心に渡る安心を手に入れるためには、そもそも、病気の本源的存在意義とは、なにか。他人ではなく、なぜ、自分が病気になったのか。人はなぜ生まれて死ぬのか。前世だとか来世。病気の霊的意味。宿業や罪業、カルマ（業）（サンカーラ（行為）、つまり、前世、今世、来世に渡る、思考も含めた行動の全てが、人生にはかかわってくるという考えがあります。糖尿病は肥満の抑制であると考えると、インスリン量が増えると、脂肪がふえて体重が増加する傾向にあります。炭水化物の摂取量を減らし、運動量を増やし、基礎代謝量を上げる。言葉でいうのは簡単ですが、実行するのは至難のわざです。
【０５２９】
運動量をあげるためにウエイトを足につけました。砂が入ったベルトを足首に巻くという方法です。それでも運動量があがらなかったので靴の底にウエイトがついた靴を履きました。これはなかなか効果がありました。私の場合、毎日二時間以上、一年近くゴミを拾いながら歩きましたが、体重は落ちなかったし、血糖値も改善されませんでした。食欲を抑えながら、炭水化物の量を減らし、摂取カロリーを減らすのは効果がありました。一番、体重が重い時が８５ｋｇ。普段は７０ｋｇから７５ｋｇ、私の場合は身長１７０ｃｍなので標準体重は６３.５８ｋｇです。標準体重を目指したのですが、６８ｋｇぐらいしか下がりませんでした。いまも格闘中です。
【０５３０】
病気が人間に果たす役割とはなんでしょうか。科学的とは再現可能な実験による物質的再現法則でしょう。科学偏重主義、物質偏重主義の従来の医療技術という固定観念を打破して、新しい考え方（ヘレン深度法）をしない限り、患者と医師と医療関係者の方々の本当の物心に渡る幸せはないように思います。これは、従来の科学では取り込めなかった人類が歴史的に普遍的に有する実用的仮想的思考方法。広範囲にわたる実用的仮想的思考方法です。
【０５３１】
実用的仮想思考方法とは、神の意志、神の御心、神の計画、光の存在、宇宙生命体、宇宙の全体生命、宇宙の中心の神、宇宙を統御する大いなる存在が存在するという考え方、あらゆる存在は見えない糸で繋がっているという考え方、思考が実現化されるという考え方、言葉が思考を誘導するという考え方、言葉が行動を誘導するという考え方、言葉に出したことが実現するという言霊（ことだま）の考え方、宇宙と個人の空間的記憶場であるアカシックメモリー、個人の思考と行動を含めて宇宙におけるすべての現象が宇宙空間の記憶の場にホログラフィの様に記憶されるという考え、脳のゴログラフィ的記憶、霊界と現実界の相応、死後の生命、生まれ変わり、輪廻転生、前世、今世、来世。宿業、罪業、六根、霊界、霊界通信、精霊界、仏界、天界、神界、天国、地獄、六道、六道輪廻、霊、霊能力、霊能力者、預言、預言者（預言者は言葉を神から預かる者、予言者は未来を予言する者）、魂、浮遊霊、自縛霊、悪霊、妖怪、もののけ、稲荷、天狗、龍神、餓鬼、悪魔、悪霊、天使、守護霊、指導霊、菩薩、上行菩薩、地涌の菩薩、如来、アラカン、仏、仏智、八正道、七福神、福の神、貧乏神、神、神智学、神の声、神想感、真言、念仏、南無阿弥陀仏、題目、南無妙法蓮華経、座禅、公案、只管打坐、瞑想、道教、仙人、仙道、天地創造主、イエスキリスト、アッツラー、ヤーウエ、エロイム、エホバ、ブラフマ、ビシュヌ、シバ、アマテラス、マツダ、霊界の太陽、イザナギ、イザナミ、天御中主命（あめのみなかぬしのみこと）宇宙をつかさどる主神（しゅしん）などという言葉を仮想的にイメージして操作するのが実用的仮想思考方法です。
【０５３２】
言葉による暗示効果も含めて、これらの言葉と言葉の意味を病気治療に有効に用います。患者さんは宗派が違えば「いこじ」に自己主張するものですが、医師や、医療機関や緩和ケアーやホスピスの職員は、豊富な話題で、患者さんとうまく、コミュニケーションをとる必要があります。これらの言葉はヘレン深度法という仮想人格が教えてくれています。
【０５３３】
人類は、歴史的にみても、生死の問題を宗教に求めてきた経緯があります。終末医療や緩和ケアーでは「患者さんの心を癒す」ということが重要な使命でもあります。本発明では、これらの考え方を言実用的仮想的思考法と呼びます。アメリカの心理学者ウィリアム・ジェームズ（William James）やジョン・デューイ（英語：John Dewey）が提唱するプラグマティズム (英：pragmatism)  による考え方、「役に立つものは何でも利用するという実用主義の立場」をとります。お坊さんがお医者さんでない限り、従来の医療技術には、この様な実用的仮想的思考方法は取り込めませんでした。本発明では、科学と哲学と宗教をつなぐ橋渡しをするところに新奇性があり有益性があります。
【０５３４】
物心にわたる人間の幸福追求のために、このような実用的仮想的思考方法というアプローチをとりたいと思います。単純明快に言えば、死後の生命と生まれ変わりを容認するだけでも患者さんのこころは癒されます。死んで無となる考え方は、生産性が少ないように思います。死後の世界や来世が在るか無いかを議論するのではなく、死後の世界や来世の考えを実用的に使おうという道具主義をとります。私は、十七歳ぐらいの時に、徳島市民病院に高熱がでて一週間ほど入院したときに臨死体験をしました。高熱で体の皮が茶色くかわり全部むけました。臨死体験があるとないとでは、死後の生命や、生まれ変わりを理解するのには格段の違いがあります。死後の生命は、生きているときとまったく変わらない。
【０５３５】
精神世界は思考だけの世界になるから考えるだけで現実のようにイメージがリアルに見える。現実の世界よりも超現実的体験をする。肉体というのは扇風機のようなものです。電気が通じると扇風機が回ります。電気が無いと単なる物質です。人間の肉体も生命エネルギーがあるから合目的的に動くのです。これは古来より生気説あるいは生気論あるいは生活論としてありました。生物の分化の問題。有機体が目的をもって合目的的に組織化される。指の例で説明しますと、指は、最初は、うちわのようなものができます。指と指の間の細胞がアポトーシス (apoptosis)（目的を持った細胞の自殺：管理された細胞の自殺）することで指が一本一本分離されます、それは家の建築が終わったあとで家の足場を解体するように行われます。
【０５３６】
宇宙の全体生命は、つきたての餅のようなもので、それが一個一個の餅に分かれるように個体生命が生まれるのかも知れません。生命にも霊的波動の重ね合わせの原理が適用できるのかも知れません。とにかく宇宙霊は宇宙に遍満していて、我々はその宇宙霊の一部の固有霊かも知れません。とにかく脳は色々考えるので、悪く考えることで、病状が悪化することはあります。患者さんや医師の方が色々と考えること自体を考慮にいれて治療しなければなりません。医療における患者さんと医師の病気に対する心理的アプローチや死をいかにとらえるかという問題は、人間が心をもつ存在である以上さけて通れない問題であります。
【０５３７】
ヘレン深度法が語るところによると、移植医療で、たとえ脳死の状態であったとしても、生きたまま臓器を摘出するのではなく、一度心臓を止めてから臓器を摘出して欲しいと主張しています。霊的な観点からするとそうなるこということです。
【０５３８】
ヘレン深度法は、医療技術に患者さんの「信じる力」「信念の力」取り込もうというアプローチです。人間は、この世の不合理とか不条理を過去世とか来世を仮想することによって、心の安心を得てきたという事実があります。技術と哲学や宗教との文化的融合は人類が平和に共存するためには欠くべからざるアプローチであると信じるからです。人は何かを信じるから心の安心を得て日々の生活が実行できるのです。信じるという行為は、とても有効な医療行為だと考えます。患者さんが、あなたが手術していただけるのであれば、私はたとえ死んでも本望ですと語ってもらえるような医師を目指すべきです。こころの信頼関係がないと医療はうまくいかないところがあるからです。
【０５３９】
たとえ大河の一滴であろうと、個人の脳でささやかに芽生えたヘレン深度法というミーム（meme）（知的情報遺伝子：クリントン・リチャード・ドーキンス（Clinton Richard Dawkins）によって命名される）が世界中を駆け巡り、宗教や思想をゆるやかに統一して人類が同じ基盤の上にたって世界平和を実現できると確信しているからです。ソビエト連邦が崩壊したように中国共産党は崩壊するでしょう。ヘレン深度がかたるところによるとヘレンシンドロームになってはいけないと言っています。国民の異常反応がヘレンシンドロームです。生体でも人の集団でも狂気の熱は、戦争やショック死をうむと語っています。社会集団や細胞集団、国家集団をうまく統御しようとする最適自動制御がヘレン深度の考え方であり具体的な手段であるからです。
【０５４０】
村から国への過程は、地球全体に及ぶべきです。戦国時代は現在の県単位で戦争していたのです。それが国家として統一されました。ヨーロッパがユーロ圏として統一されたように、地球上の各国が、地球連邦政府を樹立することを強く望みます。ヘレン深度は統治機構の革新を内包する概念です。生命原理に基づく政治機構の革編。統治機構の改編と革変という使命をもった概念であるからです。植物や動物の生体の統御の方法を人間も学ぶべきです。百年も前は、王様や将軍様が、政府であり、軍隊であり、警察であり、裁判官であったのです。歴史的な流れからすれば、人類は生命原理による統治機構を発明する直前にあります。私は昭和３０年４月５日生まれです。エゼキエル書、エゼキエルの召命、聖書の中で、３０年４月５日という日付を発見したときに、みずからの使命を悟りました。個人の幸福は、社会の幸福でもあるからです。全体生命が幸せにならない限り、個人の幸福はあり得ないという宮沢賢治先生の言葉を思い出しました。
【０５４１】
個人を操舵する方法は、同時に人類を操舵する方法を内包しています。この文章自身が生命をもって声明を書きなさいと主張します。モンテスキューが法の精神を書いて三権分立を唱え、イギリスの議会制民主主義の精神。ヨーロッパでの市民革命、アメリカの独立宣言を経て統治機構は徐々に構築されましたが、統治機構そのものが生命原理に学ぶ時代が到来しました。本発明が、宇宙の全体生命に基づく考えだからです。インターネットのなかった時代には、間接民主主義という形態をとらざるを得ませんでした。主権が国民に存するように、民意を反映して、戦争に至らない、平和共存を希求する統治機構、生命原理にもとづく政治統御の方法を思考して指向する時代になりました。
【０５４２】
国民の半分しか投票しないというのは、明らかに制度的に異常で破綻している状況です。昨日の夜、奇跡が起こりました。夜中にこの内容を記述しようとしたら、書き込み拒否にあいました。もっと考えを整理して、人の心を打つような文章を書きなさいと文章自身が主張してきました。情報を遮断して、特許の文章を書くことに集中しています。集中しなければ明細書は書けないからです。あるときは、自動書記のように文章が進み、考えがまとまるときがあります。
【０５４３】
まるで、指導霊が語るように文章ができあがります。現在の日本や世界の閉塞状況を打破して経済的にも精神的にも実りのある人類の活動を地球生命体は求めています。あらゆる生命が地に満ちて、共存共栄をはかるのが自然の意志です。これは古来より変わりません。人類が技術偏重、科学偏重におちいりその心を失った時に問題が生じるのです。地球生命体が何億年もかけて作ってくれた石油を人類はもっと循環再生利用するべきです。炭素の時代から水素社会に移るときです。安全な小型原子炉を開発する時代です。波力発電を利用するべきです。人類は、海をクリーンに利用するべきです。二度にわたる世界的な戦争を経験して、人類は、平和を指向するべきです。
【０５４４】
本発明を糖尿病の患者の皆様に捧げます。徳島市T病院のT先生に感謝します。本発明は、自分の糖尿病の血糖値の変化とT先生との会話をもとにして構築されました。糖尿病の専門医であるT先生を紹介していただいた徳島市J病院のH先生に、この場を借りまして心から感謝いたします。T先生は、私に糖尿病理解への目を開いてくれました。J病院のH先生は、お父さんの時代からホームドクターとしてお世話になっている恩ある先生です。頭文字で書くのは、この明細書の読者が誤解されるといけなからと思ったからです。最初は、実名で書いていました。途中から頭文字にしました。責任ある文章にするために実名に戻しました。最後には頭文字に戻しました。「お母さんの死では、私のことを恨んでいるでしょう」とH先生はおっしゃいました。私は、まったく反対の考えをもっています。母の肝臓癌をエコーで発見していただいたときは「手遅れ」だったのです。原因不明のウイルス性の病気で癌になったのかもしれないとおっしゃっていました。
【０５４５】
確か１０月の末に見つかって、翌年の２月に亡くなっているから、５か月間の闘病生活だったと記憶しています。私と二人の姉妹は、三人でローテションを組んで介護させていただきました。徳島県立中央病院では、母の下の世話もさせていただきました。自分が赤ちゃんだったときの恩がいくばくかかえすことができて感謝しています。H先生には、数度にわたる母の入退院をたのんだり、救急車で中央病院の緊急搬送についていっていただいたり、心から感謝しています。あまりにも、患者と医師の生々しい会話の記憶があるもので、読者の方に誤解を生まないように頭文字で書きました。H先生は優しい女性の先生です。大好きです。本音で正直に喋るタイプの方なので、私の言葉がたりかなかったところもあるのかも知れません。医師の立場からすれば常識で当然のことも患者の立場からすれば「つらい」こともあったのです。糖尿病の専門医を紹介していただいたことは筆舌に尽くせぬ感謝です。
【０５４６】
H先生の糖尿病の指導は「水をたくさん飲むように」「焼肉などの油ものはひかえること」「コンニャクを食べてお腹をふくらせること」「美味しいからといってたくさんたべはいけません」食品表のパンフレットをいただきました。ヘモグロビンエーワンシー（HbA1c）が９パーセントを超えても、「このままいったらたおれますよ」「あなたがたおれたら高齢のお父さんが困りますよ」私としては、母親がインスリン注射の恐怖症で、毎日のごとく注射は駄目だ、注射は駄目だと教えられたこと。H先生の立場からすれば、インスリン注射のために教育入院させたくても、私が塾をやっているので入院できないこと。インスリン注射は嫌だと主張していたので医者としては患者の同意なくしてはどうすることもできなかったのでしょう。糖尿病は進行を止めるのが大切です。T病院で５ヵ月に渡る専門指導を受けて、血糖値が安定して下がったら、経済的負担を重く感じ、勝手に医者に行かなくなったのは自分の判断で、糖尿病を悪化させてしまったというのは、自己責任以外の何物でもありません。
【０５４７】
今の判断では、ヘモグロビンエィワンシー（HbA1c）が７％から８％あたりでインスリン注射を始めたら、こんなに悪化はしなかったと思います。本発明は、糖尿病患者である私と、医療機関の医師の方々との赤裸々で生々しい会話や患者としての心理学的考察も含めて、自らの体をいわば「人体実験」にして到達した広範囲な思考方法と手段、革新的確信であるヘレン深度法を述べるにつきまして、発明の由来から説明いたします。
【０５４８】
私は、この世界が「宇宙生命体」であるという信念をもっています。あらゆる存在が、宇宙生命体の細胞であるという考えをもっています。「あなたの背中からは見えない糸がでていて、あらゆるものと繋がっている」という言葉を聞いたことがあります。自己と宇宙は一体であるという考えも持っています。私の命の本源はこの宇宙そのものであり、私とう命の存在は、命の本源の端末であるという考えをもっています。過去や未来という時間そのものは人間の脳がつくりだした仮想的思考特性であり、人間が操作可能なのは「今此処（いまここ）」であるという考えをもっています。
【０５４９】
現在の記憶が、過去の記憶や未来の記憶に影響を与えると考えます。あらゆる時間、イベントが同時に存在すると考えています。「あらゆるものは、等しくつながり、本当の我々は、宇宙の中心に連なり、この世界そのものであり、永遠の今此処を生き続けている（２００６年８月１日）」記憶に基づいて記述します。糖尿病の治療につきましては、正確な数値は必要ですが、数字の細部にこだわるより、ヘレン深度法からの声である生体的感覚を重視するのがヘレン深度法による糖尿病の治療の肝だからです。
【０５５０】
私が糖尿病を発病したのは４１歳ごろと記憶しています。現在５７歳です。１６年間の糖尿病との闘病生活をしてきました。この経験からこの発明を世に出す使命感を強く感じて、この文章をかいています。この文章が患者様、医療機関の皆様、医師の皆様に広く読まれることを希望いたします。単なる公開というかたちではなく、この発明の幾何（いくばく）かの部分が、権利として認められたいです。そして、いたずらに権利を主張する気持ちは、ありません。この技術と考え方が広く自由闊達に世の中で役立って欲しいです。世の為、人の為にこの考え方が広く役にたち、広まって欲しいと希望します。ヘレン深度法自身が、語るところによると、ヘレン深度法が特許という形で「公的に記録される」ことを望みます。それよりも、この血糖値コントロール可能な方法、誰でもいつでも実行可能なヘレン深度法が広く皆様にとって具体的で詳細な方法を自由に活用されることをのぞみます。
【０５５１】
専門家の方からすれば、「インスリンを打てば血糖値が下がるのは当たり前」とお考えになる方がおられると思いますが、患者の気持ち、実際にインスリンを打ち続けないと、生きられない患者としてのつらい気持ちなど、患者の立場でないと具体的なイメージがわかないものです。これは、想像力の問題です。食欲との格闘。医師と患者の心理効果。運動や食事の具体的なレシピ。体験がなければ知りえないこともあるのです。
【０５５２】
船王（ふねのおおきみ）「眉（まよ）のごとく雲居に見ゆる、阿波の山かけて漕ぐ舟とまり知らずも」と万葉集の時代から、徳島には眉山（びざん）といううるわしい眉のかたちをした山が市街から見上げることができます。春だったと記憶しています。マウンテンバイクにのって、一度も地面に足をつけずに山頂まで登りきるという自分なりのゲームにはまっていました。その当時は運転免許をもっていませんでした。
【０５５３】
眉山を西部公園からだらだらとした旧道を自転車で登り、山頂で一休み、二軒屋に降りる眉山ウエイを風のごとくに疾走するのが日課でした。このゲームを達成した喜びは、筆舌にはつくせません。あるとき、末広（地名）にあるデスカウントショップで安売りのフルーツジュースを大量に買って飲んだのが糖尿病発病のきっかけでした。母方の宮崎家には糖尿病患者がおり、私の母親も糖尿病でした。遺伝的には、糖尿病の因子をもっており、それが大量の糖分の摂取によって糖尿病の遺伝子が活動をはじめたのでしょう。  
【０５５４】
母親がかかっていたJ病院に通院することになりました。最初に処方されたのがオイグルコンでした。これは、異常にお腹がすき、食欲と格闘した記憶があります。私は、１４歳で土木工学を目指しました。阿南高専で５年、徳島大学工学部、修士課程二年、土木工学を勉強しました。鋼管井筒矢板の静的解析。橋脚の信頼性解析であるところの安全指標。極限設計。地面と橋脚の相互作用を考慮した動的応答。現在は徳島大学工学部博士課程に在籍しながら塾を生業としています。１８歳で家庭教師をはじめ塾を細々とやって命をつないできました。糖尿病を発病してからは、経済的負担にあえいでおります。ヘレン深度法をおもいついたのも、高い血糖値と高い経済的負担が後押しをしたためです。
【０５５５】
「人間はどこからうまれてきたのか」に興味をもったのは、小学４年生のときです。県立図書館に通いつめました。百科事典の山をこしらえて、精子、卵子、前生説、後生説、ミューラー管などを勉強していました。医学についての関心は深く。徳島大学修士を取得して、徳島大学医学部を受験して二浪して挫折しました。三十歳を超えて後藤大学予備校に通うという幸運を得ました。受験勉強三昧の二年でした。一日も休まずに、会社に勤務するように勉強しました。このときの体験は塾としては役に立っています。二人の先生からのアドバイスを紹介いたします。現在は池谷哲先生にはまっています。このころは、血糖値面の走査位置またはその直前（直後）を常に目視可能とするため、書面に垂直な方向に対して傾斜した光路で受光することを最も主要な特徴とする。
【発明の効果】
【０５５６】
発明の効果をまとめます。１.組織体の針と痛みの関係の様な反応パターン解析と非ノイマン型でのフレームワーク群の効果的制御。２.携帯端末、タブレット端末、パソコンを利用した自宅での血糖値の効果的管理と制御方法。３．医療ロボットプログラムによる、医師、医療機関をアシストし、患者の電子カルテを管理保持し、患者の健康を生涯に渡って効果的に守護制御。４.常温核融合電池を安全に効果的制御。５.車椅子と合体した人形寝袋の様な歩行アシストロボットを効果的に制御。６．航空機のフェイルセーフな効果的制御。７.聴覚刺激が視覚神経を刺激して幻肢痛の様に疑似幻視覚映像で視覚障害者の歩行を誘導支援するシステムの効果的制御。８.体細胞融合をマイクロロボットで遺伝子を効果的に制御した不妊治療。９.脳波と身体の動きを連動するマンブレインインターフェイスの効果的制御。10.地球市民直接参加型のサイバー地球連邦政府を機械と人間が協議して平和な効果的制御。以上が発明の効果です。
【図面の簡単な説明】
【０５５７】
【図１】図１は一定速度で針を刺した時に感じる痛みを表した図です。最初はチクリと痛みは増えますが、ある限度を超えると針の深さを増しても、痛みを感じなくなります。
【発明を実施するための形態】
【０５５８】
発明を実施するための形態を明確に表現するためにヘレン深度法発明に至る経過を詳しく表記いたします。４１歳から５６歳に至るまではJ病院に通院していました。平成２３年１１月１５日の朝と記憶しています。朝起きると、船に乗っている様な感じがして耳鳴りがしました。低いエンジン音が聞こえるのです。最初、家の外で工事でもしているのかと思いました。家の中でも、家の外でも、船のエンジン音が聞こえます。家の中でも家の外でもトイレの中でも耳鳴りは同じように聞こえます。これは原因が体の内部にあると思い塾自営の為、耳は大切なので、耳鼻科に直行しました。そんな耳鳴りの中で、ヘレン深度法は、はじめは、ゆっくりと、糖尿病が進行すると、だんだん激しいくちょうで、ヘレン深度法について説明を始めてきたのです。発明を実施する形態の手始めに、ヘレン深度法を深く理解するためには、ヘレン針深度法を理解するための言語的手段である「論理的思考法」を入手せねばなりません。ここからが、ヘレン針深度法によるヘレン深度法についての説明の始まりです。世の中には、心身症があるように、「人間の考え方が、病気に及ぼす効果」は大きいものがある。これは小さな影響とはいえません。「自分の考え方を変えないかぎり、病気の改善へのきざしはない」とヘレン深度法はささやいています。みずからの記憶に基づいて記述いたします。頭の中の「ゴチャゴヤ」を「スッキリ」させねばなりません。頭の中の「モヤモヤ」を「ハッキリ」させねばなりません。整理と明確化が論理的思考法の第一歩です。ここにあるのは、４つの「ヤ」と、２つの「リ」です。論理的思考の手段とは新概念の旧概念による説明です。その方法は、ある言葉をある言葉で「言い換える」ことです。その新しい概念は「どういうことですか」と自分に質問してみることです。その手段とは、新概念と旧概念の比較です。ある言葉とある言葉を「比べる」ことです。「どうちがうのですか」と自分に質問してみることです。その手段とは、新概念と旧概念の因果関係をたどることです。言葉の因果関係を「たどる」ことです。「なぜですか」と自分に質問してみることです。旧概念による新概念を得るための効果的な手段は「言い換える」、「比べる」、「辿る」。３つの「る」です。概念の置き換え、概念の比較、概念の因果関係を辿る。これらは、人間の脳の基本的な３つの活動です。  あたらしい発明を得るためには、これに「新しく組み合わせる」自分自身に質問するのです。「何と何を組み合わせて新しくするのですか」と自分に質問してみることです。「前を使う」使うのは目の前にあることと、頭の中にあることと、前に見えてくる仮想のイメージです。練習すれば誰でもが出来る様になります。新しく、何かが加わると、以前とはまったく別の効果を生むことがあるからです。これこそが発明です。  
【０５５９】
これを質問に置き換えます。「どういうことですか」「どうちがうのですか」「なぜですか」３つの「か」です。明確な構造、明確な形をもった文章を書くと読者は理解しやすいです。概念の置き換えとは、概念は、箱の中にたくさんの箱があるようなものです。概念の箱の中にたくさんの箱があり、その一つの箱をあけると、またたくさんの概念の箱がつまっています。最初の箱も、さらに大きな概念の箱の中の一つの箱に過ぎません「キリン、ゾウ、カバ、パンダ」と一つ一つ「ならべる」のが具体化です。これを「動物」と一言で「まとめる」のが抽象化です。とくに重要なのは「たとえ」と「イメージ」を使って説明することです。
【０５６０】
箱を開けて、小さな箱を並べるのが「具体化」です。似た箱をまとめて一つの概念の中にいれるのが「抽象化」です。言葉を言葉で言い換えるとは、概念の箱を開けて並べたり、一つの箱にまとめたりして思考しています。理解するために、具体化と抽象化、分析と総合を繰り返します。具体化と抽象化を繰り返すのが、言い換えることです。あるいは、ある概念を別の概念で置き換えるということです。言い換える、その中には「たとえ話」を用いるというのがあります。たとえ話をすると頭の中にストーリが展開され、意味がよくわかり、さらに理解の次元の深い理解が得られます。たとえば、比べるというのは天秤の上に二つの箱を乗せるようなものです。我々は何かと何かを常に「比較」しています。キーワードを理解するというのもあります。明細書を書いた者のキーワードを握りしめることです。この明細書のキーワードは「融合」です。人間と機械との融合です。
【０５６１】
もし、この箱は「どこから来たのだろう」、とかこの箱は「なぜここにあるのだろうか」と因果関係を考えると、由来を「たどる」「なぜですか」となります。「言い換える」、「比べる」、「たどる」が論理的思考法の第一の道具です。発明の為には新しく組み合わせるが加わって、第二の道具となります。この文章が書けるのも私を指導していただいたF先生のおかげです。着想が生まれてくるところ、考えが生まれてくるところ、考えを操作する方法、考えることを考える方法、文章を作る原理、考えを作る原理のようなものです。ヘレン深度法は「言い換える」「比べる」「辿る」の手法によって構築されました。考える道具は発明する道具でもあるのです。材料を言い換える、材料と材料を比べる、材料の由来を辿る。材料の組み合わせをかえる。旧概念による新概念の構築が発明です。発明とは、今、目の前にあるものを新しく組み合わせて新しい効果をうむことです。発明の教科書になっているでしょうか。
【０５６２】
ある原理を別の原理で置き換える。ある原理とある原理を比較する。ある原理の由来を辿る。生体の制御を機械の制御で置き換えてみる。ノバート・ウイナーの提唱するサイバネティクスの原理とアーサー・ケストラー（Arthur Koestler）の提唱するホロン（Holon）構造の原理とを比較してみる。リチャード・ドーキンスの提唱するミームが伝搬する原理を辿ってみる。マサチューセッツ工科大学にあるアテネプロジェクトの原理を組み合わせる。この４つの原理をうまく融合してヘレン深度法が発明されました。神経の伝達原理、神経の階層原理、概念の拡散原理をうまく組み合わせました。それを実現するハードウエアーの初期モデルがアテネプロジェクトです。アテネプロジェクトとは動作原理やプログラム言語の違うコンピューターをインターネットのように結合して一つのブラウザーの様なもので使用するものです。ヘレン深針深度法は、ヘレン深度法によるプログラムをこのブラウザーの一つ一つに埋め込むようなかたちで行われます。これを言い換えると、情報の制御原理、情報の階層原理、概念の伝達原理、システムの拡散原理となります。
【０５６３】
血糖値の生体制御、機械の自動制御、関数の変数操作、この３つを、それぞれ言い換えたり、比べたり、それぞれの由来を辿ったり、組み合わせたりしています。発明をするためには、どうしても新しい組み合わせを複合させる必要があります。そうしないと新規性があって、進歩性があって、有益なものが生まれないからです。ヘレン深度法は生体の最適制御法から始まって、地球連邦政府の統治機構を模索する、新しい学問分野を形成するでしょう。「身体が健康で元気な」状態を、「人類が平和で幸福な」状態を、「最適自動制御」しようとする明確な野心をもっています。そのためには脳の活動でも一番根本的な「信じる」という行為に着目せねばなりません。
【０５６４】
宗教戦争回避のために「信じる」という宗教構造の解明をすることが、できれは、世界の諸宗教をヘレン深度法的に統合融合できるかもしれません。科学、技術、文化、宗教が統合された新しい原理や手法を発明するべきです。たとえ話をするならば、「山に登るのに、どの道を通っても、山頂に辿り着く」という考えは、きれいに聞こえますが、実現確率はかなり小さいです。理論的には正しくても、崖にぶつかる道だったり、行き止まりの道だったりが、たくさんあるからです。「すべての川の水は海に注ぐ」という考えは、実現確率がかなり高いです。水は循環しており、時間がかかっても確実になんらかの形で海に注がざるを得ないからです。その根本の原理は、山に登るのは重力に逆らう行為であり、川の水が海に注ぐのは重力に従う自然な行為だからです。みえない重力ポテンシャルの原理がはたらいています。
【０５６５】
ヘレン深度法を適用する場合、人間の欲望や感情や、自然の奥に存在する普遍的な原理を利用せねばなりません。新しいもの、今まで世になかったものを、古いもの、今世にあるものを使って説明せねばなりません。ヘレン深度法は健康と幸福を希求する方法です。本来は人々を健康で幸福な状態に導く最適なあらゆる方便（最適な手段）を利用しますが、この発明で血糖値管理に使用する手段は、運動、食事、薬剤、数式、パソコンです。数式の中に個人の運動習慣、食習慣、個人の体調、個人の血糖値の予測、など心理的概念を数値化して個人の特性に合わせた数式を構築してパソコンのMicrosoftのExcelのマクロ機能で管理します。
【０５６６】
最終的には、世界中のコンピューターをグリッドコンピューターにして、地球連邦サイバー政府を構築して、水、食料、エネルギーを最適に分配して、健康、元気、平和、幸福を最適制御するべきです。個人の意思と全体からの意志が、一対一に相応かのうな地球連邦政府を民主主義の原理によって構築するべきです。砂漠で太陽光発電することは自然な着想です。地球の光の当たる部分で発電して全体の送電ネットワークに流す。自宅でエネルギーを燃料電池、将来的には核融合電池で地産地消する。波力発電の世界的な送電網をつくる。炭素型から水素型の社会へ変革する。「鋼製構造型枠」の発明出願では世界規模の食糧自給について書きました。
【０５６７】
フランスのジュール・ヴェルヌ（Jules Verne）は未来のイメージを明確に見ていたのでしょう。現在、そのほとんどが現実のものとなっています。発明にとって、重要なことは、「イメージを見る」ことです。発明をする者の責務は「ありありとイメージを見せること」です。ありありと詳細まで見て、技術として成熟していなければなりません。現在の政治状況、間接民主主義の限界は「ものを決定できない政府」です。民衆の不満を政府の首のすげ替えで切り抜けようとする議会制民主主義の悪しき伝統です。大切なことは政府の暴走を抑止する、国家間の暴走を抑止する、資源を地球規模で最適に再分配するシステムです。コンピュータや携帯端末の普及とともに、お金や活字が数値化電子化されるように個人の電子承認をへて民意を中央政府に伝えるべきです。この動きは個人の特定かと識別かによって加速されるでしょう。期日前投票に行って、おどろきました写真付きの身分証明書を提示することなしに、確か住所、氏名、生年月日を書けば、期日前に投票できるのです。欧米のようなサインすることで個人を認証しているのでしょうね。
【０５６８】
異常気象や大気の汚染は今後さらに進むでしょう。人類は地球規模の統合を、地域特性、地域の多様性を保持して、人間の自由意思を重視して、統合・融合するべきです。糖尿病の治療法が今後の地球のありかたまで発展しました。粘菌は生殖のためにタワーをつくって胞子を飛ばすように、地球市民は心を静め、「自然の意志に耳をかたむけ」なければなりません。ひとりになって、静かにして集中すれば、今後、我々が何をしなくてはならないかは自然の声が自然に聞こえてくるでしょう。心を開いて素直になることです。ヘレン深度法とは人類の生き方に対する自然からのアドバイスという側面をもっています。ソビエト連邦や中国共産党のような人工的な政府ではなくて、すげての民意が反映可能な、民主主義に基づく、人間の自由意思を尊重する、資源やエネルギーや食糧を最適に分配可能な、国や国家間の暴走を抑止できる。最適自動制御だけにまかすのではなく、常に人間が改編可能な批判と評価かのうなヘレン深度法によるシステムを構築する必要があると考えます。
【０５６９】
この明細書は、発明、発想の為の手引き書でもあります。私は、今年２０１２年の９月から１０月にかけて「鋼製構造型枠」という特許を出願しました。複合骨材は査定通知を受け取りました。「ソレドレワルイノドラナイト」という言葉をとなえてから洪水のごとく発明のアイデアが湧いてきました。鋼製構造型枠の出願では図は１６３枚かきました。発明の洪水は今も続いています。鋼製構造型枠の明細書の中では「霊界の構造」について書きました。「霊界のシステム」に興味があるかたは公開されましたら、特許文献を検索して読んでみてくださいませ。「霊と魂の違い」が明確に説明できるあなたは、分かっている方です。霊と言えば、幽霊のように物体的なイメージで、自分の肉体の中に霊魂がはいっているような考えかたをしますが、ヘレン深度がつげるところは、「霊は宇宙の記憶場」のようなもので、あらゆるものをとりこんだエネルギー体のようなものだそうです。イギリスで失恋した女性の霊がベランダに現れ、多くの人に目撃される事実は、霊の残存記憶をあらわしているのでしょう。生霊という言葉は記憶場による意志の伝達ということを表現しているのかもしれません。魂は個人に関わる霊的な記憶です。雲のように宇宙である霊体記憶場内を浮遊するものであるとヘレン深度法は語っています。
【０５７０】
ホログラミック宇宙論では、あらゆるものが宇宙の存在に本質的にかかわっている。膜の一部を摘み上げれば、全体に何らかの影響があるように、我々は、ホロン的、ホログラフィック原理的に宇宙とかかわっているのだとヘレン深度は主張します。我々の意識は共同して宇宙意識をつくりあげているのです。仮想的な宇宙脳を想像してください。我々の脳は宇宙脳と繋がっていると考えるのです。「我々は宇宙からの声を聴くべきです」。それは静かに語りかけてきます。決して大きな声ではありません。おもいつき、ひらめきというかたちで語りかけてきます。古来より、自然の声といわれるものです。聞こうとする者には必ず聞こえます。素直な気持ちになって自然の意志に従うべきです。それで私は、この文章を書いています。
【０５７１】
人類が平和に共存するためには、人類は新しい思考方法（ヘレン深度法）を発明しなければなりません。新しい思考方法を入手するためには、食事を変えなければなりません。自分が口から出す言葉を変えなければなりません。言葉と食事は自己変革の第一歩です。怒りと愚痴をコントロールして何時も笑顔でいるのはこの世で生きる修業です。修業は苦と考えるから修業なのです。喜びの場であると考えると楽しくなります。最後には、喜びの場から感謝の場にかわります。まず、自分を不快にしないことから、他人を不快にしないことができるのです。満足を知りましょう。今ある幸福を数えましょう。不平不満悪口を口に出さないことです。
【０５７２】
自分の人生に満足して、神様に感謝して、笑いながら死にましょう。これが幸せに死ぬ方法です。きっと素晴らしいところに生まれ変わるでしょう。そう強く信じるのです。ヘレン深度は「しんどくない」生き方を勧めています。「常に楽しく生きる。人助けをする。」「親切と奉仕」、「感謝と奉仕」、は「双子の姉妹」です。自分で自分の機嫌をとって、いつもニコニコして偉そうにしない。威張らない。謙虚でありたいものです。宇宙民主主義からすると我々は貴重な一票を投票するべきです。この世界は、自分の肉体も含めて可変であると信じるのです。自己の願いはかならず実現すると信じることです。
【０５７３】
ヘレン針深度法を理解する為には、潜在意識が見え隠れする夢の内容はとても重要です。ある夢が、次の発明の伏線となっていることがたびたびありました。２０１２年１１月１５日、「UENO・MAKINO・HAKASE」という老人が私の夢に表れました。夢の中での話では、日本人でノーベル賞をとった博士で大学教授だそうです。広い教室で、全国から講演を聞きに、人々が集まっていました。教授はパーマのかかった、材料の足りない鳥の巣の様な白い髪の毛で白衣をきていました。
【０５７４】
会場の前の方で、大きな液晶モニターを使って話をされていました。説明キットの包みが配られました。私は、その封筒に説明キットに付随していた鉛筆を使って、メモをとっていました。先生は、超早口で喋ります。「構造物全体に薄いテンションをかける、部分によっては、構造物ができた後で」、のところで言いよどんだ、私は、すかさず手をあげて「ポストテンションをかけるのですね」と発言した。「そう、そう、ポストテンションもかけられるのだ」と博士がいいました。特殊な柱や、壁や、省エネ技術について説明されていました。
【０５７５】
前の大きなモニターが見にくいなあと、おもった瞬間に、後ろを振り向くと、後ろの壁に大型モニターの半分の大きさの液晶パネルが、前のパネルと同じ内容の映像を見せていました。私は、後ろの近いほうの液晶パネルを見て、講演を聞きました。最初は、建築の話かなと思いました。講演会場は、アルミとステンレスとガラスとでできた白色を基調とする未来的な建物でした。講演の途中の休憩時間に社長さん風の人と話ました、博士に質問したらしく、後に残るように指示されたと嬉しそうに喋っていました。
【０５７６】
私も、「鋼製構造型枠」の出願をしたので、博士にそのアイデアを聞いてもらいたくなって、講演の後に残ろうと心を決めました。博士は、「実験的な話をするから下の階へいきましょう。」といいながら、会場の前部にある縦の細長い格子が入った薬のカプセルの形をした金色の鳥かごの様な一人乗りエレベータで先にいってしまいました。
【０５７７】
会場の人々は、会場の後方にある来客用の大型エレベーターで階下へ降りていきました。階下の実験室をかねた発明品の展示場は、大きなフロアーでした。真っ白い部屋に色々な機材が壁の周りに配置してあります。私は、めざとく、博士の近くのポジションを手に入れました。小さな机の上で、博士の言葉をメモしていて、説明キットの封筒が文字でうまりそうになると、博士は、優しくそっと、説明キットの横に、別の説明キットを置いてくれました博士の顔は濃い茶色で小さく、小さな透明の銀色のすりガラスの様な眼球をしていました。説明キットの中にはガラスの小型三角形フラスコのなかに色々な色の色砂がはいっていました。一見、日本画の顔料のようでした。最初の説明キットの封筒を開けて中を見たのですが、それをしまうとき少し色砂がまざってしまいました。光はやはり波より粒子の傾向が強いと言いたいのかなとおもいました。
【０５７８】
このまま博士の差し出された包みをもらってもいいのかなとおもいながら博士の説明をその封筒にメモしていました。講演が一段落して先生は一人乗りエレベーターで上へ行ってしまいました。みんなは輪になって先生が降りてくるのだろうなと思いつつ、待っていました。年配のマスクをかけた女性がスカートをはいてしゃがんでいます。下がフロアーなので膝がつきかけでつまさきを曲げてしゃがんでいます。紺色のスカートで先端が白いレースになっています。私は、「先生は建築学のひとなのですか。」と女性に聞きました。女性はとても先生には詳しいらしく、最初、建築学を勉強されて、建築の省エネ技術を研究していて、無限に電気を生み出す方法を発明されてノーベル賞をとられたと、熱を帯びて喋られました。女性は、わざわざ北海道から講演を聞きにいらしたそうです。
【０５７９】
エレベーターで先生が降りてこられるのをまっているところで夢から覚めました。夢からさめた直後にバックミンスターフラーという名前が浮かびました。正しくは、リチャード・バックミンスター・フラーという名前です。英語で書くと、Richard Buckminster Fullerです。1895年7月12日にうまれて、 1983年7月1日に亡くなりました。フラーは、アメリカのマサチューセッツ州出身の、思想家です。デザイナーでもあり、構造家でもあり、建築家や、発明家や、詩人としてもとても有名です。大きな朝日の太陽にむかって、UENO・MAKINO・HAKASEということばを１１回唱えました。一枚の葉っぱが行っている光合成を再現することができればデンプンと電子が手に入り、食料問題とエネルギー問題が解決できると返事をいただきました。波力発電の出願をしなさいとかすかな声がします。
【０５８０】
「ソレドレワルイノドラナイト」のつぎは「まゆからところてん」でした。今度は「へれんしんど」「ヘレン深度」「ヘレン針度」という言葉でした。自分の場合は、まず言葉が頭の中でささやかれます。つぎに、映像がみえてくるという発想方法です。木の芽を育てていくようにヘレン深度法は投薬方法から始まって人生や病気に対する考え方を変える具体的な方法へと発展しました。ヘレン深度について、一番初め、「へれんしんど」という言葉が聞こえてきて、次に、一枚の紙が見えてきました。図１です。定量の刺激を与えても生体はさまざまな反応パターンをしめす。対数グラフ的、指数関数的反応を示すというものです。ヘレン深度があらわれた夢の中では狭いアパートのような部屋にたくさんの人や子供がいる。お父さんはたまりかねて、トイレに逃げ込む。トイレのドアには大きな金網のザルがかかっている。
【０５８１】
こういう夢もみました。山の中で木をうえている。大きなやわらかい木の幹をきりとって山の斜面に植えていました。親戚のおばさんがあらわれて、「こうちゃん、なにをしているの」と聞いてきました。「木を植えている」というと「そんな方法ではだめ、こちらをごらんなさい」というと、こんな光景をみせてくれました。大木が切り倒されている。木の切り株は削られて、みぞになっている。その溝のそこに５ミリメートルぐらいの小さな芽がでている。この芽を大きな幹に育てなさいと言われました。
【０５８２】
ヘレン深度の意味を問い続けていると、さまざまな映像がみえてきました。多くの医療行政の矛盾がみえてきました。「患者は医者の命の○○」という言葉がわいてきました。あまり効果のない薬を漫然と飲み続ける、あるいは「異常な食欲をさそう薬」で糖尿病を慢性化させてしまう。私の母親のようにいたずらにインスリン注射を恐怖する。インスリンを打ち出したら癖になって死ぬまで打ち続けなければならい。そんなのはうそです。一日三回、定時、定量、低カロリー、ノンカルボニック食を心掛け、適度な運動を効果的に行えば、血糖値は下がるのです。しかし「ちょいといっぱいのつもりでのんで」「わかちゃいるけど、やめられない」が人間なのです。
【０５８３】
血糖を下げるためのよい習慣をもつこととヘレン深度法はつげています。私は、血糖を抑えるいろいろな薬を飲んできました。副作用があったり、飲み忘れたりして、あまり効果がありませんでした。飲み薬を処方され、一か月に一度血糖とヘモグロビンエワンシー（過去３か月ぐらい前の血糖値の平均値を表す指標、ヘモグロビンに糖がくっつき酸欠状態）を測定するぐらい、それも結果がわかるのに一日またなければならない状態では。自分の
【０５８４】
奇妙な夢をみました。場面はロシアらしきレストランです。レストランのガラスのドアから中の様子をうかがっています。食事の仕方がわからないのです。中央全部の四角い枠囲みのところで注文している外国人がいます。このレストランのシステムはどうなっているのだろと思いながら、あたりをきょろきょろしていると、後から日本人の青年が入ってきて、バイキング形式のテーブルの料理を食べています。私も食べました。塩鮭の切り身を焼いたのを中心に食べました。程よい塩加減です。
【０５８５】
入口近くの四角い白いクロスのかかったテーブルには、ステンレースの四角いトレーの上に、サーモンの太い、ハラスの短冊をバターでソテーしてあるのがいくつもならんでいます。端から一本ずつ食べていきました。プロのコックの味は素晴らしい。先ほどの鮭の切り身の塩焼きは自分でも焼けると思いましたが、このサーモンのハラスのバターソテーはプロでないと再現できないなとおもいながら端からほとんどどんどん食べていきました。溶けるように腑に落ちます。別の丸いテーブル。これも白いテーブルクロスがかけてありますが、数人の年齢のバラバラな外国の女性が数人座って食事をしています。奇妙なことに女性の食事は透明なやわらかいプラスチックのついたてのようにぐるりと食事を囲んで囲ってあります。最初自分は、丸いテーブルの中央の料理を食べていたのですが、思わず、プラスチック越しに手を伸ばして食べると「それは私のよ」と声がかえってきました。外人、たぶんロシア人なのに返事は日本語でした。
【０５８６】
夢は、さらに続きます。私はケーナを趣味で吹いているのですが、夢のなかに白髪交じりの髪の老人が二人あらわれて、「お前は、吹き口を抜くことすら知らんのか」と言われてしまいました。吹き口は抜けるのだろうかと思い、自分の木製の縦笛を老人に渡すと、笛は自然に黒く細く柔らかくなりました。老人が笛の上部を二つに引き裂くと、最初は茶色い木製の竹のようなものが笛の上部から徐々に頭を出してきました。その管は、黒い小さな短い指輪ぐらいの管のような形に変わり、老人のいう吹き口が抜けました。
【０５８７】
最初、笛の上部を引き裂かれたままで老人から手渡されたので、笛を渡したことを後悔しました。吹き口を抜くとは、抜けるように素晴らしい曲が吹けることだと考え直しました。朝起きて、アサヒ（アマテラス）に向かって「低音でゆっくり吹く」と音が笛から抜けるように澄んで聞こえました。
【０５８８】
夢の続きです。神社の祭礼で石段の前で、ほら貝の音が聞こえてきました。スピーカーから低く聞こえて来ました。「ラーシドレミードシラソラ、どれみーみ、みれどし、らそらー、どれみーみれどしらそらー」自分が作曲したとおもって、七年間吹き続けていた曲のメロデイが聞こえてきたので驚きました。ほら貝を吹いている山伏みたいな一番偉そうなひとが見えました。いそいで、後をおっかけました。境内はたくさんの人だかりです。押し合いへし合いしながら進んでいきました。そのかたが左の小さな鳥居のところで拝んでいらっしゃるので。その方が拝み終えて、「あの曲の題名はなんというのですか」とたずねると、あのほら貝を吹いたのは若い女性だ。
【０５８９】
「なんで、そんなに偉そうな態度をするのだ」と逆に言われてしまいました。人ごみに押されて自分の手がその方の頭にあたってしまったのです。あやまって、その場から急いてたちさりました。世話係さんに尋ねると「Nさんから指示をうけています」とおっしゃって世話係さんの携帯を女性につないでくれました。「どの曲ですか」と尋ねてくるので、持参した横笛を携帯にむかって吹こうとしたら、かすれて高音がでません。それで低音でゆっくり吹くとうまくふけました。
【０５９０】
この夢の教訓は、ヘレン深度がなんでもよいようにかんがえるプラス思考のことだとさとりました。夢が教えてくれることは、何十年もたってようやく分かることもあります。自分が作曲したと思い込んでいる曲もどこかの民謡なのかもしれません。我々の脳は、過去の先人が残した記憶の海に浮かぶ小舟なのです。何をおもいつくか。なにをかんがえるかは、自然となみのようにわいてくるのです。自分が発明したと思い込んでいるヘレン針深度法も医学界では常識かも知れません。
【０５９１】
常識かも知れませんが、糖尿病患者は膨大で、医療費も膨大で、それをなんとかしたい。糖尿病を改善したいという強い思いと情熱は、特許審査官殿にわかっていただけるでしょうか。昨日も仕事がおわって、ついお酒がはいるとチョココーンアイスを５つもたべてしまいました。午前四時の血糖値は３９０でした。朝七時半の血糖値は２４９mg/ｄlでした。ノボラピッドを４単位打ちました。
【０５９２】
２０１２年１１月１日、ついに「大好きです」といった、あのひとはななめをむいて鼻で笑っていた。私は、死ぬまでに言えてよかったと言いました。挨拶をしてそそくさと薬局からです。５７歳独身、結婚歴なし。インスリンをもらいにいく製剤薬局の薬剤師さん。あのひとだ。３０歳前後の人だ。これもヘレン深度法のおかげだろうか。糖尿病の治療が加速しそうだ。今日、H先生から素晴らしいアドバイスがあった。夜の食事は駄目ですよということだ。この言葉につきる。今日、H先生は、機嫌がよかった。好きな人を発見した顛末はこうだ。私は、ある人を好きになった。４年前だった。私は、めったに人を好きにならない人間だ。ある人の気の強いところに惚れた。最初に見たときから感じがいい人だなと思った。神に祈った。この人でなくてもいいから、「この人みたいな人」をお与えください。するとどうだろう。一年前にインスリンをもらいに調剤薬局に行ったときは、まったく気が付かなかった。一年ぶりで、インスリンをもらいに調剤薬局で私を担当してくれる人をみるとどうだろう。
【０５９３】
担当の人は、ずっとその人なのにもかかわらず、髪の毛のパサパサ感。目の形。唇から顎。声の調子まで神に祈った人とそっくりだ。結婚のできない人間は、結婚してくださいと言わないという内容の本を読んで意を決した。中学生女子に聞くと「大好きです」と言われるのが一番うれしいと聞いて、２０１２年１１月１日、ついに「大好きです」といった。前回は、けっこう楽しく、その人と会話した。結婚していますかと尋ねると結婚していないと言う。脈ありだ。女性は、３６歳を過ぎると急に子供ができにくくなるとか、「綺麗な眼球ですね」と楽しく会話ができた。
【０５９４】
２０１２年１１月１日、ついに「大好きです」といった。さも、うんざりしたように「ふん」と鼻から短く息がでるのを頭のなかで聞いた。うまくいく恋の始まりの女性の反応は否定的なものだ。私はそれを知っていた。２０１２年１２月１日、一か月ぶりで、大好きな人と会える。インスリンは保険適応なので一か月に一度しか処方箋を書いてもらって買いに行けない。一か月間待ちにまった。病院には一週間前から連絡しておいた。２０１２年１１月３０日になって電話がなり、仕事が入った。自分は素直に仕事を受けた。世の中は強く願えば願うほど、結果は逆効果になることをあらためて確認した。不思議なことに１２月１日、病院から電話がかかってきて今日は都合が悪いと言われた。無事、１２月１日は終了した。
【０５９５】
１２月３日月曜日、病院へ行った。処方箋をもらい調剤薬局へ行った。調剤薬局のドアを開けた。奥に薬剤師さんが数人みえる。十メートル以上離れているのにひそひそ声が聞こえる。好きな人の友達が好きな人にささやく。「あの人が来たわよ」好きな人はささやく「順番代わって」私の好きな人、今まで自分の担当だったので、ずっとその人だった。薬の準備をしながら、好きな人は何度も私の顔をみる。さいごにはドアを見るふりをしてずっと見ている。そのひとが薬を抱えて出てきた。今回は、一つ前の客が、好きな人の説明を受けている。本来は、好きな人の友達がみるべき客だったのだが。好きな人の好きな声が聞こえる。好きな人の友達がインスリンのノボラピッドとレベミルを持ってきた。代金を渡して、おつりをもらうとき、自分はレジに進み出た。進みでて釣りをもらった帰りざまに、別の客に説明をしている好きなひとに「メールをください」と裏に書かれた名刺を渡した。メールは、来なかった。一計を案じ、調剤薬局のスタッフの皆様へお歳暮のお菓子をおくった。何か反応があると期待した。
【０５９６】
２０１２年１２月７日午後２時、調剤薬局から電話がありました。まだ若い、男性のおどおどした声でした。何度も自分の名前を確認されました。お歳暮に送ったお菓子は送り返すこと。女性の職員は、身を乗り出して、「大好きです」と言われたり、「死ぬまでに会えてよかった」と言われたり、正しくは、「死ぬまでに言えてよかった」ですが、帰り際に名刺を渡されたり、とても不快に思っている。店としてトラブルは避けたい。二度と薬局には来ないで欲しい。私は、「二度と行きません」「確約いたします」「感謝しています」「お電話ありがとうございました」と言って電話を切った。これが「大好きです」事件の顛末でした。５７歳にもなれば、あまり露骨に感情をあらわしてはならないことを学びました。
【０５９７】
世の中には天邪鬼の法則があって、強く願うことは逆の結果となることをあらためて確認しました。神様感謝しています。「あの人が幸せになりますように。」頭の中では「男はつらいよ」の音楽が聞こえています。本不生（ほんぶしょう）、「真理は否定的表現をする」ということを知らねばなりません。本不生は正しくは阿字本不生、仏教の最終形態である密教の根本的な教義の一つです。阿字は宇宙の根源であると考えます。宇宙の根源は、本来不生不滅、すなわち永遠に存在するということをあらわしています。
【０５９８】
真言宗では、この真理を体得する人は、大日如来と一体化すると説いています。宇宙と一体化するということでしょう。宇宙の根源が貴い志であり、その志は不生不滅である。本来、あらゆるものが一つであるならば失恋の喪失感は雲散霧消するでしょう。あらゆるものの本源的幸福を願うばかりです。失恋の傷心の負のエネルギーがプラス思考のエネルギーと融合されて発明を生むこともあるのです。２０１２年１０月２７日午前３時血糖値３１５レベミル４単位ノボラピッド４単位を打つ。「ヘレン深度法様お助け下さい」と１０回唱える。「ヘレン深度法による治療法の第一は、言葉を変える」です。英語と日本語に堪能な方が自分の文章を面白いと感じて英訳してくれる夢をみています。英語から多言語に翻訳の波は広がるでしょう。
【０５９９】
２０１２年１２月１６日早朝、鋼製構造型枠による「ラーメン・トラス・アーチ構造の研究」で、徳島大学から工学博士を取得するという夢をみました。ラーメン・トラス・アーチ構造の橋は、夢の中では、えび茶色のボックス鋼でした。圧縮部材には座屈を防止するために樹脂や軽量コンクリートが充填されています。
【０６００】
えび茶色をしているのは耐候性鋼の上を複合積層表面処理しているためです。塗装がメンテフリーになっています。格点、つまり部材と部材の交点は、カバーされています。格点は、不思議な構造をしています。部材はパイプ構造で、圧縮部には樹脂が充填されています。パイプとパイプはPC鋼材で十字の形に結束によって拘束されています。
【０６０１】
その結束された部分は、エポキシ樹脂が塗ってあります。たとえPC鋼線が破断しても、ばらけないようになっています。格点のエポキシ樹脂の上は、ゴム系樹脂や、シリコン系樹脂がまかれています。その上に日焼けを防止する鋼製の格点カバーがしてあります。外からみる限りは格点が剛結され、頑丈なラーメントラス橋の様に見えます。
【０６０２】
このラーメン・トラス・アーチ構造の動作原理はこうです。普段、格点はラーメン構造として剛結されています。巨大な地震荷重や風圧がかかると格点は微妙に移動します。トラス橋本来の格点、ヒンジの様な構造になります。この格点には、さらなる工夫がしてあります。格点のパイプの交点が微妙に移動することで、巨大な地震荷重や風圧のエネルギーを吸収します。ストッパーという金属の凸部によってパイプの交点の移動範囲が確実に制限されています。格点が変位したとしてもこのストッパーに油圧ジャッキをかますことで修正可能です。
【０６０３】
この構造物の面白いところは、圧縮材にさらなる力がかかれば、ストッパーが支点となって、トラス構造の部材がアーチ構造の部材の様に変形することです。鋼の角パイプや丸パイプの中には樹脂や軽量コンクリートが充填されているので、容易に座屈することはありません。この構造のさらに面白いところは、部材が変形振動することで外荷重のエネルギーを吸収したあとは、元の格点のところに戻るところです。変分原理の最小ポテンシャルの位置を探す様なものです。パイプとパイプの格点の間には摩擦材が交点部分のパイプに帯のように固定してあって摩擦を感じながら滑る構造になっています。鋼製構造型枠はメンテフリーの恒久公共土木構造物を目指しています。
【０６０４】
夢の中では、修士を取得したときの、T先輩や教え子の、D君がきていました。D君の人格は素晴らしい。コツコツとやり、最後までやりとげる。途中で、絶対に投げ出さない。最後に、教材を大量にやってしまうのもD君だ。D君はひらめかないかもしれない。動作がゆっくりとしているけれども、ひたすら、コツコツ黙々と勉強する。
【０６０５】
２０１２年１２月１２日早朝、不思議な夢を見ました。『三国志』を書いた陳寿が朱蒙（チュモン）という名前で、現代に転生して日本で中国人留学生になってアパートで小説を書いていました。その小説は、朱色の鳥の表紙絵で出版されました。小説は、みごと映画化されました。なんと高倉健主演の清水の次郎長三国志です。それなら『三国志演義』じゃないかなと思いました。三国志は立派な歴史書だからです。めでたくその小説が映画となった上映会のパーティでの話です。全体が斜めになった、映画館のような喫茶店です。私は、コーヒーのブラックを注文しました。映画館の座席の前の人の座席の背が、細長いテーブルになっています。テーブルの色は薄い緑色をしていました。座席はもちろん赤のビロードを貼ってあります。ウエイターの男性がコーヒーを私の前に置きました。
【０６０６】
透明のガラスの丸いどんぶりの様ないカップで持ち手がついています。中には、カフェオーレがはいています。「注文したのはブラックなんだけどな」とウエイターに言うと「そのとおりです」といいながら、カフェオーレの上にブラックコーヒをそそいてくれました。私の左側に二人の女性が座っています。隣の女性が話しかけてきました。新聞記者をしているそうです。話が盛り上がったところで、新聞記者の友人の女性が「そのコーヒーひとくちだけ、いいですか」ときいてくるので「どうぞ」といいました。その女性は、ごくごくと私のコーヒーを飲みほしてしまい、そのまま知らぬ顔で前を見ています。
【０６０７】
「誰かの幸せに役にたったな」と幸せな気持ちになったところで、目覚めました。ところが、実は、カフェオーレを注文したのは新聞記者の隣のコーヒーを飲み干した女性で、配り間違ったのはウエイターで、その女性は、自分の本来注文したコーヒーが濃くなったカフェオーレを飲み干しただけではないか、という考えがわきおこりました。夢の中で、このコーヒー代金を支払うのは誰でしょうか。注文したのは自分、間違ったのはウエイター、コーヒーを飲み干したのは新聞記者の隣の女性。カップは透明なガラスのどんぶりの形で、カフェオーレ分とブラックコーヒー分がたっぷりと入っていました。女性は「ひとくちだけ」といいながら、意図的に全部一気に飲み干したのが気になります。ちょっと騙されたような気になりました。
【０６０８】
２０１２年１２月１２日午前１１時２６分、この明細書を出願審査請求の後は、SF小説として「慈悲詩」出版、もとい自費出版することを着想した。明細書の体をなした、日記風啓示文学。楽しく読んでいただければそれでよいし、数学とプログラムにたけた若者達が自分の発明を実現してくれるだろう。この発明は、現在の技術で実現可能なものばかりである。誰も気が付かないか、気がついても実行しないものである。この地球全体が緑の植物に覆われた美しい地球となるためには鋼製構造型枠と合わせて絶対に必要な技術である。いつの日か、誤解をうけた調剤薬局の女性職員の薬剤師さんにも分かってもらえるかも知れないと思った。縁がなかったと諦めるか、結婚していたらきっと尻に敷かれ毎日、ガミガミと怒られる悲惨な結果になっていたなと「酸っぱいブドウ」をきめこむか。
【０６０９】
ある初老の医師が電子辞書片手にカルテを書いている。この光景をみたとき、閃光が先行した。線香のような匂いだが、医師・医療機関・患者・ヘレン針深度法によって制御されたアーキテクチャを構築したフレームワークが融合して、インターネット、電話回線、無線で繋がり、一日２４時間、患者を生涯にわったって健康を守護する壮大なシステム、医療ばかりか、政治経済、オープンソースな電脳地球連邦政府樹立しかもそれは地球市民全体による自由意思にもとづく人類の未来の決定。今、この瞬間に、ヘレン針深度法の針が人類のこころを突き刺しました。テンソル解析とは何か。密教とは何か。多様体とは何か。このレベルで、ヘレン針深度法とは何か、宇宙全体知的生命体が何か、が問われる時代が来る預言を予言します。あらゆる存在との融合、人類の地平線には明るい太陽が輝いてのぼってきます。
【０６１０】
笹子トンネルは老朽化でケミカルアンカーのボルトが脱落していたり、ボルトの断面欠損があったりしたようです。２０１２年１２月１４日早朝６時頃、奇妙な夢をみました。我が家は、鉄工所、みどり家庭保育園、須知学習塾と変遷してきたのですが、夢で見たのは、今は無い、なつかしい父がたてた鉄工所の工場です。一階が工場で、二階が住居になっていました。二階へ行く階段は鉄でできていました。太い鉄筋とC型鋼を組み合わせた階段です。階段を上っていくと、最後の一段が腐食していました。最後から二段目の段の鉄筋は最下部だけが腐食して、針金ぐらいの太さになっていました。
【０６１１】
その段を踏まなければ、最上部の住居への入り口に入れないので、恐る恐る乗りました。おそるおそる段の上に乗った瞬間に、須知家の御先祖様の声がしました。最初は、「須知家の為に頑張れ」でした、それを言い直すように、「人類の為に頑張れ」という声がしました。その直前に見た夢をおもいだしました。いつも夢にでてくる不思議なホテルです。自分の部屋に行こうとしてホテルの中をさまよいます。とても立派な西洋風の豪華なホテルなのですが、迷路になった通路の奥は、建て増しに建て増しを重ねた旅館のようになっています。
【０６１２】
ある部屋に入りました。風呂を沸かすボイラーの内部のような構造です。部屋に入ってしまうと、ドアがぴったりと閉まってしまって取手がありません。爪を立てても入口は開けられません。その部屋の内部は、丸い円筒形をしていました。床と壁は錆びた鉄のような色の六角形の岩石を丁寧に貼り合わせてありました。床と壁の境目は丸くカーブして、部屋の全体の形は飲み薬のカプセルを縦にした細長い繭の様な形をしていました。天井は全部真っ白のLEDライトの様に明るかったです。壁や床の六角形のブロックのようなざらざらした鉄さびのような岩石の中央には黒い穴があって除くと外部がドアののぞき窓のように見えました。ホテル内の各フロアーとかが見えます。
【０６１３】
目覚めてから、あまりに寒いので、寝ていた普通の耐寒寝袋から、薄めの人形寝袋に入ろうとして、足を入れる位置を間違って、逆に足を入れたので、ねじれて着ようとしました。その瞬間に、車椅子プラス人形寝袋型歩行（くるまいすプラスひとがたねぶくろがたほこう）アシストロボットを着想しました。これは、車椅子の代わりになるものです。HONDAの歩行ロボットアシモ君と村田製作所の村田君をたして、二で割って、人形寝袋のように、衣服を着るように、ロボットを着るという発想です。
【０６１４】
だんだんイメージが見えてきました。その白いロボットは、腰かけています。正面を見た状態で、背中に大きく人形（ひとがた）に穴があいています。腰を掛けた、白いロボットです。顔の部分と背中に大きな穴が開いています。中が空洞のおおきなぬいぐるみのように見えます。白いおしゃれな未来的なソフトな感じの車椅子の様な物体が見えます。足の不自由なひとは未来型の白い車椅子に座っています。顔と背中に穴があいた中が空洞になった白いぬいぐるみの人形ロボットの背中の部分に人型の大きな穴があいています。
【０６１５】
未来型の白い車椅子がそのまま、真っ直ぐに進んで、人形ロボットの背中の大きな穴に差し込まれて前部ロボットと後部ロボットは一つに合体します。ロボットは前部と後部の車椅子に分かれていたのです。はじめから人と車椅子はベルトで固定さていました。足の位置をベルトで車椅子に固定されています、ふくらはぎ、膝、太もももベルトで固定されています。車椅子ロボットの足の部分は二本の足に分かれています。腰の位置は少し太めのベルトでしっかりと足の不自由な人と車椅子が固定されています。お腹にはクッションのためでしょう、ガーゼの布のようなやわらかいカバーのようなベルトのようなものがしめられています。
【０６１６】
後部車椅子と前部ロボットが合体するときに、足の不自由なひとは前部ロボットの左右のそでに手を差し込みます。さらに、足の不自由な人は、その袖のような部分に左右の肘から上腕部分を差し込みます。その袖は、人形寝袋の様に、先が開いていて手が自由に動かせるようになっています。手が動かせない人の為には袖全体が自動で動く義手になっています。座った人は、自分の頭を、前部ロボットの頭の中に差し込みます。顔の正面が前部ロボットの頭正面の穴からでるので、視界はとても良好です。
【０６１７】
着ぐるみの中に人間が座ったままで入ったように、ロボットの内部と中の人間はぴったりと沿うようになっています。やわらかい素材でできているので中の人は、窮屈さはまったく感じません。これで、足の不自由な人の車椅子プラス人形寝袋型歩行（くるまいすプラスひとがたねぶくろがたほこう）アシストロボットの一体化が完了しました。
【０６１８】
ヘレン針深度法によるコンピュータとプログラムで足の不自由な人間とロボットである、車椅子プラス人形寝袋型歩行（くるまいすプラスひとがたねぶくろがたほこう）アシストロボットとの意識の融合がなされます。足の不自由な人が立ち上がろうとすると、車椅子の車が空中に浮かんで、小さくたたまれます。たった状態は、足の不自由な人が少しスレンダーなお相撲さんの白い色の着ぐるみを着たようです。お腹はでていません。前後のバランスのコントロールの為か足のサイズは少し大き目です。
【０６１９】
「人馬一体」の言葉が示すように、まったく、ふらふらはしていません。アシモの様に軽快に、村田君のようにバランスよく、人とロボットが「人機一体」となってあるきだしました。ヘレン針深度法によって、脳と電脳がマンブレインインターフェイスで融合されているので、動きはとても滑らかです。階段や段差も人が歩くように歩けます。素材がやわらかく軽量であること、ロボットの骨格が、CFRP(炭素繊維補強プラスチック)の鋼製構造型枠（鋼は名称の一部であって素材ではない）に樹脂を充填したものやCFRP(炭素繊維補強プラスチック)のハニカム構造にハニカム構造を埋め込んで樹脂と高圧ガス封入ビーズを充填したものであるため、軽量で高強度です。
【０６２０】
外部の素材は化学繊維であるため、ロボットというよりも、ソフトで柔軟で、手触りもよく、ずばり衣服を着ているような感じがします。外見は、人形寝袋（ひとがたねぶくろ）を着たまま外出した人のようです。車椅子プラス人形寝袋型歩行（ひとがたねぶくろがたほこう）アシストロボットの素晴らしい第一点は、階段でも、段でも、バスの乗り降りでも、とにかく足の歩けないひとが自由に歩けることです。
【０６２１】
第二点は、トイレを兼ね備えていることです。車椅子でおでかけして一番にこまるのはトイレです。大便でも小便でも車椅子プラス人形寝袋型歩行（ひとがたねぶくろがたほこう）アシストロボットの中に垂れ流せるようにちゃんと専用のタンクと、またのところには男女兼用の大便小便吸入器が装着されています。
【０６２２】
第三点ですぐれているところは音声認識型の人ナビがついていることです。車椅子に乗る人は、いつもは単独でお出かけしたことがないので地理には疎いので音声と液晶パネルで歩行をアシストしてくれます。液晶パネルはまるで時計をみるように左手首についています。歩きながら見ることができます。
【０６２３】
車椅子で、階段をあがったり、自由にバスに乗ったりする、思考の試行錯誤は何度も挫折しました。それに足の悪い人も、自由に歩きたいと思うでしょう。潜在的な着想のきっかけは、鋼製構造型枠型枠へちまがた椅子タイプであったと思います。直接のきっかけは、夢のなかで繭型の部屋に閉じ込められた夢をみて、人形寝袋の左右の足を入れ間違ったことです。根本的な着想のニーズは、バイクに乗るので、脊椎損傷の患者の脊椎をつなぎたいという希望がありました。つなげないのであれば、服のように包んであげて自由に動けないかと考えたわけです。こういうことは、誰でもが容易に思いつくことでしょうか。車椅子も、歩行ロボットも、人形寝袋もあります。人がロボットの中に入るという発想もすでにあるものです。これらを新しく組み合わせてヘレン針深度法によるプログラムで制御するというところに新規性と進歩性と革新的技術があるのです。機械と人間による融合制御です。単に組み合わせるということと、新しい価値を生むことには格段の違いがあります。
【０６２４】
発明の為の教科書を目指すこの明細書は、発明の生まれるところを正確に記述しておかなければなりません。前夜、ある母親が塾に文句をいってきました。「うちの子が、だれそれの子供に無理やり遊ばされた」「本人はiPadがしたかったのに。」「先生に口添えしてもらいたい」とのことを言ってきました。私は「はい、はい」といいながら「小魚を煮るのにかきまぜ過ぎてはいけない」といった。老子の言葉だ。
【０６２５】
「子供同士は自由にさせるつもりです」とも言った。母親は「じゃあ、悪いのはうちの子供ですか」と言って怒って帰った。子供同士の圧力関係や力学が私は好きだ。遊びを想像して人を動かす子供。強制的にその遊びに巻き込まれる子供。「嫌なことがあったらそれに感謝できるように指導しています」と言っても、その母親は納得できなかった。はたして、自分はどんな対応を母親にするべきだったのだろうか。生徒さんが減ったら塾が困るという危機感があった状態で眠りについた。
【０６２６】
鉄筋が腐食で針金の様になった夢やご先祖様の声は私への警告とアドバイスだろうか。iPadをしたかった子供へは自分の意志で自由に遊ぶこと。遊びに巻き込んだ子供へは人の嫌がることをしない。お母さんへは謝罪かな。iPadをしたかった子供は、断固拒否していたわけではなかった。遊びに巻き込んだ子は、「遊びに参加しなかったら、もう遊ばないから」みたいなことを言っていた。毎朝、明細書を六時ごろから十二時まで書く。昼と夜は塾で教える。なかなか気に入った、いい生活だ。嫌なことに感謝するというのは正解である。あの母親のおかげ様で、歩行アシストロボットを発明できた。これは、きっと脊椎損傷の患者に朗報だろうと思う。
【０６２７】
大切なことは、発明を弁理士さんが使う言葉で書くのではなくて、誰でもが明確に正しくイメージできるかたちで書くことが大切なのだろうとおもう。発明のイメージをありありと衆人にみせてあげることだ。新規性があり進歩性があり公衆に有益な発明をしたいものである。喜ぶ小学生が走り回るのを見るのは大好きだ。子供は日本の未来だと考える「じぶんで分からないことをしらべる」「じぶんのちからであたらしいことをおもいつく」これからの教育の二本柱だろう。ノバート・ウイナーが大英百科事典を二回読んだ様に、百科事典を読むのを趣味にするといいかも知れない。それと多言語だ。日本は英語教育に偏重している。ノバート・ウイナーの父はスラブ語の言語学者だった。「人間機械論」では父親を最大のライバルとして自分の本を父親に捧げている。あらゆる意識はつながっています。発明をするのは無上の喜びです。この明細書をここまで読んでいただいたあなたを第一番に、そしてあらゆる存在に感謝します。この明細書を父は、鉄工所を経営して、母はみどり家庭保育園を開業して、私を育ててくれた父と母に捧げます。私は、おじいちゃん子でした。
【０６２８】
幼児期に祖父からエジソンとアンドリューカーネギーの話をよく聞かされました。発明王と鉄鋼王の話は大好きでした。祖父はボイラーの煙突部分で水を予熱する方法で、父は海苔の乾燥機で専売特許をとりました。私で三代目の発明一家です。発明は須知家の血です。魔女の宅配便で主人公のキキが言います「魔女は血で飛ぶの」、私もそれを真似して「発明は血で絞り出すの」と最後に言います。「素血・春血・産血・続血・濃血」「天之御中主様お助け下さい」この発明が皆様の役にどうか立ちます様に。
【０６２９】
小学三年生の子供たちに「マサチューセッツ工科大学」の正式名称であるThe Massachusetts Institute of Technologyの名称を暗記させました。ノバート・ウイナー先生が教鞭をとられていた大学です。すぐに暗記できた子供、何回も、何回も言ってやっと言えた子供、暗記を使って、遊ぶことができました。数日後に、簡単に言える子供、忘れて覚えなおす子供、これは子供たちの脳に種をまくことだとおもった。
【０６３０】
通称の、MIT（エム・アイ・ティー）は、マサチューセッツ州ケンブリッジ市にある。ここに本部を置く私立大学です。ノーベル賞受賞者を2010年まで77名も輩出しているから、すごいと思います。この数はコロンビア大学、ケンブリッジ大学、シカゴ大学に次いでいます。全米屈指のエリート名門校です。同じ、ケンブリッジ市内にあるハーバード大学とはライバル校で、学生達はそれぞれの学校の授業を卒業単位に組み込める単位互換制度(Cross-registration system)が確立されているのは、日本も見習うべきだと思います。そういえば、私が阿南高専から徳島大学に編入学したときに、単位が認定されたことがあるので日本でも、単位認定制度はあるようです。ケンブリッジ市は、「世界最高の学びのテーマパーク」みたいですね。M.I.T.のアテネプロジェクトは、ヘレン針深度法によるフレームワーク構築方法に似ています。あのシステムにヘレン針深度法を組み込んで地球レベルで展開できれば、電脳地球連邦サイバー政府は実現可能であることを預言・予言します。２０１２年１２月１５日午前７時３分。
【０６３１】
発明を明確にするために、ここに特許請求項を書いておきます。
【０６３２】
（請求項１）ヘレン針深度法（H.N.D.P. : Hellen Needle Depth Method）は、アーキテクチャーの構築による新しいメインフレーム群を作成し、既存の動作原理の異なる、プログラム言語の異なる既存のコンピュータ群を有機的に連結し、内部シミュレーション可能な自律的人工知能自己改変プログラム群をコンピューター群の各ブラウザー型制御装置の中に組み込み、各ブラウザー同士が有機的通信を行い、組織体のデーターを初めから終わりまで分散型で各コンピュータ群に保持維持管理して、組織体の解析を分散型と融合型処理をして制御する方法です。分散型処理とは、処理がコンピューターから別の複数のコンピューターへ自律的に移動することです。融合型処理とは、異なる複数のコンピューターに分散した処理を統合します。分散処理は複数のコンピューターの牧場をあたかも複数の羊が自由に草を探して分散処理します。融合処理はあたかも羊飼いが分散した複数の羊を集合させながら処理します。ヘレン針深度は、ヘレン針深度法によって構築されたフレームワーク群を用いて、組織体に刺激を与えてから計測される、組織体の反応パターン分析の結果の違いです。ヘレン深度は、組織体外から組織体内に入る刺激の計測可能な投入量と、組織体が組織体外からの投入量を感受して、計測可能な反応量をしめしたとき、投入量に対する組織体の測定可能な反応量の時系列による反応パターン分析の結果の違いだと定義します。ヘレン深度法プログラムは組織体からの反応パターン解析と内部シミュレーションを同時に行います。ヘレン針深度法は、組織体の反応のパターン分析結果の違いである複数のヘレン針深度と時系列による内部シミュレーションの結果を比較検討して、コントロール可能な量、例えば生体であれば運動量や食事の内容や食事のカロリーや体調の予測や自己暗示を用いた心理的効果を数値的に考慮します。ヘレン深度法は、制御目標関数である多変数多変量関数を、サイバネティクス理論、語源はギリシャ語の舵を取る者、ノバート・ウイナーによって提唱された情報理論と自動制御の理論によって、フィードバック（現在の出力の結果をみて現在の入力を調整します）とフィードフォアード（出力を予想して現在の入力を調整します）とフィードパスト（現在の状況と、データーベース、インターネット上の情報を検索・比較・判断を行い、過去の累積した膨大なデータベースの内容を現在の状況に応じて瞬時に検索した結果を参考にして、現在の入力を調整します）フィードバーチャル（内外の環境情報をもとにしてプログラムの内部に内部シミュレーターを有する数学モデルの仮想空間を時系列で内部シミュレーションを実行した結果とヘレン深度の組織体からの分析パターン結果を比較・検討・判断を行いプログラムに修正を加えながら内部シミュレーションをさらに精度を上げるように実行します。制御に有効な入出力データーを捜索し、数学モデルを修正し、内部シミュレーションの出力とヘレン深度の応答群に基づいて比較・検討・決定します）を行い、人工知能がある程度まで自律的制御し、最終的には人間と協力しながら、入出力変数を統計処理、場合分け関数処理、数値解析、多変数解析、多変量解析、フーリエ変換、応答解析、周波数分解、パターン解析、因子分析、相関解析、��分法、微分方程式、積分方程式、変分原理による重みつき残差法、状態遷移行列、複雑系の数学理論、学習型の人工知能、プログラム群自身が異なる言語プログラム群をモジュール化して組み合わせて複数のハードウエアー群を統御し、自律的部分的プログラムの修正、専門家との協議による大規模な修正や修復改善を自律的に行える可変型の動的コンピュータープログラム群を有するハードウエアー群で数学的処理を経たのちに、ヘレン深度の組織体反応パターンと内部シミュレーションの結果を比較・検討・修正して組織体を効果的にアシストし数値制御する方法。
【０６３３】
（請求項２）一時間待って、５分診療、月に一回か二回の医師による診察とアドバイスだけでは血糖値をコントロールすることは困難を極めます。複雑な変動パターンを示す血糖値を人間が解析することは困難です。ヘレン針深度法（H.N.D.M. : Hellen Needle Depth Method）による血糖値変動のパターン分析結果であるヘレン深度を食事時間、食事の内容、運動量を携帯端末、タブレット端末、パソコン、などを使い、ヘレン針深度法によるプログラム計算によって、インスリンを打つタイミングを支援します。学習型で可変ダイナミックプログラミングなので対処療法の精度を上げていきます。簡単な例として、Microsoft社のExcel（ExcelはMicrosoft社の登録商標です）のマクロ機能を使いヘレン針深度法による数学的処理をもちいて数値計算を行い、サイバネティクス理論に基づく、フィードフォアードとフィードバックとフィードパストとフィードバーチャルによって、計測可能な組織体への物理的投入量と組織体の物理的反応量との反応パターンの違いであるヘレン深度を利用した、インスリンの注射の時間、インスリンの質と量、運動量、食事の内容と食事に合わせたインスリン注射のタイミングを制御する方法。
【０６３４】
（請求項３）個人を特定した生涯にわたるオーダーメイド医療を提供するため、ヘレン針深度法（H.N.D.M. : Hellen Needle Depth Method）による医師と患者をアシストする医療エキスパートプログラム、ヘレン針深度法による、プログラムとアーキテクチャーの構築によるメインフレーム群の作成と制御の方法。患者の症状の情報と連動して内部で患者の組織体のシミュレーションを行い、膨大な医療データーベースを瞬時に検索し、対症療法を医師や患者に指示します。その結果をすぐに入力、さらなる対症療法をしめす。その結果を学習して対症療法を少しずつ変えていきます。可変ダイナミックプログラミングにより、対処療法の精度を上げていきます。人工知能を有する自律型の医学研究ロボットで、医療データーベース、インターネットで最新の医学論文を検索調査し、病気の改善を指向します。研究結果をまとめ、医師と相談協議して自らのプログラムを変えていきます。医療機関における専門医でない一般の医師、患者、電子カルテ、ヘレン針深度法による医療アシストプログラムの連帯関係を保持・維持・管理します。家庭では、患者が、電話回線、インターネット等で、ヘレン針深度法による医療アシストプログラムと連帯関係を保持します。医師が変わる場合、病気が変わる場合、医療機関が変わる場合に応じて、個人の医療データーを生涯に渡って管理・維持・保持して、患者が生まれたときから死ぬ時まで、患者に付き添い医療を守護するヘレン針深度法による患者の健康の制御方法。最終型は、患者の体内に埋め込まれた電極を有するトランスポンダーによって、一日２４時間生涯に渡る管理を行う制御の方法。
【０６３５】
（請求項４）チタン・バナジウム・マグネシウムによる水素吸蔵合金（すいそきゅうぞうごうきん）に重水素を合金内部に貯蔵させ電圧と磁束によるヘレン針深度法（H.N.D.M. : Hellen Needle Depth Method）による制御で拘束をかけ水素の原子核を融合させヘリウムを生成させ電力を得る方法。
【０６３６】
（請求項５）脊椎損傷などで足の不自由な人のために車椅子プラス人形寝袋型歩行（くるまいすプラスひとがたねぶくろがたほこう）アシストロボットと人間の顎や手や首や眼球の動きと脳波をもちいてヘレン針深度法（H.N.D.M. : Hellen Needle Depth Method）によって組織体であるロボットを制御する方法。素材はPC鋼材や炭素繊維、表面が化学繊維、ロボットの骨格は、CFRP(炭素繊維補強プラスチック)の鋼製構造型枠に樹脂を充填したものやCFRP(炭素繊維補強プラスチック)のハニカム構造にハニカム構造を埋め込んで樹脂と高圧ガス封入ビーズ様小粒を充填したものであるため軽量で強靭でじん性があり耐久性がある。車椅子部分とロボット前面部を分割・合体させる。車椅子の車を折り畳んで収納できる。ロボット内に大小便の吸入器とタンクを備えている。ナビゲーターをロボットが装備している。初期型は顎や手や首や眼球の動きでロボットを制御するが、最終型はヘレン針深度法による人間の脳内の特定の部位に埋め込まれた電極を有するトランスポンダーを用いたマン・ブレイン・インターフェースによって、人の脳と機械を融合させ自由自在に組織体であるロボットを制御する方法。
【０６３７】
（請求項６）航空機が機体各所に多数設置されたマイクロ波、レーザ光、音響ソナー、デジタルカメラ立体視、風速計、風向計の各種センサーから投入された情報と航空機内部のジャイロの姿勢情報、GPS情報、デジタル地図をもとにしてコンピュータプログラム内部にデジタル環境空間とデジタル航空機体を構成し数値シミュレーションを行います。風向風速と機体の姿勢を時系列で予測しながらヘレン針深度法（H.N.D.M. : Hellen Needle Depth Method）による制御方法を用いて、航空機の動力や姿勢制御装置と連動させて、障害物の自動回避、航空機の複雑な風向風速中で、リアルタイムデーターで外部データーとプログラム内部の機体数値シミュレーション結果を比較・検討・決定しながら、姿勢自動制御を行い、フェイルセーフの考えに基づくパイロットを効果的に支援する方法。
【０６３８】
（請求項７）視覚障害者の身体や衣服・帽子・靴の各所に多数設置されたマイクロ波、レーザー光、音響ソナー、デジタルカメラ立体視、風速計、風向計、接触センサー、各種センサーから投入された情報と、視覚障害者の体位計測の複数ジャイロの姿勢情報、GPS情報やデジタル地図情報をもとにしてコンピュータ内にデジタル環境空間とデジタル視覚障害者を構成し、両耳への立体音響による、ヘミシンク技術、頭がい骨への骨伝導技術を組み合わせて脳に刺激をあたえ、ヘレン針深度法（H.N.D.M. : Hellen Needle Depth Method）による制御技術を用いて、幻肢痛の場合の様に聴覚神経が未使用の視覚神経領域を浸潤または連絡する原理と視覚障害者が行うエコロケーションの原理を応用して、特殊な音響と骨伝導振動によって視覚障害者の聴覚神経を刺激することによって視覚神経刺激を発生させることで疑似幻視覚映像を生み出して外部環境と歩行者をリアルタイムデーターで外部データーと内部数値シミュレーション結果を比較・検討・決定しながら似幻視覚映像に反映させることで効果的に視覚障障害者の歩行をアシストする方法。最終的には脳内の特定の部位に埋め込まれた電極を有するトランスポンダーを用いて機械と人間がヘレン針深度法により一体の制御を行う方法。
【０６３９】
（請求項８）正常な生殖細胞の核と生殖細胞に異常がある男性の細胞分裂途中の正常な体細胞の核、あるいは生殖細胞に異常がある女性の細胞分裂途中の正常な体細胞の核、あるいは男女とも生殖細胞に異常がある場合は、男女の細胞分裂途中の正常な体細胞の核をヘレン針深度法（H.N.D.M. : Hellen Needle Depth Method）によるマイクロロボットの制御を利用して細胞核融合させ、融合細胞の分裂する核の一つを遺伝子の量を調整したのち、核を抜き取った受精卵の組織体に融合核を移植して効果的に不妊治療を行う方法。
【０６４０】
（請求項９）マンブレインインターフェイス（Man Brain Interface）の先駆けとして、脳と機械を融合します。脳波と眼球や首や指や手首や腕の動きとコンピュータ画面上のカーソルを相互作用的になめらかに連動させてカーソルの動きをヘレン針深度法（H.N.D.M. : Hellen Needle Depth Method）が学習する。脳波を測定することで先行的にコンピュータ操作の大部分を行いますが、画面上の選択範囲や画面上のボタン類を特定し、顎の動きのセンサーや眼球の動きを測定するカメラや首の周りのセンサーや腕まで伸びた手袋内に設置されたセンサーで首や指や手首や腕の動きを測定することによって、キーボードのボタンを押したり、マウスを動かしたりする代用とします。つまり、瞬時に脳波で選択範囲やボタンを先行的に選んだ後、時間差をもって眼球や首や指や手首の動きで選択範囲やボタン類の後追い確認と最後の決定を効果的に行います。これは、脳波と顎の動きと首と指と手首と腕の動きを連動させないと、脳波測定による決定だけでは、コンピューターに誤動作が生じるためです。コンピュータ画面を見ながら脳波による操作と顎・眼球・指・手首・腕を軽く動かすことでコンピューター操作を効果的に制御する方法。最終的には、人間の脳内の特定の部位に電極を有するトランスポンダーを埋め込んで、脳波、顎・眼球・指・手首・腕の動きと機械を電波により一体として制御する方法。
【０６４１】
（請求項１０）少数の政治家や官僚の脳が各国別の広域な政治マクロ経済を操作する限界の時代が今日的課題です。世界中の地球規模・政治経済・電脳化による融合が解決手段です。世界中に存在するコンピュータ群をインターネットの様に有機的に結合します。各国別の政治経済モデルを連結させた地球規模のマクロ経済政治数学モデルによってヘレン針深度法による各電脳地方自治体、各国電脳政府プログラム上に各国電脳政府群を統合融合した地球連邦政府を構築します。ヘレン針深度法によるフレームワーク群の制御ブラウザーが各電脳地方自治体と各国電脳政府と電脳地球連邦政府の直接窓口になります。最終的には地球規模の政治経済は一つのものとなります。自律型の政治経済に関する学習型の人工知能を有するロボットプログラム群であるヘレン針深度法（H.N.D.M. : Hellen Needle Depth Method）は、つねに膨大なデーターベース・インターネット上の情報・各国別の地方自治体や政府機関の情報にアクセスして、地球連邦政府を調整運営します。さらに地球連邦政府のプログラム群を自らが部分的に改善します。大規模なプログラムの改変は地球市民と共に行います。地域紛争解決に各国と協力して対処し、世界大戦、世界恐慌を回避します。第一段階は、国際連合の分散処理と融合処理による電脳化です。ヘレン針深度法（H.N.D.M. : Hellen Needle Depth Method）による、フィードバック・フィードフォアード・フィードパスト・フィードバーチャルの手法を用いて、現在の地球規模の政治経済状況に適合するように情報の入出力を行い、地球連邦政府の数学モデルを時系列でリアルタイムデーターを用いて内部シミュレーションを行い、現在のヘレン深度のバターンと比較・検討・修正を加えることで各国の電脳政府と相互共鳴を行います。第二段階は、ヘレン深度法による、「緑の地球の実現」です。地球に優しい、環境を汚染しない、あまりエネルギーを消費しない、移動を必要としない、人間の自由意思を尊重して、人の痛みが分かる、民主的に地球市民が直接自分たちの政治経済に参加できる、人口・食料・水・エネルギー・下水・ゴミ・農耕・生産・病院・警察・刑務所・社会基盤がヘレン深度法によって整合性を持って調整された都市群による地球規模の人類を平和で幸福な未来へとアシストする政治経済の効果的な制御する方法。
【実施例１】
【０６４２】
２０１１年１１月１５日血糖値１５０mg/dl以上であればノボラピット２単位、血糖値２００mg/dl以上でノボラピッド４単位、血糖値３００mg/dl以上でノボラピッド６単位を打つ指導をうける。血糖値と決闘。夕食前１１９mg/dl、インスリン打たず、午後九時血糖値１５７mg/dl、インスリン打たず。
【０６４３】
２０１１年１１月１６日朝食後二時間、血糖値１２７mg/dl、インスリン打たず、昼食前、血糖値２９２mg/dl、ノボラピッド２単位打つ。夕食前、血糖値２１５mg/dl、ノボラピッド３単位打つ。卵焼き、ハンバーガーを食べる。午後九時、血糖値１７６mg/dl。
【０６４４】
２０１１年１１月１７日ノボラピッド朝食前、昼食前、夕食前、各３単位で計画する。血糖値を１００mg/ｄlから１５０mg/dlを目標とする。朝食前、血糖値１８８mg/dl、昼食前、血糖値、１５０mg/dｌ、ノボラピッド２単位打つ、二時間後血糖値、１７０mg/dｌ、夕食前、血糖値１９２mg/dl、ノボラピッド３単位打つ、二時間後血糖値、１６１mg/dｌ。
【０６４５】
２０１１年１１月１８日、朝食前、血糖値１２９mg/dl、二時間後血糖値、１８３mg/dｌ、昼食前、血糖値、１９８mg/dｌ、ノボラピッド３単位打つ、二時間後血糖値、２４４mg/dｌ、夕食前、血糖値１８９mg/dl、ノボラピッド３単位打つ、二時間後血糖値、１０５mg/dｌ。
【０６４６】
２０１１年１１月１９日、朝食前、血糖値１６４mg/dl、昼食前、血糖値、１５３mg/dｌ、ノボラピッド２単位打つ、二時間後血糖値、１７１mg/dｌ、夕食前、血糖値１２８mg/dl。
【０６４７】
２０１１年１１月２０日、朝食前、血糖値１７１mg/dl、ノボラピッド３単位打つ、二時間後血糖値、１３０mg/dｌ、昼食前、血糖値、１８０mg/dｌ、ノボラピッド３単位打つ、二時間後血糖値、１４７mg/dｌ、夕食前、血糖値２１１mg/dl、ノボラピッド３単位打つ、就寝前、血糖値、２７１mg/dｌ、ノボラピッド３単位打つ。
【０６４８】
２０１１年１１月２１日、朝食前、血糖値２９１mg/dl、ノボラピッド３単位打つ、昼食前、血糖値、１２０mg/dｌ、ノボラピッド３単位打つ、二時間後血糖値、１４６mg/dｌ、夕食前、血糖値１０７mg/dl。
【０６４９】
２０１１年１１月２２日、朝食前、血糖値１９４mg/dl、ノボラピッド３単位打つ、昼食前、血糖値、１８３mg/dｌ、ノボラピッド３単位打つ、二時間後血糖値、１４３mg/dｌ、夕食前、血糖値１５９mg/dl。
【０６５０】
２０１１年１１月２３日、朝食前、血糖値１６９mg/dl、ノボラピッド３単位打つ、昼食前、血糖値、１２０mg/dｌ、ノボラピッド３単位打つ、夕食前、血糖値１４６mg/dl、ノボラピッド３単位打つ。
【０６５１】
２０１１年１１月２４日、朝食前、血糖値１８２mg/dl、ノボラピッド３単位打つ、昼食前、血糖値、１４５mg/dｌ、ノボラピッド３単位打つ、夕食前、血糖値１０１mg/dl、ノボラピッド３単位打つ、就寝前、血糖値、３２６mg/dｌ、ノボラピッド４単位打つ。
【０６５２】
２０１１年１１月２５日、朝食前、血糖値２０３mg/dl、ノボラピッド４単位打つ、昼食前、血糖値、１０３mg/dｌ、ノボラピッド３単位打つ、二時間後血糖値、１９１mg/dｌ、夕食前、血糖値１９４mg/dl。
【０６５３】
２０１１年１１月２６日、昼食前、血糖値、２１５mg/dｌ、ノボラピッド３単位打つ、夕食前、血糖値１５３mg/dl、ノボラピッド３単位打つ、二時間後血糖値、１０９mg/dｌ。
【０６５４】
２０１１年１１月２７日、朝食前、血糖値１９７mg/dl、ノボラピッド３単位打つ、昼食前、血糖値、８４mg/dｌ、ノボラピッド打たず、二時間後血糖値、１５４mg/dｌ、夕食前、血糖値１５４mg/dl、ノボラピッド３単位打つ、就寝前、血糖値、２４２mg/dｌ、ノボラピッド３単位打つ。
【０６５５】
２０１１年１１月２８日、朝食前、血糖値２３１mg/dl、ノボラピッド３単位打つ、昼食前、血糖値、２６５mg/dｌ、ノボラピッド３単位打つ、夕食前、血糖値１３１mg/dl、ノボラピッド３単位打つ。
【０６５６】
２０１１年１１月２９日、朝食前、血糖値１８１mg/dl、ノボラピッド３単位打つ、昼食前、血糖値、１０４mg/dｌ、ノボラピッド打たず、夕食前、血糖値１２１mg/dl、ノボラピッド３単位打つ。
【０６５７】
２０１１年１１月３０日、朝食前、血糖値１８３mg/dl、昼食前、血糖値、１５１mg/dｌ、ノボラピッド３単位打つ、夕食前、血糖値９１mg/dl、ノボラピッド打たず、二時間後血糖値、１２９mg/dｌ、ノボラピッド３単位打つ。夜遅く食べることがあり、きっと夜中は血糖値が高い。その代わり夕食前は血糖値が低い。食生活の改善をしなければならない。
【０６５８】
２０１１年１２月０１日、食べる内容と量に気づく。血糖値が２００mg/dlを越えないようにする。そのためには大量に食べないこと。血糖値の目標値を１２０mg/ｄlから１８０mg/dlとする。そのためには、夜中に食べないようにする。朝食前、血糖値１９２mg/dl、ノボラピッド２単位打つ、この間外出をしてまったく食べなかった、夕食前、血糖値１０８mg/dl、ノボラピッド打たず、二時間後血糖値、２０８mg/dｌ、ノボラピッド３単位打つ。
【０６５９】
２０１１年１２月０２日朝から外出する、昼食前、血糖値、１０８mg/dｌ、ノボラピッド打たず、就寝前、血糖値、２６４mg/dｌ、ノボラピッド３単位打つ。夜中の血糖値は依然高い。
【０６６０】
２０１１年１２月０３日、朝食前、血糖値１７９mg/dl、ノボラピッド３単位打つ、昼食前、血糖値、２３９mg/dｌ、ノボラピッド３単位打つ、夕食前、血糖値１７５mg/dl、ノボラピッド３単位打つ。アマリール、メルグルコなどの薬を飲みきる。
【０６６１】
２０１１年１２月０４日、朝食前、血糖値１９２mg/dl、ノボラピッド３単位打つ、昼食前、血糖値、８８mg/dｌ、ノボラピッド打たず、夕食前、血糖値９５mg/dl、ノボラピッド打たず、就寝前、血糖値、２７４mg/dｌ、ノボラピッド３単位打つ。
【０６６２】
２０１１年１２月０５日、朝食前、血糖値１８８mg/dl、ノボラピッド３単位打つ、昼食前、血糖値、１４２mg/dｌ、ノボラピッド３単位打つ、夕食前、血糖値２４０mg/dl、ノボラピッド３単位打つ、就寝前、血糖値、１８２mg/dｌ、ノボラピッド打たず。
【０６６３】
２０１１年１２月０６日、朝食前、血糖値１８３mg/dl、ノボラピッド３単位打つ、昼食前、血糖値、９８mg/dｌ、ノボラピッド打たず、夕食前、血糖値１９１mg/dl、ノボラピッド３単位打つ、就寝前、血糖値、３３２mg/dｌ、ノボラピッド３単位打つ。夜中はまだまだ高い。
【０６６４】
２０１１年１２月０７日、朝食前、血糖値１８６mg/dl、ノボラピッド３単位打つ、二時間後血糖値、１６３mg/dｌ、昼食前、血糖値、１５３mg/dｌ、ノボラピッド３単位打つ、夕食前、血糖値１７１mg/dl、ノボラピッド３単位打つ、就寝前、血糖値、３５０mg/dｌ、ノボラピッド４単位打つ。突発性難聴のため、ここからステロイド剤を３日飲む。
【０６６５】
２０１１年１２月０８日、朝食前、血糖値３２４mg/dl、ノボラピッド３単位打つ、二時間後血糖値、１９６mg/dｌ、ノボラピッド３単位打つ、昼食前、血糖値、１８０mg/dｌ、ノボラピッド３単位打つ、夕食前、血糖値１８３mg/dl、ノボラピッド３単位打つ。
【０６６６】
２０１１年１２月０９日、朝食前、血糖値２４５mg/dl、ノボラピッド３単位打つ、二時間後血糖値、２１８mg/dｌ、ノボラピッド３単位打つ、昼食前、血糖値、１５０mg/dｌ、ノボラピッド３単位打つ、夕食前、血糖値２４５mg/dl、ノボラピッド３単位打つ、二時間後血糖値、１５９mg/dｌ、ノボラピッド３単位打つ。
【０６６７】
２０１１年１２月１０日、朝食前、血糖値２８６mg/dl、ノボラピッド３単位打つ、二時間後血糖値、２２３mg/dｌ、ノボラピッド３単位打つ、昼食前、血糖値、１２０mg/dｌ、ノボラピッド３単位打つ、二時間後血糖値、２１７６mg/dｌ、ノボラピッド３単位打つ、夕食前、血糖値２０６mg/dl、ノボラピッド３単位打つ。ステロイド剤の量を半分にして３日間飲む。
【０６６８】
２０１１年１２月１１日、朝食前、血糖値２７８mg/dl、ノボラピッド３単位打つ、二時間後血糖値、１４８mg/dｌ、ノボラピッド３単位打つ、昼食前、血糖値、１５６mg/dｌ、ノボラピッド３単位打つ、夕食前、血糖値３１４mg/dl、ノボラピッド４単位打つ。就寝前、血糖値、３３３mg/dｌ、ノボラピッド３単位打つ。
【０６６９】
２０１１年１２月１２日、朝食前、血糖値１５０mg/dl、ノボラピッド打たず、昼食前、血糖値、１５２mg/dｌ、ノボラピッド３単位打つ、夕食前、血糖値１５６mg/dl、ノボラピッド３単位打つ。就寝前、血糖値、２３８mg/dｌ、ノボラピッド３単位打つ。
【０６７０】
２０１１年１２月１３日、朝食前、血糖値１５１mg/dl、ノボラピッド打たず、昼食前、血糖値、１５６mg/dｌ、ノボラピッド打たず、夕食前、血糖値１２６mg/dl、ノボラピッド打たず。就寝前、血糖値、２２２mg/dｌ、ノボラピッド３単位打つ。
【０６７１】
２０１１年１２月１４日、朝食前、血糖値１９４mg/dl、ノボラピッド３単位打つ、二時間後血糖値、１０２mg/dｌ、昼食前、血糖値、１８５mg/dｌ、ノボラピッド打３単位打つ、夕食前、血糖値１９１mg/dl、ノボラピッド３単位打つ、二時間後血糖値、８８mg/dl。就寝前、血糖値、１４７mg/dｌ、ノボラピッド打たず。午後六時からは食べないようにする。
【０６７２】
２０１１年１２月１５日、朝食前、血糖値１５６mg/dl、ノボラピッド打たず、昼食前、血糖値、１６５mg/dｌ、ノボラピッド打たず、夕食前、血糖値１１０mg/dl、ノボラピッド打たず、二時間後血糖値、１４２mg/dl、ノボラピッド打たず。就寝前、血糖値、１３７mg/dｌ、ノボラピッド打たず。
【０６７３】
２０１１年１２月１６日、朝食前、血糖値１４２mg/dl、ノボラピッド打たず、昼食前、血糖値、１４６mg/dｌ、ノボラピッド打たず、夕食前、血糖値１５９mg/dl、ノボラピッド打たず、二時間後血糖値、１３３mg/dl、ノボラピッド打たず。就寝前、血糖値、１５７mg/dｌ、ノボラピッド打たず。午後六時前にはタンパク質を食べる。
【０６７４】
２０１１年１２月１７日（土）インスリンノートをつける。ノボラピットは三食前３単位から４単位。レベミルは夕食後３単位から４単位。問題は夜中の血糖値が高い。ノボラピットとレベミルの組み合わせはいいかも知れない。まだまだ、レベミルの効果が弱いようだ。人は食べなければ生きていけません。何を、何時、どれだけの量食べるか、それが問題です。この頃はまだ、朝に炭水化物C、昼に炭水化物C、夕方タンパク質Nを食べていました。午後６時を過ぎると何も食べないというルールを作っていました。目標を血糖値８０mg/ｄlから１４０mg/ｄlにおいていました。午前六時十分血糖値１５３mg/dl、午前十時頃血糖値１５３mg/dl、ノボラピッド３単位打って、餃子６個午後五時二十五分血糖値１１７mg/dl料理、レンコンと鶏肉、ハンバーグ、鳥レバーソテー、卵焼き。夕食後レベミル３単位から始める。午後６時を過ぎると、何も食べない。心が変われば、行動が変わる。その一口であなたの人生は変化する。人とは違う生き方をする。空腹時血糖が１００mg/dlを超えない様にしたい。夜中は血糖値に合わせてラピッド２単位で調節する。
【０６７５】
２０１１年１２月１８日（日）NC（ニューメリックコントロール）数値制御、食前の血糖値の数値を見て、炭水化物Cを食べる量をきめる。この時は、まだ炭水化物を食べていたし、食事の量を定量にしていない。CCN、朝炭水化物、昼炭水化物、夕タンパク質を食べる。BMIボデイマスインデックスを計算、標準体重６３ｋｇを目指す。血糖値、食事、インスリン、体重、運動を意識しだす。NIP（ニューメリク・イメージ・プログラミング）数値・イメージ・プログラミング。NF（ネガティブフィードバック）自分の標準からのずれ、偏差に気が付かない限り血糖値を改善しようとは思わない。数値・イメージ・プログラミングによるターゲット数値、数値目標。期間の設定、六か月で目標血糖値８０mg/dlから１４０mg/dl、体重６３ｋｇを目指す。午前三時二十分、血糖値１３６mg/dl、午前八時四十分、血糖値１５６mg/dl、ノボラピッド３単位打つ。辛子明太子、レンコン、鶏肉、ハンバーグ、午後十二時二十五分、血糖値１８２mg/dl、ノボラピッド３単位打つ。みかんの皮、りんごの皮、と野菜ジュースにして飲む。午後五時十五分、血糖値１０３mg/dl、ノボラピッド３単位打つ。レンコンハンバーグ（これが駄目だった）、鶏肉と鶏レバーのソテーと卵焼き。レベミル４単位を打つ。午後六時を過ぎたら物を食べない。夜中の血糖値が１００を切る様にする。午前一時五分、血糖値１４３mg/dl、夜中に血糖値が高い。I HAVE DIABETES.午後六時以降は食べていない。食べる量を制限する。純粋に食べ物をタンパク質だけにするか。レンコンの量が多かっただけで血糖値があがる。
【０６７６】
２０１１年１２月１９日（月）言葉・イメージ・行動の相互作用。人間は心の隙間を埋めようとして過食になる。人間は一つのことにしか集中できない。記憶の不確実性。人間は好きなことをして、嫌なことはさける。人間はイメージに導かられる。言葉とイメージに導かれる。状況が不確実な場合は、人間は良いパターンを模倣しようとする。食習慣の改善は体質改善につながる。自分は変わらないという考え方そのものを変える必要がある。認識からはじまって、体感・感情・気分と言葉・数値・イメージ・パターンとメソッド・薬剤・インスリン・食事・運動・生活・正しい方法へと導く。多くの場合は間違った見方をしている。変動の中間をめざす。午前七時五分、血糖値１６０mg/dl、朝は食べず、父を中央病院へつれていくためインスリンを打てず。午前十一時五十分、血糖値１４４mg/dl、いまのところレベミルの効果は弱い様だ。夜中の血糖値はやはり高い。レベミルはアマリールの代用程度か、夜中に血糖値が１５０mg/dl付近でノボラピッド２単位ぐらいの微調整が良いかも知れない。無糖コーヒー９００ｍｌを飲む。何故かお腹がすかない。体重が気になり、体重計をさがす。みつからない。午後十二時四十分、血糖値１４２mg/dl、お腹がすかず、インスリンを打てず、麺類は血糖値があがる、特に中華そばとか。午後二時十分、ノボラピッド３単位を打つ。野菜ジュース少々。午後五時、血糖値２２３mg/dl、ノボラピッド３単位打つ。卵焼きの食後にレベミル４単位打つ。午後六時を過ぎると何も食べないこと。朝C炭水化物、昼C炭水化物、夕Nタンパク質にだんだん慣れてくる。
【０６７７】
２０１１年１２月２０日（火）４つの波のパターン。食事のカロリーの波のパターン。一日１４００Kcalに抑える。運動量消費カロリーの波のパターン。一日１２０００歩あるくことにする。血糖値の波のパターン。血糖値を８０から１４０mg/dlにおさえる。体重の波のパターン。体重の目標値６３ｋｇ。食・運・血・体と暗記します。２型の場合は、肥満かけるメタボはニヤリーイーコール糖尿病。WCウエイトコントロール。目標体重６３ｋｇ、期間は六か月。記録をとらせ言語化する。数値化・客観化させる。記録療法プラスペット療法。散歩・運動など、意識を自己の内外にもたせる。人はいかに変われるか。言葉イメージ（考え）（３）行動。フィードフワードFF。未来のイメージが現在を変える。午前二時半、血糖値１３１mg/ｄl、ノボラピッドを３単位打つ。午前八時十分、血糖値１４７mg/ｄl、ノボラピッド３単位打つ。レベミルが５単位で、夜中の血糖値がどのぐらいになるかみてみたい。空腹時血糖値が１００mg/ｄlを切る。８０から１００mg/ｄlというのはどうだろうか。食前の血糖値を見て、食べる炭水化物Cの量との兼ね合いで、ノボラピッドを微調整する。今なら、ノボラピッドが３単位から２単位でいけるかも知れない。少しずつ、低い血糖値に身体を慣らしていく。ステイ・ハングリー、ステイ・フーリッシュ。新しい友ができる。更新再生、感情を半分にする。午前十一時三十分、血糖値１６８mg/ｄl、ノボラピッドを３単位打つ。インスリンを打つ、血中糖度が脂肪に変わる、すると太って、体重が増加する。食べる量を少なくして、運動量を大にする。食事・運動・血糖・体重の４つの波をコントロールする。レベミルを恒常的に打つと、太るかも知れない。食事の量を減らす必要がある。午後五時十八分、血糖値、１６０mg/ｄl、ノボラピッドを３単位打つ。鶏肉と卵を食べる。食後にレベミル５単位打つ。午後六時からは何も食べていない。
【０６７８】
２０１１年１２月２１日（水）人生という記憶の本。過去のページ。現在のページ。未来のページ。人は、今・此処・自分しか体験できない。現在が過去を変える。現在が未来を変える。イベント、つまり事象とは、記録、あるいは記憶でしかない。人生と言う脳内の記憶の本を、人は毎日、過去へ、現在へ、未来へと、行きながら、戻りながら、何度も何度も読み返しているわけだ。各ページは、毎日、「少しずつ変容している」ことになかなか人は気づかない。建設的で積極的な良いイメージを持ち続けていると、記憶の本の内容そのものが変わってしまう。NLPニューロ・リングイスティック・プログラミング、神経・言語・プログラミング。神経とは体感であり感情である。言語とは数値でありグラフのイメージである。プログラミングとは、好ましい変化であり、新しい変化の定着である。どんな・あなたに・なりたいですか。体重６３ｋｇで、血糖値が８０mg/ｄlから１４０mg/ｄl、死ぬまで行きたいものです。もとい、死ぬまで生きたいものです。午前三時二十五分、血糖値１４６mg/ｄl、ノボラピット２単位打つ。午前九時二十分、血糖値１４４mg/ｄl、ノボラピッド３単位打つ。レベミルを３単位に戻して、その代わりに、食事量を減らして１４４０Kcalにすることにする。朝炭水化物C、昼炭水化物C、夕タンパク質Nを食べ、午後六時以降は何も食べない食べ方に慣れてきた。夜中のノボラピッド２単位による微調整は効果があるようだ。夕方、炭水化物をほとんど食べなくても、どうして夜中の血糖値が上がるのだろうか。運動をしないのにもかかわらず、脂肪が血中糖分に変化するためだろうか。午後十二時十分、血糖値９９mg/ｄl、空腹時血糖値が１００mg/ｄlを切る努力をする。ノボラピッドを３単位打って、食事をする。野菜サラダと手作り餃子。理想的には空腹時血糖値が８０から１１０mg/ｄlなので目標値は１００mgｄ/ｄlを切るようにする。理想は食後２時間後血糖値が８０から１４０mg/ｄlなので、目標値は１４０mg/lを切るよういしたい。理想は（３）HbA1Cが５.８パーセントなので、目標は６.５パーセントを切るようにしたい。午後五時、血糖値２１９mg/ｄl、ノボラピッド３単位を打つ。食事。ハムエッグ、サラダにキャベツ、レベミル３単位を打つ。午後六時からは何も食べていない。午後十一時五十分、血糖値１６５mg/ｄl、ノボラピッド３単位を打つ。
【０６７９】
２０１１年１２月２２日（木）NFネガティブ・フィードバック、嫌な状態を反転させる。FFフィード・フォワード、好ましい状態へ誘導する。空腹時血糖を１００mg/ｄlあたりで安定させたい。定時観測。どうして夜中に血糖値が上がるのでしょうか。寝ているから運動していないのにもかかわらず、脂肪が血液中の糖に変わるからでしょうか。腸内に炭水化物がもしあればこれも糖にかわるけれども、午後六時以降は物を食べていない。普通の人の夜中の血糖値はどのくらいだろうか。定期計測、定量インスリン、定量の食事量、習慣化。空腹時に１００mg/dlを切りたい。１２月２３日（金）の夕食にデキストリンの入ったお茶を飲む。肥満やメタボを治すと血糖値改善によいのだろうか。乳酸菌も良いようだ。ヤーコンを食べるのは挫折した。「虫歯と血糖値の関係はあるのだろうか」午前四時二十五分、血糖値１２３mg/dl、ノボラピッド打たず、午前八時十分、血糖値１４７mg/ｄl、ノボラピッド３単位を打つ。午前十一時二十分、血糖値１９２mg/dl、ノボラピッド３単位打つ。一回の食事の量。卵焼き、餃子、サラダ。午後五時、血糖値１２２mg/dl、ノボラピッド３単位を打つ。鶏肉を少々食べる。食後レベミル４単位を打つ。午後六時を過ぎれば何も食べない。どうして、何も食べず、活動もしていないのに、夜中に寝ているのに、血糖値が１３１mg/ｄlから１６３mg/dlも高いのだろうか。どうして、何も食べず、夜は寝ているのに、空腹であるはずの朝一番で、血糖値が１２３mg/ｄlから１６０mg/lと高いのでしょうか。高いことの意味はなんだろう。朝一番で、空腹感を感じず、ノボラピッド３単位を打って、空腹になって、食欲を感じて、食べることをやっている。空腹時血糖が１００mg/dlを切りたい。複合的な原因には複合的な対策が必要か。
【０６８０】
２０１１年１２月２３日（金）キクイモ（イスラエル・アーティチョーク）を育てている。イヌリンという成分はインスリンと似ているそうだ。一年中食するためには、イモではなく、葉をジューサーで液体にして、飲んでいる。効果を確かめるためには、もっと大量に育てる必要がある。炭水化物Cの量を制限すれば、イヌリンに頼らない生活ができるかも知れない。草食系プラス肉食系の男子になれということかも知れない。命は命から生まれる。命の源流をたどると、宇宙の命の本源に辿り着く。宇宙の御親（みおや）である宇宙霊は、全知・全能・不滅。我々は、その分霊（わけみたま）であり、肉体は滅んでも、永遠の生命と共にある。午前二時二十分、血糖値１３６mg/dl、ノボラピッド２単位を打つ。午前九時半、血糖値１４３mg/dl、ノボラピッドを３単位打つ。本日、午後六時からは何も食べていなかった。前日の夕食は鶏肉だった。餃子、うどん、おかしを食べる。午前十一時五十五分、血糖値３６１mg/l、炭水化物はものすごく血糖値が上がる。ノボラピッド４単位を打つ。午後五時十分、血糖値１６０mg/dl、ノボラピッド３単位を打つ。うどん、おかしを食べると、血糖値は一発高くなる。夕食、鶏肉ソテー、卵焼き、生ハム少々。夕食後レベミル４単位を打つ。午後六時からは何も食べない。運動量を増やすために、夜中、HONDA  CBR1000RRで耐久６時間にチャレンジするのはどうだろうか。六時間後の血糖はどうなるのだろうか、やってみたい。午前十二時四十五分、血糖値１８１mg/dl、運動をしてみる。耐久４時間１５分１７秒が限界だった。午前五時五分、血糖値１２８mg/dl、ノボラピッド２単位を打つ。夜中の運動は良いかも知れない。
【０６８１】
２０１１年１２月２４日（土）食べる量は少なく、運動は多くする。野菜プラスタンパク質の食事に変更する必要がある。本当に空腹にする必要がある。炭水化物Cの食べ過ぎに注意する必要がある。炭水化物Cを減らした生活はどうだろうか。野菜プラスタンパク質。小麦粉は食べないようにする。よもぎの葉を生で食べるのはどうだろうか。よもぎを育てるとか。薬草を食べて仙人の様な生活をするのはどうだろう。Nタンパク質大、V野菜小、C炭水化物小小これを朝昼夕とするのはどうだろう。午前六時二十五分、体重７９．４ｋｇ、午前十時十五分、血糖値１３９mg/dl、ノボラピッド３単位を打つ。午後十二時、血糖値１０１mg/dl、ノボラピッド３単位を打つ。食事、野菜スープ、昆布、餃子。午後三時、血糖値２７５mg/dl、ノボラピッド３単位を打つ。午後五時五分、血糖値２３２、ノボラピッド３単位を打つ。食事、鶏肉のソテー、接客、食事があり、午後七時半食べだす。食後にレベミル４単位を打つ。炭水化物Cを食べる量を制限する必要がある。午後八時二十五分、体重８０．４ｋｇ、食事は少量多品種にする。タンパク質N中心で、食事は少量主義になる。食前データープラス食後二時間のデーター。食べる量に問題がある。野菜プラスタンパク質にする。午後十時、血糖値１６２mg/dl、ノボラピッド３単位を打つ。何でも大事に残したいタイプ。  
【０６８２】
２０１１年１２月２５日（日）、朝食、タンパク質N、野菜V、炭水化物は少とする。昼食、タンパク質N、野菜V、炭水化物は少とする。夕食、タンパク質N、野菜V、炭水化物は少とする。タンパク質と野菜中心の生活に変える。小麦粉はできるだけ禁止にする。出された物は全部たべる。人からいただいたものは粗末にしない。食べ物は捨てない。（３）物を大切にして溜める。この（３）は、母親から教育されたことだ。この（３）の考え方は工夫して変更する必要がある。二宮尊徳翁の分度（ぶんど）、推譲（すいじょう）の思想に乗り換える必要がある。つまり、身の程を知る、限度をわきまえる、余ったものを未来へゆずる。あなたの考え方そのものがあなたをつくっている。午前七時二十五分、血糖値１４６mg/dl、ノボラピッド３単位を打つ。空腹時血糖値が１００mg/dlを切りたい。ノボラピッドの新しいのを使う。血糖値測定チップがラスト３０個になる。午前七時四十五分、体重７９．４ｋｇ、午前十一時半、血糖値１３９mg/dl、ノボラピッド４単位を打つ。午後五時二十五分、血糖値１２６mg/dl、ノボラピッド４単位を打つ。夕食はゆで卵３個食べる。レタスドレッシング少々。体重が８０．８ｋｇから６３ｋｇになりたい。午後八時五十分、血糖値１５９mg/dl、ノボラピッド４単位を打つ。体重８１．０ｋｇ、タンパク質N中心、食事は少量主義でいく。午後六時を過ぎたら物を食べないようにする。標準体重６３ｋｇになりたい。空腹時血糖値が１００mg/dlを切りたい。HbA1cが６パーセントを切りたい。午前十二時二十五分、血糖値９６、インスリンを打たず。アセスルファーム１．２ｇを二本たべる。体重８０．２ｋｇ。
【０６８３】
２０１１年１２月２６日（月）、ＪＡＶＡ（登録商標）、Android、で血糖値コントロールゲームが作りたい。スマートフォンにデーターを打ち込んで、血糖値がどんな状態にあって、どういう対策を立てれば良いかという思考ゲームだ。日記か、ブログ風のアドベンチャーゲームが良いかも知れない。基本のストーリーは、糖尿病発病に始まるロールプレイングゲームだ。タイトルは、糖尿病の森、あるいは糖尿病の友達コレクション。楽しみながら自分の血糖値を改善していくというストーリーだ。血糖値のコントロールに失敗すると網膜から眼底出血してレーザー治療・壊疽して手足の切断・人工透析となる。血糖値のコントロールがうまくいくと、超美人の女医の先生からほめてもらえる。こんな薬にはこんな副作用があるとか、インスリンの種類と注射の打ち方だとか、注意点だとか、医学的知識のエデュメントソフトを作ることが出来れば、世の中に役立てるかも知れません。血糖値運動量（３）食事（４）体重、この４つの波のパターンを数値化して、グラフ化できれば、血糖値のNCニューメリックコントロール、つまり数値制御に役立つかもしれません。大切なのは、NLP、ニューロ・リングイステック・プログラム、つまり神経・言語・プログラム。糖尿病の患者さんの意識というか、考え方や行動を変えることが目的だ。ある意味で、ブラックボックス化された生体シミュレーションでもある。何故、あなたの血糖値は、ホメオスタティック（恒常的）ではないのですか。質問と答えの選択肢の中から、本人が自分で気づいて、自らを変えようと決心しない限り、現実は、そう簡単には変わらない。運命を変えられるのは本人の自由意思だけである。これは、あなたのカルマである。あなたの前世物語が関係している。「蒔いた種は何時か必ず刈り取らねばならない」。宇宙の物質と精神は進化し、人は転生し、みずからの人生を埋め合わせようとする。エドガーケイシーリーデングによるとやはり、炭水化物Cは、制限するべきだ。自分の脳が大量の血糖と酸素を要求しているのだろうか。人には心というものがあって、食欲と言うか本能と言うか、生存の根源的なところに繋がっているのだろう。糖尿病の遺伝子が自然淘汰されないのはどういうことだろう。NIDDM、体質、食生活中心、生活規制、ステビア、人工甘味料の使用、血糖値９６mg/dlで午前十二時二十五分空腹で血糖値に関係しないパルスィートを食べて寝ても、朝、午前七時五分には血糖値が１３６mg/dlに上がっている。夜中というか午前三時にも血糖値を計測する必要がある。キクイモの葉をジュースにしたものを少しずつ飲んでいる。寝る前の平均、血糖値１３６mg/dl（１７日から２５日）、朝一番の平均血糖値１５８mg/dl（１７日から２６日）寝る前が血糖値１３６mg/dlで朝起きたら１５８mg/dl、昼前の平均が血糖値１６８mg/dl（１７日から２６日）夕食前の平均が血糖値１５８mg/dl（１７日から２６日）、１７日から２６日の全平均血糖値が１５６mg/dl、ある意味で食前の空腹の血糖値が１５６mg/dlだから血糖値は高いといえる。午前七時五分、血糖値１３６mg/dl、ノボラピッド４単位を打つ、午前十一時二十五分、血糖値１３６mg/dl、ノボラピッド４単位を打つ。昼食、ミートローフ、レタスとドレッシング、午後四時四十一分、血糖値１１４mg/dl、ノ���ラピッド４単位を打つ。夕食、鶏肉のソテー、卵焼き、夕食後、レベミル４単位を打つ。午後五時十五分、体重８０．４ｋｇ、食後、AJINOMOTO、パルスイート１．２ｇ、パルスイートは血糖値に影響しない。昼から夕方にかけてアーモンドを少々食べる。午後六時を過ぎると何も食べない。午後六時、体重８０．８ｋｇ、現在は小学校が冬休みなので、子供が朝から来ている。昼タンパク質N、夕タンパク質N、一日二食の食べ方をしている。後は、量を減らしていく予定。タンパク質N中心、食事は少量にする。タンパク質と野菜中心。ミルクコーヒーを飲む。午後九時、血糖値１６３mg/dl、ノボラピッド４単位を打つ。体重８１．０ｋｇ、午前二時、血糖値８８、やっと夜中の血糖値が１００mg/dlを切った。
【０６８４】
２０１１年１２月２７日（火）、食事療法、タンパク質N中心。食事の量は少量主義。炭水化物Cを減らし、タンパク質Nも段々少なくしていく。バランスが良いのは、豆腐プラス蒟蒻だろうか。それに豆乳。豆腐蒟蒻入り卵焼き。午前二時に血糖値８８mg/dlだったものが午前六時に血糖値１１８mg/dl、寝ている間に血糖値が約３０mg/dl上がっていることになる。空腹時血糖値が１００mg/dlを切るためには、タンパク質N中心の食事に変え、野菜を少々とるようにする。タンパク質Nも少量主義。体重が６３ｋｇになるためには、食料を重量レベルでコントロールする必要がある。人間の身体は精密機械のようである。水分はとったほうが良いから、水分量と脂肪の量のみきわめた大切。ノンコレストロールのキャノーラ油とオリーブ油にする。朝一番の血糖値が１００mg/dlを切るようにしたい。少量の食事が健康への原点である。ひとは食べ過ぎている。ポラリティ。極性現象。本人の病気を治すという決心が重要。午前六時、血糖値１１８mg/dl、ノボラピッド３単位を打つ。午前七時半、豆乳を飲む。コップ一杯。午前七時五十二分、体重７９．８ｋｇ、午前十一時十分、血糖値１３５mg/dl、ノボラピッド４単位を打つ。温泉卵を食べる。鶏がら野菜スープ。午後五時十五分、血糖値１３５mg/dl、ノボラピッド４単位を打つ。夕食は、卵プラス豆腐プラス蒟蒻。食後レベミル４単位を打つ。体重は８１．０ｋｇ、やはり炭水化物Cは控えるように。午後六時からは何も食べない。定期・定時・定量・習慣化。インスリンを打ちすぎると体重が増加する。血中の糖分が脂肪に変化するから。朝、空腹時血糖が１００を切りたい。午後九時十分、血糖値１２９mg/dl、ノボラピッド３単位を打つ。午後六時からは何も食べないのは血糖値コントロールに重要なことだ。最近血糖値が下がってきたのは炭水化物Cをほとんど食べていない。タンパク質Nと野菜が中心である。しかも食事の量は少量主義である。めざせ体重６３ｋｇ。
【０６８５】
２０１１年１２月２８日（水）、夢のお告げは、太古の記憶を引き出す。ROACH（ローチ）と言う言葉が、夢の中で浮かんだ。ゴキブリ(cockroach)、コイ科の淡水魚、(as) sound as a roachすこぶる元気で、横帆下縁の弧状の切り込み、たてがみを刈る、それはどういう意味ですか。言葉は有限の為に、一つの言葉に複数の意味を付加する。言葉を発信する者のイメージを、受信者のイメージに合致させるためには、「お客様は神様です」を「お客様は王様です」と言い換えたり、比較したり、因果関係を辿って説明する必要がある。有限の言葉で無限の事象の組み合わせを説明しようとする。どうすれば血糖値が改善されるのかという標準化プログラムの作成。下位レベルには本能がある。上位レベルには使命がある。まず、「何処で、何時」、次に、「如何にして」と考え、それには決断がともなう。最後に「誰がするのか」という問題がある。「人格の変容から糖尿病は改善される」。それには、生活環境、食習慣を変えていかねばならないからだ。経済的にも負担が少なく、永く受け入れられる方法は、ジャガイモと大豆を一緒に植えるようなものだ。飢えなくなる。飢餓の記憶は、こう語ります。あなたがこうして生きていて本当によかった。ジャガイモの更新再生プラス大豆の根粒菌（Rhizobium）同化生産。バクテノイド。空中窒素固定能力。混共生自然農法、大豆レシチン（lecithin）リン脂質。大豆を育てて食べる。体重６３ｋｇをイメージし続ける。お腹の脂肪をなくす。運動する。割れたかっこいい腹筋をつくる。筋肉マンを目指す。肉。プロテイン。基礎代謝のアップ。午前十二時四十五分、血糖値１０９mg/dl、インスリン打たず。午前四時十五分、血糖値１２８mg/dl、ノボラピッド３単位を打つ。午前七時十五分、血糖値１１３mg/dl、ノボラピッド３単位を打つ。温泉卵とレタスドレッシングを食べる。体重７９．６ｋｇ、体重が６３ｋｇになったら、血糖値は改善されるだろう。タンパク質Nも少量にする。午前十一時四十分、血糖値１５３mg/dl、ノボラピッドを４単位打つ。午前十一時五十分、体重７９．６ｋｇ、食べる重さが体重になる。食量は体重。午後四時二十五分、血糖値１５３mg/dl、ノボラピッドを４単位打つ。ハムエッグ、食後レベミル４単位を打つ。午後九時、血糖値１２５mg/dl、ノボラピッド３単位を打つ。左足・親指の付け根に軽い麻痺（違和感）がある。フットケアー。神経性か血管性か。オリーブオイルで足をマッサージする。自分をいつも支えてくれてありがとう。レベミルのレベルを上げたらどんなことが起こるのだろうか。
【０６８６】
２０１１年１２月２９日（木）、食事のパターン化を行う。昼は、タンパク質N、夕方か朝のタンパク質N。つまり昼と夕の一日二食に、朝のバリエーションを加える。色々な組み合わせを、交互に食べてみる。一日一食にしたいが食欲の問題で不可能。どうしてもお腹がすいたときは、豆乳を飲む。温泉卵とか、鶏がら野菜スープを飲む。とにかく空腹をつくる。大豆食を考えている。Self-sublimationして、若朽しない。「対心一処、無事不通」「自分の弱さとの闘い」タンパク質Nは少量に、炭水化物Cはとらない様に。食べる重さが体重になるから、食べる量を減らして、運動をする。私の場合は、運動というより活動というべきである。塾の中をコマネズミの様に動き回っている。「吾れ、唯だ、足るを、知る」。知足。肥満をなおせば糖尿病は改善されるだろう。嗚呼、６３ｋｇになりたい。今日の夕食後三時間の血糖値１７１mg/dlを見れば食べる量に問題がある様だ。午前二時五十分、血糖値１２６mg/dl、ノボラピッド３単位を打つ。午前七時二十分、血糖値１２０mg/dl、ノボラピッド３単位を打つ。午前八時、体重７９．２ｋｇ、午前十一時四十分、血糖値１３７mg/dl、ノボラピッド４単位、昼食、卵焼き、ハム、焼き豚、午後四時三十六分、血糖値１４５mg/dl、ノボラピッド４単位を打つ。夕食は鶏肉ソテー。夕食後レベミル４単位を打つ。午後六時を過ぎれば何も食べない。午後九時五分、血糖値１７１mg/dl、ノボラピッド４単位を打つ。タンパク質Nを少量にする。血糖値が１７１mg/dlになった理由は、夕食の時に餃子を一口食べた。炭水化物Cをちょっとでも食べると、血糖値は１７０mg/dlぐらいに跳ね上がる。午後六時に父に作ってあげた餃子を一口つまんだだけなのにこんなにも上がる。午後九時十五分、体重８０．０ｋｇ、タンパク質Nの量も減らして、炭水化物Cは出来るだけ取らないようにしたい。あまりお腹がすかなくなった。木食（もくじき）も良いかもしれない。大豆は五穀の一つだ。大豆は良いかも知れない。
【０６８７】
２０１１年１２月３０日（金）RIDDLE、NEW  MEMORIES、SELECTION、SCHOLAR、MAZE、PRESENT、夢のヒントだ、NEW  GAMES、データーを見ながらインスリンを打ち、データーを見ながら食事をする。自己学習。自分の体質や傾向を知る。「気・愛・悟」、あらゆるものはつながっており、ぜんたいとしてひとつであると感じる。超未来型の体重計の夢をみる。大学受験生の為の思考論理ゲーム、NLP理論に基づく。午前五時二十分、血糖値１３３mg/dl、ノボラピッド３単位を打つ。タンパク質Nも少なく、炭水化物Cには血糖値は敏感に反応する。左足親指の付け根に違和感。午前五時半、体重７９．０ｋｇ、体重の上下は、水分と食物の重さ。１２月２３日の血糖値３６１mg/dlは餃子・うどん・お菓子の結果だった。過去のデーターから考えると炭水化物Cを普通に食べると、血糖値１７０mg/dlから２５０mg/dlはいくと思う。空腹時の血糖値をさげたい。空腹にしても、脂肪が血中の糖分に変わるのかも知れない。午前八時十分、血糖値１１５mg/dl、ラピッド３単位を打つ。レベミルのレベルをあげるとうのはどうだろう。体重７８．６ｋｇ、卵と豆腐生活はどうだろう。蒟蒻もいいかもしれない食物繊維だから。レベミルのレベルは。午後二時五分、血糖値１６３mg/dl、ノボラピッド４単位を打つ。午後五時二十分、血糖値６７mg/dl、完全な低血糖だ。年末で忙しくて食事ができなかったため。夕食後レベミル４単位。午後六時を過ぎれば何も食べない。
【０６８８】
２０１１年１２月３1日（土）新年を迎えつつある。新しいインスリンノートだ。表題、インスリンノート。ノボラピッドは朝４単位打つ、昼４単位打つ、夕４単位打つ。レベミルは夕食後に４単位打つ。午後六時からは何も食べない。須知晃一のサイン。インスリンをすべて４単位に統一してみる。微調整は必要だろう。現状維持。やりすぎないこと。定期的に眼科へ行くこと。今の食べ方は一日二回。朝タンパク質N、夕タンパク質Nと昼タンパク質N、夕タンパク質Nを交互に繰り返す。炭水化物Cは、ほとんど食べない。タンパク質Nも少量、野菜を食べる。Stay hungry.ステイ  ハングリー。Stay foolish.ステイ  フーリッシュ。あとは、鶏がら、魚あら、野菜スープ。豆腐と蒟蒻。大豆・小豆を中心に生きていく。午前一時五十分、血糖値１３４mg/dl、ノボラピッド３単位を打つ。体重７９．６ｋｇ、午前十時、血糖値１４６mg/dl、ノボラピッド４単位をうつ。体重７８．６ｋｇ、空腹の時間をつくって、すい臓を休ませる。糖尿病は生体が肥満を防止するためにあるのではないだろうか。１８０mg/dl以上の高血糖が続くと、大血管障害、小血管障害、神経障害に至る。糖分が血管や神経を痛める為だ。それに酸素の代わりにヘモグロビンに糖分がくっついて、酸素がいきわたらないで壊疽する場合もある。糖尿病を境界領域へもっていく。糖尿病とうまく付き合う。その為にはどうすればいいのか。過食をしない。間食をしない。空腹の時間をつくる。精密機械の様に体をコントロールする必要がある。午後十二時十分、血糖値９０mg/dl、インスリンは打たず。午後二時、血糖値１９６mg/dl、ノボラピッド５単位を打つ。午後４時五十二分、血糖値７３mg/dl、低血糖ぎみだ。血糖値が倍以上の振幅でめまぐるしく変化する。かなりきついものがある。豆腐のたらこあえ、食後レベミル４単位を打つ。体重８１．２kg、豆腐は良いかも知れない。大豆を中心にして食べる。
【０６８９】
２０１２年０１月０１日（日）、神は人間に試練をお与えになります。試練に感謝しましょう。新しい年を迎えた。困難を感謝しましょう。失敗の中には成功の種があります。今年の課題は感情のコントロールです。暴力・暴言・防止です。（ぼうりょく・ぼうげん・ぼうし）です。３つの「ぼ」です。「我が心は石に非ず」小さな生物に対する優しい心を育てる。銭亀・ウサギ・ハムスターたちです。記録療法とペット療法は糖尿病の治療に効果があります。人間は満たされない心の隙間を食物で埋め合わせしようと考えるからです。小さな生き物たちと触れ合うことで心が癒されます。これはどうだろう。データーを多くとり、ノボラピッドで微調整する。理想的には血糖値が８０mg/dlから１４０mg/dl、現実には１２０mg/dlから１８０mg/dl、平均が１６８mg/dl、やりすぎに注意。目は大切です。NLP(神経言語プログラム)によって、人格を変容させる。脳が変容することで、本能が剥き出しの蜥蜴脳を理性がつかさどる哺乳類の大脳新皮質が優しく包み込む。本能というか欲望にストップをかけるのです。言葉によって、脳の神経構造を変化させるのです。相手に必要な質問をすることによって、「相手に考えさせるのです」言葉から思考。思考からイメージ。イメージから感覚、感覚から感情、感情から行動の変化へ導くのです。「あなたはどうなりたいですか」あなたの運命を変化させることができるのは、あなたの自由意思だけです。王陽明の「知行合一」という言葉をしっていますか。午前四時、血糖値１２３mg/dl、午前七時五十分、血糖値１１８mg/dl、午前十時、体重７９．６ｋｇ、午後十二時十分、血糖値１３９mg/dl、ノボラピッド４単位を打つ。やりすぎないこと。体重７９．２ｋｇ、午後二時五十分、血糖値１５４mg/dl、ノボラピッド４単位、食事、レタス、ドレッシング、体重８０ｋｇ、午後五時、血糖値６１mg/dl、完全な低血糖、食事、豆腐たらこをたべる。食後レベミル４単位を打つ。午後十時五十五分、血糖値１９１mg/dl、ノボラピッド４単位を打つ。豆腐は良い様だ。体重８１．０ｋｇ、大豆を中心にして食べる。コーヒーの中にミルク代わりにキナコをいれる。あまさはパルスイートを使う。お腹がすいたらキナコを湯でといてミルク代わりに飲む。
【０６９０】
２０１２年０１月０２日（月）ここに三つのグラフがあります。横軸は時間の経過です。縦軸は血糖値を表しています。原点は食事の時間です。炭水化物を食べると血糖値は急激に上昇します。するどいピークとともにだんだん下降していきます。油・脂質はお皿を下向きに伏せたように低い丘のような形になります。油・脂質が血糖値に反映するには時間がかかることを意味しています。この炭水化物と油・脂質のちょうど中間にあるのがタンパク質です。タンパク質はちょうど炭水化物と油・脂質の中間にあるようなものです。タンパク質も食べ過ぎると血糖値があがりますし、体重の増加につながります。この３つのグラフの特性を理解することが血糖値のコントロールにやくだちます。午後六時を過ぎると物を食べないというのは正解です。楽しいテレビ番組をみていると、ついつい口さみしくなってお菓子に手がでてしまいます。おいしいビールのテレビCMでついついアルコールを飲んでしまうこともあるでしょう。アルコールが入ると自制心がゆるんで過食、間食していまいます。口さみしい対策に豆腐や野菜がいいかもしれません。木の実だとか煮干しだとかもいいです。木喰（もくじき）といって、木の実を栗鼠のように少しずつ食べるのもいいかも知れません。とにかく食べ過ぎないことです。過食間食夜の食事アルコールが糖尿病の４つの敵です。お腹がすいたらきなこを湯でといてミルクのように飲みましょう。タンパク質Nを中心にして、少なく食べます。ノボラピッドやレベミルなどのインスリンを定期的に打ちます。体重を測定します。体重を測定することによって食べる量を調節することができます。今のところ、血糖値は１００mg/dlから１６０mg/dlです。気をつけなければならないことは、インスリンを打ちすぎると、体重が増え、低血糖になったり、急に視力が低下したり、内臓が損傷することです。午前五時、血糖値１０７mg/dl、午前七時四十四分、血糖値１３４mg/dl、ノボラピッド３単位を打つ。レタスとドレッシングをたべる。このドレシングは明細書の本文の中で野菜酢として紹介しているものです。午前十時十分、血糖値１８８mg/dl、ノボラピッド４単位を打つ。体重８１．４ｋｇ、午前十一時五十二分、血糖値１２４mg/dl、キナコを食べる。午後一時五十二分、血糖値１３５mg/dl、ノボラピッドを３単位打つ。午後五時十分、血糖値１３７mg/dl、ノボラピッド４単位を打つ、豆腐、卵、レタスを食べる。午後六時十分、レベミル４単位を打つ。午後十一時、血糖値１６０mg/dl、ノボラピッド４単位を打つ。午後十一時。夜中にハムを食べる。朝の血糖値が高めになるかも知れない。血糖値は今の状態であれば、１２０mg/dlから１８０mg/dlが妥当かも知れない。やりすぎは視力が落ちるから注意。現状維持。夜中に食べると朝の血糖値が高めになる。
【０６９１】
２０１２年０１月０３日（火）、炭水化物Cを一気に食べ過ぎると、血糖値が３５０とか２５０とかに上昇する。タンパク質Nだけ、少量食べれば血糖値がさがってくるが、炭水化物Cも、少しずつ様子をみて食べたいものだ。やりすぎないこと。タンパク質を中心にして少なめに食べる事。ノボラピッドやレベミルなどのインスリンを、定期・定量・定時で打つことにより、安定的に血糖値が下がってきた。本能的な食欲に対しては自己抑制しかないか。夜のテレビ番組は危ない。口さみしさ対策をする必要がある。現在は昼食少量のタンパク質N、ごくわずかの炭水化物C、夕食少量のタンパク質N、ごくわずかの炭水化物C、で午後六時を過ぎれば固形物は食べない。大豆・豆腐・きなこはいいかもしれない。Bellfinaの卵焼き器は厚焼き玉子、だし巻き卵がうまくできる。午前二時五十分、血糖値１６７mg/dl、ノボラピッド４単位を打つ。午前七時四十分、血糖値１５０mg/dl、ノボラピッド４単位を打つ。体重７９．８ｋｇ、コーヒーにきなこパルスィートを飲む。炭水化物Cは血糖値が急激に上がり、タンパク質Nは後に残る感じがする。午後十二時五十分、血糖値１１３、食事の為、ノボラピッド３単位を打つ。キナコ、豆腐、手作りドレッシング（野菜酢）を食べる。午後二時四十分、血糖値１４１mg/dl、外出の為、低血糖となると嫌なのでインスリンは打たず。外出しました。午後九時四十分、血糖値１６３mg/dl、ノボラピッド４単位打ちました。食事は卵焼き、食後レベミル４単位を打ちました。QL、クオリティオブライフを考えると、炭水化物のCもちょっとは食べたいとおもいました。キナコをパルスィートとまぜて湯でといてミルクの様にして飲みました。やりすぎないこと。食欲を満足させるために、料理の工夫をする。
【０６９２】
２０１２年０１月０４日（水）、朝は軽く食べる。午前十時から午後二時は、炭水化物Cは少なめに。タンパク質Nはカロリーを考えて。（３）午後五時から午後六時はタンパク質N中心で。野菜は多く、量よりもカロリーベースで考える。野菜から食べて、タンパク質を食べて、炭水化物をちょっと食べる。炭水化物Cの吸収をなるべくゆっくりとする。午後六時からな何も食べないのがベストである。午後九時からの分食（ぶんしょく）も考えられます。固形物はやめてスープ中心で、水分補給にもなるし。塩分も少なめにして、キノコ、ワカメ、酢の物、カロリーを少なくしてバランスよく少量多品種を食べる。午前七時、血糖値１６５mg/dl、ノボラピッドを４単位打つ。仕事始め。体重７９．４ｋｇ、左足親指付け根に違和感。軽いしびれ。午前十一時二十分、血糖値１１１mg/dl、食事の為ノボラピッド４単位を打つ。アップルエッグをする。午後四時五十五分、血糖値１３１mg/dl、ノボラピッド４単位を打つ。厚焼き玉子、レタスとドレッシング、ジャーキー少々、食後レベミル４単位を打つ。午後九時五分、血糖値１２３mg/dl、インスリン打たず。「ベンジャミンバトン」は老人として生まれ、赤ん坊となって死ぬ」物語「老化の謎」油は使わず、料理に「もやし」と「コンニャク」を混ぜる。
【０６９３】
２０１２年０１月０５日（木）、量よりもカロリーを考える。料理にコンニャクを混ぜる。野菜から食べ始め、タンパク質、炭水化物という食べ方をする。（３）午前十時から午後二時の間にメインの食事をすませる。食べてもよいゾーン。逆に、午後十時から午前二時は食べてはいけないゾーン。（４）午後五時から午後六時はタンパク質N中心の食事をする。量は制限する。（５）午後六時以降は物を食べないが、スープ中心の分食を考えても良い。あくまでもタイミングの問題。（６）工夫して油を減らす。ドレシングとかも大根のおろしで代用する。料理を工夫する。満足してカロリーは減らす。午前十二時四十分、血糖値１４４mg/dl、ノボラピッド３単位を打つ。午前七時五十分、１４４mg/dl、ノボラピッド４単位を打つ。午前十時五十五分、血糖値１２９mg/dl、ノボラピッド４単位を打つ。昼食、豆腐、レタスドレッシング、午後四時五十分、血糖値１０１mg/dl、ノボラピッド４単位を打つ。ためしにラーメンを食べてみる。ラーメン・焼き豚・白菜の半分を食べる。食後にレベミル４単位を打つ。これはいい。午後九時五分、血糖値１２９mg/dl、ノボラピッド３単位を打つ。体重８１．６ｋｇ、午後九時過ぎ、豆腐一丁、ドレッシングで食べる。五十種類以上の野菜などをミキサーにかけて酢と混ぜたもの。たけしの老化についてのTV番組を見る。大便の４割は、体内の不要物、後の６割が食べ物のカス。食べる量を少なくして、やせた体型にすることが長寿への道。そういえばデブの長生きは少ない。
【０６９４】
２０１２年０１月０６日（金）、標準体重６３．４ｋｇを目指す。スカイツリーの６３４メートルではなくて、「きのこ」や「こんにゃく」などの食物繊維を摂取する。または「わかめ」をかきあげのなかにいれる。女子栄養大学のダイエットクリニックを入手した。時間栄養学によると、２５時間の体内時計を２４時間にリセットする。朝は午前六時から午前七時に食べる。昼は午後十二時から午後一時の間に食べる。夕食は午後六時から午後七時に食べる。私はこれを変形して、午前七時から午前八時の間に朝食を食べる。昼は午後十二時から午後一時の間に食べる。夕方は午後五時から六時の間に食べる。午前三時四十五分、血糖値１５７mg/dl、ノボラピッド４単位を打つ。午前七時四十五分、血糖値１２０mg/dl、朝食事の為に食前にノボラピッド４単位を打つ。午前十時十五分、ラーメン半分とお菓子少々。子供との楽しい時間の結果が血糖値にどう反映されるか。体重７９．８ｋｇ、食べ過ぎないこと。午後一時半、血糖値１３４mg/dl、ノボラピッド４単位を打つ。昼食、豆腐、ドレッシング。午後七時二十五分、血糖値１２５mg/dl、ノボラピッド４単位を打つ。夕食は厚焼き玉子。食後、午後八時にレベミル４単位を打つ。「ベンジャミン・バトン」を見ながら豆腐一丁、お菓子少々、チョコ２個を食べてしまう。恐ろしくて夜中は測定できずそのまま寝る。
【０６９５】
２０１２年０１月０７日（土）、午前十時から午後二時の間に食べる。油を少なくして、ある程度食べたいものを食べて、カロリーそのものを減らす。油を減らすレシピ。カロリーダウンの食べ方。カロリーオフ分食（３）野菜から食べる。朝は八時前、昼は十時から二時、夕は六時前にたべる。野菜から食べる。最初に野菜を食べる。一口３０回以上食べる。分食ダイエット。少量、野菜中心、バランス食、満足食。午前六時五十五分、新しいノボラピッドを使用する。昨日午後九時に食べたお菓子とチョコレートの為に、血糖値１７２mg/dl、ノボラピッドを４単位打つ。午前八時四十五分、血糖値１１０mg/dl、左足の親指の先のしびれが広がったような気がする。レタスを食べる。体重８０．４ｋｇ、妹の見舞いに中央病院へ行く。午後二時五分、血糖値１２２mg/dl、ノボラピッド４単位、午後五時二十五分、血糖値１６０mg/dl、ノボラピッド４単位を打つ。えのきともやしを食べてレベミル４単位を打つ。午後九時、お菓子、雪の宿を４つたべたので、血糖値２００mg/dlノボラピッドを４単位打つ。今の課題、空腹の時間を作り出す。「世界を変えるとは、自分が変わること」（ヨガスートラの著者パタンジャリ）
【０６９６】
２０１２年０１月０８日（日）、野菜主食（３）副食をバランス良く。楽しく美味しく食べる。バランス良く。定時・定量。野菜を多く。料理を工夫する。料理の計量化と数値化。四群点数法。乳製品たまごとか３点。魚とか豆とか３点。（３）野菜とか食物繊維３点。穀物・調味料で１１点。全部で一日２０点になるようにする。目分量は避ける。午前二時五十分、血糖値８２mg/dl、低血糖気味。午前七時五十分、体重７８．８ｋｇ、血糖値１３４mg/dl、ノボラピッド４単位を打つ。野菜から食べる、レタス、えのきを食べる。午前十時四十三分、血糖値１２９mg/dl、ノボラピッド４単位を打つ。午後五時十五分、血糖値１３６mg/dl、ノボラピッド４単位を打つ。体重８１．２ｋｇ、こんにゃく、わかめ、魚肉ソーセージ、豆腐、レタス、ゆずみそ、シイタケスープ。
【０６９７】
２０１２年０１月０９日（月）、午前二時二十六分、レベミル４単位を打つ。糖尿病と友達になる方法。暴力・暴言・防止。感情のコントロール。体・心・霊の健康とは。自分が一番やりたいことは何か。塩分と水分のバランス。減塩和食。薄味に慣れる。夜は早く寝る。朝早く起きて仕事をする。朝型の生き方をする。「六か月で人生を変える方法］生活習慣の改善。主食。主菜。副菜。汁物。四群点数法。間食はとらない。運動をどうにかしたい。腸へのストレッチ。愛の正反対は、罪悪感である。愛と気づき。恐れと不安。料理の材料。料理の工夫。午前十二時二十五分、血糖値１１８mg/dl、午前八時五十分、体重８０．０ｋｇ、朝血糖値１４２mg/dl、ノボラピッド４単位を打つ。豆腐、魚肉ソーセージを食べる。午後十二時二十分、血糖値１４３mg/dl、ノボラピッド４単位を打つ。豆腐、魚肉ソーセージ、ワカメ、モヤシ、野菜スープ。午後五時五十五分、血糖値１１３mg/dl、ノボラピッド４単位を打つ。野菜、豆腐、ラーメン少々、卵。食後、レベミル４単位を打つ。午後十時四十七分、血糖値１０５mg/dl、インスリン打たず、体重８０．２ｋｇ、規則正しい生活。少食。間食を取らない。数値制御NCニューメリックコントロール。
【０６９８】
２０１２年０１月１０日（火）、「朝一番で水を飲む」朝食午前六時から午前八時の間。昼食は午後十二時から午後一時の間。夕食は午後五時から七時の間。午後十時から午前二時は食事禁止ゾーン。三時間に一回血糖値を測定したい。体重７８．４ｋｇ、約２リットルの水を飲んでいる。午前八時、血糖１３７mg/dl、ノボラピッド４単位を打つ。プラス２．２ｋｇの水。体重７９．６ｋｇ、午前九時、プラス１．２ｋｇの水プラス食物。朝食、野菜、豆腐、ワカメ、魚肉ソーセージ、シイタケ、モヤシ。体重７９．２ｋｇ、４００ｇの便。体重７９ｋｇ、２００ｇの便。午前十一時四十五分、血糖値１４２mg/dl、ノボラピッド４単位を打つ。昼食事、野菜、豆腐、ワカメ、うどん、しいたけ、もやし。体重８０．２ｋｇ、１．２ｋｇの水分と食物。午後一時五分、体重８０．２ｋｇ、便。午後一時五十五分、体重８０．０ｋｇ、便２００ｇ午後二時五十分、血糖値１２２mg/dl、インスリン打たず、午後五時二十五分、血糖値１０１、ノボラピッド４単位打つ。夕食、サーモン、ミルク、ヨーグルト、日本蕎麦、食後レベミル４単位を打つ。体重８０．８ｋｇ、食事８００ｇ、午後九時五分、血糖値１７３mg/dl、ノボラピッド４単位、体重８０．８ｋｇ。
【０６９９】
２０１２年０１月１１日（水）、午前十一時十五分、便、体重７９．０ｋｇ、午後一時十四分、便、体重７９．６ｋｇ、午後二時半、体重７９．６ｋｇ、まずは３ｋｇ痩せて、７７ｋｇになる計画。やりすぎないこと。自分に優しくなることは、自分を甘やかすことではない。午後五時四十五分、体重７９.６ｋｇ、あなたが一度はじめたことは最後までちゃんと終わりなさい。フロムアルファーツウオメガー。何故これは健康にいいのか、を入手。３時間ごとに血糖値と体重を量る。データーの入出力管理。左足指先五本に軽いしびれ、親指の付け根からソックスをはき、マッサージをする。午前十二時四十五分、血糖値７８、午前、六時五分、血糖値１３８mg/dl、ノボラピッド４単位を打つ。朝食、レタス、豆腐、もやし、ワカメ、午前九時、血糖値１３０mg/dl、ノボラピッド４単位を打つ。体重７８．４ｋｇ、レタス、ドレッシング、午前十一時五十分、血糖値８２mg/dl、低血糖気味。食事のためノボラピッド４単位を打つ。昼食、レタス、ドレッシング、うどん、たまご。午後二時半、血糖値１６９mg/dl、ノボラピッド４単位を打つ。午後五時、血糖値７８mg/dl、低血糖気味、夕食の為ノボラピッド４単位を打つ。レタスドレッシング、キャベツ、たまご、豆腐、蒟蒻、モヤシ。午後九時、血糖値１５７mg/dl、ノボラピッド４単位を打つ。午後九時十分、レタス、ドレッシング、食後レベミル４単位を打つ。キナコとコーヒー。脂肪を溜め込まない。飢餓状態を作らない。軽い分食も考えてみる。
【０７００】
２０１２年０１月１２日（木）、午前十二時十三分、体重８０.０ｋｇ、午前九時三十五分、便、体重７９.８ｋｇ、自律神経のバランス。午後一時、便、体重８０.４ｋｇ、午後十時十五分、体重８１.６ｋｇ、ゆっくりと３回深呼吸。深夜、血糖値が低くなっても目覚める。朝になって血糖値は高くなってくる。一日八回計測。三時間ごとなら血糖値の変化がよく分かる。問題は、食べるタイミング。食べる内容。食べ方。自律神経から副交感神経を高める。怒らず、幸福になる。ゆっくりと呼吸して、息をとめる「クンバカ」がよい。映画の英語という夢を見る。午前十二時十三分、血糖値９５mg/dl、午前四時十五分、血糖値９７mg/dl、午前六時、血糖値１１７mg/dl、食事の為にノボラピッドを４単位打つ。サーモン、やきそば、焼きそばとサーモンを煮込んで食べた。午前九時半、血糖値２２５mg/dl、ノボラピッドを４単位打つ。麺類は一発、血糖値があがる。午前十一時五十分、血糖値１０４mg/dl、食事のためノボラピッド４単位を打つ。おからと魚肉ソーセージ。午後二時五十五分、血糖値１４７、ノボラピッド４単位を打つ。午後四時三十五分、血糖値７８mg/dl、低血糖気味、ノボラピッド４単位を打って食事、夕食、レタスド、レッシング、豆腐、こんにゃく、午後九時十分、血糖値１４５mg/dl、ノボラピッド４単位を打つ。九時に時間を決めてレベミルを打った方が良いかもしれない。忘れないので。「怒りの８０パーセントは自己満足である」
【０７０１】
２０１２年０１月１３日（金）、午前十一時半、体重７９.０ｋｇ、午後一時半、便、体重７９.４ｋｇ、うどん・そば・など量を半分にして、その分、もやしと蒟蒻でかさをあげる。紅茶キナコ・コーヒーキナコ・ミルクの代わり。夜の九時にレベミルを打ちながら、サプリメントを飲む。ビタミンCとEの組み合わせは良いようだ。乳酸菌はできるだけとるようにしている。カイジの夢をみる。選椅子。ウエメナー（wea-menner）、ホタテの中から海女がフカヒレを探す夢。四群バランス食。乳卵魚肉（３）野菜（４）穀物・調味料をすこしずつ取り入れていく。午前十二時十五分、血糖値mg/dl７６、低血糖気味。午前八時半、血糖値１７５mg/dl、ノボラピッド４単位。朝マック、テリヤキバーガー、ソーセージマッフィン、午後一時半、血糖値１７５mg/dl、ノボラピッド４単位を打つ。昼食、豆腐、モヤシ、蒟蒻、おから。午後五時二十分、血糖値１００mg/dl、ノボラピッド４単位をうつ。夕食、レタスドレッシング、もやし、きなこ、豆腐、蒟蒻、サーモン、午後九時五分、血糖値１２５mg/dl、レベミル４単位を打つ。サプリメントを飲む。水を飲むのは良いようだ。食事、四群バランス法、四群を少しずつ取り入れる。噛み応えのあるもの、酢の物を食べる。
【０７０２】
２０１２年０１月１４日（土）、午前八時五十分、体重７９.０ｋｇ、便、体重８０.２ｋｇ、午前九時四十分、乳製品、卵、３点。魚豆肉、３点。（３）野菜、繊維質、キノコ、海藻、３点。（４）穀物、油、調味料、１１点。１点は８０ｋｃal、四群点数法、午前十時二十五分、便、体重８０.４ｋｇ、卵一個の大きさと重さ。３点プラス３点プラス３点プラス１１点は２０点。午後二時、体重８１.２ｋｇ、午後、三時半、体重８１.０ｋｇ、便、午後十一時五分、体重８０.６ｋｇ、四群食バランス法、栄養と食欲を満足させる。午前一時二十分、血糖値９６mg/dl、午前三時、血糖値１０８mg/dl、午前八時二十五分、血糖値１２８mg/dl、午前八時五十分、ノボラピッド４単位を打つ。朝食、レタスドレシング、モヤシ、ワカメ、豆腐、蒟蒻、午後一時二十五分、血糖値１２８mg/dl、ノボラピッド４単位を打つ。昼モヤシ、蒟蒻、蕎麦、ワカメ。右足かかとと下右すみが少し痛い。しびれ感あり。午後六時二十分、血糖値１０９mg/dl、ノボラピッド４単位を打つ。夕食、蕎麦、蒟蒻、モヤシ、魚肉ソーセージ。午後十一時四十五分、血糖値１１１mg/dl、レベミル４単位を打つ、サプリメントを飲む。
【０７０３】
２０１２年０１月１５日（日）、午前九時半、体重７８.４ｋｇ、朝水を飲む。体重７８.８ｋｇ、便、「鳳凰」「寿亀」の夢を見た。怖い夢。人が二人油をかけられて火をつけられる。青い炎が印象的。その二人はBさんとTさん。青い炎が付いたまま町の中を走っていきました。乳酸菌を水に溶かして飲む。朝一番、食事の前にコップ一杯の水を飲む。胃結腸反射（いけっちょうはんしゃ）蠕動運動（ぜんどううんどう）、午前四時二十分、血糖値１３２mg/dl、ノボラピッド３単位を打つ。午前九時半、血糖値１２１mg/dl、午後十二時、血糖値１２３mg/dl、昼食の為にノボラピッドを４単位打つ。モヤシ、蒟蒻、豆腐。午後三時、血糖値１３１mg/dl、ノボラピッド３単位、午後六時、血糖値９０mg/dl、食事の為にノボラピッド４単位を打つ。夕食、豆腐、魚肉ソーセージ、もやし、わかめ。午後九時、血糖値１５３mg/dl、ノボラピッドを４単位打つ。レベミル４単位を打つ。午後九時なら忘れない。サプリメントを飲む。
【０７０４】
２０１２年０１月１６日（月）、午後十二時十分、便、体重７８.８ｋｇ、午後十二時半、体重７９.２ｋｇ、午後二時十五分体重７９.２ｋｇ、午後五時五十分、体重８１.２ｋｇ、後は料理の工夫。食材、タンパク質N系牛乳、ヨーグルト、卵、魚肉、魚肉ソーセージ、鶏肉、豆腐、キナコ。炭水化物C系（３）モヤシ・ワカメ・きのこ・レタス・たまねぎ・ジンジン。（４）うどん・そば・そーめん・キャノーラ油・オリーブ油・醤油・味噌・マヨネーズ・酢。歯ごたえのあるもの、酢の物。午前一時半、血糖値９０mg/dl、午前八時三十五分、血糖値１１０mg/dl、ノボラピット４単位打つ。朝食事、豆腐、ドレッシグ、モヤシ、ワカメ、蒟蒻、スープ。午後十二時十分、血糖値１１８mg/dl、ノボラピッド４単位を打つ。昼食、魚肉ソーセージ、ドレシング、もやし、わかめ、蒟蒻スープ。午後二時四十五分、血糖値１２８mg/dl、打たず、食べず、そのままで、午後五時、血糖値８２mg/dl、低血糖気味、食事の為にノボラピッド４単位を打つ。夕食、モヤシ、わかめの固ゆで、ドレッシング、蒟蒻、わかめ、うどん半分、噛み応え。午後九時五分、血糖値１０８mg/dl、レベミル４単位打つ。サプリメント、乳酸菌と水を飲む。
【０７０５】
２０１２年０１月１７日（火）、午前八時三十五分、便、体重７８.８ｋｇ、なまけものをつかまえたら、青いにわとりにかわっていた。コケ・コケ・コケ・コケ・コケッコー、と美しく鳴く夢を見ました。目は金のリングで縁取られた赤いルビーでした。美しく鳴く声が、コケ・コケ・コケ・コケ・コケッコー、と耳の奥で響いていました。午前一時半、血糖値１１６mg/dl、午前六時十分、血糖値１３６mg/dl、ノボラピッド４単位を打つ。左足指先は今も軽くしびれている。朝うどん半分固ゆで、もやし、野菜ドレッシング。夢をみる。Ｅママ、バイゾレン教、蓮の花、道路の真ん中から花が咲く。コピー屋さん。月餅。奇妙な夢、ビルの上から変調した外国語が風に流されてきこえるバイゾレン教。記録療法。インスリン、食事、便、体重、夢、アイデア、忘備録、ノーティション、ゆっくりとはやく、自己分析、目標設定、目標ＨｂＡ１ｃ５．８パーセント、目標体重６３.４ｋｇ、現在ＨｂＡ１ｃは７．６パーセント。現在体重７９.０ｋｇ、感情のコントロール、一か月で１ｋｇ、ウエスト８５センチメートル、食べる量を少なくして、運動量を大きくする。その一口を我慢する。朝方の生活をする。玄米はいいかも知れない。ノボラピッド３単位、レベミル４単位の指示が出る。血糖値１２０mg/dlから１８０mg/dlをキープ。現状維持。午前十一時四十分、血糖値１０６mg/dl、優、ノボラピッド３単位を打つ。昼食、豆腐に野菜ドレッシング、もやしとわかめの炒め物。キナコを振り掛けて食べる。午後二時十分、便、体重８０.２ｋｇ、午後三時、血糖値９０mg/dl、優、キナコを飲む、バランスよく食事量を減らす。朝六時、昼十二時、夕六時ゆったりとたべる。食事の前に水を飲む。時間をかけて食べる。午後五時半、血糖値９１mg/dl、優、ノボラピッド３単位を打つ。夕食、玄米・カレー、もやし、わかめ、しいたけ、スープ、体重８１.６ｋｇ、歯ごたえ、午後九時四十分、血糖値１３５mg/dl、優、ノボラピッド３単位打つ。レベミル４単位を打つ。水と乳酸菌を飲む。
【０７０６】
２０１２年０１月１８日（水）、メラビアンの法則、初対面のコミュニケーションでは、言葉が７パーセントに対して、声のトーンが３８パーセント、ゼスチャーが５５パーセントである。医者が笑顔だと患者の治りも早くなる。話し方、声のトーン使命と生きがいのある人生を完成する。人間は自他の為に生きている。初対面では言葉だけでは内容は伝わらない。初対面の時は、優しい声で、ゆっくりとみぶりとかをまじえながら説明する。腹八分か腹七分にする。午前、一時、血糖値５６mg/dl、低、完全な低血糖、雪の宿を二枚だけ食べる。午前六時半、血糖値１１９mg/dl、インスリン打たず。低いからといって、インスリンを打たずに食べるとあがる。朝食、モヤシ、わかめ、蒟蒻のスープ。午前十時五十分、血糖値１８４mg/dl、ノボラピッド３単位を打つ。やはり、血糖値が低いと言っても、食前のノボラピッド３単位は必要。玄米はいい。空腹時血糖が優とは８０mg/dlから１１０mg/dlで、良とは１１０mg/dlから１３０mg/dl、食後二時間の血糖値の優とは８０mg/dlから１４０mg/dl、良とは１４０mg/dlから１８０mg/dl、午前十時五十分、便、体重７８.６ｋｇ、午後十二時十分、血糖値７３mg/dl、低、昼食の為にノボラピッド３単位を打つ。昼は、玄米、わかめ、もやし、蒟蒻スープ、魚肉ソーセージ卵、時間調整。午後二時五十分、食後二時間血糖値１０１、優、インスリン打たず、午後五時十分、血糖値１１１mg/dl、優、食事の為ノボラピッド３単位を打つ。夕食、玄米、わかめ、もやし、蒟蒻、魚肉ソーセージ、卵、午後九時二十五分、血糖値１０８mg/dl、優、レベミル４単位を打つ。午後十一時五十五分、血糖値１０１mg/dl、優、寝る前にサプリメントと水を飲む。
【０７０７】
２０１２年０１月１９日（木）、一回、四群バランス食、腹八分。朝方の生活、乳酸菌、水を飲む。朝六時にノボラピッド３単位。昼十二時にノボラピッド３単位。午後六時にノボラピッド３単位。午後九時にレベミル４単位を打つ。玄米を固めに炊く。自分の体質に合っているかもしれない。午前七時五分、血糖値１０３mg/dl、優、ノボラピッドを３単位打つ。朝食、玄米、ワカメ、豆腐、モヤシ。午前十時二十分、血糖値１５７mg/dl、優、インスリン打たず、午後十二時、血糖値１２３mg/dl、優、ノボラピッドを３単位打つ。昼食、野菜スープ、自家製凍り豆腐、シイタケ、蒟蒻、ワカメ、お菓子少々。午後一時十五分、便、小２個、体重７９.８ｋｇ、午後一時四十分、便、小大中、体重７９.６ｋｇ、何を食べるか、何時食べるか、どれくらいの量を、どんな食べ方をするか、時間をかけて、ゆっくりと食べる。胃結腸反射、副交感神経が上がるのをまつ。糖尿病の改善、自律神経のバランスを整える。腸の調子は本調子にする。朝方のためには、早寝早起き。昼は活動する。夜はリラックスする。午後二時五分、便、微量、午後三時四十分、血糖値９３mg/dl、優、昼をしっかりと食べ、朝夕のカロリーを半分にする。午後五時四十二分、血糖値１０６mg/dl、優、ノボラピッド３単位を打つ。夕食、キナコ、もやし、ドレシング、サラダ、ワカメ、酢の物。午後九時三分、血糖値１３７mg/dl、優、レベミル４単位を打つ。サプリメント、乳酸菌、水を飲む。食事を薬の様に食べる。
【０７０８】
２０１２年０１月２０日（金）、過食を防ぐには、日光を浴び、朝食をとり、夜良く寝る。早食いを防ぐには、ゆっくりと良く噛んで、食べ始めの２０分間に少し間を置く。一口３０回良く噛んで食べる。塩分が原因で太りやすくなる。心も体も満足させる。プラス思考をする。３か月・３ｋｇ・３ターム・９か月で・９ｋｇ痩せる。１８か月で１８ｋｇ痩せる。３か月ごとにチェックする。これは実行可能である。３・３・３の法則。３か月で３ｋｇ痩せるのを３回繰り返す。９か月で９ｋｇ痩せられる。これを２回繰り返します。昼はしっかりと食べる。朝夕は軽く食べる。午前十二時、血糖値８７mg/dl、優、午前六時四十分、血糖値１０４mg/dl、優、ノボラピッド３単位を打つ。午前八時十五分、便、体重７９.０ｋｇ、朝食、野菜ドレッシング、豆腐、もやし、わかめ、きのこ、わかめ、きなこ。午前十時十分、血糖値１０１mg/dl、優、午前十一時五分、便、体重７８.２ｋｇ、午前十一時五十五分、血糖値１２１mg/dl、ノボラピッド３単位を打つ。昼食、うどん、もやし、蒟蒻、わかめ、豆腐、キャベツ、ドレッシング、午後三時、血糖値１５８mg/dl、良、インスリン打たず、朝頭を使う、昼間に活動、夜はリラックス。太陽生活。太陽に合わせて生活する。午後六時、血糖値１２２mg/dl、優、ノボラピッド３単位を打つ。夕食、モヤシ、魚肉ソーセージ、凍り豆腐、蒟蒻、わかめ、午後九時三十五分、体重８０.０ｋｇ、血糖値１２９mg/dl、優、ネイチャーメイド、サプリメント、レベミル４単位を打つ。サプリメントプラス水プラス乳酸菌を飲む。我々の身体は食物からできているように、我々の考えは諸情報から形成されている。貴方の考え方そのものがあなた自身である。貴方の考え方を積極的なものにしなさい。
【０７０９】
２０１２年０１月２１日（土）、「女子栄養大学のダイエットクリニック」「なぜ『これ』は健康にいいのか」この二冊の組み合わせはとても良い。私の糖尿病は遺伝性のものであり、自律神経の失調症だったのだ。とりもなおさず食習慣と生活習慣の乱れであったのだ。昼はしっかりと食べ、朝と夕は半分の量にする。少量多品種にする。定刻、定期、規則正しい生活をする。私は私の人生の主役である。良く役を演じること。調身・調心・調息、ゆっくりとていねいにしゃべり、ゆっくりと確実に行動する。できるだけゆっくりと息をとめないでながくだす。ヨーガスートラを書いたパタンジャリは「クンバカ」をすすめています。クンバカというのは息を止めて意識を集中することです。午前五時十分、血糖値１３１mg/dl、不十分、午前六時四十分、血糖値１３０mg/dl、不十分、ノボラピッド３単位を打つ。朝食、玄米、野菜ドレッシング、午前九時四十五分、血糖値１４６mg/dl、良、午前十一時二十分、便、体重７７.８ｋｇ、午前十一時、五十分、血糖値１２９mg/dl、良、ノボラピッド３単位を打つ。午後十二時五十五分、便、体重７９.８ｋｇ、昼食、野菜ドレッシング、豆腐、もやし、わかめ、しいたけ、魚肉ソーセージ、時間調節。午後三時、血糖値１５３mg/dl、良、午後五時三十五分、血糖値１２１mg/dl、良、ノボラピッド３単位を打つ。午後九時五十分、血糖値１４４mg/dl、良、夕食、野菜ドレッシング、玄米、もやし、わかめ、蒟蒻、キナコ。レベミル４単位を打つ。お菓子少々、ジャーキー少々。サプリメントプラス水。左足指先に痛みあり、マッサージをする。両足のかかとの先も痛い。Law and Order.を見る。聞き取り率は２０パーセント。
【０７１０】
２０１２年０１月２２日（日）、多品種、少量主義、定時、定量、色々な物を少しずつ食べる。一か月に１ｋｇずつやせる。体重は一日に上下に２ｋｇ変化する。２ｋｇの幅で振動する。全体として、少しずつ体重を下げる。タイミング、時期、食べていい時間、食べてはいけない時間。昼はしっかりと食べ、朝夕は軽く食べる。空腹を作り出す。定時定量３回をできるだけまもる。朝は午前六時から午前七時、昼は午後十二時から午後一時まで、夕は午後六時から午後七時まで。食べ過ぎると後を引いて、血糖値が高い状態が続く。出来るだけ、決まった時間に決まった量を食べるようにする。父９３歳がウサギの箱をつくる。内部にはトタンをはる。ウサギの歯はすごい。段ボール箱なら一日でボロボロになる。確定申告で、領収書の整理。午前三時十分、血糖値９６mg/dl、優、午前八時四十分、血糖値１２９mg/dl、良、ノボラピッド３単位を打つ。朝食、野菜ドレッシング、もやし、こんにゃく、豆腐。午前十一時五分、便、体重７８.０ｋｇ、午後十二時二十五分、血糖値１１６mg/dl、優、ノボラピッド３単位を打つ。昼食、野菜ドレッシング、モヤシ、魚肉ソーセージ、午後六時二十分、血糖値９９mg/dl、優、ノボラピッド３単位を打つ。夕食、野菜ドレッシング、モヤシ、蒟蒻、豆腐。午前十二時五十分、血糖値１０７mg/dl、優、レベミル４単位を打つ。ＮＨＫで「イ・サン」を見る。ソンヨンが元気になる。イサンの苦しみに比べると我々は苦しんでいない。サプリメントと水を飲む。レベミルは３単位でもいけるのではないかと思うようになった。左右の足のかかとの先に痛みあり。しもやけの痛さを強くしたような感じがする。
【０７１１】
２０１２年０１月２３日（月）、体重７８．２ｋｇ、午前十時十分、便、体重８０．４ｋｇ、午後二時二十分、便、便の四割は自分の身体が入れ替わっている。目指せ体重６３．１４ｋｇ、ＫＬＸ２５０（ＪＢＫ−ＬＸ２５０Ｓ）玄米を食べるようになって、血糖値が安定してきた。血糖値１２０mg/dlが三回つづき、油断して玄米を食べ過ぎ、卵ごはんで、血糖値２３６mg/dlにあがり、それから血糖値が、１３８mg/dl、１４８mg/dlと高止まった。血糖値１２０mg/dlの一日前は、１００mg/dl前後で安定していたのに。決まった少ない量を、決まった時間に食べればよいわけだ。問題は過食にある。ある量、一回に２４０kcalから３００kcalを、５００kcalをこえると血糖値は一気に上がる。一日以内で起こる小変化。小波。一週間以内で起こる大変化。大波。食習慣や生活習慣を反映している。月単位で起こる大変化もあるかもしれない。夏と冬で変化があるかもしれない。午前九時十分、血糖値１２０、優、ノボラピッド３単位を打つ。朝食、野菜ジュース、野菜スープ、プルーン、もやし、魚肉ソーセージ、わかめ、しいたけを少々たべる。午後十二時二十分、血糖値１２０、優、ノボラピッド３単位を打つ。昼食、野菜ジュース、玄米、もやし、魚肉ソーセージ、午後五時二十分、血糖値１２０mg/dl、優、ノボラピッド３単位を打つ。夕食、野菜ジュース、玄米、もやし、厚焼き玉子、玄米の量が多かった。午後九時五分、血糖値２３６mg/dl、不可、ノボラピッド３単位を打つ。一回の量が注意。ヨーグルト、サプリメント、水を飲んで寝る。玄米を８０ｋcalで抑えるべきであった。２００kcalぐらいの卵を醤油で食べた。トータルで５００kcalぐらいあったと思う。やはり、量に問題があり、何をどれだけ食べれば、どれだけ血糖値があがるか自分で知ること。四群点数法によるバランスの良い食べ物。重要なのはその量である。食べる時間タイミング、食べ方。空腹時血糖を１２０にしたい。
【０７１２】
２０１２年０１月２４日（火）バランスを良くして少量を食べる。一つの物を大量に食べるのは良くない。美味しいからといって、大量に食べてはいけない。腹八分目。分度を知る。分度を守る。二宮尊徳先生の教えだ。午前九時四十分、体重７９.２ｋｇ、午前十時十五分、便、体重７８.８ｋｇ、思考原因から結果現実へ。時間とは選択の問題である。どんな未来を選択するか。体重８０．６ｋｇ、午後十二時四十三分、体重は約２ｋｇの変動がある。椅子を使ったストレッチ、リラックス、一回に食べる量。右足のかかとの先と、左足指先に痛みがある。夢日記、自己の霊性の発達記憶、自分らしいオリジナルな生涯を生きる。ドアの向こうに赤い土地、虹色の空。魂の成長を促す。自分に正直になる。午後六時四十五分、体重７９．８ｋｇ、朝は軽く、昼は炭水化物Ｃ，夕はタンパク質Ｎできないこともある。午前六時、血糖値１３８mg/dl、ノボラピッド３単位を打つ。朝食、野菜、玄米、汁かけごはん少々。午前八時五十分、血糖値１４８mg/dl、良、午後十二時、血糖値１０４mg/dl、優、ノボラピッド３単位打つ。昼食、玄米のおみいさん。卵焼き、蒟蒻。午後二時四十分、血糖値１２８mg/dl、優、午後六時八分、血糖値１０５mg/dl、優、ノボラピッド３単位打つ。夕食、野菜、凍り豆腐、もやし、きなこじる、しいたけ。午後九時五分、血糖値２３０mg/dl、不可、レベミル４単位を打つ。サプリメントと水を飲む。夕方食べ過ぎ、量が多すぎる。食べる時間は午後五時がいい。朝七時半、昼十二時半、夕午後五時。食べる量を調節すればレベミルも３単位でいけるのではないか。夕方は五時に軽く食べることにする。やはりタンパク質Ｎ中心、午後五時もタンパク質でいく。  
【０７１３】
２０１２年０１月２５日（水）、便、体重７７.８ｋｇ、午前八時五十分、玄米から少し脱出、うどん、そば、そうめんへ混ぜながら食べる。便、体重７７．４ｋｇ、午前十時、体重７９．２ｋｇ、変動数２ｋｇ、追加打ちをやめ、ノボラピッド、レベミル３単位で統一してみる。夢の記憶、自動車の後ろのトランクがプールになっている。隣の車のプールは広く、ライトが立体的に見える。ライトが違う。自分は米国人の子供で、母のベッドの下で寝ている。何かが溶けて落ちてくる。ベッドの下から出ると火事だ。母親が燃えている。顔が溶けている。広い部屋。床がスクリーンになっている。お腹の大きい母親が、スクリーンの上でカラーのＭＲＩの映像を映している肝心の胎児の像が映っていない。自分の心の狭さを感じることが多い。できないこともある。レベミルを３単位にしてどうなるか。午前二時四十五分、血糖値１２９mg/dl、良、午前七時二十五分、血糖値１２９mg/dl、良、ノボラピッドを３単位打つ。朝食、野菜、モヤシ、シイタケ、玄米、午前九時五十分、血糖値１１１、優、午前十一時半、１０４mg/dl、優、ノボラピッド３単位を打つ。昼食、野菜、うどん、もやし、しめじ、かつおだし。午後二時十分、便、体重７８．８ｋｇ、夕方はタンパク質Ｎ中心でいくこと。朝七時半、昼十二時半、夕五時、午後五時、血糖値１２１mg/dl、ノボラピッド３単位を打つ。夕食野菜、凍り豆腐、モヤシ、卵、発作的に何かをやるような習慣の奴隷にならないこと。午後八時五十分、血糖値１０７mg/dl、優、やはり食べる量、レベミル３単位を打つ。今日からレベミルは３単位でいく。サプリメントと水を飲む。夢、野球のスタンド、姉が通る。
【０７１４】
２０１２年０１月２６日（木）、午前九時、便、体重７７.４ｋｇ、午後十二時五十五分、便、８０．０ｋｇ、午後一時三十分、便、体重７９．８ｋｇ、午後二時、便、体重７９．２ｋｇ、食事の内容と量を暗記する。何をどれだけ食べたらどうなるか。食習慣の形成。クロレラと乳酸菌はどうだろう。クロレラの、Zn、Fe、午後九時に食あたり、夜中に吐き気と耳鳴りがする。キーンという高音。そういえば、母親も耳鳴りで苦しんでいた。母の気持ちがようやっとわかった。偉大なる母親だった。人生で家を三軒建てた。母に感謝。そういえば、母は魚の目で苦しんでいた。私も足の痛み。午前二時、血糖値１２６mg/dl、良、午前六時、血糖値１３６mg/dl、不十分、ノボラピッド３単位を打つ。朝食、野菜、玄米、豆腐、モヤシ、しいたけ、午前九時、血糖値１３０mg/dl、良、午後十二時、血糖値１１７mg/dl、優、ノボラピッド３単位を打つ。午後二時四十五分、血糖値１６７mg/dl、良、午後五時十五分、血糖値８８mg/dl、良、ノボラピッド３単位を打つ。昼食、野菜、玄米、シイタケ、もやし。夕食、凍り豆腐、卵焼き、午後九時、血糖値１１３mg/dl、レベミル３単位を打つ。ノボラピッドの追加うちをやめる。食前の３単位のみ。レベミルは午後、九時から十時で、３単位のみ打つ。サプリメントと水を飲む。ヨーグルトにあたったのか、吐き気がする。耳鳴りがキーンとする。母も耳鳴りだった。
【０７１５】
２０１２年０１月２７日（金）、午前八時十五分、体重７７．６ｋｇ、便、当分は食べる量をひかえる。腸の調子は最悪。食欲なく、温泉につかっているようにボーッとしている。金・土・日・月とステロイド剤を飲むことになった。ステロイド剤を飲むようになって血糖値が、１００mg/dlの前半だったのが、みるみると１００mg/dlの後半になり、２００mg/dlを超えるようになった。やはり、強いストレスにさらされると、耳が悲鳴をあげる。父９３歳がウサギ小屋をつくってくれた。ウサギは跳ぶ。蓋にあたる。何百回も、頭がはげるくらいに跳ぶ。ウサギは学習しないのであろうか。うさぎを抱いていると幸せを感じる。やわらかくてあたたかい。午前八時十五分、血糖値１５８mg/dl、不良、食事ができない。はきけあり。耳鳴りがする。キーンと言う音。船に揺られているような気分。温泉からでてきたときのような。朝一番の血糖値１５８mg/dlは高い。夜中苦しむ。ヨーグルトがあたったのかも知れない。午後十二時半、血糖値１４８、不十分、不良、ノボラピッドを４単位打つ。Ｔ耳鼻科へ行く。スープを飲む。ステロイド剤をのむ。午後二時五十五分、血糖値１７１mg/dl、不十分。午後五時十五分、血糖値１６７mg/dl、不可、ノボラピッド４単位を打つ。夕方スープを飲む。午後九時四十分、血糖値１７４mg/dl、不可、玄米もほどほどにしないと。後を引く。レベミル４単位を打つ。野菜ドレッシング、野菜スープは良いようだ。玄米も安心してたべると太るし血糖値も上がる。
【０７１６】
２０１２年０１月２８日（土）、体重７６.８ｋｇ、午前十時五分、食べる量が今まで多すぎた。豆乳、ブロッコリー、酢、これはどうだろう。四群点数法による方法。野菜のドレッシングプラススープ。シイタケ、魚肉ソーセージをプロセスした卵焼き、（３）歯ごたえのある炒め物とか、（４）豆腐をプロセスして卵焼きにいれる。（５）バランスを考えた材料で、加工方法を工夫して、量をおさえる。一回で、３０品目以上を少量食べる。それに時々、鶏肉などのタンパク質を添えてみる。昼は麺類も、夜はタンパク質中心で。モヤシとシイタケは良いかも知れない。今月の前半はよかったものの、ステロイドのせいで後半はボロボロとなった。午前十二時十分、血糖値１６５mg/dl、不可、ノボラピッド３単位打つ。午前八時半、血糖値１１１mg/dl、優、ノボラピッド３単位を打つ。朝食、野菜スープ、煮込み豆腐、午後十二時二十分、血糖値１５５mg/dl、不可、ノボラピッド３単位を打つ。昼食、うどん、野菜、モヤシ、シイタケ、午後三時、血糖値２５３mg/dl、不可、ノボラピッド４単位を打つ。午後五時二十五分、血糖値１９３mg/dl、不可、ノボラピッド４単位を打つ、夕食、凍り豆腐、厚焼き玉子、モヤシ、午後九時、血糖値１８１mg/dl、不十分、ノボラピッド４単位を打つ、レベミル４単位を打つ。マジックブレッドを買う。便利だ。茶をミルして飲む。美味しい。しあわせを感じる。多幸感。お菓子はだめ。
【０７１７】
２０１２年０１月２９日（日）、午後十二時十五分、便、体重７８．６ｋｇ、午後三時三十五分、便、体重、７９．４ｋｇ、塾の折り込み広告を入れる。確定申告の為領収書の整理、夜遅くまでの仕事となる、体重、ボラティビイテイ（上下の変動が）が２ｋｇ、宇宙一幸福な人間とは、自分のことを宇宙一幸福だと考えている人間のことだ。私は宇宙一幸福な人間だ。体重６３．４ｋｇになって、ＫＬＸ２５０、型式ＪＢＫ−ＬＸ２５０Ｓを買う。ＫＡＷＡＳＡＫＩ２５０ＴＲも大事にしよう。「あなたは死なないわ。わたしが守るから」という言葉が頭の中で聞こえる。最初に２５０ＴＲが言ったのは「死ぬのは一緒よ」と言ってきた。午前十二時五十五分、血糖値２２３mg/dl、不可、ノボラピッド４単位を打つ。午前二時五十分、血糖値１５２mg/dl、不良、ノボラピッド３単位を打つ、朝食、野菜スープ、玄米汁。午後二時十五分、血糖値１９８mg/dl、不良、ノボラピッド４単位を打つ。午後八時二十分、２４７mg/dl、不可、ノボラピッド４単位を打つ、夕食、卵焼き、魚肉ソーセージ、午前一時、１７９mg/dl、不十分、ノボラピッド４単位を打つ、サプリメントと水を飲む、レベミル４単位を打つ。午前二時四十五分、血糖値１９２mg/dl、不十分、ノボラピッド４単位を打つ。イ・サンで、セジャ王が認知症になる。記憶が消える、セソンはつらい立場にたたされる。今の自分の幸せをつくづく感じる。確かに側溝に落ちたときに２５０ＴＲが守ってくれた。本体の下部は無残に削れた。笑顔のライトがボロボロにつぶれた。
【０７１８】
２０１２年０１月３０日（月）、ステロイドの抜け具合をみる。体重８０．２ｋｇ、食べると太る、あたりまえ、便、体重８０．２ｋｇ、午後一時半、変化なし。便、７９．８ｋｇ、午後一時五十五分、便、体重７９．６ｋｇ、午後二時五十分、スカイツリーは６３４メートル。私の体重は６３．４ｋｇを目指す。スカイツリーは台風の強風で曲がる。強度不足と言うよりも、構造的宿命、あなたの夢からの警告に耳をかたむけなさい。貴方の未来は、あなた自身のものです。あなたは自由意思で選択できます。多幸感につつまれる。うまれてきて、し・あ・わ・せ。しあせを感じる。お父さん。お母さん。ありがとう。私は経験するために生きている。苦しい時にはイ・サンを思い出そう。苦しみに感謝します。午前、七時二十五分、血糖値１４２mg/dl、不十分、ノボラピッドを４単位打つ。朝食事、卵、魚肉ソーセージ、シイタケ、野菜、ドレッシング、スープ、午後十二時四十分、血糖値１７７mg/dl、不可、ノボラピッド４単位打つ。今日の朝、ステロイド剤を飲みきる。耳は２０ｄｂまで戻る。昼中華そば、もやし、しいたけ、野菜ドレッシングスープ。午後五時、血糖値１７５mg/dl、不可、ノボラピッド４単位を打つ。夕食、野菜ドレッシング、スープ、魚肉ソーセージ、ふわふわたまご、だし、しいたけ。午後九時、血糖値２０３mg/dl、不可、ノボラピッド４単位打つ。レベミル４単位打つ。まだまだステロイドの影響が抜けきっていない。この３日間、不可と不十分がつづいている。レベミルも４単位にもどった。
【０７１９】
２０１２年０１月３１日（火）、便、体重７６．８ｋｇ、午前九時、夢の記録、クレーン、土地、バイク、友人、会社、夢からの警告は、朝のはがきにより、当たる。大切なのは、考え方、考え方を、積極的、プラスのものにすることにより、未来を創造する。無数の泡宇宙の中の意識が飛び回っている。あらゆるものはすべてつながっており、同時に起きていると考えてみる。老化も死もイメージに過ぎないと考えてみる。私は輪廻転生を自覚する人間だ。直線史観ではなく、独楽の様な水平な円盤が回転していると考えてみる。あらゆるものに必要な時間がある。宇宙の創造的進化は物質・生命・意識へと至る。自己が全体であるという意識、同時に部分であるという意識が同時に存在する。我は汝と共に在り。無始より汝を導けり。我愛晃となって。朝サプリメントを飲む。午前九時五十五分、血糖値１３６、不十分、打たず、午後十二時三分、血糖値１３８、不十分、ノボラピッド３単位を打つ。昼食、和蕎麦、モヤシ、しいたけ、たまご、野菜スープ、野菜ドレッシング、体重７９．２ｋｇ、午後一時五十五分、午後五時二十分、血糖値１７４、不可、ノボラピッド３単位を打つ。夕食、野菜スープ、ふわふわ卵、しいたけ、魚肉ソーセージ、もやし。午後九時五分、血糖値１１３、良、レベミル３単位打つ。これからは食前ノボラピッド３単位。午後九時、レベミル３単位でいきたい。どうやら１００から１５０ぐらいで安定しそうである。サプリメントと水を飲む。今の食べ方。朝は軽く、野菜スープ、野菜ドレッシング、昼は麺類、卵、もやし、しいたけ、しっかりと炭水化物Ｃ中心、夜は軽く、だしいりふわふわたまご、もやし、魚肉ソーセージ、豆類。血糖値が安定してきたら、ノボラピッドもレベミルも３単位で、ノボラピッドは食前だけにしたい。朝は軽く野菜、昼はしっかり炭水化物、夕は軽くタンパク質。手間をかけず、バランスよく、適量で長く続けられる食べ方。一か月に１ｋｇの割合で落としていく計画。
【０７２０】
食後二時間の血糖値Yを推定する為の式を下記の数式１に示す。これは、あくまでも個人の経験による体験的な推定の為の式です。下記の表に数式の各物理量の実用的な値の例を示します。
【０７２１】
【数１】
2014121188.tif 000003
【０７２２】
【表１】
2014121188.tif 000004
【０７２３】
上記の数式において、表に示したように、Yは二時間後の推定血糖値、Ｘは現在測定された血糖値、Aはインスリンの効果の感受性をあらわす係数である。Bは患者が健康状態によって効果を予測するための係数です。Zは注射するインスリンの単位数です。
【０７２４】
このような数式を採用したのは、毎回、同じようにインスリンを注射しても体調によって、二時間後の血糖値は変動するために、目標とする血糖値を得るためには、この様な推定式が必要になってくるわけです。比較的簡便な計算で二時間後推定血糖値を得ることができます。
【実施例２】
【０７２５】
この実施例は順調な血糖値コントロールの後で、約一年放置して食べ放題の生活をしたのちインスリンの治療を再開したものです。再開したときは、ヘモグロビンエーワンシーが１１パーセントありました。いったん上がってしまった血糖値をさげるのは、なかなか大変である。お酒は駄目。夜の食事もダメ。レベミルは寝る前に、定時に定常的に打った方が効果的である。苦労して下げた血糖値がおよそ２００mg/dl、３００mg/dlと高止まりである。原因は夜の食事とアルコール摂取にある。その生活を基に戻すのは至難の業だ。この血糖値を半年かけて百の前半代にもっていきたい。逆に言えば、タンパク質と野菜中心の生活で、午後六時からは何も食べない。お酒はだめ。お菓子による間食もダメ。暴食もだめ。食事の量をバランスよく減らせば、血糖値がコントロールできることを示しています。失敗には成功の種があります。嫌なこと、辛いことに感謝しましょう。
【０７２６】
２０１２年９月８日、昼前血糖値１８３mg/dl、ノボラピッド３単位を打つ、夜血糖値３１０mg/dl、ノボラピッド６単位を打つ、午前十二時、血糖値２８２mg/dl、レベミル４単位を打つ。
【０７２７】
２０１２年９月９日、朝血糖値２２１mg/dl、ノボラピッド４単位を打つ。昼血糖値１４５mg/dl下がり始めました。夕血糖値１６８mg/dl、ノボラピッド３単位を打つ。夜血糖値１９８mg/dl、レベミル４単位を打つ。
【０７２８】
２０１２年９月１０日、朝血糖値１９６mg/dl、ノボラピッド４単位を打つ、昼血糖値１６６mg/dl、ノボラピッド４単位を打つ、夕血糖値２５７mg/dl、ノボラピッド４単位を打つ、午後九時、血糖値３１５mg/dl、レベミル４単位を打つ、ノボラピッド４単位を打つ。
【０７２９】
２０１２年９月１１日、朝、午前六時、血糖値２５９mg/dl、ノボラピッド４単位、午前八時、血糖値１９３mg/dl、ノボラピッド４単位を打つ、食事、午後二時十分、血糖値２４５mg/dl、ノボラピッド６単位を打つ、食事、午後八時二十五分、血糖値１０８mg/dl、レベミル４単位を打つ、夜、食事。夜の食事がいかに血糖値をたかめるか痛感する。夜食べない習慣にもどすのはなかなか苦しい。
【０７３０】
２０１２年９月１２日、午前六時、血糖値２６７mg/dl、ノボラピッド４単位を打つ、午前八時、血糖値１７７mg/dl、ノボラピッド４単位を打つ、食事。午後一時半、血糖値１７５mg/dl、ノボラピッド４単位を打つ、昼食、午後五時二十六分、血糖値２５６mg/dl、ノボラピッド４単位を打つ、晩御飯、午後十時十五分、血糖値１７１mg/dl、レベミル４単位を打つ。
【０７３１】
２０１２年９月１３日、午前六時二十五分、血糖値２５７mg/dl、ノボラピッド４単位を打つ、午前十時四十五分、血糖値１４０mg/dl、ノボラピッド４単位を打つ、食事、夜血糖値１６９mg/dl、レベミル４単位を打つ、ノボラピッド３単位。
【０７３２】
２０１２年９月１４日、午前七時、血糖値２００mg/dl、ノボラピッド４単位を打つ、昼、ノボラピッド４単位を打つ、午後九時、血糖値２３８mg/dl、レベミル４単位を打つ。
【０７３３】
２０１２年９月１５日、午前七時半、血糖値２０５mg/dl、ノボラピッド４単位を打つ、午後五時五十分、血糖値１８６mg/dl、ノボラピッド４単位を打つ、午前十二時、血糖値２０３mg/dl、レベミル４単位を打つ。
【０７３４】
２０１２年９月１６日、午後一時十五分、血糖値１８９mg/dl、ノボラピッド４単位を打つ。午後十一時、血糖値２０５mg/dl、レベミル４単位を打つ、ノボラピッド４単位を打つ。
【０７３５】
２０１２年９月１７日、朝血糖値２２２mg/dl、ノボラピッド４単位を打つ、午後六時二十分、血糖値１９１mg/dl、ノボラピッド４単位を打つ。
【０７３６】
２０１２年９月１８日、午前七時、血糖値２９９mg/dl、ノボラピッド６単位を打つ、午前十一時半、血糖値１２７mg/dl、ノボラピッド４単位を打つ、食事、午後六時十分、血糖値１９２mg/dl、ノボラピッド４単位を打つ、午後九時、血糖値１４２mg/dl、レベミル４単位を打つ。
【０７３７】
２０１２年９月１９日、午前六時、血糖値２２１mg/dl、ノボラピッド４単位を打つ、午後十二時、血糖値１７５mg/dl、ノボラピッド４単位を打つ、アイスは駄目、午後五時二十五分、血糖値２６３mg/dl、ノボラピッド６単位を打つ、午後九時、血糖値１７７mg/dl、レベミル４単位を打つ、ノボラピッド３単位を打つ。
【０７３８】
２０１２年９月２０日、午後十二時、血糖値１８９mg/dl、ノボラピッド４単位を打つ、午後九時、血糖値２８６mg/dl、ノボラピッド４単位を打つ、レベミル４単位を打つ、
【０７３９】
２０１２年９月２１日、午後十二時、血糖値１４２mg/dl、ノボラピッド４単位を打つ、昼食、午後五時四十分、血糖値１４７mg/dl、ノボラピッド４単位を打つ、食事、午後九時半、血糖値１７９mg/dl、レベミル４単位を打つ、ノボラピッド３単位。
【０７４０】
２０１２年９月２２日、午前七時十五分、血糖値２４０mg/dl、ノボラピッド４単位を打つ、午後十二時二十分、血糖値１５６mg/dl、ノボラピッド４単位を打つ、夕血糖値３５２mg/dl、ノボラピッド６単位を打つ、午後九時、血糖値１５６mg/dl、ノボラピッド４単位を打つ、レベミル４単位を打つ。
【０７４１】
２０１２年９月２３日、朝血糖値２９６mg/dl、ノボラピッド６単位を打つ、午前十一時半、血糖値１５９mg/dl、ノボラピッド４単位を打つ、午前一時二十分、血糖値４３４mg/dl、レベミル５単位を打つ、ノボラピッド４単位を打つ。
【０７４２】
２０１２年９月２４日、午前九時半、血糖値２１１mg/dl、ノボラピッド４単位を打つ、午後九時血糖値４２０mg/dl、レベミル５単位を打つ。
【０７４３】
２０１２年９月２５日、午前八時半、血糖値３３６mg/dl、ノボラピッド６単位を打つ、午後一時五分、血糖値１１５mg/dl、ノボラピッド４単位を打つ、食事、午後九時半、血糖値１６６mg/dl、レベミル５単位を打つ、食事。いかに夜の食事が血糖値を上げるかよくわかる。
【０７４４】
２０１２年９月２６日、午前七時、血糖値２８２mg/dl、ノボラピッド５単位を打つ、午後十二時、血糖値１９５mg/dl、ノボラピッド４単位を打つ、食事、午後六時、血糖値１８１mg/dl、ノボラピッド４単位を打つ、食事。
【０７４５】
２０１２年９月２６日、午後十二時、血糖値２３７mg/dl、ノボラピッド６単位を打つ、午後九時、血糖値１１８mg/dl、レベミル４単位を打つ。
【０７４６】
２０１２年９月２９日、午後十一時、血糖値２０４mg/dl、レベミル４単位を打つ。
【０７４７】
２０１２年９月３０日、午前九時血糖値１７７mg/dl、ノボラピッド４単位を打つ。
【０７４８】
２０１２年１０月０１日、午前十一時、血糖値１７１mg/dl、レベミル６単位を打つ、食事。
【０７４９】
２０１２年１０月０２日、午前九時、血糖値１７２mg/dl。
【０７５０】
２０１２年１０月０３日、午後十時四十分、血糖値１５１mg/dl、レベミル４単位を打つ。
【０７５１】
２０１２年１０月０４日、午後十時、血糖値１１９mg/dl、レベミル４単位を打つ。
【０７５２】
２０１２年１０月０５日、午後十二時十分、血糖値１３４mg/dl、ノボラピッド４単位を打つ、午後十一時、血糖値１６１mg/dl、レベミル６単位を打つ。
【０７５３】
２０１２年１０月０６日、午後六時、血糖値１４１mg/dl、忙しくて打てず。
【０７５４】
２０１２年１０月０７日、午後九時、血糖値２０３mg/dl、レベミル６単位を打つ。
【０７５５】
２０１２年１０月０８日、午後十一時、血糖値２０２mg/dl、レベミル６単位を打つ。
【０７５６】
２０１２年１０月０９日、午後九時十分、血糖値２０２mg/dl、レベミル６単位を打つ。
【０７５７】
２０１２年１０月１１日、午前六時、血糖値２４４mg/dl、レベミル６単位を打つ。
【０７５８】
２０１２年１０月１２日、午前七時二十分、血糖値２７１mg/dl、レベミル６単位を打つ。
【０７５９】
２０１２年１０月１３日、午前十一時、血糖値２２９mg/dl、レベミル６単位を打つ。
【０７６０】
２０１２年１０月１４日、午前七時四十分、血糖値２７１mg/dl、レベミル６単位を打つ。
【０７６１】
２０１２年１０月１５日、午前三時、血糖値２９４mg/dl、レベミル６単位を打つ。
【０７６２】
２０１２年１０月１６日、午前十二時十分、血糖値２２３mg/dl、レベミル６単位を打つ、ノボラピッド４単位を打つ。レベミルだけでは血糖値はあまり下がらないことが分かった。私の場合は組み合わせる必要がある。
【０７６３】
２０１２年１０月１７日、朝血糖値１９２mg/dl、ノボラピッド４単位を打つ。
【０７６４】
２０１２年１０月１８日、午前八時四十分、血糖値２１０mg/dl。レベミル６単位を打つ。
【０７６５】
２０１２年１０月１９日、午前七時半、血糖値２３５mg/dl、レベミル６単位を打つ、ノボラピッド４単位を打つ。レベミルは夜に打つべきだ。レベミルとノボラピッドは組み合わせた方がよい。夜の食事とアルコールは控えるべきだ。レベミルは寝る前に打った方が、効果的なのでは。
【０７６６】
２０１２年１０月２０日、午前六時三分、血糖値２１０mg/dl、レベミル４単位を打つ、ノボラピッド３単位を打つ。
【０７６７】
２０１２年１０月２１日、午前六時五十分、血糖値１５６mg/dl、レベミル４単位を打つ。
【０７６８】
２０１２年１０月２２日、午前二時、血糖値３０１mg/dl、ノボラピッド６単位を打つ。朝、血糖値１９８、レベミル４単位を打つ。欲とうまくつきあう。
【０７６９】
２０１２年１０月２３日、午前三時半、血糖値２８１mg/dl、ノボラピッド４単位を打つ、レベミル４単位を打つ。夜食べず。
【０７７０】
２０１２年１０月２４日、血糖値１８５mg/dl、レベミル４単位を打つ。アルコールが入る、午前三時十五分、血糖値３６１mg/dl、アルコールのため、甘い物を食べた。レベミル６単位を打つ、ノボラピッド４単位を打つ。
【０７７１】
２０１２年１０月２５日、アルコールが入る、午前四時、血糖値３９０mg/dl、レベミル６単位を打つ、ノボラピッド４単位を打つ。
【０７７２】
２０１２年１０月２６日、午前七時四十分、血糖値２４９mg/dl、ノボラピッド４単位を打つ。アルコールが入る、午前三時、血糖値３１５mg/dl、レベミル４単位を打つ、ノボラピッド４単位を打つ。
【０７７３】
２０１２年１０月２７日、午前十時、血糖値３７８mg/dl、ノボラピッド６単位を打つ。午前二時二十五分、血糖値４０４mg/dl、レベミル６単位を打つ、ノボラピッド４単位を打つ。
【０７７４】
２０１２年１０月２８日、午前十一時四十分、血糖値１６０mg/dl、午後五時、血糖値２７７mg/dl、レベミル４単位を打つ、ノボラピッド４単位を打つ。
【０７７５】
２０１２年１０月２９日、午後二時五分、血糖値２４０mg/dl、午前３時、血糖値３３４mg/dl、レベミル４単位を打つ、ノボラピッド４単位を打つ。
【０７７６】
２０１２年１０月３０日、午前四時四十五分、血糖値２５１mg/dl、ノボラピッド４単位を打つ、レベミル３単位を打つ。
【０７７７】
２０１２年１１月０１日、午前二時、レベミル４単位を打つ、ノボラピッド４単位を打つ、午前七時、血糖値２０４mg/dl、ノボラピッド４単位を打つ。
【０７７８】
２０１２年１１月０２日、血糖値２１２mg/dl、ラピッド４単位を打つ。「とんでけとうにょうびょう」と十一回となえる。午前十二時、血糖値３２１mg/dl、ノボラピッド６単位を打つ。
【０７７９】
２０１２年１１月０３日、午前五時半、血糖値２３５mg/dl、レベミル４単位を打つ。午前八時、血糖値２８７mg/dl、ノボラピッド４単位を打つ。
【０７８０】
２０１２年１１月０４日、午前五時四十五分、血糖値２３１mg/dl、レベミル４単位を打つ。
【０７８１】
２０１２年１１月０５日、午前三時、血糖値２５３mg/dl、ノボラピッド４単位を打つ。午前八時十分、血糖値２０７mg/dl、レベミル４単位を打つ。午後九時十分、血糖値２１５mg/dl、ノボラピッド４単位を打つ。
【０７８２】
２０１２年１１月０６日、午前九時、血糖値２０９mg/dl、レベミル４単位を打つ、午後九時、血糖値２２３mg/dl、ノボラピッド４単位を打つ。
【０７８３】
２０１２年１１月０７日、午前七時三十五分、血糖値２３８mg/dl、ノボラピッド４単位を打つ、午前十二時四十分、血糖値３１２mg/dl、ノボラピッド４単位を打つ、レベミル４単位を打つ。
【０７８４】
２０１２年１１月０８日、午前六時四十五分、血糖値３８９mg/dl、レベミル４単位を打つ、ノボラピッド４単位を打つ、
【０７８５】
２０１２年１１月０９日、午前六時三十分、血糖値２２６mg/dl、ノボラピッド４単位を打つ。
【０７８６】
２０１２年１１月１０日、午前十時半、血糖値２０４mg/dl、ノボラピッド４単位を打つ。
【０７８７】
２０１２年１１月１１日、午前三時四十分、血糖値３１２mg/dl、レベミル４単位を打つ、ノボラピッド４単位を打つ。
【０７８８】
２０１２年１１月１２日、血糖値２５２mg/dl、ノボラピッド４単位を打つ。
【０７８９】
２０１２年１１月１３日、午前七時五十分、血糖値２１３mg/dl、ノボラピッド４単位を打つ。
【０７９０】
２０１２年１１月１４日、午前八時四十五分、血糖値２４５mg/dl、ノボラピッド４単位を打つ。午後十一時二十四分、血糖値３５８mg/dl、ノボラピッド６単位を打つ、レベミル４単位を打つ。
【０７９１】
２０１２年１１月１５日、午前七時五十五分、血糖値２４７mg/dl、ノボラピッド４単位を打つ。
【０７９２】
２０１２年１１月１６日、午前九時五十分、血糖値２５０mg/dl、ノボラピッド４単位を打つ。午後二時十六分、血糖値２１４mg/dl、ノボラピッド４単位を打つ。
【０７９３】
２０１２年１１月１７日、午前二時三十五分、血糖値２７０mg/dl、レベミル４単位を打つ、ノボラピッド４単位を打つ。
【０７９４】
２０１２年１１月１８日、午前七時十分、血糖値２２４mg/dl、ノボラピッド４単位を打つ。午前十時四十五分、血糖値２２３mg/dl、ノボラピッド４単位を打つ。
【０７９５】
２０１２年１１月１９日、午前十一時四十分、血糖値２５３mg/dl、ノボラピッド４単位を打つ。
【０７９６】
２０１２年１１月２０日、午前九時三十五分、血糖値２６８mg/dl、ノボラピッド４単位を打つ。
【０７９７】
２０１２年１１月２１日、午後三時、血糖値２０７mg/dl。打てず。
【０７９８】
２０１２年１１月２２日、午前十時、ノボラピッド４単位を打つ、食事。
【０７９９】
２０１２年１１月２４日、昼血糖値２５８mg/dl、ノボラピッド４単位を打つ。
【０８００】
２０１２年１１月２５日、午前九時、血糖値１９２mg/dl、ノボラピッド４単位を打つ。
【０８０１】
２０１２年１１月２６日、午前十一時半、血糖値２４０mg/dl、ノボラピッド４単位を打つ。神様、地球様、宇宙様、感謝しています。午後六時半、血糖値３６７mg/dl、ノボラピッド４単位を打つ。
【０８０２】
２０１２年１１月２８日、午前七時半、血糖値２９９mg/dl、ノボラピッド４単位を打つ。
【０８０３】
２０１２年１１月２９日、午前六時五十分、血糖値３２３mg/dl、ノボラピッド４単位を打つ。
【０８０４】
２０１２年１２月０２日、午前六時四十五分、血糖値２５２mg/dl、ノボラピッド４単位を打つ。
【０８０５】
２０１２年１２月０３日、午後二時二十分、血糖値２１６mg/dl、ノボラピッド４単位を打つ。
【０８０６】
２０１２年１２月０４日、午前九時十分、血糖値２１４mg/dl、ノボラピッド４単位を打つ。
【０８０７】
２０１２年１２月０６日、午後九時、血糖値２２０mg/dl、ノボラピッド４単位を打つ。ここまで血糖値が高かったのは夜の食事、午後九時を過ぎての食事が理由。
【０８０８】
２０１２年１２月０８日、午後六時、血糖値１６８mg/dl、ノボラピッド４単位を打つ。このあたりから午後六時を過ぎて食べないようにした。
【０８０９】
２０１２年１２月０９日、午後二時半、血糖値１５８mg/dl、ノボラピッド４単位を打つ。
【０８１０】
２０１２年１２月１２日、午前七時二十五分、血糖値１８９mg/dl、ノボラピッド４単位を打つ。午後八時四十五分、血糖値９７、低血糖を感じて、お菓子を食べる。
【０８１１】
２０１２年１２月１３日、午後十二時、血糖値２０４mg/dl、ノボラピッド４単位を打つ。姉からコンビニ弁当をもらって食べる。やはり、血糖値は上がる。
【０８１２】
２０１２年１２月１４日、午前十一時四十五分、血糖値１９８mg/dl、ノボラピッド４単位を打つ。
【０８１３】
２０１２年１２月１５日、午前十一時十五分、血糖値２２２mg/dl、ノボラピッド４単位を打つ。
【０８１４】
２０１２年１２月１６日、午後十一時四十五分、血糖値１９４mg/dl、ノボラピッド４単位を打つ。現在の食べ方は、朝は軽く、野菜とタンパク質。昼はしっかりと野菜とタンパク質。夕は軽く野菜とタンパク質。炭水化物Ｃはできるだけ制限しています。午後六時を過ぎると一切食べないというのは正解です。お酒は飲まず、間食と過食はしないというものです。
【産業上の利用可能性】
【０８１５】
ヘレン針深度法による組織体の制御はパソコンとプログラムがあれば可能なので多用途の制御に利用することができる。
【符号の説明】
【０８１６】
１    時間の経過
２    刺す針の深さ
３    痛みの感じ方の強さ
４    針を等速度で刺すことを示すグラフ
５    痛みの感じ方の強さの時間的経過を示すグラフ
【図１】
2014121188.tif 000005